(57)【要約】本発明の実施形態は、アップリンク情報送信方法、関係するデバイス、および通信システムを提供する。本方法は、アクセスネットワークデバイスによって送信されたアップリンクスケジューリング情報を端末デバイスによって受信するステップと、アップリンクスケジューリング情報中に含まれる非周期チャネル状態指示情報ならびに変調およびコーディング指示情報に基づいて端末デバイスによって、アップリンクスケジューリング情報によって示されるアップリンクリソース上でフィードバック情報を送信すべきかどうかを判定するステップと、アップリンクリソース上でフィードバック情報を送信することを決定した場合、端末デバイスによってアップリンクリソース上でフィードバック情報を送信するステップとを含む。本発明によれば、アンライセンス周波数帯域リソースを使用しているとき、端末デバイスは、フィードバックされる必要があるアップリンク情報のタイプを効果的に識別して、データ送信効率を保証することができる。
2019525557.tif 000002
【特許請求の範囲】
【請求項１】
アクセスネットワークデバイスによって送信されたアップリンクスケジューリング情報を端末デバイスによって受信するステップと、
前記アップリンクスケジューリング情報中に備えられる非周期チャネル状態指示情報ならびに変調およびコーディング指示情報に基づいて前記端末デバイスによって、前記アップリンクスケジューリング情報によって示されるアップリンクリソース上でフィードバック情報を送信すべきかどうかを判定するステップと、
前記アップリンクリソース上で前記フィードバック情報を送信することを決定した場合、前記端末デバイスによって前記アップリンクリソース上で前記フィードバック情報を送信するステップと
を備える、アップリンク情報送信方法。
【請求項２】
前記端末デバイスが前記アップリンクリソース上で前記フィードバック情報を送信するとき、前記端末デバイスによって前記アップリンクリソース上でアップリンクデータおよび非周期チャネル状態情報のうちの少なくとも１つをさらに送信するステップ
をさらに備える、請求項１に記載の方法。
【請求項３】
前記端末デバイスが前記アップリンクリソース上で前記非周期チャネル状態情報も前記アップリンクデータも送信しない場合、前記アップリンクリソースは、物理アップリンク制御チャネル中に備えられるリソースであるか、または
前記端末デバイスが前記アップリンクリソース上で前記非周期チャネル状態情報および／または前記アップリンクデータを送信する場合、前記アップリンクリソースは、物理アップリンク共有チャネル中に備えられるリソースである、請求項１または２に記載の方法。
【請求項４】
前記端末デバイスが前記アップリンクリソース上で前記アップリンクデータを送信しない場合、前記アップリンクリソースは、物理アップリンク制御チャネル中に備えられるリソースであるか、または
前記端末デバイスが前記アップリンクリソース上で前記アップリンクデータを送信する場合、前記アップリンクリソースは、物理アップリンク共有チャネル中に備えられるリソースである、請求項１または２に記載の方法。
【請求項５】
前記物理アップリンク制御チャネル中に備えられる前記リソースに対応する前記アップリンクスケジューリング情報のフォーマットは、前記物理アップリンク共有チャネル中に備えられる前記リソースに対応する前記アップリンクスケジューリング情報のフォーマットと同じである、請求項３または４に記載の方法。
【請求項６】
前記アップリンクスケジューリング情報中に備えられる非周期チャネル状態指示情報ならびに変調およびコーディング指示情報に基づいて前記端末デバイスによって、前記アップリンクスケジューリング情報によって示されるアップリンクリソース上でフィードバック情報を送信すべきかどうかを判定する前記ステップは、
前記アップリンクスケジューリング情報中に備えられる前記非周期チャネル状態指示情報が、前記非周期チャネル状態情報をフィードバックするように前記端末デバイスに命令し、前記アップリンクスケジューリング情報中に備えられる前記変調およびコーディング指示情報に対応する変調およびコーディング方式インデックス番号が３０もしくは３１に設定されたとき、前記アップリンクスケジューリング情報によって示される前記アップリンクリソース上で前記フィードバック情報を送信することを前記端末デバイスによって決定するステップ、および／または
前記アップリンクスケジューリング情報中に備えられる前記非周期チャネル状態指示情報が、前記非周期チャネル状態情報をフィードバックしないように前記端末デバイスに命令し、前記アップリンクスケジューリング情報中に備えられる前記変調およびコーディング指示情報に対応する変調およびコーディング方式インデックス番号が２９から３１の中のいずれかの値に設定されたとき、前記アップリンクスケジューリング情報によって示される前記アップリンクリソース上で前記フィードバック情報を送信することを前記端末デバイスによって決定するステップを備える、請求項１乃至５のいずれか一項に記載の方法。
【請求項７】
アクセスネットワークデバイスによって送信されたアップリンクスケジューリング情報を端末デバイスによって受信するステップと、
前記アップリンクスケジューリング情報中に備えられる変調およびコーディング指示情報に基づいて前記端末デバイスによって、前記アップリンクスケジューリング情報によって示されるアップリンクリソース上でアップリンクデータを送信すべきかどうかを判定するステップと、
前記アップリンクリソース上で前記アップリンクデータを送信することを決定した場合、前記端末デバイスによって前記アップリンクリソース上で前記アップリンクデータを送信するステップと
を備える、アップリンク情報送信方法。
【請求項８】
前記アップリンクスケジューリング情報中に備えられる変調およびコーディング指示情報に基づいて前記端末デバイスによって、前記アップリンクスケジューリング情報によって示されるアップリンクリソース上でアップリンクデータを送信すべきかどうかを判定する前記ステップは、
前記アップリンクスケジューリング情報中に備えられる前記変調およびコーディング指示情報に対応するインデックス番号が０から２８の中のいずれかの値であると前記端末デバイスが判定したとき、前記アップリンクスケジューリング情報によって示される前記アップリンクリソース上で前記アップリンクデータを送信することを前記端末デバイスによって決定するステップ、および／または
前記アップリンクスケジューリング情報中に備えられる前記変調およびコーディング指示情報に対応するインデックス番号が２９から３１の中のいずれかの値であると前記端末デバイスが判定したとき、前記アップリンクスケジューリング情報によって示される前記アップリンクリソース上で前記アップリンクデータを送信しないことを前記端末デバイスによって決定するステップ
を備える、請求項７に記載の方法。
【請求項９】
前記アップリンクスケジューリング情報によって示される前記アップリンクリソース上で前記アップリンクデータを送信することを前記端末デバイスによって決定する前記ステップは、
前記アップリンクスケジューリング情報中に備えられる非周期チャネル状態指示情報およびフィードバック指示情報に基づいて前記端末デバイスによって、前記アップリンクスケジューリング情報によって示される前記アップリンクリソース上で前記アップリンクデータ、前記アップリンクデータおよび非周期チャネル状態情報、前記アップリンクデータおよびフィードバック情報、または前記アップリンクデータ、非周期チャネル状態情報、およびフィードバック情報を送信することを決定するステップ
を備える、請求項８に記載の方法。
【請求項１０】
前記アップリンクスケジューリング情報によって示される前記アップリンクリソース上で前記アップリンクデータを送信しないことを前記端末デバイスによって決定する前記ステップは、
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを決定するステップ
を備える、請求項８に記載の方法。
【請求項１１】
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを決定する前記ステップは、
前記変調およびコーディング指示情報に対応する前記インデックス番号が２９であると前記端末デバイスが判定したとき、前記アップリンクスケジューリング情報によって示される前記アップリンクリソース上で前記非周期チャネル状態情報を送信することを前記端末デバイスによって決定するステップ、および／または
前記変調およびコーディング指示情報に対応する前記インデックス番号が３０または３１であると前記端末デバイスが判定したとき、前記アップリンクスケジューリング情報によって示される前記アップリンクリソース上で前記フィードバック情報、または前記非周期チャネル状態情報および前記フィードバック情報を送信することを前記端末デバイスによって決定するステップ
を備える、請求項１０に記載の方法。
【請求項１２】
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを決定する前記ステップは、
前記変調およびコーディング指示情報に対応する前記インデックス番号が２９であり、前記アップリンクスケジューリング情報中に備えられる前記非周期チャネル状態指示情報が「真」に設定されていると前記端末デバイスが判定したとき、前記アップリンクスケジューリング情報によって示される前記アップリンクリソース上で前記非周期チャネル状態情報を送信することを前記端末デバイスによって決定するステップ、および／または
前記変調およびコーディング指示情報に対応する前記インデックス番号が２９であり、前記アップリンクスケジューリング情報中に備えられる前記非周期チャネル状態指示情報が「偽」に設定されていると前記端末デバイスが判定したとき、前記アップリンクスケジューリング情報によって示される前記アップリンクリソース上で前記フィードバック情報、または前記非周期チャネル状態情報および前記フィードバック情報を送信することを前記端末デバイスによって決定するステップ
を備える、請求項１０に記載の方法。
【請求項１３】
前記アップリンクスケジューリング情報によって示される前記アップリンクリソース上で前記フィードバック情報、または前記非周期チャネル状態情報および前記フィードバック情報を送信することを前記端末デバイスによって決定する前記ステップは、
前記アップリンクスケジューリング情報によって示される前記アップリンクリソース上で前記フィードバック情報を送信することを前記端末デバイスによって決定するステップ
を備え、
前記方法は、
前記変調およびコーディング指示情報に対応する前記インデックス番号が３０または３１であると前記端末デバイスが判定したとき、前記アップリンクスケジューリング情報によって示される前記アップリンクリソース上で前記非周期チャネル状態情報および前記フィードバック情報を送信することを前記端末デバイスによって決定するステップ
をさらに備える、請求項１２に記載の方法。
【請求項１４】
前記アップリンクスケジューリング情報によって示される前記アップリンクリソース上で前記フィードバック情報、または前記非周期チャネル状態情報および前記フィードバック情報を送信することを前記端末デバイスによって決定する前記ステップは、
前記アップリンクスケジューリング情報によって示される前記アップリンクリソース上で前記非周期チャネル状態情報および前記フィードバック情報を送信することを前記端末デバイスによって決定するステップ
を備え、
前記方法は、
前記変調およびコーディング指示情報に対応する前記インデックス番号が３０または３１であると前記端末デバイスが判定したとき、前記アップリンクスケジューリング情報によって示される前記アップリンクリソース上で前記フィードバック情報を送信することを前記端末デバイスによって決定するステップ
をさらに備える、請求項１２に記載の方法。
【請求項１５】
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを決定する前記ステップは、
前記アップリンクスケジューリング情報中に備えられる前記非周期チャネル状態指示情報および前記フィードバック指示情報に基づいて前記端末デバイスによって、前記アップリンクスケジューリング情報によって示される前記アップリンクリソース上で前記非周期チャネル状態情報、前記フィードバック情報、または前記非周期チャネル状態情報および前記フィードバック情報を送信することを決定するステップ
を備える、請求項１０に記載の方法。
【請求項１６】
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを決定する前記ステップは、
前記アップリンクスケジューリング情報中に備えられる前記変調およびコーディング指示情報、前記非周期チャネル状態指示情報、ならびに前記フィードバック指示情報に基づいて前記端末デバイスによって、前記アップリンクスケジューリング情報によって示される前記アップリンクリソース上で前記非周期チャネル状態情報、前記フィードバック情報、または前記非周期チャネル状態情報および前記フィードバック情報を送信することを決定するステップ
を備える、請求項１０に記載の方法。
【請求項１７】
前記端末デバイスが前記アップリンクリソース上で前記非周期チャネル状態情報も前記アップリンクデータも送信しない場合、前記アップリンクリソースは、物理アップリンク制御チャネル中に備えられるリソースであるか、または
前記端末デバイスが前記アップリンクリソース上で前記非周期チャネル状態情報および／または前記アップリンクデータを送信する場合、前記アップリンクリソースは、物理アップリンク共有チャネル中に備えられるリソースである、請求項８乃至１６のいずれか一項に記載の方法。
【請求項１８】
前記端末デバイスが前記アップリンクリソース上で前記アップリンクデータを送信しない場合、前記アップリンクリソースは、物理アップリンク制御チャネル中に備えられるリソースであるか、または
前記端末デバイスが前記アップリンクリソース上で前記アップリンクデータを送信する場合、前記アップリンクリソースは、物理アップリンク共有チャネル中に備えられるリソースである、請求項８乃至１６のいずれか一項に記載の方法。
【請求項１９】
前記物理アップリンク制御チャネル中に備えられる前記リソースに対応する前記アップリンクスケジューリング情報のフォーマットは、前記物理アップリンク共有チャネル中に備えられる前記リソースに対応する前記アップリンクスケジューリング情報のフォーマットと同じである、請求項１７または１８に記載の方法。
【請求項２０】
アクセスネットワークデバイスによって送信されたアップリンクスケジューリング情報を端末デバイスによって受信するステップと、
前記アップリンクスケジューリング情報中に備えられる非周期チャネル状態指示情報およびフィードバック指示情報に基づいて前記端末デバイスによって、前記アップリンクスケジューリング情報によって示されるアップリンクリソース上で送信されるべきアップリンク情報を判定するステップであって、前記アップリンク情報が、アップリンクデータ、非周期チャネル状態情報、およびフィードバック情報のうちの少なくとも１つを備える、ステップと、
前記端末デバイスによって前記アップリンクリソース上で前記アップリンク情報を送信するステップと
を備える、アップリンク情報送信方法。
【請求項２１】
アクセスネットワークデバイスによって端末デバイスにアップリンクスケジューリング情報を送信するステップであって、前記アップリンクスケジューリング情報が非周期チャネル状態指示情報ならびに変調およびコーディング指示情報を備え、前記非周期チャネル状態指示情報ならびに前記変調およびコーディング指示情報が、前記アップリンクスケジューリング情報によって示されるアップリンクリソース上でフィードバック情報を送信すべきかどうかを判定するように前記端末デバイスに命令するために使用される、ステップと、
前記アップリンクスケジューリング情報によって示される前記アップリンクリソース上で前記フィードバック情報を送信するように前記非周期チャネル状態指示情報ならびに前記変調およびコーディング指示情報が前記端末デバイスに命令した場合、前記アップリンクリソース上で前記端末デバイスによって送信された前記フィードバック情報を前記アクセスネットワークデバイスによって受信するステップと
を備える、アップリンク情報送信方法。
【請求項２２】
アクセスネットワークデバイスによって端末デバイスにアップリンクスケジューリング情報を送信するステップであって、前記アップリンクスケジューリング情報が変調およびコーディング指示情報を備え、前記変調およびコーディング指示情報が、前記アップリンクスケジューリング情報によって示されるアップリンクリソース上でアップリンクデータを送信すべきかどうかを判定するために前記端末デバイスによって使用される、ステップと、
前記アップリンクスケジューリング情報によって示される前記アップリンクリソース上で前記アップリンクデータを送信するように前記変調およびコーディング指示情報が前記端末デバイスに命令した場合、前記アップリンクリソース上で前記端末デバイスによって送信された前記アップリンクデータを前記アクセスネットワークデバイスによって受信するステップと
を備える、アップリンク情報送信方法。
【請求項２３】
アクセスネットワークデバイスによって端末デバイスにアップリンクスケジューリング情報を送信するステップであって、前記アップリンクスケジューリング情報が非周期チャネル状態指示情報およびフィードバック指示情報を備え、前記非周期チャネル状態指示情報および前記フィードバック指示情報が、前記アップリンクスケジューリング情報によって示されるアップリンクリソース上で送信されるべきアップリンク情報を判定するように前記端末デバイスに命令するために使用され、前記アップリンク情報が、アップリンクデータ、非周期チャネル状態情報、およびフィードバック情報のうちの少なくとも１つを備える、ステップと、
前記アップリンクリソース上で前記端末デバイスによって送信された前記アップリンク情報を前記アクセスネットワークデバイスによって受信するステップと
を備える、アップリンク情報送信方法。
【請求項２４】
プロセッサ、メモリ、および通信モジュールを備える、端末デバイスであって、前記メモリは、アップリンク情報送信プログラムコードを記憶するように構成されており、前記プロセッサは、請求項１乃至６のいずれか一項に記載のアップリンク情報送信方法を実施するために前記アップリンク情報送信プログラムコードを呼び出すように構成されている、端末デバイス。
【請求項２５】
プロセッサ、メモリ、および通信モジュールを備える、端末デバイスであって、前記メモリは、アップリンク情報送信プログラムコードを記憶するように構成されており、前記プロセッサは、請求項７乃至１９のいずれか一項に記載のアップリンク情報送信方法を実施するために前記アップリンク情報送信プログラムコードを呼び出すように構成されている、端末デバイス。
【請求項２６】
プロセッサ、メモリ、および通信モジュールを備える、端末デバイスであって、前記メモリは、アップリンク情報送信プログラムコードを記憶するように構成されており、前記プロセッサは、請求項２０に記載のアップリンク情報送信方法を実施するために前記アップリンク情報送信プログラムコードを呼び出すように構成されている、端末デバイス。
【請求項２７】
プロセッサ、メモリ、および通信モジュールを備える、アクセスネットワークデバイスであって、前記メモリは、アップリンク情報送信プログラムコードを記憶するように構成されており、前記プロセッサは、請求項２１に記載のアップリンク情報送信方法を実施するために前記アップリンク情報送信プログラムコードを呼び出すように構成されている、アクセスネットワークデバイス。
【請求項２８】
プロセッサ、メモリ、および通信モジュールを備える、アクセスネットワークデバイスであって、前記メモリは、アップリンク情報送信プログラムコードを記憶するように構成されており、前記プロセッサは、請求項２２に記載のアップリンク情報送信方法を実施するために前記アップリンク情報送信プログラムコードを呼び出すように構成されている、アクセスネットワークデバイス。
【請求項２９】
プロセッサ、メモリ、および通信モジュールを備える、アクセスネットワークデバイスであって、前記メモリは、アップリンク情報送信プログラムコードを記憶するように構成されており、前記プロセッサは、請求項２３に記載のアップリンク情報送信方法を実施するために前記アップリンク情報送信プログラムコードを呼び出すように構成されている、アクセスネットワークデバイス。
【請求項３０】
請求項２４に記載の端末デバイスおよび請求項２７に記載のアクセスネットワークデバイスを備えるか、請求項２５に記載の端末デバイスおよび請求項２８に記載のアクセスネットワークデバイスを備えるか、または請求項２６に記載の端末デバイスおよび請求項２９に記載のアクセスネットワークデバイスを備える、通信システム。
【発明の詳細な説明】
【技術分野】
【０００１】
本発明は、通信技術の分野に関し、詳細には、アップリンク情報送信方法、関係するデバイス、および通信システムに関する。
【背景技術】
【０００２】
ロングタームエボリューション（英語：Ｌｏｎｇ  Ｔｅｒｍ  Ｅｖｏｌｕｔｉｏｎ、ＬＴＥ）システムは、２つの複信モード、周波数分割複信（英語：Ｆｒｅｑｕｅｎｃｙ  Ｄｉｖｉｓｉｏｎ  Ｄｕｐｌｅｘｉｎｇ、ＦＤＤ）および時分割複信（Ｔｉｍｅ  Ｄｉｖｉｓｉｏｎ  Ｄｕｐｌｅｘｉｎｇ、ＴＤＤ）をサポートする。ＦＤＤは、アップリンク送信およびダウンリンク送信が異なる搬送波帯域上で実施され、端末デバイスとアクセスネットワークデバイスの両方が、同時に信号を受信し信号を送信することを可能にされることを意味する。ＴＤＤは、アップリンク送信およびダウンリンク送信が同じ搬送波帯域上で実施され、端末デバイス／アクセスネットワークデバイスが、異なる瞬間において情報を送信しおよび受信することを意味する。ハイブリッド自動再送要求（英語：Ｈｙｂｒｉｄ  Ａｕｔｏｍａｔｉｃ  Ｒｅｐｅａｔ  Ｒｅｑｕｅｓｔ、ＨＡＲＱ）メカニズムに基づいて、ダウンリンクキャリアのために端末デバイスによって与えられるフィードバック情報は、肯定応答（英語：Ａｃｋｎｏｗｌｅｄｇｅｍｅｎｔ、ＡＣＫ）および否定応答（英語：Ｎｏｎ−Ａｃｋｎｏｗｌｅｄｇｅｍｅｎｔ、ＮＡＣＫ）を含む。既存のＬＴＥシステムでは、端末デバイスがその中で物理ダウンリンク共有チャネル（英語：Ｐｈｙｓｉｃａｌ  Ｄｏｗｎｌｉｎｋ  Ｓｈａｒｅｄ  Ｃｈａｎｎｅｌ、ＰＤＳＣＨ）を受信するサブフレームと、ＰＤＳＣＨに対応するＡＣＫまたはＮＡＣＫを端末デバイスがその中でフィードバックするアップリンクサブフレームとのサブフレーム間隔があらかじめ定義されていて、端末デバイスがＡＣＫまたはＮＡＣＫをフィードバックし、アクセスネットワークデバイスがＡＣＫまたはＮＡＣＫを受信することが保証される。
【０００３】
ＦＤＤシステムでは、ＰＤＳＣＨ上で搬送されるダウンリンクデータをダウンリンクサブフレームｎ−４中で受信した後に、端末デバイスは、ＰＤＳＣＨに対応するＡＣＫまたはＮＡＣＫをアップリンクサブフレームｎ中でフィードバックする。ＴＤＤシステムでは、無線フレームのアップリンクダウンリンク構成は固定されている。図１Ａに示されているように、ＬＴＥは、７つの異なるＴＤＤアップリンクダウンリンク構成を現在サポートしている。Ｄはダウンリンクサブフレーム（英語：Ｄｏｗｎｌｉｎｋ  Ｓｕｂｆｒａｍｅ）を表し、Ｓはスペシャルサブフレーム（英語：Ｓｐｅｃｉａｌ  Ｓｕｂｆｒａｍｅ、ＳＳＦ）を表し、Ｕはアップリンクサブフレーム（英語：Ｕｐｌｉｎｋ  Ｓｕｂｆｒａｍｅ）を表す。ＰＤＳＣＨと、ＰＤＳＣＨに対応するＡＣＫまたはＮＡＣＫとの間の時間系列関係またはタイミング関係が図１Ｂに示されている。番号を使用することによって識別されるサブフレームは、ＡＣＫまたはＮＡＣＫをフィードバックするために使用されるアップリンクサブフレームｎであり、識別番号は、ダウンリンクサブフレームセットｎ−ｋ（ｋはＫに属する）中のＰＤＳＣＨに対応するＡＣＫまたはＮＡＣＫがアップリンクサブフレームｎ中でフィードバックされる必要があることを示す。たとえば、アップリンクダウンリンク構成１におけるサブフレームｎ＝２中のＫ＝｛７，６｝は、アップリンクサブフレームｎ＝２が使用されて、２つのダウンリンクサブフレームｎ−７およびｎ−６中でＰＤＳＣＨに対応するＡＣＫまたはＮＡＣＫがフィードバックされることを示す。特に、ｎ−７はダウンリンクサブフレーム５を識別し、ｎ−６はダウンリンクサブフレーム６を識別する。
【０００４】
既存のＬＴＥシステムにおいてサービングセル中に展開されるすべてのスペクトルは、ライセンススペクトルである。具体的には、スペクトルは、ライセンススペクトルを購入した事業者ネットワークによってのみ使用されることができる。（ライセンスフリースペクトルと呼ばれることもある）アンライセンススペクトルは、購入されることなしにどんな事業者によっても使用されることができるので、アンライセンススペクトルに対してより多くの注意が払われる。スペクトルリソースは、将来において供給がますます不足し、結果的に、ライセンススペクトルに基づくＬＴＥシステムのサービス能力が限定される。したがって、ＬＴＥシステムがアンライセンススペクトルを使用することが発展傾向である。アンライセンススペクトル上に展開されたＬＴＥシステムはアンライセンスロングタームエボリューション（英語：Ｕｎｌｉｃｅｎｓｅｄ−ＬＴＥ、Ｕ−ＬＴＥ）システムと呼ばれる。
【０００５】
アンライセンススペクトル上のリソース共有は、特定のスペクトルの使用中に送信電力および帯域外リークなどのカウンタのみに制限が課され、いくつかの領域においていくつかの追加の共存ポリシーがあることなどを意味する。アンライセンススペクトル上の複数のシステム間の、たとえば、Ｕ−ＬＴＥシステムとワイヤレスフィデリティ（英語：Ｗｉｒｅｌｅｓｓ  Ｆｉｄｅｌｉｔｙ、ＷｉＦｉ）システムとの間の、または複数の事業者のＵ−ＬＴＥシステム間の、フレンドリーな共存について考えると、アンライセンススペクトルの使用中に、リッスンビフォアトーク（英語：Ｌｉｓｔｅｎ−Ｂｅｆｏｒｅ−Ｔａｌｋ、ＬＢＴ）など、いくつかの共存規制の制限に従われる必要がある。特に、アクセスネットワークデバイスまたは端末デバイスがＵ−ＬＴＥサービングセルのチャネル上で信号を送信する前に、クリアチャネルアセスメント（英語：Ｃｌｅａｒ  Ｃｈａｎｎｅｌ  Ａｓｓｅｓｓｍｅｎｔ、ＣＣＡ）がサービングセルのチャネル上で実施される必要がある。検出された受信電力がしきい値を超えると、アクセスネットワークデバイスまたは端末デバイスは、チャネルがアイドルであることを検出するまで、一時的にチャネル上で信号を送信することができない。さらに、場合によっては、アクセスネットワークデバイスまたは端末デバイスは、さらにランダムバックオフを実施する必要がある。ランダムバックオフ中にのみ、チャネルはアイドルであり、チャネル上で信号は送信され得る。これに基づいて、ＬＴＥシステムでは、ダウンリンクデータを送信するアクセスネットワークデバイスと、アップリンクデータを送信する端末デバイスの両方が、アンライセンススペクトル上でデータを時々送信することがわかるであろう。加えて、アンライセンススペクトル上の時々のデータ送信に基づいて、ＬＴＥシステムのアップリンクダウンリンクサービス要件を満たすために、アンライセンススペクトル上のＵ−ＬＴＥシステムのアップリンクダウンリンク構成はフレキシブルであることができる。
【０００６】
アンライセンススペクトルの上記の特徴（具体的には、時々のデータ送信およびフレキシブルなアップリンクダウンリンク構成）に基づいて、時々のデータ送信の場合、アンライセンス周波数帯域リソースの効果的な使用およびデータ送信効率を保証するために、ダウンリンクデータについてＨＡＲＱ−ＡＣＫ情報を送信するように端末デバイスに命令するためのトリガメカニズムが使用され得る。既存のシステムでは、非周期チャネル状態情報のフィードバックおよびアップリンクデータ送信もトリガメカニズムを使用することによって実装されること、たとえば、アップリンクデータおよび／または非周期チャネル状態情報を送信するように端末デバイスに命令するためのＵＬグラントが使用されることを考えると、トリガされるアップリンク情報のタイプを端末デバイスが識別することを可能にするために好適な技術的解決策をどのように設計すべきであるかが、今回解決される必要がある技術的問題である。
【発明の概要】
【０００７】
本発明の実施形態は、アンライセンス周波数帯域リソースを使用しているとき、端末デバイスが、フィードバックされる必要があるアップリンク情報のタイプを効果的に識別し、データ送信効率を保証することができるような、アップリンク情報送信方法、関係するデバイス、および通信システムを提供する。
【０００８】
第１の態様によれば、
アクセスネットワークデバイスによって送信されたアップリンクスケジューリング情報を端末デバイスによって受信するステップと、
アップリンクスケジューリング情報中に含まれる非周期チャネル状態指示情報ならびに変調およびコーディング指示情報に基づいて端末デバイスによって、アップリンクスケジューリング情報によって示されるアップリンクリソース上でフィードバック情報を送信すべきかどうかを判定するステップと、
アップリンクリソース上でフィードバック情報を送信することを決定した場合、端末デバイスによってアップリンクリソース上でフィードバック情報を送信するステップと
を含む、アップリンク情報送信方法が提供される。
【０００９】
上記のステップを実施することによって、端末デバイスは、端末デバイスがＨＡＲＱ−ＡＣＫをフィードバックする必要があるかどうかを判定することができ、さらに、余分のシグナリングオーバーヘッドを引き起こすことなしに、既存のアップリンクスケジューリング情報（たとえば、ＵＬグラント）中に含まれる非周期チャネル状態指示情報ならびに変調およびコーディング指示情報を再利用することができ、それにより、シグナリングオーバーヘッドが低減される。
【００１０】
第１の態様に関して、第１の態様の第１の実装では、本方法は、
端末デバイスがアップリンクリソース上でフィードバック情報を送信するとき、端末デバイスによってアップリンクリソース上でアップリンクデータおよび非周期チャネル状態情報のうちの少なくとも１つをさらに送信するステップ
をさらに含む。
【００１１】
上記のステップが実施される。したがって、既存のＵＬグラントにおける指示方法が最大限に再利用され、スケジュールされたアップリンクリソース上でＵＬ−ＳＣＨおよび／またはａＣＳＩを送信することを端末デバイスによって決定するための以前の方法が維持されることが可能であり、それにより、端末デバイスはわずかにしか変更されない。
【００１２】
第１の態様または第１の態様の第１の実装に関して、第１の態様の第２の実装では、アップリンクスケジューリング情報中に含まれる非周期チャネル状態指示情報ならびに変調およびコーディング指示情報に基づいて端末デバイスによって、アップリンクスケジューリング情報によって示されるアップリンクリソース上でフィードバック情報を送信すべきかどうかを判定するステップは、
アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、アップリンクスケジューリング情報によって示されるアップリンクリソース上でフィードバック情報を送信することを端末デバイスによって決定するステップ、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、アップリンクスケジューリング情報によって示されるアップリンクリソース上でフィードバック情報を送信することを端末デバイスによって決定するステップ
を含む。
【００１３】
上記のステップが実施される。したがって、ライセンスフリー周波数帯域上で、非同期および適応アップリンクデータ送信が実施されてアップリンクリソースが効果的に使用される。この場合、ノンアダプティブ再送のために主に使用される変調およびコーディング方式インデックス（ＭＣＳインデックス）２９から３１は、ＵＥがアップリンクデータを送信するときに使用されるＭＣＳを示すために使用されなくてよく、それにより、ＭＣＳインデックス２９から３１を使用することによっておよび非周期チャネル状態指示情報（ａＣＳＩトリガ）に関して、アップリンクリソース上でＨＡＲＱ−ＡＣＫを送信すべきかどうかが判定されることができる。
【００１４】
第２の態様によれば、
アクセスネットワークデバイスによって送信されたアップリンクスケジューリング情報を端末デバイスによって受信するステップと、
アップリンクスケジューリング情報中に含まれる変調およびコーディング指示情報に基づいて端末デバイスによって、アップリンクスケジューリング情報によって示されるアップリンクリソース上でアップリンクデータを送信すべきかどうかを判定するステップと、
アップリンクリソース上でアップリンクデータを送信することを決定した場合、端末デバイスによってアップリンクリソース上でアップリンクデータを送信するステップと
を含む、アップリンク情報送信方法が提供される。
【００１５】
上記のステップを実施することによって、端末デバイスは、余分のシグナリングオーバーヘッドを引き起こすことなしに、変調およびコーディング指示情報のみを使用することによって、端末デバイスがアップリンクデータをフィードバックする必要があるかどうかを判定することができ、それにより、シグナリングオーバーヘッドが低減される。加えて、端末デバイスは、非周期チャネル状態指示情報と無関係に、アップリンクデータを送信すべきかどうかを判定することができ、それにより、端末デバイスによる検出の複雑さが低減される。
【００１６】
第２の態様に関して、第２の態様の第１の実装では、アップリンクスケジューリング情報中に含まれる変調およびコーディング指示情報に基づいて端末デバイスによって、アップリンクスケジューリング情報によって示されるアップリンクリソース上でアップリンクデータを送信すべきかどうかを判定するステップは、
アップリンクスケジューリング情報中に含まれる変調およびコーディング指示情報に対応するインデックス番号が０から２８の中のいずれかの値であると端末デバイスが判定したとき、アップリンクスケジューリング情報によって示されるアップリンクリソース上でアップリンクデータを送信することを端末デバイスによって決定するステップ、および／または
アップリンクスケジューリング情報中に含まれる変調およびコーディング指示情報に対応するインデックス番号が２９から３１の中のいずれかの値であると端末デバイスが判定したとき、アップリンクスケジューリング情報によって示されるアップリンクリソース上でアップリンクデータを送信しないことを端末デバイスによって決定するステップ
を含む。
【００１７】
上記のステップが実施され、それにより、アップリンクデータのＭＣＳは適応的に調整されて、データ送信効率を改善することが可能である。
【００１８】
第２の態様の第１の実装に関して、第２の態様の第２の実装では、アップリンクスケジューリング情報によって示されるアップリンクリソース上でアップリンクデータを送信することを端末デバイスによって決定するステップは、
アップリンクスケジューリング情報中に含まれる非周期チャネル状態指示情報およびフィードバック指示情報に基づいて端末デバイスによって、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定するステップ
を含む。
【００１９】
第２の態様の第１の実装に関して、第２の態様の第３の実装では、アップリンクスケジューリング情報によって示されるアップリンクリソース上でアップリンクデータを送信しないことを端末デバイスによって決定するステップは、
アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップ
を含む。
【００２０】
第２の態様の第３の実装に関して、第２の態様の第４の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
変調およびコーディング指示情報に対応するインデックス番号が２９であると端末デバイスが判定したとき、アップリンクスケジューリング情報によって示されるアップリンクリソース上で非周期チャネル状態情報を送信することを端末デバイスによって決定するステップ、および／または
変調およびコーディング指示情報に対応するインデックス番号が３０または３１であると端末デバイスが判定したとき、アップリンクスケジューリング情報によって示されるアップリンクリソース上でフィードバック情報、または非周期チャネル状態情報およびフィードバック情報を送信することを端末デバイスによって決定するステップ
を含む。
【００２１】
上記のステップが実施される。したがって、ライセンスフリー周波数帯域上の非同期および適応アップリンクデータ送信の特徴に関して、冗長ＭＣＳインデックスが効果的に使用されて、リソース使用効率を改善することが可能である。
【００２２】
第２の態様の第３の実装に関して、第２の態様の第５の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
変調およびコーディング指示情報に対応するインデックス番号が２９であり、アップリンクスケジューリング情報中に含まれる非周期チャネル状態指示情報が「真」に設定されていると端末デバイスが判定したとき、アップリンクスケジューリング情報によって示されるアップリンクリソース上で非周期チャネル状態情報を送信することを端末デバイスによって決定するステップ、および／または
変調およびコーディング指示情報に対応するインデックス番号が２９であり、アップリンクスケジューリング情報中に含まれる非周期チャネル状態指示情報が「偽」に設定されていると端末デバイスが判定したとき、アップリンクスケジューリング情報によって示されるアップリンクリソース上でフィードバック情報、または非周期チャネル状態情報およびフィードバック情報を送信することを端末デバイスによって決定するステップ
を含む。
【００２３】
第２の態様の第５の実装に関して、第２の態様の第６の実装では、アップリンクスケジューリング情報によって示されるアップリンクリソース上でフィードバック情報、または非周期チャネル状態情報およびフィードバック情報を送信することを端末デバイスによって決定するステップは、
アップリンクスケジューリング情報によって示されるアップリンクリソース上でフィードバック情報を送信することを端末デバイスによって決定するステップ
を含み、
本方法は、
変調およびコーディング指示情報に対応するインデックス番号が３０または３１であると端末デバイスが判定したとき、アップリンクスケジューリング情報によって示されるアップリンクリソース上で非周期チャネル状態情報およびフィードバック情報を送信することを端末デバイスによって決定するステップ
をさらに含む。
【００２４】
第２の態様の第５の実装に関して、第２の態様の第７の実装では、アップリンクスケジューリング情報によって示されるアップリンクリソース上でフィードバック情報、または非周期チャネル状態情報およびフィードバック情報を送信することを端末デバイスによって決定するステップは、
アップリンクスケジューリング情報によって示されるアップリンクリソース上で非周期チャネル状態情報およびフィードバック情報を送信することを端末デバイスによって決定するステップ
を含み、
本方法は、
変調およびコーディング指示情報に対応するインデックス番号が３０または３１であると端末デバイスが判定したとき、アップリンクスケジューリング情報によって示されるアップリンクリソース上でフィードバック情報を送信することを端末デバイスによって決定するステップ
をさらに含む。
【００２５】
第２の態様の第３の実装に関して、第２の態様の第８の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
アップリンクスケジューリング情報中に含まれる非周期チャネル状態指示情報およびフィードバック指示情報に基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップ
を含む。
【００２６】
第２の態様の第３の実装に関して、第２の態様の第９の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
アップリンクスケジューリング情報中に含まれる変調およびコーディング指示情報、非周期チャネル状態指示情報、ならびにフィードバック指示情報に基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップ
を含む。
【００２７】
第３の態様によれば、
アクセスネットワークデバイスによって送信されたアップリンクスケジューリング情報を端末デバイスによって受信するステップと、
アップリンクスケジューリング情報中に含まれる非周期チャネル状態指示情報およびフィードバック指示情報に基づいて端末デバイスによって、アップリンクスケジューリング情報によって示されるアップリンクリソース上で送信されるべきアップリンク情報を判定するステップであって、アップリンク情報が、アップリンクデータ、非周期チャネル状態情報、およびフィードバック情報のうちの少なくとも１つを含む、ステップと、
端末デバイスによってアップリンクリソース上でアップリンク情報を送信するステップと
を含む、アップリンク情報送信方法が提供される。
【００２８】
上記のステップを実施することによって、端末デバイスは、アップリンクスケジューリング情報中に含まれる非周期チャネル状態指示情報および追加された指示ビット（フィードバック指示情報）に基づいて、フィードバックされる必要があるアップリンク情報を判定することができる。ＵＥは、従来技術のようにスペシャルＭＣＳ構成および明示的シグナリングに基づいて判定する（たとえば、従来技術では、ＵＥは、ａＣＳＩトリガ指示およびＭＣＳインデックスの特定の値（たとえば、ＭＣＳインデックスが２９である）に基づいて、ａＣＳＩを送信すべきかどうかを判定する）ことを実施することなしに、アップリンクスケジューリング情報中に含まれる明示的シグナリングに基づいて、非周期ＣＳＩを送信するが、ＨＡＲＱ−ＡＣＫと、ＨＡＲＱ−ＡＣＫおよびａＣＳＩと、ＨＡＲＱ−ＡＣＫおよびアップリンクデータと、ＨＡＲＱ−ＡＣＫ、ａＣＳＩ、およびアップリンクデータと、ａＣＳＩおよびアップリンクデータと、アップリンクデータとのいずれも送信しないことを決定することができ、それにより、ＭＣＳは通常に使用されることができる。予約済みＭＣＳインデックス、たとえば、２９から３１の中のいずれかの値を使用して変調およびコーディング順序を表して、ダウンリンクデータ送信効率を改善し得る。
【００２９】
第４の態様によれば、
アクセスネットワークデバイスによって端末デバイスにアップリンクスケジューリング情報を送信するステップであって、アップリンクスケジューリング情報が非周期チャネル状態指示情報ならびに変調およびコーディング指示情報を含み、非周期チャネル状態指示情報ならびに変調およびコーディング指示情報が、アップリンクスケジューリング情報によって示されるアップリンクリソース上でフィードバック情報を送信すべきかどうかを判定するように端末デバイスに命令するために使用される、ステップと、
アップリンクスケジューリング情報によって示されるアップリンクリソース上でフィードバック情報を送信するように非周期チャネル状態指示情報ならびに変調およびコーディング指示情報が端末デバイスに命令した場合、アップリンクリソース上で端末デバイスによって送信されたフィードバック情報をアクセスネットワークデバイスによって受信するステップと
を含む、アップリンク情報送信方法が提供される。
【００３０】
上記のステップを実施することによって、端末デバイスは、端末デバイスがＨＡＲＱ−ＡＣＫをフィードバックする必要があるかどうかを判定することができ、さらに、余分のシグナリングオーバーヘッドを引き起こすことなしに、既存のアップリンクスケジューリング情報（たとえば、ＵＬグラント）中に含まれる非周期チャネル状態指示情報ならびに変調およびコーディング指示情報を再利用することができ、それにより、シグナリングオーバーヘッドが低減される。
【００３１】
第４の態様に関して、第４の態様の第１の実装では、アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用され、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用される。
【００３２】
第５の態様によれば、
アクセスネットワークデバイスによって端末デバイスにアップリンクスケジューリング情報を送信するステップであって、アップリンクスケジューリング情報が変調およびコーディング指示情報を含み、変調およびコーディング指示情報が、アップリンクスケジューリング情報によって示されるアップリンクリソース上でアップリンクデータを送信すべきかどうかを判定するために端末デバイスによって使用される、ステップと、
アップリンクスケジューリング情報によって示されるアップリンクリソース上でアップリンクデータを送信するように変調およびコーディング指示情報が端末デバイスに命令した場合、アップリンクリソース上で端末デバイスによって送信されたアップリンクデータをアクセスネットワークデバイスによって受信するステップと
を含む、アップリンク情報送信方法が提供される。
【００３３】
上記のステップを実施することによって、端末デバイスは、余分のシグナリングオーバーヘッドを引き起こすことなしに、変調およびコーディング指示情報のみを使用することによって、端末デバイスがアップリンクデータをフィードバックする必要があるかどうかを判定することができ、それにより、シグナリングオーバーヘッドが低減される。加えて、端末デバイスは、非周期チャネル状態指示情報と無関係に、アップリンクデータを送信すべきかどうかを判定することができ、それにより、端末デバイスによる検出の複雑さが低減される。
【００３４】
第５の態様に関して、第５の態様の第１の実装では、アップリンクスケジューリング情報中に含まれる変調およびコーディング指示情報に対応するインデックス番号が０から２８の中のいずれかの値であるとき、変調およびコーディング指示情報は、アップリンクスケジューリング情報によって示されるアップリンクリソース上でアップリンクデータを送信することを端末デバイスに示し、および／または
アップリンクスケジューリング情報中に含まれる変調およびコーディング指示情報に対応するインデックス番号が２９から３１の中のいずれかの値であるとき、変調およびコーディング指示情報は、アップリンクスケジューリング情報によって示されるアップリンクリソース上でアップリンクデータを送信しないことを端末デバイスに示す。
【００３５】
第５の態様に関して、第５の態様の第２の実装では、アップリンクスケジューリング情報はフィードバック指示情報をさらに含み、非周期チャネル状態指示情報およびフィードバック指示情報は、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定するために端末デバイスによって使用される。
【００３６】
第５の態様に関して、第５の態様の第３の実装では、アップリンクスケジューリング情報は非周期チャネル状態指示情報およびフィードバック指示情報をさらに含み、変調およびコーディング指示情報、非周期チャネル状態指示情報、ならびにフィードバック指示情報のうちの少なくとも１つは、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００３７】
第５の態様の第３の実装に関して、第５の態様の第４の実装では、変調およびコーディング指示情報に対応するインデックス番号が２９であるとき、変調およびコーディング指示情報は、アップリンクスケジューリング情報によって示されるアップリンクリソース上で非周期チャネル状態情報を送信することを端末デバイスに示し、および／または
変調およびコーディング指示情報に対応するインデックス番号が３０もしくは３１であるとき、変調およびコーディング指示情報は、アップリンクスケジューリング情報によって示されるアップリンクリソース上でフィードバック情報、または非周期チャネル状態情報およびフィードバック情報を送信することを端末デバイスに示す。
【００３８】
第５の態様の第３の実装に関して、第５の態様の第５の実装では、変調およびコーディング指示情報に対応するインデックス番号が２９であり、アップリンクスケジューリング情報中に含まれる非周期チャネル状態指示情報が「真」に設定されているとき、変調およびコーディング指示情報ならびに非周期チャネル状態指示情報は、アップリンクスケジューリング情報によって示されるアップリンクリソース上で非周期チャネル状態情報を送信するように端末デバイスに命令するために使用され、および／または
変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報、または非周期チャネル状態情報およびフィードバック情報を送信するように端末デバイスに命令するために使用される。
【００３９】
第５の態様の第５の実装に関して、第５の態様の第６の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上で非周期チャネル状態情報およびフィードバック情報を送信することを端末デバイスに示す。
【００４０】
第５の態様の第５の実装に関して、第５の態様の第７の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上で非周期チャネル状態情報およびフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上でフィードバック情報を送信することを端末デバイスに示す。
【００４１】
第５の態様の第３の実装に関して、第５の態様の第８の実装では、アップリンクスケジューリング情報中に含まれる非周期チャネル状態指示情報およびフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００４２】
第５の態様の第３の実装に関して、第５の態様の第９の実装では、アップリンクスケジューリング情報中に含まれる変調およびコーディング指示情報、非周期チャネル状態指示情報、ならびにフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００４３】
第６の態様によれば、
アクセスネットワークデバイスによって端末デバイスにアップリンクスケジューリング情報を送信するステップであって、アップリンクスケジューリング情報が非周期チャネル状態指示情報およびフィードバック指示情報を含み、非周期チャネル状態指示情報およびフィードバック指示情報が、アップリンクスケジューリング情報によって示されるアップリンクリソース上で送信されるべきアップリンク情報を判定するように端末デバイスに命令するために使用され、アップリンク情報が、アップリンクデータ、非周期チャネル状態情報、およびフィードバック情報のうちの少なくとも１つを含む、ステップと、
アップリンクリソース上で端末デバイスによって送信されたアップリンク情報をアクセスネットワークデバイスによって受信するステップと
を含む、アップリンク情報送信方法が提供される。
【００４４】
上記のステップを実施することによって、端末デバイスは、アップリンクスケジューリング情報中に含まれる非周期チャネル状態指示情報および追加された指示ビット（フィードバック指示情報）に基づいて、フィードバックされる必要があるアップリンク情報を判定することができる。ＵＥは、従来技術のようにスペシャルＭＣＳ構成および明示的シグナリングに基づいて判定する（たとえば、従来技術では、ＵＥは、ａＣＳＩトリガ指示およびＭＣＳ＝２９に基づいて、ａＣＳＩを送信すべきかどうかを判定する）ことを実施することなしに、アップリンクスケジューリング情報中に含まれる明示的シグナリングに基づいて、非周期ＣＳＩを送信するが、ＨＡＲＱ−ＡＣＫと、ＨＡＲＱ−ＡＣＫおよびａＣＳＩと、ＨＡＲＱ−ＡＣＫおよびアップリンクデータと、ＨＡＲＱ−ＡＣＫ、ａＣＳＩ、およびアップリンクデータと、ａＣＳＩおよびアップリンクデータと、アップリンクデータとのいずれも送信しないことを決定することができ、それにより、ＭＣＳは通常に使用されることができる。予約済みＭＣＳを使用して変調およびコーディング順序を表して、ダウンリンクデータ送信効率を改善し得る。
【００４５】
第７の態様によれば、プロセッサ、メモリ、および通信モジュールを含む、端末デバイスが提供され、メモリは、アップリンク情報送信プログラムコードを記憶するように構成されており、プロセッサは、以下の動作、
通信モジュールを使用することによってプロセッサによって、アクセスネットワークデバイスによって送信されたアップリンクスケジューリング情報を受信することと、
アップリンクスケジューリング情報中に含まれる非周期チャネル状態指示情報ならびに変調およびコーディング指示情報に基づいてプロセッサによって、アップリンクスケジューリング情報によって示されるアップリンクリソース上でフィードバック情報を送信すべきかどうかを判定することと、
アップリンクリソース上でフィードバック情報を送信することを決定した場合、通信モジュールを使用することによってアップリンクリソース上でフィードバック情報をプロセッサによって送信することと
を実施するためにアップリンク情報送信プログラムコードを呼び出すように構成されている。
【００４６】
上記の動作を実施することによって、端末デバイスは、端末デバイスがＨＡＲＱ−ＡＣＫをフィードバックする必要があるかどうかを判定することができ、さらに、余分のシグナリングオーバーヘッドを引き起こすことなしに、既存のアップリンクスケジューリング情報（たとえば、ＵＬグラント）中に含まれる非周期チャネル状態指示情報ならびに変調およびコーディング指示情報を再利用することができ、それにより、シグナリングオーバーヘッドが低減される。
【００４７】
第７の態様に関して、第７の態様の第１の実装では、プロセッサは、
プロセッサが通信モジュールを使用することによってアップリンクリソース上でフィードバック情報を送信するとき、通信モジュールを使用することによってアップリンクリソース上でアップリンクデータおよび非周期チャネル状態情報のうちの少なくとも１つをプロセッサによってさらに送信する
ようにさらに構成されている。
【００４８】
上記の動作が実施される。したがって、既存のＵＬグラントにおける指示方法が最大限に再利用され、スケジュールされたアップリンクリソース上でＵＬ−ＳＣＨおよび／またはａＣＳＩを送信することを端末デバイスによって決定するための以前の方法が維持されることが可能であり、それにより、端末デバイスはわずかにしか変更されない。
【００４９】
第７の態様または第７の態様の第１の実装に関して、第７の態様の第２の実装では、アップリンクスケジューリング情報中に含まれる非周期チャネル状態指示情報ならびに変調およびコーディング指示情報に基づいてプロセッサによって、アップリンクスケジューリング情報によって示されるアップリンクリソース上でフィードバック情報を送信すべきかどうかを判定することは、
アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、アップリンクスケジューリング情報によって示されるアップリンクリソース上でフィードバック情報を送信することをプロセッサによって決定すること、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、アップリンクスケジューリング情報によって示されるアップリンクリソース上でフィードバック情報を送信することをプロセッサによって決定すること
を含む。
【００５０】
上記の動作が実施される。したがって、ライセンスフリー周波数帯域上で、非同期および適応アップリンクデータ送信が実施されてアップリンクリソースが効果的に使用される。この場合、ノンアダプティブ再送のために主に使用される変調およびコーディング方式（ＭＣＳインデックス）２９から３１は、ＵＥがアップリンクデータを送信するときに使用されるＭＣＳを示すために使用されなくてよく、それにより、ＭＣＳインデックス２９から３１を使用することによっておよび非周期チャネル状態指示情報（ａＣＳＩトリガ）に関して、アップリンクリソース上でＨＡＲＱ−ＡＣＫを送信すべきかどうかが判定されることができる。
【００５１】
第８の態様によれば、プロセッサ、メモリ、および通信モジュールを含む、端末デバイスが提供され、メモリは、アップリンク情報送信プログラムコードを記憶するように構成されており、プロセッサは、以下の動作、
通信モジュールを使用することによってプロセッサによって、アクセスネットワークデバイスによって送信されたアップリンクスケジューリング情報を受信することと、
アップリンクスケジューリング情報中に含まれる変調およびコーディング指示情報に基づいてプロセッサによって、アップリンクスケジューリング情報によって示されるアップリンクリソース上でアップリンクデータを送信すべきかどうかを判定することと、
アップリンクリソース上でアップリンクデータを送信することを決定した場合、通信モジュールを使用することによってアップリンクリソース上でアップリンクデータをプロセッサによって送信することと
を実施するためにアップリンク情報送信プログラムコードを呼び出すように構成されている。
【００５２】
上記の動作を実施することによって、端末デバイスは、余分のシグナリングオーバーヘッドを引き起こすことなしに、変調およびコーディング指示情報のみを使用することによって、端末デバイスがアップリンクデータをフィードバックする必要があるかどうかを判定することができ、それにより、シグナリングオーバーヘッドが低減される。加えて、端末デバイスは、非周期チャネル状態指示情報と無関係に、アップリンクデータを送信すべきかどうかを判定することができ、それにより、端末デバイスによる検出の複雑さが低減される。
【００５３】
第８の態様に関して、第８の態様の第１の実装では、アップリンクスケジューリング情報中に含まれる変調およびコーディング指示情報に基づいてプロセッサによって、アップリンクスケジューリング情報によって示されるアップリンクリソース上でアップリンクデータを送信すべきかどうかを判定することは、
アップリンクスケジューリング情報中に含まれる変調およびコーディング指示情報に対応するインデックス番号が０から２８の中のいずれかの値であるとプロセッサが判定したとき、アップリンクスケジューリング情報によって示されるアップリンクリソース上でアップリンクデータを送信することをプロセッサによって決定すること、および／または
アップリンクスケジューリング情報中に含まれる変調およびコーディング指示情報に対応するインデックス番号が２９から３１の中のいずれかの値であるとプロセッサが判定したとき、アップリンクスケジューリング情報によって示されるアップリンクリソース上でアップリンクデータを送信しないことをプロセッサによって決定すること
を含む。
【００５４】
上記の動作が実施され、それにより、アップリンクデータのＭＣＳは適応的に調整されて、データ送信効率が改善されることが可能である。
【００５５】
第８の態様の第１の実装に関して、第８の態様の第２の実装では、アップリンクスケジューリング情報によって示されるアップリンクリソース上でアップリンクデータを送信することをプロセッサによって決定することは、
アップリンクスケジューリング情報中に含まれる非周期チャネル状態指示情報およびフィードバック指示情報に基づいてプロセッサによって、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定すること
を含む。
【００５６】
第８の態様の第１の実装に関して、第８の態様の第３の実装では、アップリンクスケジューリング情報によって示されるアップリンクリソース上でアップリンクデータを送信しないことをプロセッサによって決定することは、
アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定すること
を含む。
【００５７】
第８の態様の第３の実装に関して、第８の態様の第４の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
変調およびコーディング指示情報に対応するインデックス番号が２９であるとプロセッサが判定したとき、アップリンクスケジューリング情報によって示されるアップリンクリソース上で非周期チャネル状態情報を送信することをプロセッサによって決定すること、および／または
変調およびコーディング指示情報に対応するインデックス番号が３０または３１であるとプロセッサが判定したとき、アップリンクスケジューリング情報によって示されるアップリンクリソース上でフィードバック情報、または非周期チャネル状態情報およびフィードバック情報を送信することをプロセッサによって決定すること
を含む。
【００５８】
第８の態様の第３の実装に関して、第８の態様の第５の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
変調およびコーディング指示情報に対応するインデックス番号が２９であり、アップリンクスケジューリング情報中に含まれる非周期チャネル状態指示情報が「真」に設定されているとプロセッサが判定したとき、アップリンクスケジューリング情報によって示されるアップリンクリソース上で非周期チャネル状態情報を送信することをプロセッサによって決定すること、および／または
変調およびコーディング指示情報に対応するインデックス番号が２９であり、アップリンクスケジューリング情報中に含まれる非周期チャネル状態指示情報が「偽」に設定されているとプロセッサが判定したとき、アップリンクスケジューリング情報によって示されるアップリンクリソース上でフィードバック情報、または非周期チャネル状態情報およびフィードバック情報を送信することをプロセッサによって決定すること
を含む。
【００５９】
第８の態様の第５の実装に関して、第８の態様の第６の実装では、アップリンクスケジューリング情報によって示されるアップリンクリソース上でフィードバック情報、または非周期チャネル状態情報およびフィードバック情報を送信することをプロセッサによって決定することは、
アップリンクスケジューリング情報によって示されるアップリンクリソース上でフィードバック情報を送信することをプロセッサによって決定すること
を含み、
プロセッサは、
変調およびコーディング指示情報に対応するインデックス番号が３０または３１であるとプロセッサが判定したとき、アップリンクスケジューリング情報によって示されるアップリンクリソース上で非周期チャネル状態情報およびフィードバック情報を送信することをプロセッサによって決定する
ようにさらに構成されている。
【００６０】
第８の態様の第５の実装に関して、第８の態様の第７の実装では、アップリンクスケジューリング情報によって示されるアップリンクリソース上でフィードバック情報、または非周期チャネル状態情報およびフィードバック情報を送信することをプロセッサによって決定することは、
アップリンクスケジューリング情報によって示されるアップリンクリソース上で非周期チャネル状態情報およびフィードバック情報を送信することをプロセッサによって決定するステップ
を含み、
プロセッサは、
変調およびコーディング指示情報に対応するインデックス番号が３０または３１であるとプロセッサが判定したとき、アップリンクスケジューリング情報によって示されるアップリンクリソース上でフィードバック情報を送信することをプロセッサによって決定する
ようにさらに構成されている。
【００６１】
第８の態様の第３の実装に関して、第８の態様の第８の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
アップリンクスケジューリング情報中に含まれる非周期チャネル状態指示情報およびフィードバック指示情報に基づいてプロセッサによって、アップリンクスケジューリング情報によって示されるアップリンクリソース上で非周期チャネル状態情報、フィードバック情報、または非周期チャネル状態情報およびフィードバック情報を送信することを決定すること
を含む。
【００６２】
第８の態様の第３の実装に関して、第８の態様の第９の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
アップリンクスケジューリング情報中に含まれる変調およびコーディング指示情報、非周期チャネル状態指示情報、ならびにフィードバック指示情報に基づいてプロセッサによって、アップリンクスケジューリング情報によって示されるアップリンクリソース上で非周期チャネル状態情報、フィードバック情報、または非周期チャネル状態情報およびフィードバック情報を送信することを決定すること
を含む。
【００６３】
第９の態様によれば、プロセッサ、メモリ、および通信モジュールを含む、端末デバイスが提供され、メモリは、アップリンク情報送信プログラムコードを記憶するように構成されており、プロセッサは、以下の動作、
通信モジュールを使用することによってプロセッサによって、アクセスネットワークデバイスによって送信されたアップリンクスケジューリング情報を受信することと、
アップリンクスケジューリング情報中に含まれる非周期チャネル状態指示情報およびフィードバック指示情報に基づいてプロセッサによって、アップリンクスケジューリング情報によって示されるアップリンクリソース上で送信されるべきアップリンク情報を判定することであって、アップリンク情報が、アップリンクデータ、非周期チャネル状態情報、およびフィードバック情報のうちの少なくとも１つを含む、ことと、
通信モジュールを使用することによってアップリンクリソース上でアップリンク情報をプロセッサによって送信することと
を実施するためにアップリンク情報送信プログラムコードを呼び出すように構成されている。
【００６４】
上記の動作を実施することによって、端末デバイスは、アップリンクスケジューリング情報中に含まれる非周期チャネル状態指示情報および追加された指示ビット（フィードバック指示情報）に基づいて、フィードバックされる必要があるアップリンク情報を判定することができる。ＵＥは、従来技術のようにスペシャルＭＣＳ構成および明示的シグナリングに基づいて判定する（たとえば、従来技術では、ＵＥは、ａＣＳＩトリガ指示およびＭＣＳ＝２９に基づいて、ａＣＳＩを送信すべきかどうかを判定する）ことを実施することなしに、アップリンクスケジューリング情報中に含まれる明示的シグナリングに基づいて、非周期ＣＳＩを送信するが、ＨＡＲＱ−ＡＣＫと、ＨＡＲＱ−ＡＣＫおよびａＣＳＩと、ＨＡＲＱ−ＡＣＫおよびアップリンクデータと、ＨＡＲＱ−ＡＣＫ、ａＣＳＩ、およびアップリンクデータと、ａＣＳＩおよびアップリンクデータと、アップリンクデータとのいずれも送信しないことを決定することができ、それにより、ＭＣＳは通常に使用され得る。予約済みＭＣＳを使用して変調およびコーディング順序を表して、ダウンリンクデータ送信効率を改善し得る。
【００６５】
第１０の態様によれば、プロセッサ、メモリ、および通信モジュールを含む、アクセスネットワークデバイスが提供され、メモリは、アップリンク情報送信プログラムコードを記憶するように構成されており、プロセッサは、以下の動作、
通信モジュールを使用することによって端末デバイスにアップリンクスケジューリング情報をプロセッサによって送信することであって、アップリンクスケジューリング情報が非周期チャネル状態指示情報ならびに変調およびコーディング指示情報を含み、非周期チャネル状態指示情報ならびに変調およびコーディング指示情報が、アップリンクスケジューリング情報によって示されるアップリンクリソース上でフィードバック情報を送信すべきかどうかを判定するように端末デバイスに命令するために使用される、ことと、
アップリンクスケジューリング情報によって示されるアップリンクリソース上でフィードバック情報を送信するように非周期チャネル状態指示情報ならびに変調およびコーディング指示情報が端末デバイスに命令した場合、アップリンクリソース上で端末デバイスによって送信されたフィードバック情報を、通信モジュールを使用することによってプロセッサによって受信することと
を実施するためにアップリンク情報送信プログラムコードを呼び出すように構成されている。
【００６６】
第１０の態様に関して、第１０の態様の第１の実装では、アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用され、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用される。
【００６７】
第１１の態様によれば、プロセッサ、メモリ、および通信モジュールを含む、アクセスネットワークデバイスが提供され、メモリは、アップリンク情報送信プログラムコードを記憶するように構成されており、プロセッサは、以下の動作、
通信モジュールを使用することによって端末デバイスにアップリンクスケジューリング情報をプロセッサによって送信することであって、アップリンクスケジューリング情報が変調およびコーディング指示情報を含み、変調およびコーディング指示情報が、アップリンクスケジューリング情報によって示されるアップリンクリソース上でアップリンクデータを送信すべきかどうかを判定するために端末デバイスによって使用される、ことと、
アップリンクスケジューリング情報によって示されるアップリンクリソース上でアップリンクデータを送信するように変調およびコーディング指示情報が端末デバイスに命令した場合、アップリンクリソース上で端末デバイスによって送信されたアップリンクデータを、通信モジュールを使用することによってプロセッサによって受信することと
を実施するためにアップリンク情報送信プログラムコードを呼び出すように構成されている。
【００６８】
第１１の態様に関して、第１１の態様の第１の実装では、アップリンクスケジューリング情報中に含まれる変調およびコーディング指示情報に対応するインデックス番号が０から２８の中のいずれかの値であるとき、変調およびコーディング指示情報は、アップリンクスケジューリング情報によって示されるアップリンクリソース上でアップリンクデータを送信することを端末デバイスに示し、および／または
アップリンクスケジューリング情報中に含まれる変調およびコーディング指示情報に対応するインデックス番号が２９から３１の中のいずれかの値であるとき、変調およびコーディング指示情報は、アップリンクスケジューリング情報によって示されるアップリンクリソース上でアップリンクデータを送信しないことを端末デバイスに示す。
【００６９】
第１１の態様に関して、第１１の態様の第２の実装では、アップリンクスケジューリング情報はフィードバック指示情報をさらに含み、非周期チャネル状態指示情報およびフィードバック指示情報は、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定するために端末デバイスによって使用される。
【００７０】
第１１の態様に関して、第１１の態様の第３の実装では、アップリンクスケジューリング情報は非周期チャネル状態指示情報およびフィードバック指示情報をさらに含み、変調およびコーディング指示情報、非周期チャネル状態指示情報、ならびにフィードバック指示情報のうちの少なくとも１つは、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００７１】
第１１の態様の第３の実装に関して、第１１の態様の第４の実装では、変調およびコーディング指示情報に対応するインデックス番号が２９であるとき、変調およびコーディング指示情報は、アップリンクスケジューリング情報によって示されるアップリンクリソース上で非周期チャネル状態情報を送信することを端末デバイスに示し、および／または
変調およびコーディング指示情報に対応するインデックス番号が３０もしくは３１であるとき、変調およびコーディング指示情報は、アップリンクスケジューリング情報によって示されるアップリンクリソース上でフィードバック情報、または非周期チャネル状態情報およびフィードバック情報を送信することを端末デバイスに示す。
【００７２】
第１１の態様の第３の実装に関して、第１１の態様の第５の実装では、変調およびコーディング指示情報に対応するインデックス番号が２９であり、アップリンクスケジューリング情報中に含まれる非周期チャネル状態指示情報が「真」に設定されているとき、変調およびコーディング指示情報ならびに非周期チャネル状態指示情報は、アップリンクスケジューリング情報によって示されるアップリンクリソース上で非周期チャネル状態情報を送信するように端末デバイスに命令するために使用され、および／または
変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報、または非周期チャネル状態情報およびフィードバック情報を送信するように端末デバイスに命令するために使用される。
【００７３】
第１１の態様の第５の実装に関して、第１１の態様の第６の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上で非周期チャネル状態情報およびフィードバック情報を送信することを端末デバイスに示す。
【００７４】
第１１の態様の第５の実装に関して、第１１の態様の第７の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上で非周期チャネル状態情報およびフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上でフィードバック情報を送信することを端末デバイスに示す。
【００７５】
第１１の態様の第３の実装に関して、第１１の態様の第８の実装では、アップリンクスケジューリング情報中に含まれる非周期チャネル状態指示情報およびフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００７６】
第１１の態様の第３の実装に関して、第１１の態様の第９の実装では、アップリンクスケジューリング情報中に含まれる変調およびコーディング指示情報、非周期チャネル状態指示情報、ならびにフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００７７】
第１２の態様によれば、プロセッサ、メモリ、および通信モジュールを含む、アクセスネットワークデバイスが提供され、メモリは、アップリンク情報送信プログラムコードを記憶するように構成されており、プロセッサは、以下の動作、
通信モジュールを使用することによって端末デバイスにアップリンクスケジューリング情報をプロセッサによって送信することであって、アップリンクスケジューリング情報が非周期チャネル状態指示情報およびフィードバック指示情報を含み、非周期チャネル状態指示情報およびフィードバック指示情報が、アップリンクスケジューリング情報によって示されるアップリンクリソース上で送信されるべきアップリンク情報を判定するように端末デバイスに命令するために使用され、アップリンク情報が、アップリンクデータ、非周期チャネル状態情報、およびフィードバック情報のうちの少なくとも１つを含む、ことと、
アップリンクリソース上で端末デバイスによって送信されたアップリンク情報を、通信モジュールを使用することによってプロセッサによって受信することと
を実施するためにアップリンク情報送信プログラムコードを呼び出すように構成されている。
【００７８】
第１３の態様によれば、端末デバイスが提供され、端末デバイスは、第１の態様または第１の態様のいずれか１つの実装によるアップリンク情報送信方法を実施するように構成されているモジュールまたはユニットを含む。
【００７９】
第１４の態様によれば、端末デバイスが提供され、端末デバイスは、第２の態様または第２の態様のいずれか１つの実装によるアップリンク情報送信方法を実施するように構成されているモジュールまたはユニットを含む。
【００８０】
第１５の態様によれば、端末デバイスが提供され、端末デバイスは、第３の態様または第３の態様のいずれか１つの実装によるアップリンク情報送信方法を実施するように構成されているモジュールまたはユニットを含む。
【００８１】
第１６の態様によれば、アクセスネットワークデバイスが提供され、端末デバイスは、第４の態様または第４の態様のいずれか１つの実装によるアップリンク情報送信方法を実施するように構成されているモジュールまたはユニットを含む。
【００８２】
第１７の態様によれば、アクセスネットワークデバイスが提供され、端末デバイスは、第５の態様または第５の態様のいずれか１つの実装によるアップリンク情報送信方法を実施するように構成されているモジュールまたはユニットを含む。
【００８３】
第１８の態様によれば、アクセスネットワークデバイスが提供され、端末デバイスは、第６の態様または第６の態様のいずれか１つの実装によるアップリンク情報送信方法を実施するように構成されているモジュールまたはユニットを含む。
【００８４】
第１９の態様によれば、通信システムが提供され、通信システムは、第７の態様もしくは第１３の態様による端末デバイスおよび第１０の態様もしくは第１６の態様によるアクセスネットワークデバイスを含むか、通信システムは、第８の態様もしくは第１４の態様による端末デバイスおよび第１１の態様もしくは第１７の態様によるアクセスネットワークデバイスを含むか、または通信システムは、第９の態様もしくは第１５の態様による端末デバイスおよび第１２の態様もしくは第１８の態様によるアクセスネットワークデバイスを含む。
【００８５】
第２０の態様によれば、コンピュータ可読記憶媒体が提供され、可読記憶媒体は、第１の態様または第１の態様のいずれか１つの実装によるアップリンク情報送信方法を実施するためのプログラムコードを記憶し、プログラムコードは、アップリンク情報送信方法を実施するための実行命令を含む。
【００８６】
第２１の態様によれば、コンピュータ可読記憶媒体が提供され、可読記憶媒体は、第２の態様または第２の態様のいずれか１つの実装によるアップリンク情報送信方法を実施するためのプログラムコードを記憶し、プログラムコードは、アップリンク情報送信方法を実施するための実行命令を含む。
【００８７】
第２２の態様によれば、コンピュータ可読記憶媒体が提供され、可読記憶媒体は、第３の態様または第３の態様のいずれか１つの実装によるアップリンク情報送信方法を実施するためのプログラムコードを記憶し、プログラムコードは、アップリンク情報送信方法を実施するための実行命令を含む。
【００８８】
第２３の態様によれば、コンピュータ可読記憶媒体が提供され、可読記憶媒体は、第４の態様または第４の態様のいずれか１つの実装によるアップリンク情報送信方法を実施するためのプログラムコードを記憶し、プログラムコードは、アップリンク情報送信方法を実施するための実行命令を含む。
【００８９】
第２４の態様によれば、コンピュータ可読記憶媒体が提供され、可読記憶媒体は、第５の態様または第５の態様のいずれか１つの実装によるアップリンク情報送信方法を実施するためのプログラムコードを記憶し、プログラムコードは、アップリンク情報送信方法を実施するための実行命令を含む。
【００９０】
第２５の態様によれば、コンピュータ可読記憶媒体が提供され、可読記憶媒体は、第６の態様または第６の態様のいずれか１つの実装によるアップリンク情報送信方法を実施するためのプログラムコードを記憶し、プログラムコードは、アップリンク情報送信方法を実施するための実行命令を含む。
【００９１】
上記の態様のいずれか１つに関して、本発明のいくつかの実装では、端末デバイスがアップリンクリソース上で非周期チャネル状態情報もアップリンクデータも送信しない場合、アップリンクリソースは、物理アップリンク制御チャネル中に含まれるリソースであるか、または
端末デバイスがアップリンクリソース上で非周期チャネル状態情報および／またはアップリンクデータを送信する場合、アップリンクリソースは、物理アップリンク共有チャネル中に含まれるリソースである。
【００９２】
この方式は以下の利点を有する。ＨＡＲＱ−ＡＣＫを送信するが、アップリンクデータも非周期チャネル状態情報も送信しないことを端末デバイスが決定したとき、端末デバイスは、物理アップリンク制御チャネル（英語：Ｐｈｙｓｉｃａｌ  Ｕｐｌｉｎｋ  Ｃｏｎｔｒｏｌ  Ｃｈａｎｎｅｌ、ＰＵＣＣＨ）を使用することによってＨＡＲＱ−ＡＣＫを送信し得る。物理アップリンク共有チャネル（英語：Ｐｈｙｓｉｃａｌ  Ｕｐｌｉｎｋ  Ｓｈａｒｅｄ  Ｃｈａｎｎｅｌ、ＰＵＳＣＨ）にＨＡＲＱ−ＡＣＫを追加する方式と比較して、この方式では、マルチユーザ多重化が達成されて、ライセンスフリー周波数帯域リソースが効果的に使用されることが可能である。加えて、非周期チャネル状態情報が送信されるべきであるか、または非周期チャネル状態情報およびＨＡＲＱ−ＡＣＫが送信されるべきであるとき、非周期チャネル状態情報または非周期チャネル状態情報およびＨＡＲＱ−ＡＣＫをＰＵＳＣＨに追加するための既存の設計方法が再利用され得る。
【００９３】
上記の態様のいずれか１つに関して、本発明のいくつかの実装では、端末デバイスがアップリンクリソース上でアップリンクデータを送信しない場合、アップリンクリソースは、物理アップリンク制御チャネル中に含まれるリソースであるか、または
端末デバイスがアップリンクリソース上でアップリンクデータを送信する場合、アップリンクリソースは、物理アップリンク共有チャネル中に含まれるリソースである。
【００９４】
この方式は以下の利点を有する。端末デバイスが送信することを決定するアップリンク情報がアップリンク制御情報であり、たとえば、ＨＡＲＱ−ＡＣＫと非周期チャネル状態情報の両方がアップリンク制御情報に属するとき、端末デバイスはＰＵＣＣＨ上で制御情報を送信し得、それにより、マルチユーザ多重化が達成されて、ライセンスフリー周波数帯域リソースが効果的に使用されることが可能である。
【００９５】
上記の態様のいずれか１つに関して、本発明のいくつかの実装では、物理アップリンク制御チャネル中に含まれるリソースに対応するアップリンクスケジューリング情報のフォーマットは、物理アップリンク共有チャネル中に含まれるリソースに対応するアップリンクスケジューリング情報のフォーマットと同じである。
【００９６】
この方式は以下の利点を有する。ＰＵＣＣＨ上でアップリンク情報を送信するように端末デバイスに命令するスケジューリング指示情報（またはダウンリンク制御情報（英語：Ｄｏｗｎｌｉｎｋ  Ｃｏｎｔｒｏｌ  Ｉｎｆｏｒｍａｔｉｏｎ、ＤＣＩ））のフォーマットは、ＰＵＳＣＨ上でアップリンク情報を送信するように端末デバイスに命令するスケジューリング指示情報（またはダウンリンク制御情報ＤＣＩ）のフォーマットと同じであり、それにより、端末デバイスによるブラインド検出の複雑さが低減されることができる。
【図面の簡単な説明】
【００９７】
本発明の実施形態における技術的解決策についてより明確に説明するために、以下で、実施形態について説明するために必要とされる添付の図面について手短に説明する。
【００９８】
【図１Ａ】ＬＴＥシステムにおける異なるＴＤＤアップリンクダウンリンク構成の概略図である。
【図１Ｂ】ＬＴＥ  ＴＤＤシステムにおけるＰＤＳＣＨとＰＤＳＣＨに対応するＡＣＫ／ＮＡＣＫとの間の時間系列関係の概略図である。
【図２】本発明の一実施形態による通信システムの概略図である。
【図３】本発明の一実施形態によるアップリンク情報送信方法の概略フローチャートである。
【図４】本発明の一実施形態による別のアップリンク情報送信方法の概略フローチャートである。
【図５】本発明の一実施形態による別のアップリンク情報送信方法の概略フローチャートである。
【図６】本発明の一実施形態による端末デバイスの概略構造図である。
【図７】本発明の一実施形態によるアクセスネットワークデバイスの概略構造図である。
【図８】本発明の一実施形態による別の端末デバイスの概略構造図である。
【図９】本発明の一実施形態による別のアクセスネットワークデバイスの概略構造図である。
【図１０】本発明の一実施形態による別の端末デバイスの概略構造図である。
【図１１】本発明の一実施形態による別のアクセスネットワークデバイスの概略構造図である。
【図１２】本発明の一実施形態による別の端末デバイスの概略構造図である。
【図１３】本発明の一実施形態による別のアクセスネットワークデバイスの概略構造図である。
【図１４】本発明の一実施形態による別の端末デバイスの概略構造図である。
【図１５】本発明の一実施形態による別のアクセスネットワークデバイスの概略構造図である。
【図１６】本発明の一実施形態による別の端末デバイスの概略構造図である。
【図１７】本発明の一実施形態による別のアクセスネットワークデバイスの概略構造図である。
【発明を実施するための形態】
【００９９】
本発明の実装において使用される用語は、本発明の特定の実施形態について説明するためのものにすぎず、本発明を限定するものではない。以下で、本発明の実施形態における添付の図面を参照しながら、本発明の実施形態における技術的解決策について明確に説明する。
【０１００】
図２を参照すると、図２は、本発明の一実施形態による通信システムを示している。本発明のこの実施形態では、アクセスネットワークデバイスおよび端末デバイスがアンライセンススペクトル上で動作し得る。アクセスネットワークデバイスおよび端末デバイスは、エアインターフェース技術を使用することによって互いに通信する。エアインターフェース技術は、既存の２Ｇ（たとえば、モバイル通信用グローバルシステム（英語：Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）（登録商標））、３Ｇ（たとえば、ユニバーサルモバイルテレコミュニケーションズシステム（英語：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、広帯域符号分割多元接続（英語：Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、および時分割同期符号分割多元接続（英語：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ））、ならびに４Ｇ（たとえば、ＦＤＤ  ＬＴＥおよびＴＤＤ  ＬＴＥ）、ならびに将来の４．５Ｇシステム、５Ｇシステムなどを含み得る。
【０１０１】
本発明では、端末デバイスに関する実施形態について説明し、本発明では、一般的な意味におけるユーザ機器（英語：Ｕｓｅｒ  Ｅｑｕｉｐｍｅｎｔ、ＵＥ）を使用することによって実施形態について説明する。加えて、端末デバイスは、モバイルコンソール、アクセス端末、加入者ユニット、加入者局、移動局、リモート局、リモート端末、モバイルデバイス、ユーザ端末、端末、ワイヤレス通信デバイス、ユーザエージェント、ユーザ装置などと呼ばれることもある。端末デバイスは、ワイヤレスローカルエリアネットワーク（英語：Ｗｉｒｅｌｅｓｓ  Ｌｏｃａｌ  Ａｒｅａ  Ｎｅｔｗｏｒｋｓ、ＷＬＡＮ）中の局（英語：Ｓｔａｔｉｏｎ、ＳＴ）であってよいか、またはセルラーフォン、コードレス電話機、セッション開始プロトコル（英語：Ｓｅｓｓｉｏｎ  Ｉｎｉｔｉａｔｉｏｎ  Ｐｒｏｔｏｃｏｌ、ＳＩＰ）フォン、ワイヤレスローカルループ（英語：Ｗｉｒｅｌｅｓｓ  Ｌｏｃａｌ  Ｌｏｏｐ、ＷＬＬ）局、携帯情報端末（英語：Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の移動局、将来の発展型パブリックランドモバイルネットワーク（英語：Ｐｕｂｌｉｃ  Ｌａｎｄ  Ｍｏｂｉｌｅ  Ｎｅｔｗｏｒｋ、ＰＬＭＮ）ネットワーク中の端末デバイスなどであってよい。加えて、本発明のこの実施形態では、端末デバイスは、アクセスネットワークデバイス（たとえば、基地局）とデータ通信を実施することができるリレー（英語：Ｒｅｌａｙ）および別のデバイスであってよい。
【０１０２】
本発明では、アクセスネットワークデバイスに関する実施形態について説明する。アクセスネットワークデバイスは、端末デバイスと通信するように構成されているデバイスであってよい。アクセスネットワークデバイスは、ＷＬＡＮ中のアクセスポイント（英語：Ａｃｃｅｓｓ  Ｐｏｉｎｔ、ＡＰ）またはＧＳＭもしくはＣＤＭＡ中の基地トランシーバ局（英語：Ｂａｓｅ  Ｔｒａｎｓｃｅｉｖｅｒ  Ｓｔａｔｉｏｎ、ＢＴＳ）であってよいか、ＷＣＤＭＡ中のノードＢ（英語：ＮｏｄｅＢ、ＮＢ）であってよいか、またはＬＴＥ中の発展型ノードＢ（英語：ｅｖｏｌｖｅｄ  ＮｏｄｅＢ、ｅＮＢ）、リレー局、アクセスポイント、車載デバイス、ウェアラブルデバイス、将来の５Ｇネットワーク中のアクセスネットワークデバイス、将来の発展型ＰＬＭＮネットワーク中のアクセスネットワークデバイスなどであってよい。
【０１０３】
本発明のこの実施形態では、端末デバイスおよびアクセスネットワークデバイスは、ライセンスフリースペクトルリソース（またはライセンスフリー周波数帯域）を使用することによってワイヤレス通信を実施する（たとえば、アップリンク情報またはダウンリンク情報を送信する）ことができ、具体的には、本発明のこの実施形態において説明される通信システムは、ライセンスフリー周波数帯域を使用することができる通信システムである。限定ではなく例として、通信システムは、ＬＴＥ（英語：Ｌｉｃｅｎｓｅｄ−Ａｓｓｉｓｔｅｄ  Ａｃｃｅｓｓ  Ｕｓｉｎｇ  ＬＴＥ、ＬＡＡ−ＬＴＥ）技術を使用するライセンス支援型アクセスを使用することによってライセンスフリー周波数帯域を使用してよいか、通信システムは、二重接続性（英語：Ｄｕａｌ  Ｃｏｎｎｅｃｔｉｖｉｔｙ、ＤＣ）技術を使用することによってライセンスフリー周波数帯域を使用してよいか、または通信システムは、ライセンスフリー周波数帯域を独立して展開する技術、たとえば、スタンドアロンＬＴＥオーバーアンライセンススペクトル技術を使用することによってライセンスフリー周波数帯域を使用してよい。ＬＡＡ−ＬＴＥ技術は、既存のＬＴＥシステムにおいておよび通信のために事業者のライセンス周波数帯域上にキャリア（ライセンスキャリア）を構成することに基づいてキャリアアグリゲーション（英語：Ｃａｒｒｉｅｒ  Ａｇｇｒｅｇａｔｉｏｎ、ＣＡ）の構成および構造を使用することによって、ならびにライセンスフリーキャリアを通信のために使用するのを支援するためにライセンスキャリアを使用することによって、複数のライセンスフリー周波数帯域上にキャリア（ライセンスフリーキャリア）を構成する技術である。特に、ＣＡ方式では、ＬＴＥデバイスは、１次コンポーネントキャリア（英語：Ｐｒｉｍａｒｙ  Ｃｏｍｐｏｎｅｎｔ  Ｃａｒｒｉｅｒ、ＰＣＣ）または１次セル（Ｐｒｉｍａｒｙ  Ｃｅｌｌ、ＰＣｅｌｌ）としてライセンスキャリアを構成し、２次コンポーネントキャリア（英語：Ｓｅｃｏｎｄａｒｙ  Ｃｏｍｐｏｎｅｎｔ  Ｃａｒｒｉｅｒ、ＳＣＣ）または２次セル（英語：Ｓｅｃｏｎｄａｒｙ  Ｃｅｌｌ、ＳＣｅｌｌ）としてライセンスフリーキャリアを構成し得る。さらに、本発明のこの実施形態では、１次セルおよび２次セルは、１つの局において展開されてよいか、または異なる局において展開されてよい。ＤＣ技術は、非ＣＡ（または非理想的バックホール）方式でライセンスキャリアとライセンスフリーキャリアを一緒に使用する技術を含む。
【０１０４】
ライセンスフリースペクトルリソースは、ライセンスフリースペクトル中に含まれており、システム割振りを必要とせずに通信デバイスによって共有され得るリソースである。ライセンスフリー周波数帯域上のリソース共有は、特定のスペクトルの使用中に送信電力および帯域外リークなどのカウンタのみに制限が課されて、周波数帯域を一緒に使用する複数のデバイスが基本的共存要件を満たすことが保証されることを意味する。事業者は、ライセンスフリー周波数帯域リソースを使用することによってネットワーク容量オフローディングを達成することができるが、事業者は、ライセンスフリー周波数帯域リソースのための異なる領域および異なるスペクトルについての規制要件に準拠する必要がある。これらの要件は、レーダーなどの公開システムを保護するために通常策定され、複数のシステムが互いに可能であれば悪影響を及ぼさず、公平に共存することを保証する。これらの要件は、送信電力制限、帯域外リークカウンタ、屋内／屋外使用制限、いくつかの領域におけるいくつかの追加の共存ポリシーなどを含む。たとえば、通信デバイスは、競合方式またはリスニング方式、たとえば、ＬＢＴによって指定された方式でスペクトルリソースを使用することができる。
【０１０５】
限定ではなく例として、本発明のこの実施形態では、ライセンスフリースペクトルリソースは、５ＧＨｚ周波数帯域の近くの約９００ＭＨｚ周波数帯域、および２．４ＧＨｚ周波数帯域の近くの約９０ＭＨｚ周波数帯域を含んでよい。
【０１０６】
ライセンススペクトルリソースは、通常、使用される前に国または地域のワイヤレス委員会によって承認される必要があるスペクトルリソースである。異なるシステム、たとえば、ＬＴＥシステムおよびＷｉＦｉシステム、または異なる事業者によって含まれるシステムは、ライセンススペクトルリソースを共有することができない。
【０１０７】
本発明のこの実施形態では、キャリアは概念的にセルに等価であることが考えられ得る。たとえば、端末デバイスによってキャリアにアクセスすることは、端末デバイスによってセルにアクセスすることに等価であり得る。別の例では、ＣＡシナリオにおいて、１次キャリアまたは２次キャリアが端末デバイスのために構成されたとき、キャリアのキャリアインデックスと、キャリア上で動作しているセルのセル識別情報（英語：Ｃｅｌｌ  Ｉｄｅｎｔｉｆｙ、Ｃｅｌｌ  ＩＤ）が両方とも搬送される。この場合、キャリアは概念的にセルに等価であることが考えられ得る。本発明の実施形態の説明では、特に明記されない限り、「セル」は「キャリア」と置き換えられてよい。
【０１０８】
図３を参照すると、図３は、本発明の一実施形態によるアップリンク情報送信方法の概略フローチャートである。本方法は以下のステップを含むが、それらに限定されない。
【０１０９】
Ｓ３０１。端末デバイスが、アクセスネットワークデバイスによって送信されたアップリンクスケジューリング情報を受信する。
【０１１０】
本発明のこの実施形態では、アップリンクスケジューリング情報は、物理ダウンリンク制御チャネル（英語：Ｐｈｙｓｉｃａｌ  Ｄｏｗｎｌｉｎｋ  Ｃｏｎｔｒｏｌ  Ｃｈａｎｎｅｌ、ＰＤＣＣＨ）上で搬送される情報であってよいか、または拡張物理ダウンリンク制御チャネル（英語：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）上で搬送される情報であってよい。アップリンクスケジューリング情報は、アップリンクグラント（Ｕｐｌｉｎｋ  Ｇｒａｎｔ、ＵＬ  ｇｒａｎｔ）情報であってよく、アップリンク情報を送信することを端末デバイスに示す。リリース１４をサポートしているＬＴＥシステム、およびリリース１４よりも前のリリースをサポートしているＬＴＥシステムが例として使用される。アップリンクスケジューリング情報は、ダウンリンク制御情報（英語：Ｄｏｗｎｌｉｎｋ  Ｃｏｎｔｒｏｌ  Ｉｎｆｏｒｍａｔｉｏｎ、ＤＣＩ）フォーマット０（ＤＣＩ  ｆｏｒｍａｔ  ０）で送信される制御情報の全部もしくは一部、ＤＣＩフォーマット４（ＤＣＩ  ｆｏｒｍａｔ  ４）で送信される制御情報の全部もしくは一部、ＤＣＩフォーマット０Ａ（ＤＣＩ  ｆｏｒｍａｔ  ０Ａ）で送信される制御情報の全部もしくは一部、ＤＣＩフォーマット０Ｂ（ＤＣＩ  ｆｏｒｍａｔ  ０Ｂ）で送信される制御情報の全部もしくは一部、ＤＣＩフォーマット４Ａ（ＤＣＩ  ｆｏｒｍａｔ  ４Ａ）で送信される制御情報の全部もしくは一部、またはＤＣＩフォーマット４Ｂ（ＤＣＩ  ｆｏｒｍａｔ  ４Ｂ）で送信される制御情報の全部もしくは一部であってよい。上記の制御情報のすべては、本発明のこの実施形態ではアップリンクスケジューリング情報として考えることができる。本発明のこの実施形態では、アップリンクスケジューリング情報は、１つまたは複数の時間単位中でアップリンク情報を送信するように端末デバイスに命令するためにさらに使用され得る。本明細書で説明される時間単位は、１つのサブフレーム、１つのタイムスロット、または１つの直交周波数分割多重化（英語：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであってよい。これは、本発明のこの実施形態では特に限定されない。
【０１１１】
本発明のこの実施形態では、アップリンクスケジューリング情報は、ＰＵＣＣＨまたはＰＵＳＣＨ上でアップリンク情報を送信するように端末デバイスに命令するために使用され得る。アップリンク情報は、ＨＡＲＱ−ＡＣＫ、チャネル状態情報（英語：Ｃｈａｎｎｅｌ  Ｓｔａｔｅ  Ｉｎｆｏｒｍａｔｉｏｎ、ＣＳＩ）、およびアップリンクデータのうちの少なくとも１つを含み得る。ＨＡＲＱ−ＡＣＫは、少なくともＡＣＫまたはＮＡＣＫを含む。ＣＳＩは非周期ＣＳＩ（英語：Ａｐｅｒｉｏｄｉｃ  ＣＳＩ、ａＣＳＩ）を含む。アップリンクデータはアップリンクサービスデータであり、アップリンクデータは、アップリンク共有チャネル（英語：Ｕｐｌｉｎｋ  Ｓｈａｒｅｄ  Ｃｈａｎｎｅｌ、ＵＬ−ＳＣＨ）上で搬送されるトランスポートブロック（英語：Ｔｒａｎｓｐｏｒｔ  ｂｌｏｃｋ）として考えられ得る。説明を簡単にするために、本発明のこの実施形態では、特に明記されない限り、フィードバック情報は、ＨＡＲＱ−ＡＣＫを使用することによって表され、アップリンクデータは、ＵＬ−ＳＣＨを使用することによって表され、非周期チャネル状態情報は、ａＣＳＩを使用することによって表される。
【０１１２】
Ｓ３０２。端末デバイスが、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定する。
【０１１３】
本発明のこの実施形態では、アップリンクスケジューリング情報は、（ａＣＳＩトリガを使用することによって表すことができる）非周期チャネル状態指示情報と、（ＭＣＳインデックスを使用することによって表すことができる）変調およびコーディング指示情報とを少なくとも含む。非周期チャネル状態指示情報は、端末デバイスがＣＳＩをフィードバックするかどうかを示すために、またはアップリンクスケジューリング情報によって示されるアップリンクリソース上で端末デバイスがＣＳＩをフィードバックするかどうかを示すために使用される。非周期チャネル状態指示情報は、端末デバイスによってフィードバックされたＣＳＩに対応しているサービングセルおよび／またはチャネル状態情報処理（英語：Ｃｈａｎｎｅｌ  Ｓｔａｔｅ  Ｉｎｆｏｒｍａｔｉｏｎ  Ｐｒｏｃｅｓｓ、ＣＳＩ  ｐｒｏｃｅｓｓ）をさらに示し得る。本明細書では、サービングセルに対応するＣＳＩは、サービングセルと端末デバイスとの間のダウンリンクデータ送信リンクのチャネル状態情報として理解され得る。ダウンリンクデータ送信リンクは、サービングセルが端末デバイスにデータをその上で送信するデータ送信リンクである。ＣＳＩ処理に対応するＣＳＩは、ＣＳＩ処理に対応しているチャネル状態情報基準信号（英語：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）およびチャネル状態情報干渉測定（英語：Ｃｈａｎｎｅｌ  Ｓｔａｔｅ  Ｉｎｆｏｒｍａｔｉｏｎ  Ｉｎｔｅｒｆｅｒｅｎｃｅ  Ｍｅａｓｕｒｅｍｅｎｔ、ＣＳＩ−ＩＭ）リソースを使用することによって端末デバイスによって計算を通して取得されたＣＳＩ測定結果として理解され得る。言い換えれば、本発明のこの実施形態では、非周期チャネル状態指示情報がＣＳＩをフィードバックするように端末デバイスに命令したとき、フィードバックされるＣＳＩは、単一のサービングセルもしくは単一のＣＳＩ処理に対応していてよいか、または複数のサービングセルもしくは複数のＣＳＩ処理に対応していてよい。
【０１１４】
アップリンクスケジューリング情報がＵＬグラントである一例が使用される。アップリンクスケジューリング情報中に含まれる非周期チャネル状態指示情報は、ＵＬグラント中に含まれる非周期ＣＳＩ要求フィールド（英語：ＣＳＩ  ｒｅｑｕｅｓｔ  ｆｉｅｌｄ）を使用することによって表され得る。以下の表１は、非周期チャネル状態指示情報を使用するための例示的な方法を示している。表１では、非周期状態指示情報が「００」として表されているとき、それは、端末デバイスが非周期ＣＳＩを送信するようにトリガされないことを示す。非周期状態指示情報が「０１」として表されているとき、それは、端末デバイスが、非周期ＣＳＩを送信し、サービングセルに対応する非周期ＣＳＩのみを送信するようにトリガされることを示す。非周期状態指示情報が「１０」または「１１」として表されているとき、それは、端末デバイスが、サービングセルの第１のセット／第２のセットに対応する非周期ＣＳＩを送信するようにトリガされることを示す。サービングセルの第１のセット／第２のセットは、上位レイヤシグナリング構成を通して端末デバイスに示されるサービングセルを含む。
【０１１５】
【表１】
2019525557.tif 000003
【０１１６】
本発明のこの実施形態では、変調およびコーディング指示情報は以下のように理解することができる。アクセスネットワークデバイスが、アップリンクスケジューリング情報を使用することによって、アップリンクデータ（もしくはＵＬ−ＳＣＨ）を送信するように端末デバイスに命令したか、またはスケジューリング情報を使用することによってＰＵＳＣＨがスケジュールされたとき、端末デバイスは、アップリンクスケジューリング情報指示中に含まれる変調およびコーディング指示情報に基づいて、アップリンクデータを送信するために使用される変調次数（英語：Ｍｏｄｕｌａｔｉｏｎ  Ｏｒｄｅｒ）、トランスポートブロックサイズ（英語：Ｔｒａｎｓｍｉｓｓｉｏｎ  Ｂｌｏｃｋ  Ｓｉｚｅ、ＴＢＳ）インデックス（英語：Ｉｎｄｅｘ）、および冗長性バージョン（英語：Ｒｅｄｕｎｄａｎｃｙ  Ｖｅｒｓｉｏｎ、ＲＶ）のうちの少なくとも１つを判定し得る。さらに、端末デバイスは、ＴＢＳインデックス、およびスケジュールされたリソースの判定された量に基づいて、（サイクリック冗長検査（英語：Ｃｙｃｌｉｃ  Ｒｅｄｕｎｄａｎｃｙ  Ｃｈｅｃｋ）を除いて）送信することができる元のビット量を判定し得る。アップリンクスケジューリング情報がＵＬグラントである一例が使用される。アップリンクスケジューリング情報中に含まれる変調およびコーディング指示情報は、ＵＬグラント中に含まれる５ビット変調およびコーディング方式ならびに冗長性バージョン（英語：Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）を使用することによって表され得る。本発明のこの実施形態では、変調およびコーディング指示情報は、変調およびコーディング方式番号を用いた１対１の対応であってよい。端末デバイスは、変調およびコーディング方式番号に基づいて変調およびコーディング指示情報を判定し得る。代替として、端末デバイスは、変調およびコーディング方式番号に基づいて、変調次数、ＴＢＳ、およびＲＶのうちの少なくとも１つを判定し得る。
【０１１７】
特に、端末デバイスは、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定し得る。本発明のこの実施形態では、フィードバック情報はＨＡＲＱ−ＡＣＫである。
【０１１８】
本発明のこの実施形態では、アップリンクスケジューリング情報によって示されるアップリンクリソース上でＨＡＲＱ−ＡＣＫを送信することを端末デバイスが決定した場合、ＨＡＲＱ−ＡＣＫは、単一のサービングセル中に含まれ端末デバイスにスケジュールされているダウンリンクデータについてのＨＡＲＱ−ＡＣＫ肯定応答であってよいか、または複数のサービングセル中に含まれ端末デバイスにスケジュールされているダウンリンクデータについてのＨＡＲＱ−ＡＣＫ肯定応答であってよい。これは、本発明のこの実施形態では特に限定されない。たとえば、ＣＡシナリオでは、５つのサービングセルが端末デバイスのために構成され、サービングセル１（Ｓｅｒｖｉｎｇ  ｃｅｌｌ  １、ＳＣ１）、ＳＣ２、ＳＣ３、ＳＣ４、およびＳＣ５を使用することによってそれぞれ表され、これらの５つのサービングセルに対応するキャリアは、ＣＣ１、ＣＣ２、ＣＣ３、ＣＣ４、およびＣＣ５を使用することによってそれぞれ表される。アップリンクスケジューリング情報はＳＣ１中で送信され、端末デバイスは、アップリンクスケジューリング情報に基づいて、アップリンクスケジューリング情報によって示されるアップリンクリソース上でＨＡＲＱ−ＡＣＫをフィードバックすることを決定し、アップリンクリソースが属するキャリアは、サービングセル１のキャリア、すなわち、ＣＣ１と同じであると仮定される。この場合、１つの方式では、端末デバイスは、ＳＣ１のみの中に含まれるダウンリンクデータに対応するＨＡＲＱ−ＡＣＫをフィードバックする。他の方式では、端末デバイスは、複数のサービングセル中に含まれるダウンリンクデータに対応するＨＡＲＱ−ＡＣＫをフィードバックし得る。複数のサービングセルはすべてＣＣ１に対応しており、この対応は、ＲＲＣシグナリングを使用することによって構成され得る。たとえば、ＳＣ１／ＳＣ２／ＳＣ３のダウンリンクデータに対応するＨＡＲＱ−ＡＣＫがＣＣ１上で送信されるべきであることを、アクセスネットワークデバイスがＲＲＣシグナリング構成を通して端末デバイスに示し得る場合、ＣＣ１上でＨＡＲＱ−ＡＣＫを送信することを決定したとき、端末デバイスは、ＣＣ１上で、ＳＣ１／ＳＣ２／ＳＣ３のダウンリンクデータに対応するＨＡＲＱ−ＡＣＫを送信し得る。本発明のこの実施形態では、端末デバイスは、実際にスケジュールされたダウンリンクデータについてＨＡＲＱ−ＡＣＫ情報をフィードバックし得ることに留意されたい。たとえば、ダウンリンクデータ送信中に、アクセスネットワークデバイスは、端末デバイスに最大１６個のダウンリンクＨＡＲＱ処理をスケジュールすることができるが、ＨＡＲＱ−ＡＣＫをフィードバックすることを決定したとき、端末デバイスは、４つの実際にスケジュールされたダウンリンクＨＡＲＱ処理を判定することができる。この場合、端末デバイスは、４つのＨＡＲＱ処理のみについてフィードバックを与えればよい。代替として、本発明のこの実施形態では、端末デバイスは、アクセスネットワークデバイスによって構成されている最大量のダウンリンクＨＡＲＱ処理についてＨＡＲＱ−ＡＣＫ情報をフィードバックする。たとえば、アクセスネットワークデバイスが最大１６個のダウン��ンクＨＡＲＱ処理を構成することができる場合、ＨＡＲＱ−ＡＣＫをフィードバックすることを決定した後に、端末デバイスは、１６個未満のダウンリンクＨＡＲＱ処理が実際にスケジュールされた場合でも、１６個のＨＡＲＱ処理についてフィードバックを与え得る。さらに、アクセスネットワークデバイスによって構成されている最大量のダウンリンクＨＡＲＱ処理は、ＲＲＣシグナリングを使用することによって構成されてよいか、またはメディアアクセス制御（英語：Ｍｅｄｉｕｍ  Ａｃｃｅｓｓ  Ｃｏｎｔｒｏｌ、ＭＡＣ）シグナリングを使用することによって構成されてよい。代替として、最大量のダウンリンクＨＡＲＱ処理は規格またはプロトコルによって指定されてよい。これは、本発明のこの実施形態では特に限定されない。ＨＡＲＱ−ＡＣＫについての上記の説明は、図４または図５に示されている以下の実施形態にも適用可能である。詳細については以下で再び説明されない。
【０１１９】
本発明のこの実施形態では、アップリンクスケジューリング情報によって示されるアップリンクリソースの少なくとも２つの理解があり得る。１つの理解は、アップリンクリソースの特定のロケーション（たとえば、時間および／または周波数ロケーション）が、アップリンクスケジューリング情報によって示されるというものである。本明細書では、アップリンクリソースの時間ロケーションは、アップリンクリソースの時間ロケーションが含まれ、たとえば、サブフレームインデックス番号を使用することによって表され得ることを意味し、アップリンクリソースの周波数ロケーションは、アップリンクリソースの周波数ロケーションが含まれ、たとえば、リソースブロック（英語：Ｒｅｓｏｕｒｃｅ  Ｂｌｏｃｋ、ＲＢ）ロケーションを使用することによって表され得ることを意味する。ＵＬグラントが一例として使用される。ＵＬグラント中に含まれるリソースブロック割当ておよびホッピングリソース割振り（英語：Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）指示情報が使用されて、スケジュールされたアップリンクリソースの周波数ロケーションが端末デバイスに示され得る。別の理解は、アップリンクリソースの特定のロケーション（たとえば、時間および／または周波数ロケーション）が事前構成されており、たとえば、無線リソース制御（英語：Ｒａｄｉｏ  Ｒｅｓｏｕｒｃｅ  Ｃｏｎｔｒｏｌ、ＲＲＣ）シグナリングを使用することよって構成されているというものである。アップリンクスケジューリング情報によって示されるアップリンクリソースは、アップリンクスケジューリング情報が、事前構成されたアップリンクリソースを使用するように端末デバイスに命令することであると理解されてよい。たとえば、アップリンクリソースが、ＰＵＣＣＨ中に含まれるリソースであるとき、アップリンクスケジューリング情報に基づいて、アップリンクスケジューリング情報によって示されるＰＵＣＣＨリソース上でアップリンク情報を送信することを決定した場合、端末デバイスは、事前構成されたアップリンクリソースを使用することによってアップリンク情報を送信し得る。
【０１２０】
本発明のこの実施形態では、アップリンクリソースは、ＰＵＳＣＨ中に含まれるリソースであってよいか、またはＰＵＣＣＨ中に含まれるリソースであってよい。アップリンクリソースが、ＰＵＳＣＨ中に含まれるリソースであるとき、アクセスネットワークデバイスは、アップリンクスケジューリング情報を使用することによって、アップリンクリソースの特定の周波数ロケーションを示してよく、これは、ＰＵＳＣＨの周波数ロケーションとしても理解される。アップリンクリソースが、ＰＵＣＣＨ中に含まれるリソースであるとき、アクセスネットワークデバイスは、アップリンクスケジューリング情報を使用することによってアップリンクリソースの特定の周波数ロケーションを示してよいか、またはＰＵＣＣＨリソースを使用することによってアップリンク情報を送信するように、アップリンクスケジューリング情報を使用することによって端末デバイスに命令してよい。この場合、ＰＵＣＣＨリソースは事前構成されてよく、たとえば、ＲＲＣシグナリングを使用することによって構成されている。本発明のこの実施形態はそれに限定されない。
【０１２１】
本発明のこの実施形態では、アップリンクリソースが属するキャリアは、アップリンクスケジューリング情報が属するキャリアと同じであってよいか、またはそれとは異なってよい。これは特に限定されない。
【０１２２】
任意選択で、本発明のこの実施形態では、アップリンクスケジューリング情報中に含まれる非周期チャネル状態指示情報ならびに変調およびコーディング指示情報に基づいて、ＨＡＲＱ−ＡＣＫを送信すべきかどうかを判定することに加えて、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクスケジューリング情報によって示されるアップリンクリソース上で送信されるべきアップリンク情報を判定してよい。
【０１２３】
アップリンクスケジューリング情報中に含まれる非周期チャネル状態指示情報ならびに変調およびコーディング指示情報に基づいて、ＨＡＲＱ−ＡＣＫを送信すべきかどうかを端末デバイスによって判定することと、アップリンクスケジューリング情報中に含まれる非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクスケジューリング情報によって示されるアップリンクリソース上で送信されるべきアップリンク情報を端末デバイスによって判定することとの実行順序には、限定が特に課されないことに留意されたい。特定の実装の間、端末デバイスは、非周期チャネル状態指示情報ならびに変調およびコーディング指示情報に基づいて、ＨＡＲＱ−ＡＣＫを送信すべきかどうかを最初に判定し得る。ＨＡＲＱ−ＡＣＫを送信しないことを決定した場合、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクリソース上で送信されるべきアップリンク情報をさらに判定する。代替として、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクリソース上で送信されるべきアップリンク情報を最初に判定し得る。現在の場合が上記の６つの場合のいずれでもないと判定した場合、端末デバイスは、非周期チャネル状態指示情報ならびに変調およびコーディング指示情報に基づいて、ＨＡＲＱ−ＡＣＫを送信すべきかどうかさらに判定する。代替として、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクリソース上で送信されるべきアップリンク情報を直接判定し得る。さらに、端末デバイスは、非周期チャネル状態指示情報ならびに変調およびコーディング指示情報に基づいて、ＵＬ−ＳＣＨと、ＵＬ−ＳＣＨおよびａＣＳＩと、ａＣＳＩとのアップリンク情報から、アップリンクリソース上で送信されるべきアップリンク情報を判定し得る。
【０１２４】
以下の表２は例示的な方法を示している。表２では、非周期チャネル状態指示情報は、「偽に設定」または「真に設定」によって表される。非周期状態指示情報が「偽」に設定されているとき、それは、端末デバイスがａＣＳＩを報告しないことを示すか、またはそれは、端末デバイスが、アップリンクスケジューリング情報によって示されるアップリンクリソース上でａＣＳＩを報告しないことを示す。反対に、非周期状態指示情報が「真」に設定されているとき、それは、端末デバイスがａＣＳＩを報告することを示すか、またはそれは、端末デバイスが、アップリンクスケジューリング情報によって示されるアップリンクリソース上でａＣＳＩを報告することを示す。非周期チャネル状態指示情報が１ビットである例では、０は「偽に設定」を示し得、１は「真に設定」を示し得る。さらに、非周期チャネル状態指示情報が「真」に設定されているとき、端末デバイスがａＣＳＩを報告することを示すことに加えて、非周期チャネル状態指示情報は、端末デバイスによって報告されるａＣＳＩに対応している１つもしくは複数のサービングセルを示し得るか、または端末デバイスによって報告されるａＣＳＩに対応している１つもしくは複数のＣＳＩ処理を示し得る。たとえば、上記の表１に記載されているように、「０１」、「１０」、および「１１」はすべて、非周期状態指示情報が「真」に設定されていることを示すことができる。表２では、変調およびコーディング指示情報は、変調およびコーディング方式番号を使用することによって表される。変調およびコーディング指示情報は５ビット情報を使用することによって表すことができると仮定すると、対応する変調およびコーディング方式番号の値範囲は０から３１である。
【０１２５】
表２が一例として使用される。非周期状態指示情報ならびに変調およびコーディング指示情報が、第２の行から第４の行のいずれか１つに対応する値範囲を満たすと端末デバイスが判定したとき、端末デバイスは、アップリンクスケジューリング情報によって示されるアップリンクリソース上でＨＡＲＱ−ＡＣＫを送信しないことを決定し得る。さもなければ、端末デバイスは、アップリンクリソース上でＨＡＲＱ−ＡＣＫを送信することを決定し得る。代替として、非周期状態指示情報ならびに変調およびコーディング指示情報が、第５の行から第８の行のいずれか１つに対応する値範囲を満たすと端末デバイスが判定したとき、端末デバイスは、アップリンクスケジューリング情報によって示されるアップリンクリソース上でＨＡＲＱ−ＡＣＫを送信することを決定し得る。さもなければ、端末デバイスは、アップリンクリソース上でＨＡＲＱ−ＡＣＫを送信しないことを決定し得る。端末デバイスは、非周期チャネル状態指示情報ならびに変調およびコーディング指示情報に対応しており、表２の第５の行から第８の行に対応している値範囲に基づいて、ＨＡＲＱ−ＡＣＫを送信するとき、端末デバイスがアップリンクリソース上でａＣＳＩおよびＵＬ−ＳＣＨをさらに送信することができるかどうかをさらに判定し得る。表２において、注１は、端末デバイスがアップリンクリソース上で「ＵＬ−ＳＣＨ＋ＨＡＲＱ−ＡＣＫ」を送信することを決定したとき、対応する変調およびコーディング方式が２９である場合、端末デバイスがアップリンクリソース上で「ａＣＳＩ」を送信することを決定したとき、対応する変調およびコーディング方式が３０または３１であることを示す。注２は、端末デバイスがアップリンクリソース上で「ａＣＳＩ＋ＨＡＲＱ−ＡＣＫ」を送信することを決定したとき、対応する変調およびコーディング方式が３０である場合、端末デバイスがアップリンクリソース上で「ＵＬ−ＳＣＨ＋ａＣＳＩ＋ＨＡＲＱ−ＡＣＫ」を送信することを決定したとき、対応する変調およびコーディング方式が３１であることを示す。
【０１２６】
【表２】
2019525557.tif 000004
【０１２７】
本発明のこの実施形態では、表中のアップリンク情報部分について、「＋」は「および」を表すことに留意されたい。たとえば、表中の「ＨＡＲＱ−ＡＣＫ＋ａＣＳＩ」は「ＨＡＲＱ−ＡＣＫおよびａＣＳＩ」を表す。以下の表のすべてにおいて、「＋」は「および」を表す。
【０１２８】
表２に示されている指示方式では、既存のＵＬグラントにおける指示方法が最大限に再利用されることが可能であり、スケジュールされたアップリンクリソース上でＵＬ−ＳＣＨおよび／またはａＣＳＩを送信することを端末デバイスによって決定するための以前の方法が維持されることが可能であり、それにより、端末デバイスはわずかにしか変更されない。
【０１２９】
任意選択で、端末デバイスがアップリンクリソース上で非周期チャネル状態情報もアップリンクデータも送信しない場合、アップリンクリソースは、ＰＵＣＣＨ中に含まれるリソースである。端末デバイスがアップリンクリソース上で非周期チャネル状態情報および／またはアップリンクデータを送信する場合、アップリンクリソースは、ＰＵＳＣＨ中に含まれるリソースである。
【０１３０】
本発明のこの実施形態では、アップリンクリソースが、ＰＵＣＣＨ中に含まれるリソースであることは、アップリンクリソースを搬送するチャネルがＰＵＣＣＨであると理解されてよく、アップリンクリソースが、ＰＵＳＣＨ中に含まれるリソースであることは、アップリンクリソースを搬送するチャネルがＰＵＳＣＨであると理解されてよい。
【０１３１】
任意選択で、本発明のこの実施形態では、アップリンクリソース上でＨＡＲＱ−ＡＣＫを送信するがＵＬ−ＳＣＨもａＣＳＩも送信しないことを端末デバイスが決定したとき、端末デバイスは、ＰＵＣＣＨ中に含まれるリソース上でＨＡＲＱ−ＡＣＫを送信する。代替として、本発明のこの実施形態では、アップリンクリソース上で送信されるべきアップリンク情報がＨＡＲＱ−ＡＣＫを含むがａＣＳＩを除外すると端末デバイスが判定したときか、アップリンクリソース上で送信されるべきアップリンク情報がＨＡＲＱ−ＡＣＫを含むがＵＬ−ＳＣＨを除外するときか、またはアップリンクリソース上で送信されるべきアップリンク情報がＨＡＲＱ−ＡＣＫを含むがａＣＳＩもＵＬ−ＳＣＨも含まないと端末デバイスが判定したとき、アップリンクリソースは、ＰＵＣＣＨ中に含まれるリソースであり、端末デバイスはＰＵＣＣＨ上でＨＡＲＱ−ＡＣＫを送信する。
【０１３２】
任意選択で、本発明のこの実施形態では、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨと、ａＣＳＩと、ａＣＳＩおよびＵＬ−ＳＣＨと、ＵＬ−ＳＣＨとのアップリンク情報のうちの１つをアップリンクリソース上で送信することを端末デバイスが決定したとき、端末デバイスは、ＰＵＳＣＨ中に含まれるリソース上で情報を送信する。表３は、様々なアップリンク情報と、アップリンク情報を送信するために端末デバイスによって使用されるアップリンクチャネルとの間の対応を示している。本発明のこの実施形態では、アップリンク情報は、ＨＡＲＱ−ＡＣＫ、ａＣＳＩ、およびＵＬ−ＳＣＨのうちの少なくとも１つを含む。
【０１３３】
【表３】
2019525557.tif 000005
【０１３４】
この方式は以下の利点を有する。ＨＡＲＱ−ＡＣＫを送信するがＵＬ−ＳＣＨもａＣＳＩも送信しないことを端末デバイスが決定したとき、端末デバイスは、ＰＵＣＣＨチャネルを使用することによってＨＡＲＱ−ＡＣＫを送信し得る。ＰＵＳＣＨにＨＡＲＱ−ＡＣＫを追加する方式と比較して、この方式では、マルチユーザ多重化が達成されて、ライセンスフリー周波数帯域リソースが効果的に使用されることが可能である。加えて、ａＣＳＩまたはａＣＳＩおよびＨＡＲＱ−ＡＣＫの送信中に、ＰＵＳＣＨにａＣＳＩを追加するための既存の設計方法が再利用され得る。
【０１３５】
任意選択で、端末デバイスがアップリンクリソース上でアップリンクデータを送信しない場合、アップリンクリソースは、ＰＵＣＣＨ中に含まれるリソースである。端末デバイスがアップリンクリソース上でアップリンクデータを送信する場合、アップリンクリソースは、ＰＵＳＣＨ中に含まれるリソースである。
【０１３６】
任意選択で、本発明のこの実施形態では、端末デバイスがアップリンクリソース上でＵＬ−ＳＣＨを送信しないことを決定したとき、たとえば、端末デバイスが、アップリンクリソース上でａＣＳＩおよびＨＡＲＱ−ＡＣＫのうちの少なくとも１つを送信することを決定したとき、アップリンクリソースは、ＰＵＣＣＨ中に含まれるリソースであり、端末デバイスは、ＰＵＣＣＨ上でａＣＳＩおよびＨＡＲＱ−ＡＣＫのうちの少なくとも１つを送信する。
【０１３７】
任意選択で、本発明のこの実施形態では、端末デバイスがアップリンクリソース上でＵＬ−ＳＣＨを送信することを決定したとき、たとえば、端末デバイスがアップリンクリソース上で、ＵＬ−ＳＣＨと、ＵＬ−ＳＣＨおよびａＣＳＩと、ＵＬ−ＳＣＨおよびＨＡＲＱ−ＡＣＫと、ＵＬ−ＳＣＨ、ａＣＳＩ、およびＨＡＲＱ−ＡＣＫとのうちの１つを送信することを決定したとき、アップリンクリソースは、ＰＵＳＣＨ中に含まれるリソースであり、端末デバイスはＰＵＳＣＨ上で、ＵＬ−ＳＣＨと、ＵＬ−ＳＣＨおよびａＣＳＩと、ＵＬ−ＳＣＨおよびＨＡＲＱ−ＡＣＫと、ＵＬ−ＳＣＨ、ａＣＳＩ、およびＨＡＲＱ−ＡＣＫとのうちの１つを送信する。
【０１３８】
表４は、様々なアップリンク情報と、アップリンク情報を送信するために端末デバイスによって使用されるアップリンクチャネルとの間の対応を示している。本発明のこの実施形態では、アップリンク情報は、ＨＡＲＱ−ＡＣＫ、ａＣＳＩ、およびＵＬ−ＳＣＨのうちの少なくとも１つを含む。
【０１３９】
【表４】
2019525557.tif 000006
【０１４０】
表５は、様々なアップリンク情報と、アップリンク情報を送信するために端末デバイスによって使用されるアップリンクチャネルとの間の別の対応を示している。
【０１４１】
【表５】
2019525557.tif 000007
【０１４２】
本発明のこの実施形態では、任意選択で、端末デバイスは、アップリンクスケジューリング情報によって示されるアップリンクリソース上で送信されるべきアップリンク情報のタイプに基づいて、アップリンクリソースが属するチャネルのタイプを判定してよいことに留意されたい。たとえば、上記の説明に関して、端末デバイスがアップリンクリソース上でＨＡＲＱ−ＡＣＫを送信するがＵＬ−ＳＣＨもａＣＳＩも送信しないことを決定した場合、端末デバイスは、ＰＵＣＣＨ上でＨＡＲＱ−ＡＣＫを送信することを決定してよい。代替として、別の例では、表３から表５に示されているように、端末デバイスは、変調およびコーディング指示情報ならびに非周期チャネル状態指示情報に基づいて、アップリンクリソース上で送信されるべきアップリンク情報を判定し、次いで、判定されたアップリンク情報に基づいて、アップリンク情報を搬送するアップリンクチャネルを判定してよい。代替として、端末デバイスは、変調およびコーディング指示情報ならびに非周期チャネル状態指示情報に基づいて、アップリンク情報を搬送するアップリンクチャネルを直接判定してよい。
【０１４３】
この方式は以下の利点を有する。端末デバイスが送信することを決定するアップリンク情報がアップリンク制御情報であり、たとえば、ＨＡＲＱ−ＡＣＫとａＣＳＩの両方がアップリンク制御情報に属するとき、端末デバイスはＰＵＣＣＨ上で制御情報を送信し得、それにより、マルチユーザ多重化が達成されて、ライセンスフリー周波数帯域リソースが効果的に使用されることが可能である。
【０１４４】
任意選択で、ＰＵＣＣＨ中に含まれるリソースに対応するアップリンクスケジューリング情報のフォーマットは、ＰＵＳＣＨ中に含まれるリソースに対応するアップリンクスケジューリング情報のフォーマットと同じである。
【０１４５】
本発明のこの実施形態では、ＰＵＣＣＨ中に含まれるリソースに対応するアップリンクスケジューリング情報は、アップリンクスケジューリング情報が、ＰＵＣＣＨ中に含まれるリソースを示すか、またはＰＵＣＣＨ中に含まれるリソース上でアップリンク情報を送信するようにＵＥをトリガすると理解されてよい。対応して、ＰＵＳＣＨ中に含まれるリソースに対応するアップリンクスケジューリング情報は、アップリンクスケジューリング情報が、ＰＵＳＣＨ中に含まれるリソースを示すか、またはＰＵＳＣＨ中に含まれるリソース上でアップリンク情報を送信するようにＵＥをトリガすると理解されてよい。本発明のこの実施形態では、アップリンクスケジューリング情報のフォーマットは、異なるＤＣＩフォーマットを使用することによって表され得ると理解されてよい。たとえば、アップリンクスケジューリング情報のフォーマットは、ＵＬグラントに対応するフォーマット（たとえば、ＤＣＩフォーマット０、ＤＣＩフォーマット４、ＤＣＩフォーマット０Ａ／０Ｂ、またはＤＣＩフォーマット４Ａ／４Ｂ）を使用することによって表され得る。ＤＣＩフォーマット０は、スケジュールされたアップリンクリソース上で単一コードワードデータを送信するようにＵＥに命令し得る。ＤＣＩフォーマット４は、スケジュールされたアップリンクリソース上で単一コードワードデータまたはデュアルコードワードデータを送信するようにＵＥに命令し得る。ＤＣＩフォーマット０Ａ／０Ｂは、ライセンスフリー周波数帯域リソース上の１つまたは複数のアップリンクサブフレーム中でアップリンク単一コードワードデータ送信を実施するようにＵＥに命令し得る。ＤＣＩフォーマット４Ａ／４Ｂは、ライセンスフリー周波数帯域リソース上の１つまたは複数のアップリンクサブフレーム中でアップリンク単一コードワードまたはデュアルコードワードデータ送信を実施するようにＵＥに命令し得る。
【０１４６】
本発明のこの実施形態では、ＰＵＣＣＨに対応するアップリンクスケジューリング情報のフォーマットが、ＰＵＳＣＨに対応するアップリンクスケジューリング情報のフォーマットと同じであることは、ＰＵＣＣＨに対応するアップリンクスケジューリング情報、およびＰＵＳＣＨに対応するアップリンクスケジューリング情報のために同じＤＣＩフォーマットが使用されること、またはＰＵＣＣＨに対応するアップリンクスケジューリング情報のフォーマット中に含まれる情報ビットの量が、ＰＵＳＣＨに対応するアップリンクスケジューリング情報のフォーマット中に含まれる情報ビットの量と同じであることを示し得る。たとえば、アクセスネットワークデバイスは、第１のスケジューリング情報を使用することによって、ＰＵＣＣＨ上でＨＡＲＱ−ＡＣＫを送信するようにＵＥに命令し、アクセスネットワークデバイスは、第２のスケジューリング情報を使用することによって、ＰＵＳＣＨ上で、ＵＬ−ＳＣＨと、ＵＬ−ＳＣＨおよびａＣＳＩと、ＵＬ−ＳＣＨおよびＨＡＲＱ−ＡＣＫと、ＵＬ−ＳＣＨ、ａＣＳＩ、およびＨＡＲＱ−ＡＣＫと、ａＣＳＩと、ａＣＳＩおよびＨＡＲＱ−ＡＣＫとのうちの１つを送信するようにＵＥに命令し、第１のスケジューリング情報はＤＣＩフォーマットＡで送信され、第２のスケジューリング情報はＤＣＩフォーマットＢで送信されると仮定される。この場合、ＰＵＣＣＨ中に含まれるリソースに対応するアップリンクスケジューリング情報のフォーマットが、ＰＵＳＣＨ中に含まれるリソースに対応するアップリンクスケジューリング情報のフォーマットと同じであることは、ＤＣＩフォーマットＡがＤＣＩフォーマットＢと同じであることを示し得る。
【０１４７】
本発明のこの実施形態では、物理アップリンク制御チャネル中に含まれるリソースに対応するアップリンクスケジューリング情報のフォーマットは、物理アップリンク共有チャネル中に含まれるリソースに対応するアップリンクスケジューリング情報のフォーマットと同じである。たとえば、アクセスネットワークデバイスは、ＰＵＣＣＨ中に含まれるリソース上でＨＡＲＱ−ＡＣＫを送信するか、またはＰＵＳＣＨ中に含まれるリソース上でＨＡＲＱ−ＡＣＫを送信するように、１つのＵＬグラントを使用することによって端末デバイスに命令し得る。任意選択で、本発明のこの実施形態では、端末デバイスは、ＵＬグラント中の非周期チャネル状態指示情報ならびに変調およびコーディング指示情報に基づいて、ＨＡＲＱ−ＡＣＫを送信するためのリソースが、ＰＵＣＣＨ中に含まれるリソースであるかまたはＰＵＳＣＨ中に含まれるリソースであるかを判定し得る。確実に、本発明のこの実施形態はこの実装方法に限定されない。
【０１４８】
任意選択で、アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、端末デバイスは、アップリンクスケジューリング情報によって示されるアップリンクリソース上でフィードバック情報を送信することを決定し、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、端末デバイスは、アップリンクスケジューリング情報によって示されるアップリンクリソース上でフィードバック情報を送信することを決定する。
【０１４９】
本発明のこの実施形態では、端末デバイスは、表２の非周期チャネル状態指示情報ならびに変調およびコーディング指示情報に基づいて、アップリンクリソース上で、ＨＡＲＱ−ＡＣＫ、ａＣＳＩ、およびＵＬ−ＳＣＨのうちの少なくとも１つを送信することを決定し得る。端末デバイスがアップリンクリソース上でＵＬ−ＳＣＨを送信することを決定したとき、変調およびコーディング指示情報に対応するインデックス値は、０から２８の中のいずれかの値である。
【０１５０】
これは以下の利点を有する。ライセンスフリー周波数帯域上で、非同期および適応アップリンクデータ送信が実施されてアップリンクリソースが効果的に使用される。この場合、ノンアダプティブ再送のために主に使用される変調およびコーディング方式（ＭＣＳインデックス）２９から３１は、ＵＥがＵＬ−ＳＣＨを送信するときに使用されるＭＣＳを示すために使用されなくてよく、それにより、ＭＣＳインデックス２９から３１を使用することによっておよび非周期チャネル状態指示情報（ａＣＳＩトリガ）に関して、アップリンクリソース上で、ＨＡＲＱ−ＡＣＫと、ＨＡＲＱ−ＡＣＫおよびＵＬ−ＳＣＨと、ＨＡＲＱ−ＡＣＫおよびａＣＳＩと、ＨＡＲＱ−ＡＣＫ、ＵＬ−ＳＣＨ、およびａＣＳＩとのうちの１つを送信することが決定されることができる。したがって、シグナリングオーバーヘッドが低減されることができる。
【０１５１】
任意選択で、ＰＵＣＣＨに対応するアップリンクスケジューリング情報のフォーマットは、ＰＵＳＣＨに対応するアップリンクスケジューリング情報のフォーマットと同じである。具体的には、ＰＵＣＣＨ上でアップリンク情報を送信するようにＵＥに命令するスケジューリング指示情報（またはダウンリンク制御情報ＤＣＩ）のフォーマットは、ＰＵＳＣＨ上でアップリンク情報を送信するようにＵＥに命令するスケジューリング指示情報（またはダウンリンク制御情報ＤＣＩ）のフォーマットと同じであり、それにより、ＵＥによるブラインド検出の複雑さが低減されることができる。スケジューリング指示情報がＵＬグラントである一例が使用される。ＵＬグラント中に含まれる情報は、ＵＬグラントによって示されるリソースが、ＰＵＣＣＨ中に含まれるリソースであるかまたはＰＵＳＣＨ中に含まれるリソースであるかを区別するために使用され得る。ＵＬグラントによって示されるリソースは、ＵＬグラントによってトリガされるリソースとして理解されてよい。この場合、ＵＥは、ＵＬグラント中に含まれる情報に基づいて、ＵＬグラントによって示されるリソースを区別することができる。ＵＬグラントによって示される異なるアップリンクリソースについてＵＬグラントを２回検出することなしに、ＵＥは、探索空間（ｓｅａｒｃｈ  ｓｐａｃｅ）中に含まれる様々な可能な制御リソース中でＵＬグラントを１回検出し得る（様々な可能な制御リソースは、制御リソースのアグリゲーションレベル（ａｇｇｒｅｇａｔｉｏｎ  ｌｅｖｅｌ）および／またはリソースロケーションに基づいて互いに区別され得る）。本発明のこの実施形態は以下の利点を有する。ＵＥによるブラインド検出の複雑さが低減されることができる。
【０１５２】
Ｓ３０３。アップリンクリソース上でフィードバック情報を送信することを決定した場合、端末デバイスがアップリンクリソース上でフィードバック情報を送信する。
【０１５３】
図３に記載された方法を実行することによって、端末デバイスは、端末デバイスがＨＡＲＱ−ＡＣＫをフィードバックする必要があるかどうかを判定することができ、シグナリングオーバーヘッドが低減されるように、追加のシグナリングオーバーヘッドを引き起こすことなく、既存のアップリンクスケジューリング情報（たとえば、ＵＬグラント）内に含まれる非周期チャネル状態指示情報と変調およびコーディング指示情報とをさらに再利用することができる。
【０１５４】
図４を参照すると、図４は、本発明の実施形態による別のアップリンク情報送信方法の概略フローチャートである。方法は、限定はしないが、以下のステップを含む。
【０１５５】
Ｓ４０１。端末デバイスは、アクセスネットワークデバイスによって送信されたアップリンクスケジューリング情報を受信する。
【０１５６】
本発明のこの実施形態におけるステップＳ４０１について、図３に示されている実施形態におけるステップＳ３０１を参照されたい。詳細は、本明細書では再び説明されない。
【０１５７】
Ｓ４０２。端末デバイスは、アップリンクスケジューリング情報中に含まれる変調およびコーディング指示情報に基づいて、アップリンクスケジューリング情報によって示されるアップリンクリソース上でアップリンクデータを送信すべきかどうかを判定する。
【０１５８】
ライセンスフリーの周波数帯域において、非同期かつ適応的なアップリンクデータ伝送が実行されて、アップリンクリソースを有効に使用する。この場合、ＵＬグラント内に含まれ、主にノンアダプティブ再送のために使用される変調およびコーディング方式（ＭＣＳインデックス）２９から３１は、ＵＥがＵＬ−ＳＣＨを送信するときに使用されるＭＣＳを示すために使用されなくてもよい。代わりに、ＭＣＳインデックス０から２８における任意の値のみが使用され、ＵＥがＵＬ−ＳＣＨを送信するときに使用されるＭＣＳを示す。したがって、本発明のこの実施形態では、ＵＥは、アップリンクスケジューリング情報中に含まれるＭＣＳインデックスの値の範囲に基づいて、アップリンクリソース上でアップリンクデータを送信すべきかどうかを判定してもよい。
【０１５９】
具体的には、例として既存のＵＬグラント内に含まれる５ビット変調およびコーディング指示情報が使用される。変調およびコーディング指示情報に対応するＭＣＳインデックスが０から２８の中のいずれかの値である場合、端末デバイスは、アップリンクリソース上でアップリンクデータを送信する。変調およびコーディング指示情報に対応するＭＣＳインデックスが０から２８以外の値である場合、たとえば、２９から３１の中の任意の値、または３０および３１のいずれかである場合、端末デバイスは、アップリンクリソース上でアップリンクデータを送信しない。このようにして、アップリンクデータのＭＣＳは、データ送信効率を改善するために適応的に調整されることができる。
【０１６０】
本発明のこの実施形態では、説明を容易にするために、特に指定のない限り、変調およびコーディング指示情報は、変調およびコーディング方式インデックス（Ｍｏｄｕｌａｔｉｏｎ  Ｃｏｄｉｎｇ  Ｓｃｈｅｍｅ  Ｉｎｄｅｘ、ＭＣＳインデックス）と１対１に対応する。したがって、変調およびコーディング指示情報は、ＭＣＳインデックスを使用して表されてもよい。
【０１６１】
任意選択で、端末デバイスが、アップリンクスケジューリング情報中に含まれる変調およびコーディング指示情報に対応するインデックス番号が０から２８の中のいずれかの値であると判定した場合、端末デバイスは、アップリンクスケジューリング情報中に含まれる非周期チャネル状態指示情報およびフィードバック指示情報に基づく以下の情報、ＵＬ−ＳＣＨ、ＵＬ−ＳＣＨおよびａＣＳＩ、ＵＬ−ＳＣＨおよびＨＡＲＱ−ＡＣＫ、ならびに、ＨＡＲＱ−ＡＣＫ、ＵＬ−ＳＣＨ、およびａＣＳＩから、アップリンクスケジューリング情報によって示されるアップリンクリソース上で送信されるべき情報を判定する。
【０１６２】
本発明のこの実施形態では、説明を容易にするために、特に指定のない限り、変調およびコーディング指示情報は、ＭＣＳインデックスを使用することによって表され、非周期チャネル状態指示情報は、ａＣＳＩトリガを使用することによって表され、フィードバック指示情報は、ＨＡＲＱ−ＡＣＫトリガを使用することによって表される。
【０１６３】
任意選択で、フィードバック指示情報は、ＵＥがＨＡＲＱ−ＡＣＫを送信するかどうかを示すために使用され、非周期チャネル状態指示情報は、ＵＥがａＣＳＩを送信するかどうかを示すために使用される。
【０１６４】
本発明のこの実施形態では、端末デバイスは、表６に基づいて、アップリンクリソース上で、以下、すなわち、ＵＬ−ＳＣＨ、ＵＬ−ＳＣＨおよびａＣＳＩ、ＵＬ−ＳＣＨおよびＨＡＲＱ−ＡＣＫ、ならびに、ＵＬ−ＳＣＨ、ａＣＳＩ、ＨＡＲＱ−ＡＣＫのうちの１つを送信することを決定してもよい。
【０１６５】
【表６】
2019525557.tif 000008
【０１６６】
ａＣＳＩトリガのために使用されるビットの量も、ＨＡＲＱ−ＡＣＫのために使用されるビットの量も、本発明のこの実施形態では特に限定されないことが留意されるべきである。ａＣＳＩトリガが「真」または「偽」に設定されることは、上記で説明されているように（表２に示されているように）理解することができる。詳細は、本明細書では再び説明されない。例として、１ビットａＣＳＩトリガおよび１ビットＨＡＲＱ−ＡＣＫトリガが使用される。１つのビットが「０」に設定されているとき、対応する情報が「偽」に設定されていることを示す。１つのビットが「１」に設定されているとき、対応する情報が「真」に設定されていることを示す。この場合、端末デバイスは、表７に基づいて、アップリンクリソース上で、以下、すなわち、ＵＬ−ＳＣＨ、ＵＬ−ＳＣＨおよびａＣＳＩ、ＵＬ−ＳＣＨおよびＨＡＲＱ−ＡＣＫ、ならびに、ＵＬ−ＳＣＨ、ａＣＳＩ、ＨＡＲＱ−ＡＣＫのうちの１つを送信することを決定してもよい。さらに、表７では、ａＣＳＩトリガのビットが「１」に設定されているとき、ＵＥが非周期ＣＳＩを送信するようにトリガされることを示す。ＨＡＲＱ−ＡＣＫのビットが「１」に設定されているとき、ＵＥがＨＡＲＱ−ＡＣＫを送信するようにトリガされることを示す。
【０１６７】
【表７】
2019525557.tif 000009
【０１６８】
任意選択で、端末デバイスが、アップリンクスケジューリング情報中に含まれる変調およびコーディング指示情報に対応するインデックス番号が２９から３１の中の任意の値であると判定したとき、端末デバイスは、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上でａＣＳＩ、ＨＡＲＱ−ＡＣＫ、またはａＣＳＩおよびＨＡＲＱ−ＡＣＫを送信することを決定する。
【０１６９】
任意選択で、本発明のこの実施形態では、ＵＥは、表８に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。任意選択で、ＵＥは、表９に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。Ｎ／Ａは、対応する情報が任意の状態にある可能性があることを示す。これは、本発明のこの実施形態では特に限定されない。
【０１７０】
本発明のこの実施形態では、ＵＥは、表７および表８に基づいて、または表７および表９に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。任意選択で、表８および表９において、ＵＥによる理解を容易にするために、「ＨＡＲＱ−ＡＣＫ」に対応するａＣＳＩトリガが０に設定されてもよく、「ａＣＳＩ＋ＨＡＲＱ−ＡＣＫ」に対応するａＣＳＩトリガが１に設定されてもよい。
【０１７１】
【表８】
2019525557.tif 000010
【０１７２】
【表９】
2019525557.tif 000011
【０１７３】
ライセンスフリーの周波数帯域における非同期かつ適応的なアップリンクデータ伝送の特徴に関連して、冗長ＭＣＳインデックスは、リソース使用効率を改善するために効果的に使用することができる。
【０１７４】
ＨＡＲＱ−ＡＣＫの送信がＰＵＣＣＨ内に含まれるリソース上で行われる場合、ＨＡＲＱ−ＡＣＫ＋ａＣＳ、ＨＡＲＱ−ＡＣＫ＋ＵＬ−ＳＣＨ、ＨＡＲＱ−ＡＣＫ＋ａＣＳＩ＋ＵＬ−ＳＣＨ、ａＣＳＩ、ａＣＳＩ＋ＵＬ−ＳＣＨ、またはＵＬ−ＳＣＨの送信は、ＰＵＳＣＨ内に含まれるリソース上で行われることが留意されるべきであり、この実装では、変調およびコーディング指示情報は、現在のアップリンクスケジューリング情報がＰＵＣＣＨまたはＰＵＳＣＨに対応しているかどうかを識別するために使用され得ることも理解され得る。ここで、アップリンクスケジューリング情報がＰＵＣＣＨに対応していることは、アップリンクスケジューリング情報がＰＵＣＣＨ上で情報を送信するようにＵＥに命令することを示してもよく、アップリンクスケジューリング情報がＰＵＳＣＨに対応していることは、アップリンクスケジューリング情報がＰＵＳＣＨ上で情報を送信するようにＵＥに命令することを示してもよい。
【０１７５】
任意選択で、端末デバイスが、変調およびコーディング指示情報に対応するインデックス番号が２９であり、非周期チャネル状態指示情報が「真」に設定されていると判定したとき、端末デバイスは、アップリンクリソース上で非周期チャネル状態情報を送信することを決定する。端末デバイスが、変調およびコーディング指示情報に対応するインデックス番号が２９であり、非周期チャネル状態指示情報が「偽」に設定されていると判定したとき、端末デバイスは、アップリンクリソース上で、フィードバック情報、または非周期チャネル状態情報およびフィードバック情報を送信することを決定する。
【０１７６】
任意選択で、本発明のこの実施形態では、ＵＥは、表１０に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。任意選択で、ＵＥは、表１１に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。Ｎ／Ａは、対応する情報が任意の状態にある可能性があることを示す。たとえば、表１０において、Ｎ／Ａは、ａＣＳＩトリガのビットが「真」または「偽」に設定されることができることを示す。これは、本発明のこの実施形態では特に限定されない。
【０１７７】
本発明のこの実施形態では、ＵＥは、表７および表１０に基づいて、または表７および表１１に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。
【０１７８】
本発明のこの実施形態では、ａＣＳＩトリガが「真」に設定されていることは、ＵＥがａＣＳＩを送信するように命令されることを示してもよく、ａＣＳＩトリガが「偽」に設定されていることは、ＵＥがａＣＳＩを送信しないように命令されることを示してもよいことが留意されるべきである。しかしながら、本発明は、これに限定されない。たとえば、ａＣＳＩトリガが「真」に設定されていることは、ＵＥがａＣＳＩを送信するように命令されることを示さず、ａＣＳＩトリガが「偽」に設定されていることは、ＵＥがａＣＳＩを送信しないように命令されることを示さない。ＨＡＲＱ−ＡＣＫトリガについても同様の説明が与えられる。
【０１７９】
【表１０】
2019525557.tif 000012
【０１８０】
【表１１】
2019525557.tif 000013
【０１８１】
任意選択で、端末デバイスは、非周期チャネル状態指示情報およびフィードバック指示情報に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定する。
【０１８２】
任意選択で、フィードバック指示情報は、ＵＥがＨＡＲＱ−ＡＣＫを送信すべきかどうかを示すために使用され、非周期チャネル状態指示情報は、ＵＥがａＣＳＩを送信すべきかどうかを示すために使用される。
【０１８３】
任意選択で、本発明のこの実施形態では、ＵＥは、表１２に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。表１２において、Ｎ／Ａは、ＭＣＳインデックスが０から２８以外の値、たとえば、２９から３１の中の任意の値とすることができることを示す。これは、本発明のこの実施形態では、特に限定されない。加えて、ＵＥが、アップリンクリソース上でａＣＳＩ、ＨＡＲＱ−ＡＣＫおよびａＣＳＩ、またはＨＡＲＱ−ＡＣＫを送信することを決定するとき、対応するＭＣＳインデックスは、同じであっても異なっていてもよい。
【０１８４】
本発明のこの実施形態では、ＵＥは、表７および表１２に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。
【０１８５】
【表１２】
2019525557.tif 000014
【０１８６】
表１２において、ａＣＳＩトリガが「真」／「偽」に設定されていることは、ＵＥがａＣＳＩを送信するようにトリガされる／トリガされないことを示してもよく、ＨＡＲＱ−ＡＣＫトリガが「真」／「偽」に設定されていることは、ＵＥがＨＡＲＱ−ＡＣＫを送信するようにトリガされる／トリガされないことを示してもよい。
【０１８７】
さらに、本発明のこの実施形態では、ＭＣＳインデックス２９から３１は、異なる変調次数を示してもよい。たとえば、ＭＣＳインデックス＝２９は、１６ＱＡＭを示し、ＭＣＳインデックス＝３０は、６４ＱＡＭを示してもよい。これは、以下の、アップリンク制御情報（ａＣＳＩおよび／またはＨＡＲＱ−ＡＣＫ）送信効率が改善されることができるという利点を有する。
【０１８８】
任意選択で、端末デバイスは、変調およびコーディング指示情報、非周期チャネル状態指示情報、およびフィードバック指示情報に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定する。
【０１８９】
任意選択で、フィードバック指示情報は、ＵＥがＨＡＲＱ−ＡＣＫを送信するかどうかを示すために使用され、非周期チャネル状態指示情報は、ＵＥがａＣＳＩを送信するかどうかを示すために使用され、変調およびコーディング指示情報は、ＵＥがＵＬ−ＳＣＨを送信するかどうかを示すために使用される。たとえば、変調およびコーディング指示情報に対応するインデックス範囲に基づいて、アップリンクリソース上でＵＬ−ＳＣＨを送信すべきかどうかが判定される。
【０１９０】
任意選択で、本発明のこの実施形態では、ＵＥは、表１３に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。本発明のこの実施形態では、ＵＥは、表７および表１３に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。具体的には、ＵＥは、表１４に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよい。この実装では、ＨＡＲＱ−ＡＣＫトリガが「真」に設定されているとき、ＵＥがアップリンクリソース上でＨＡＲＱ−ＡＣＫを送信するようにトリガされることを示してもよく、または、ＨＡＲＱ−ＡＣＫトリガが「偽」に設定されているとき、ＵＥがアップリンクリソース上でＨＡＲＱ−ＡＣＫを送信するようにトリガされないことを示してもよいことが留意されるべきである。
【０１９１】
【表１３】
2019525557.tif 000015
【０１９２】
【表１４】
2019525557.tif 000016
【０１９３】
ＨＡＲＱ−ＡＣＫ、ａＣＳＩ、およびＵＬ−ＳＣＨのうちの少なくとも１つは、ＵＬ−ＳＣＨに対応するＭＣＳが柔軟に変化することができ、冗長ＭＣＳ状態が有効に使用されるように、アップリンクリソース上で送信される。ＨＡＲＱ−ＡＣＫ指示情報（たとえば、１ビット）は、端末デバイスが、検出されたＨＡＲＱ−ＡＣＫ指示情報に基づいて、アップリンクリソース上でＨＡＲＱ−ＡＣＫを送信すべきかどうかを判定することができるように加えられる。加えて、ＵＥの設計の複雑さは、冗長ＭＣＳインデックス（たとえば、ＭＣＳインデックスは、２９、３０、または３１）を使用し、ａＣＳＩトリガおよびＨＡＲＱ−ＡＣＫトリガを参照することによって低減することができる。
【０１９４】
非周期状態指示情報（ａＣＳＩトリガ）が１ビットを使用することによって表され、フィードバック指示情報（ＨＡＲＱ−ＡＣＫトリガ）が１ビットを使用することによって表され、ビットが「１」に設定されることが、ＵＥがａＣＳＩ／ＨＡＲＱ−ＡＣＫを送信するようにトリガされることを示し、ビットが「０」に設定されることが、ＵＥがａＣＳＩ／ＨＡＲＱ−ＡＣＫを送信しないようにトリガされることを示すと仮定する。この場合、ＵＥは、表１５に基づいて、アップリンクスケジューリング情報によって示されるアップリンクリソース上で、以下、すなわち、ＵＬ−ＳＣＨ、ａＣＳＩ、およびＨＡＲＱ−ＡＣＫのうちの少なくとも１つを送信することを決定してもよい。
【０１９５】
【表１５】
2019525557.tif 000017
【０１９６】
表１３から表１５に基づいて、ＵＥがａＣＳＩを送信するが、アップリンクリソース上で、以下、すなわち、ＵＬ−ＳＣＨ、ＵＬ−ＳＣＨ＋ａＣＳＩ、ＵＬ−ＳＣＨ＋ＨＡＲＱ−ＡＣＫ、ＵＬ−ＳＣＨ＋ａＣＳＩ＋ＨＡＲＱ−ＡＣＫ、ＨＡＲＱ−ＡＣＫ、およびａＣＳＩ＋ＨＡＲＱ−ＡＣＫのいずれも送信しないことを決定したとき、ＭＣＳインデックスが３０または３１であってもよいことがわかり得る。加えて、上記の表において、「ａＣＳＩ」、「ＨＡＲＱ−ＡＣＫ」、および「ａＣＳＩ＋ＨＡＲＱ−ＡＣＫ」は、同じＭＣＳインデックスまたは異なるＭＣＳインデックスに対応してもよい。たとえば、表１４および表１５において、「ａＣＳＩ」、「ＨＡＲＱ−ＡＣＫ」、および「ａＣＳＩ＋ＨＡＲＱ−ＡＣＫ」は、すべてＭＣＳインデックス２９に対応してもよい。
【０１９７】
本発明のこの実施形態では、上記で説明されているように、端末デバイスがアップリンクリソース上でａＣＳＩもＵＬ−ＳＣＨも送信しない場合、アップリンクリソースは、ＰＵＣＣＨ内に含まれるリソースである。端末デバイスがアップリンクリソース上でａＣＳＩおよび／またはＵＬ−ＳＣＨを送信する場合、アップリンクリソースは、ＰＵＳＣＨ内に含まれるリソースである。
【０１９８】
任意選択で、端末デバイスがアップリンクリソース上でＵＬ−ＳＣＨを送信しない場合、アップリンクリソースは、ＰＵＣＣＨ内に含まれるリソースである。端末デバイスがアップリンクリソース上でＵＬ−ＳＣＨを送信する場合、アップリンクリソースは、ＰＵＳＣＨ内に含まれるリソースである。
【０１９９】
任意選択で、ＰＵＣＣＨに対応するアップリンクスケジューリング情報のフォーマットは、ＰＵＳＣＨに対応するアップリンク情報のフォーマットと同じである。
【０２００】
Ｓ４０３。アップリンクリソース上でアップリンクデータを送信することを決定した場合、端末デバイスは、アップリンクリソース上でアップリンクデータを送信する。
【０２０１】
図４に記載された方法を実行することによって、端末デバイスは、変調およびコーディング指示情報のみを使用することによって、シグナリングオーバーヘッドが低減されるように、余分なシグナリングオーバーヘッドを引き起こすことなく、端末デバイスがアップリンクデータをフィードバックする必要があるかどうかを判定することができる。加えて、端末デバイスは、端末デバイスによる検出の複雑さが低減されるように、非周期チャネル状態指示情報を参照することなく、アップリンクデータを送信すべきかどうかを判定することができる。
【０２０２】
本発明のこの実施形態では、前述の実施形態のように、アップリンクリソース上で送信されるべきアップリンク情報のタイプがＵＥに示されてもよいことが留意されるべきである。加えて、異なるアップリンク情報が異なるアップリンクチャネル内に含まれるアップリンクリソース上で、たとえば、ＰＵＣＣＨ内に含まれるリソースまたはＰＵＳＣＨ内に含まれるリソース上で搬送されることができる場合、前述の実施形態のように、ＵＥは、アップリンクスケジューリング情報に基づいて、アップリンクスケジューリング情報に対応するアップリンクチャネルを判定してもよいことが理解され得る。ここでのアップリンクチャネルは、ＰＵＣＣＨとＰＵＳＣＨとを含む。アップリンクスケジューリング情報に対応するアップリンクチャネルは、アップリンクスケジューリング情報によって示されるアップリンク情報の送信を搬送するアップリンクチャネルとして理解されてもよい。
【０２０３】
図５を参照すると、図５は、本発明の実施形態による別のアップリンク情報送信方法の概略フローチャートである。方法は、限定はしないが、以下のステップを含む。
【０２０４】
Ｓ５０１。端末デバイスは、アクセスネットワークデバイスによって送信されたアップリンクスケジューリング情報を受信する。
【０２０５】
本発明のこの実施形態におけるステップＳ５０１について、図３に示されている実施形態におけるステップＳ３０１を参照されたい。詳細は、本明細書では再び説明されない。
【０２０６】
Ｓ５０２。端末デバイスは、アップリンクスケジューリング情報中に含まれる非周期チャネル状態指示情報およびフィードバック指示情報に基づいて、アップリンクスケジューリング情報によって示されるアップリンクリソース上で送信されるべきアップリンク情報を判定し、ここで、アップリンク情報は、以下、すなわち、アップリンクデータ、非周期チャネル状態情報、およびフィードバック情報のうちの少なくとも１つを含む。
【０２０７】
任意選択で、本発明のこの実施形態では、非周期チャネル状態指示情報およびフィードバック指示情報は、指示のために一緒に使用されてもよく、または、指示のために別々に使用されてもよい。これは、本発明のこの実施形態では特に限定されない。本発明のこの実施形態では、非周期チャネル状態指示情報およびフィードバック指示情報が指示のために別々に使用されるとき、「非周期チャネル状態指示情報」は、ＵＥがアップリンクリソース上でａＣＳＩを送信するかどうかを示すために使用され、「フィードバック指示情報」は、ＵＥがアップリンクリソース上でＨＡＲＱ−ＡＣＫを送信するかどうかを示すために使用されることが理解され得る。さらに、「非周期チャネル状態指示情報」がアップリンクリソース上でａＣＳＩを送信しないようにＵＥに命令し、「フィードバック指示情報」がアップリンクリソース上でＨＡＲＱ−ＡＣＫを送信しないようにＵＥに命令するとき、ＵＥは、アップリンクリソース上でＵＬ−ＳＣＨのみを送信することを決定してもよい。加えて、本発明のこの実施形態では、非周期チャネル状態指示情報およびフィードバック指示情報が指示のために一緒に使用されるとき、非周期チャネル状態指示情報に対応するビットおよびフィードバック指示情報に対応するビットが、アップリンクリソース上で、以下、すなわち、アップリンクデータ、非周期チャネル状態情報、およびフィードバック情報のうちの少なくとも１つを送信するように一緒にＵＥに命令することが理解され得、または、「非周期チャネル状態指示情報およびフィードバック指示情報」が、１つの指示情報を使用することによって表されてもよく、指示情報に基づいて、アップリンクリソース上で、以下、すなわち、アップリンクデータ、非周期チャネル状態情報、およびフィードバック情報のうちの少なくとも１つを送信することが決定されてもよいことが理解され得る。本発明のこの実施形態では、ＵＥがアップリンクリソース上でａＣＳＩまたはＨＡＲＱ−ＡＣＫを送信することを決定した場合、ＵＥによって送信されるべきａＣＳＩまたはＨＡＲＱ−ＡＣＫが単一のサービングセル（またはＣＳＩ処理）または複数のサービングセル（またはＣＳＩ処理）のいずれに対応するかは、限定されないことが留意されるべきである。
【０２０８】
具体的には、非周期チャネル状態情報およびフィードバック指示情報における指示方法は、表形式で説明される。
【０２０９】
任意選択で、本発明のこの実施形態では、非周期チャネル状態指示情報およびフィードバック指示情報は、明示的ビットシグナリングを使用することによって表される。
【０２１０】
本発明のこの実施形態では、任意選択で、ＵＥは、表１６に基づいて、アップリンクリソース上で、以下、すなわち、アップリンクデータ、非周期チャネル状態情報、およびフィードバック情報のうちの少なくとも１つを送信することを決定してもよい。ａＣＳＩトリガが「真」に設定されているとき、ａＣＳＩトリガは、アップリンクリソース上でａＣＳＩを送信するようにＵＥに命令するために利用され得る。逆に、ａＣＳＩトリガが「偽」に設定されているとき、ａＣＳＩトリガは、ＵＥがアップリンクリソース上でａＣＳＩを送信するようにトリガされないことを示すために使用され得る。フィードバック指示情報が「真」に設定されているとき、フィードバック指示情報は、アップリンクリソース上でＨＡＲＱ−ＡＣＫを送信するようにＵＥに命令するために使用され得る。逆に、フィードバック指示情報が「偽」に設定されているとき、フィードバック指示情報は、ＵＥがアップリンクリソース上でＨＡＲＱ−ＡＣＫを送信するようにトリガされないことを示すために使用され得る。ＵＥは、アップリンクスケジューリング情報を受信する。アップリンクスケジューリング情報に基づいて、アップリンクリソース上でａＣＳＩもＨＡＲＱ−ＡＣＫも送信しないことを決定する場合、ＵＥは、アップリンクスケジューリング情報に基づいて、アップリンクリソース上でＵＬ−ＳＣＨを送信することを決定してもよい。表１６内に含まれる内容は、指示のために非周期状態情報指示とフィードバック指示情報とを別々に使用することによって実施されることが考えられ得る。
【０２１１】
任意選択で、本発明のこの実施形態では、ＵＥがアップリンクリソース上でＨＡＲＱ−ＡＣＫを送信するとき、アップリンクリソースは、ＰＵＣＣＨ内に含まれるリソースであり（もしくは、ＵＥは、ＰＵＣＣＨ上でＨＡＲＱ−ＡＣＫを送信し）、および／または、ＵＥが、アップリンクリソース上で、以下、すなわち、ＨＡＲＱ−ＡＣＫおよびａＣＳＩ、ａＣＳＩ、ＨＡＲＱ−ＡＣＫおよびＵＬ−ＳＣＨ、ａＣＳＩおよびＵＬ−ＳＣＨ、ＵＬ−ＳＣＨ、ならびに、ＨＡＲＱ−ＡＣＫ、ＵＬ−ＳＣＨ、およびａＣＳＩのうちの１つを送信するとき、アップリンクリソースは、ＰＵＳＣＨ内に含まれるリソースである（もしくは、ＵＥは、ＰＵＳＣＨ上でＨＡＲＱ−ＡＣＫを送信する）。
【０２１２】
【表１６】
2019525557.tif 000018
【０２１３】
さらに、非周期チャネル状態指示情報は、１ビットを使用することによって表され、「０」は、非周期チャネル状態指示情報が「偽」に設定されていることを示すために使用され、「１」は、非周期チャネル状態指示情報が「真」に設定されていることを示すために使用される、フィードバック指示情報は、２ビットを使用することによって表され、「００」および「１１」は、フィードバック指示情報が「偽」に設定されていることを示すために使用され、「０１」および「１０」は、フィードバック指示情報が「真」に設定されていることを示すために使用されると仮定する。この場合、ＵＥは、表１７に基づいて、アップリンクリソース上で送信されるべきアップリンク情報のタイプをさらに判定してもよい。表１７内に含まれる内容は、指示のために非周期状態情報指示とフィードバック指示情報とを別々に使用することによって実施されることが考えられ得る。
【０２１４】
【表１７】
2019525557.tif 000019
【０２１５】
任意選択で、非周期チャネル状態指示情報が１ビットを使用することによって表され、フィードバック指示情報が２ビットを使用することによって表されると仮定すると、ＵＥは、表１８に基づいて、アップリンクリソース上で送信されるべきアップリンク情報のタイプを判定してもよい。表１８内に含まれる内容は、指示のために非周期状態情報指示とフィードバック指示情報とを一緒に使用することによって実施されることが考えられ得る。
【０２１６】
【表１８】
2019525557.tif 000020
【０２１７】
本発明のこの実施形態では、非周期チャネル状態指示情報のビットの量は、１に限定されず、非周期チャネル状態指示情報のビットの量は、１よりも大きくてもよく、たとえば、３であってもよいことが留意されるべきである。同様に、本発明のこの実施形態では、フィードバック指示情報のビットの量は、１に限定されず、１よりも大きくてもよく、たとえば、３であってもよい。
【０２１８】
Ｓ５０３。端末デバイスは、アップリンクスケジューリング情報によって示されるアップリンクリソース上で、判定されたアップリンク情報を送信する。
【０２１９】
本発明のこの実施形態では、上記で説明されているように、端末デバイスがアップリンクリソース上でａＣＳＩもＵＬ−ＳＣＨも送信しない場合、アップリンクリソースは、ＰＵＣＣＨ内に含まれるリソースである。端末デバイスがアップリンクリソース上でａＣＳＩおよび／またはＵＬ−ＳＣＨを送信する場合、アップリンクリソースは、ＰＵＳＣＨ内に含まれるリソースである。
【０２２０】
任意選択で、端末デバイスがアップリンクリソース上でＵＬ−ＳＣＨを送信しない場合、アップリンクリソースは、ＰＵＣＣＨ内に含まれるリソースである。端末デバイスがアップリンクリソース上でＵＬ−ＳＣＨを送信する場合、アップリンクリソースは、ＰＵＳＣＨ内に含まれるリソースである。
【０２２１】
任意選択で、ＰＵＣＣＨに対応するアップリンクスケジューリング情報のフォーマットは、ＰＵＳＣＨに対応するアップリンク情報のフォーマットと同じである。
【０２２２】
本発明のこの実施形態では、前述の実施形態のように、アップリンクリソース上で送信されるべきアップリンク情報のタイプがＵＥに示されてもよいことが留意されるべきである。加えて、異なるアップリンク情報が異なるアップリンクチャネル内に含まれるアップリンクリソース、たとえば、ＰＵＣＣＨ内に含まれるリソースまたはＰＵＳＣＨ内に含まれるリソース上で搬送されることができる場合、前述の実施形態のように、ＵＥは、アップリンクスケジューリング情報に基づいて、アップリンクスケジューリング情報に対応するアップリンクチャネルを判定するように命令されてもよいことが理解され得る。ここでのアップリンクチャネルは、ＰＵＣＣＨとＰＵＳＣＨとを含む。アップリンクスケジューリング情報に対応するアップリンクチャネルは、アップリンクスケジューリング情報によって示されるアップリンク情報の送信を搬送するアップリンクチャネルとして理解されてもよい。
【０２２３】
ａＣＳＩトリガのビットの量もＨＡＲＱ−ＡＣＫトリガのビットの量も、本発明のこの実施形態では特に限定されないことが留意されるべきである。
【０２２４】
本発明のこの実施形態では、フィードバック指示情報は、本発明のこの実施形態で提供される単なる例であることが留意されるべきである。実際の適用中、名前は、特に限定されない。たとえば、本発明のこの実施形態において説明されるフィードバック指示情報は、フィードバック情報指示情報と呼ばれることもある。
【０２２５】
図５に記載された方法を実行することによって、ＵＥは、ＭＣＳが通常使用されることができるように、従来技術のように特別なＭＣＳ設定および明示的なシグナリングに基づいて判定することを実行する（たとえば、従来技術では、ＵＥは、ａＣＳＩトリガ指示およびＭＣＳ＝２９に基づいて、ａＣＳＩを送信すべきかどうかを判定する）ことなく、アップリンクスケジューリング情報中に含まれる明示的なシグナリングに基づいて、非周期ＣＳＩを送信するが、以下、すなわち、ＨＡＲＱ−ＡＣＫ、ＨＡＲＱ−ＡＣＫおよびａＣＳＩ、ＨＡＲＱ−ＡＣＫおよびＵＬ−ＳＣＨ、ＨＡＲＱ−ＡＣＫ、ａＣＳＩ、およびＵＬ−ＳＣＨ、ａＣＳＩおよびＵＬ−ＳＣＨ、ならびにＵＬ−ＳＣＨのいずれも送信しないことを決定することができる。ダウンリンクデータ送信効率を改善するために、変調およびコーディング順序を表すために、予約されたＭＣＳが使用されてもよい。
【０２２６】
本発明の実施形態における前述のアップリンク情報送信方法のより良い実装を容易にするために、本発明は、前述の方法を実行するための端末デバイスをさらに提供する。
【０２２７】
図６を参照すると、図６は、本発明の実施形態による端末デバイスの概略構造図である。図６に示されているように、端末デバイス６０は、プロセッサ６０１と、メモリ６０２と、通信モジュール６０３と、バス６０４とを含む。プロセッサ６０１、メモリ６０２、および通信モジュール６０３は、バスを使用することによって、または別の方法で互いに接続されてもよい。たとえば、図６において、接続は、バス６０４を使用することによって実施される。
【０２２８】
任意選択で、端末デバイス６０は、入出力（英語：Ｉｎｐｕｔ／Ｏｕｔｐｕｔ、Ｉ／Ｏ）インターフェース６０５と、Ｉ／Ｏコントローラ６０６と、ディスプレイ６０７と、センサ６０８と、電力モジュール６０９とをさらに含んでもよい。
【０２２９】
プロセッサ６０１は、汎用プロセッサ、たとえば、中央処理装置（英語：Ｃｅｎｔｒａｌ  Ｐｒｏｃｅｓｓｉｎｇ  Ｕｎｉｔ、ＣＰＵ）であってもよく、端末デバイス６０のオペレーティングシステムソフトウェア、必要とされるアプリケーションソフトウェアなどを実行するように設定される。プロセッサ６０１は、通信モジュール６０３を使用することによって受信されたデータを処理してもよい。プロセッサ６０１は、ワイヤレス送信のために通信モジュール６０３に送信されるべきデータをさらに処理してもよい。
【０２３０】
メモリ６０２は、アップリンク情報送信プログラムコード、および、端末デバイスの様々なソフトウェアプログラムの完全な記憶、データ記憶、実行するソフトウェアなどを記憶するように設定される。メモリ６０２は、揮発性メモリ（英語：Ｖｏｌａｔｉｌｅ  Ｍｅｍｏｒｙ）、たとえば、ランダムアクセスメモリ（英語：Ｒａｎｄｏｍ  Ａｃｃｅｓｓ  Ｍｅｍｏｒｙ、ＲＡＭ）を含んでもよい。代替として、メモリ６０２は、不揮発性メモリ（英語：Ｎｏｎ−ｖｏｌａｔｉｌｅ  Ｍｅｍｏｒｙ）、たとえば、読出し専用メモリ（英語：Ｒｅａｄ−Ｏｎｌｙ  Ｍｅｍｏｒｙ、ＲＯＭ）、ハードディスクドライブ（英語：Ｈａｒｄ  Ｄｉｓｋ  Ｄｒｉｖｅ、ＨＤＤ）または、ソリッドステートドライブ（英語：Ｓｏｌｉｄ−Ｓｔａｔｅ  Ｄｒｉｖｅ、ＳＳＤ）を含んでもよい。代替として、メモリ６０２は、前述のタイプのメモリの組合せを含んでもよい。
【０２３１】
通信モジュール６０３は、端末デバイス６０のための通信機能を提供し、プロセッサ６０１によって生成されたモバイル通信信号に対して送信処理（たとえば、増幅、変調、または符号化）を実行するように設定され、アンテナによって受信されたモバイル通信信号に対して受信処理（たとえば、復調または復号）を実行するようにさらに設定される。通信モジュール６０３は、セルラーネットワーク、たとえば、ＧＳＭ、ＵＭＴＳ、ＬＴＥ、またはＣＤＭＡネットワークに適用可能であり、ＷＬＡＮ、近距離無線通信（英語：Ｎｅａｒ  Ｆｉｅｌｄ  Ｃｏｍｍｕｎｉｃａｔｉｏｎ、ＮＦＣ）ネットワーク、Ｂｌｕｅｔｏｏｔｈ（登録商標）ネットワークなどのうちの１つまたは複数に適用可能でもある。
【０２３２】
バス６０４は、業界標準アーキテクチャ（英語：Ｉｎｄｕｓｔｒｙ  Ｓｔａｎｄａｒｄ  Ａｒｃｈｉｔｅｃｔｕｒｅ、ＩＳＡ）バス、周辺構成要素相互接続（英語：Ｐｅｒｉｐｈｅｒａｌ  Ｃｏｍｐｏｎｅｎｔ  Ｉｎｔｅｒｃｏｎｎｅｃｔ、ＰＣＩ）バス、拡張業界標準アーキテクチャ（英語：Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス、インター集積回路（英語：Ｉｎｔｅｒ  Ｉｎｔｅｇｒａｔｅｄ  Ｃｉｒｃｕｉｔ、ＩＩＣ）バスなどであってもよい。
【０２３３】
Ｉ／Ｏインターフェース６０５は、端末デバイス６０の外部インターフェースであり、ユニバーサルシリアルバス（英語：Ｕｎｉｖｅｒｓａｌ  Ｓｅｒｉａｌ  Ｂｕｓ、ＵＳＢ）インターフェース、セキュアデジタル（英語：Ｓｅｃｕｒｅ  Ｄｉｇｉｔａｌ、ＳＤ）カードインターフェース、押しボタンインターフェースなどのうちの１つまたは複数を含む。
【０２３４】
Ｉ／Ｏコントローラ６０６は、端末デバイス６０の様々な入出力デバイス間のデータ交換、特に、プロセッサ６０１と、Ｉ／Ｏインターフェース６０５と、ディスプレイ６０７との間のデータ交換を制御するように設定される。
【０２３５】
ディスプレイ６０７は、端末デバイス６０の表示画面およびタッチスクリーンである。ディスプレイ６０７は、端末デバイス６０のソフトウェア実行状態と、電力状態と、時間と、ユーザ設定インターフェースと、設定結果とを表示するように設定される。タッチスクリーンは、ユーザのタッチ動作を受け付け、ユーザのタッチ動作をユーザの動作指示に変換するように設定される。
【０２３６】
センサ６０８は、全地球測位システム（英語：Ｇｌｏｂａｌ  Ｐｏｓｉｔｉｏｎｉｎｇ  Ｓｙｓｔｅｍ、ＧＰＳ）モジュール、重力センサ、加速度センサ、距離センサ、カメラ、光学センサなどのうちの１つまたは複数を含む、様々なセンサデバイスを含む。
【０２３７】
電力モジュール６０９は、端末デバイス６０のモジュールに電力を供給する。
【０２３８】
本発明のこの実施形態では、プロセッサ６０１は、メモリ６０２内に記憶されたプログラムを呼び出し、以下の動作、すなわち、
プロセッサ６０１によって、通信モジュール６０３を使用することによって、アクセスネットワークデバイスによって送信されたアップリンクスケジューリング情報を受信することと、
プロセッサ６０１によって、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定することと、
アップリンクリソース上でフィードバック情報を送信することを決定した場合、プロセッサ６０１によって、通信モジュール６０３を使用することによってアップリンクリソース上でフィードバック情報を送信することと
を実行するように主に設定される。
【０２３９】
任意選択で、プロセッサ６０１は、
プロセッサ６０１が、通信モジュール６０３を使用することによってアップリンクリソース上でフィードバック情報を送信し、プロセッサによって、通信モジュールを使用することによってアップリンクリソース上でアップリンクデータおよび非周期チャネル状態情報のうちの少なくとも１つをさらに送信するようにさらに設定される。
【０２４０】
任意選択で、プロセッサ６０１によって、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定することは、
アップリンクスケジューリング情報中に含まれる非周期チャネル状態指示情報が非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されているとき、プロセッサ６０１によって、アップリンクスケジューリング情報によって示されるアップリンクリソース上でフィードバック情報を送信することを決定すること、ならびに／または、
アップリンクスケジューリング情報中に含まれる非周期チャネル状態指示情報が非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中の任意の値に設定されているとき、プロセッサ６０１によって、アップリンクスケジューリング情報によって示されるアップリンクリソース上でフィードバック情報を送信することを決定すること
を含む。
【０２４１】
本発明のこの実施形態で説明される端末デバイス６０の機能モジュールの機能は、図３に示されている実施形態における対応する端末デバイスの関連する説明に基づいて実装されてもよいことが理解されるべきである。詳細は、本明細書では再び説明されない。
【０２４２】
図７を参照すると、図７は、本発明の実施形態によるアクセスネットワークデバイスの概略構造図である。図７に示されているように、アクセスネットワークデバイス７０は、プロセッサ７０１と、メモリ７０２と、通信モジュール７０３と、バス７０４とを含む。プロセッサ７０１、メモリ７０２、および通信モジュール７０３は、バスを使用することによって、または別の方法で互いに接続されてもよい。たとえば、図７では、接続は、バス７０４を使用することによって実施される。
【０２４３】
任意選択で、アクセスネットワークデバイス７０は、ネットワークインターフェース７０５と電力モジュール７０６とをさらに含んでもよい。
【０２４４】
プロセッサ７０１は、デジタル信号処理（英語：Ｄｉｇｉｔａｌ  Ｓｉｇｎａｌ  Ｐｒｏｃｅｓｓｉｎｇ、ＤＳＰ）チップであってもよい。プロセッサ７０１は、無線チャネルを管理すること、ローカル制御ゾーン内で端末デバイスのクロスゾーンハンドオーバを制御することなどを行うように設定される。特定の実装の間、プロセッサ７０１は、ＡＭ／ＣＭモジュール（音声チャネル交換および情報交換の中心）と、ＢＭモジュール（呼処理、シグナリング処理、無線リソース管理、無線リンク管理、および回路メンテナンスのような機能を実行するように設定される）と、ＴＣＳＭモジュール（多重化／逆多重化および符号変換の機能を実行するように設定される）と、他のモジュールとを含んでもよい。詳細な情報については、モバイル通信に関する知識を参照されたい。
【０２４５】
メモリ７０２は、フィードバック情報送信プログラムコードを記憶するように設定される。特定の実装の間、メモリ７０２は、ＲＯＭまたはＲＡＭであってもよく、プログラムコードを記憶するように設定されることができる。
【０２４６】
通信モジュール７０３は、プロセッサ７０１によって生成されたモバイル通信信号に対して送信処理（たとえば、変調）を実行するように設定され、アンテナによって受信されたモバイル通信信号に対して受信処理（たとえば、復調）を実行するようにさらに設定される。
【０２４７】
バス７０４は、ＩＳＡバス、ＰＣＩバス、ＥＩＳＡバス、ＩＩＣバスなどであってもよい。
【０２４８】
ネットワークインターフェース７０５は、アクセスネットワークデバイス７０によって使用され、端末（２Ｇにおける移動局ＭＳ、または３Ｇおよび４ＧにおけるＵＥ）とのデータ通信を実行する。特定の実装の間、ネットワークインターフェース７０５は、ＧＳＭ（２Ｇ）ワイヤレスネットワークインターフェース、ＷＣＤＭＡ（３Ｇ）ワイヤレスネットワークインターフェース、ＬＴＥ（４Ｇ）ワイヤレスネットワークインターフェースなどのうちの１つもしくはいくつかを含んでもよく、または、将来の４．５Ｇもしくは５Ｇにおけるワイヤレスネットワークインターフェースであってもよい。
【０２４９】
電力モジュール７０６は、アクセスネットワークデバイス７０のモジュールに電力を供給するように設定される。
【０２５０】
本発明のこの実施形態では、プロセッサ７０１は、メモリ７０２内のプログラムコードを呼び出し、以下の動作、すなわち、
プロセッサ７０１によって、通信モジュール７０３を使用することによってアップリンクスケジューリング情報を端末デバイスに送信することであって、アップリンクスケジューリング情報が非周期チャネル状態指示情報と変調およびコーディング指示情報とを含み、非周期チャネル状態指示情報ならびに変調およびコーディング指示情報が使用され、アップリンクスケジューリング情報によって示されるアップリンクリソース上でフィードバック情報を送信すべきかどうかを判定するように端末デバイスに命令する、ことと、
非周期チャネル状態指示情報ならびに変調およびコーディング指示情報が、アップリンクスケジューリング情報によって示されるアップリンクリソース上でフィードバック情報を送信するように端末デバイスに命令した場合、プロセッサ７０１によって、通信モジュール７０３を使用することによって、アップリンクリソース上で端末デバイスによって送信されるフィードバック情報を受信することと
を実行するようにさらに設定される。
【０２５１】
アクセスネットワークデバイス７０は、２Ｇ通信システム（たとえば、ＧＳＭ）、３Ｇ通信システム（たとえば、ＵＭＴＳ）、および４Ｇ通信システム（たとえば、ＬＴＥ）に適用可能であり、将来の４．５Ｇまたは５Ｇ通信システムに適用可能でもあることが留意されるべきである。
【０２５２】
任意選択で、アップリンクスケジューリング情報中に含まれる非周期チャネル状態指示情報が非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されているとき、非周期チャネル状態指示情報、および変調およびコーディング指示情報が使用され、アップリンクスケジューリング情報によって示されるアップリンクリソース上でフィードバック情報を送信するように端末デバイスに命令し、ならびに／または、
アップリンクスケジューリング情報中に含まれる非周期チャネル状態指示情報が非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中の任意の値に設定されているとき、非周期チャネル状態指示情報、および変調およびコーディング指示情報が使用され、アップリンクスケジューリング情報によって示されるアップリンクリソース上でフィードバック情報を送信するように端末デバイスに命令する。
【０２５３】
本発明のこの実施形態で説明されるアクセスネットワークデバイス７０の機能モジュールの機能は、図３において示される実施形態における対応するアクセスネットワークデバイスの関連する説明に基づいて実装されてもよいことが理解されるべきである。詳細は、本明細書では再び説明されない。
【０２５４】
図８を参照すると、図８は、本発明の実施形態による端末デバイスの概略構造図である。図８に示されているように、端末デバイス８０は、プロセッサ８０１と、メモリ８０２と、通信モジュール８０３と、バス８０４とを含む。プロセッサ８０１、メモリ８０２、および通信モジュール８０３は、バスを使用することによって、または別の方法で互いに接続されてもよい。たとえば、図８において、接続は、バス８０４を使用することによって実施される。
【０２５５】
任意選択で、端末デバイス８０は、Ｉ／Ｏインターフェース８０５と、Ｉ／Ｏコントローラ８０６と、ディスプレイ８０７と、センサ８０８と、電力モジュール８０９とをさらに含んでもよい。
【０２５６】
プロセッサ８０１は、汎用プロセッサ、たとえば、ＣＰＵであってもよく、端末デバイス８０のオペレーティングシステムソフトウェア、必要とされるアプリケーションソフトウェアなどを実行するように設定される。プロセッサ８０１は、通信モジュール８０３を使用することによって受信されたデータを処理してもよい。プロセッサ８０１は、ワイヤレス送信のために通信モジュール８０３に送信されるべきデータをさらに処理してもよい。
【０２５７】
メモリ８０２は、アップリンク情報送信プログラムコード、および、端末デバイスの様々なソフトウェアプログラムの完全な記憶、データ記憶、実行するソフトウェアなどを記憶するように設定される。メモリ８０２は、揮発性メモリ、たとえば、ＲＡＭを含んでもよい。代替として、メモリ８０２は、不揮発性メモリ、たとえば、ＲＯＭ、ハードディスクドライブ、またはソリッドステートドライブを含んでもよい。代替として、メモリ８０２は、前述のタイプのメモリの組合せを含んでもよい。
【０２５８】
通信モジュール８０３は、端末デバイス８０のための通信機能を提供し、プロセッサ８０１によって生成されたモバイル通信信号に対して送信処理（たとえば、増幅、変調、または符号化）を実行するように設定され、アンテナによって受信されたモバイル通信信号に対して受信処理（たとえば、復調または復号）を実行するようにさらに設定される。通信モジュール８０３は、セルラーネットワーク、たとえば、ＧＳＭ、ＵＭＴＳ、ＬＴＥ、またはＣＤＭＡネットワークに適用可能であり、ＷＬＡＮ、ＮＦＣネットワーク、Ｂｌｕｅｔｏｏｔｈネットワークなどのうちの１つまたは複数に適用可能でもある。
【０２５９】
バス８０４は、ＩＳＡバス、ＰＣＩバス、ＥＩＳＡバス、ＩＩＣバスなどであってもよい。
【０２６０】
Ｉ／Ｏインターフェース８０５は、端末デバイス８０の外部インターフェースであり、ＵＳＢインターフェース、ＳＤカードインターフェース、押しボタンインターフェースなどのうちの１つまたは複数を含む。
【０２６１】
Ｉ／Ｏコントローラ８０６は、端末デバイス８０の様々な入出力デバイス間のデータ交換、特に、プロセッサ８０１と、Ｉ／Ｏインターフェース８０５と、ディスプレイ８０７との間のデータ交換を制御するように設定される。
【０２６２】
ディスプレイ８０７は、端末デバイス８０の表示画面およびタッチスクリーンである。ディスプレイ８０７は、端末デバイス８０のソフトウェア実行状態と、電力状態と、時間と、ユーザ設定インターフェースと、設定結果とを表示するように設定される。タッチスクリーンは、ユーザのタッチ動作を受け付け、ユーザのタッチ動作をユーザの動作指示に変換するように設定される。
【０２６３】
センサ８０８は、ＧＰＳモジュール、重力センサ、加速度センサ、距離センサ、カメラ、光学センサなどのうちの１つまたは複数を含む、様々なセンサデバイスである。
【０２６４】
電力モジュール８０９は、端末デバイス８０のモジュールに電力を供給する。
【０２６５】
本発明のこの実施形態では、プロセッサ８０１は、メモリ８０２内に記憶されたプログラムを呼び出し、以下の動作、すなわち、
プロセッサ８０１によって、通信モジュール８０３を使用することによって、アクセスネットワークデバイスによって送信されたアップリンクスケジューリング情報を受信することと、
プロセッサ８０１によって、アップリンクスケジューリング情報中に含まれる変調およびコーディング指示情報に基づいて、アップリンクスケジューリング情報によって示されるアップリンクリソース上でアップリンクデータを送信すべきかどうかを判定することと、
アップリンクリソース上でアップリンクデータを送信することを決定した場合、プロセッサ８０１によって、通信モジュール８０３を使用することによってアップリンクリソース上でアップリンクデータを送信することと
を実行するように主に設定される。
【０２６６】
任意選択で、プロセッサ８０１によって、アップリンクスケジューリング情報中に含まれる変調およびコーディング指示情報に基づいて、アップリンクスケジューリング情報によって示されるアップリンクリソース上でアップリンクデータを送信すべきかどうかを判定することは、
プロセッサ８０１が、アップリンクスケジューリング情報中に含まれる変調およびコーディング指示情報に対応するインデックス番号が０から２８の中の任意の値であると判定したとき、プロセッサ８０１によって、アップリンクスケジューリング情報によって示されるアップリンクリソース上でアップリンクデータを送信することを決定すること、ならびに／または、
プロセッサ８０１が、アップリンクスケジューリング情報中に含まれる変調およびコーディング指示情報に対応するインデックス番号が２９から３１の中の任意の値であると判定したとき、プロセッサ８０１によって、アップリンクスケジューリング情報によって示されるアップリンクリソース上でアップリンクデータを送信しないことを決定すること
を含む。
【０２６７】
任意選択で、プロセッサ８０１によって、アップリンクスケジューリング情報によって示されるアップリンクリソース上でアップリンクデータを送信することを決定することは、
プロセッサ８０１によって、アップリンクスケジューリング情報中に含まれる非周期チャネル状態指示情報およびフィードバック指示情報に基づいて、アップリンクスケジューリング情報によって示されるアップリンクリソース上で、アップリンクデータ、アップリンクデータおよび非周期チャネル状態情報、アップリンクデータおよびフィードバック情報、または、アップリンクデータ、非周期チャネル状態情報、およびフィードバック情報を送信することを決定することを含む。
【０２６８】
任意選択で、プロセッサ８０１によって、アップリンクスケジューリング情報によって示されるアップリンクリソース上でアップリンクデータを送信しないことを決定することは、
プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または、非周期チャネル状態情報およびフィードバック情報を送信することを決定することを含む。
【０２６９】
任意選択で、プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または、非周期チャネル状態情報およびフィードバック情報を送信することを決定することは、
プロセッサ８０１が、変調およびコーディング指示情報に対応するインデックス番号が２９であることを決定したとき、プロセッサ８０１によって、アップリンクスケジューリング情報によって示されるアップリンクリソース上で非周期チャネル状態情報を送信することを決定すること、ならびに／または、
プロセッサ８０１が、変調およびコーディング指示情報に対応するインデックス番号が３０もしくは３１であることを決定したとき、プロセッサ８０１によって、アップリンクスケジューリング情報によって示されるアップリンクリソース上で、フィードバック情報、もしくは非周期チャネル状態情報およびフィードバック情報を送信することを決定すること
を含む。
【０２７０】
任意選択で、プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で、非周期チャネル状態情報、フィードバック情報、または非周期チャネル状態情報およびフィードバック情報を送信することを決定することは、
プロセッサ８０１が、変調およびコーディング指示情報に対応するインデックス番号が２９であり、アップリンクスケジューリング情報中に含まれる非周期チャネル状態指示情報が「真」に設定されているとき、プロセッサ８０１によって、アップリンクスケジューリング情報によって示されるアップリンクリソース上で非周期チャネル状態情報を送信することを決定すること、ならびに／または、
プロセッサ８０１が、変調およびコーディング指示情報に対応するインデックス番号が２９であり、アップリンクスケジューリング情報中に含まれる非周期チャネル状態指示情報が「偽」に設定されているとき、プロセッサ８０１によって、アップリンクスケジューリング情報によって示されるアップリンクリソース上でフィードバック情報、もしくは非周期チャネル状態情報およびフィードバック情報を送信することを決定すること
を含む。
【０２７１】
任意選択で、プロセッサ８０１によって、アップリンクスケジューリング情報によって示されるアップリンクリソース上でフィードバック情報、または非周期チャネル状態情報およびフィードバック情報を送信することを決定することは、
プロセッサ８０１によって、アップリンクスケジューリング情報によって示されるアップリンクリソース上でフィードバック情報を送信することを決定することを含む。
【０２７２】
プロセッサ８０１は、
プロセッサ８０１が、変調およびコーディング指示情報に対応するインデックス番号が３０または３１であることを決定したとき、プロセッサ８０１によって、アップリンクスケジューリング情報によって示されるアップリンクリソース上で非周期チャネル状態情報およびフィードバック情報を送信することを決定するようにさらに設定される。
【０２７３】
任意選択で、プロセッサ８０１によって、アップリンクスケジューリング情報によって示されるアップリンクリソース上でフィードバック情報、または非周期チャネル状態情報およびフィードバック情報を送信することを決定することは、
プロセッサ８０１によって、アップリンクスケジューリング情報によって示されるアップリンクリソース上で非周期チャネル状態情報およびフィードバック情報を送信することを決定することを含む。
【０２７４】
プロセッサ８０１は、
プロセッサ８０１が、変調およびコーディング指示情報に対応するインデックス番号が３０または３１であることを決定したとき、プロセッサ８０１によって、アップリンクスケジューリング情報によって示されるアップリンクリソース上でフィードバック情報を送信することを決定するようにさらに設定される。
【０２７５】
任意選択で、プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または非周期チャネル状態情報およびフィードバック情報を送信することを決定することは、
プロセッサ８０１によって、アップリンクスケジューリング情報中に含まれる非周期チャネル状態指示情報およびフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定することを含む。
【０２７６】
任意選択で、プロセッサ８０１によって、アップリンクスケジューリング情報中に含まれる変調およびコーディング指示情報、非周期チャネル状態指示情報、およびフィードバック指示情報のうちの少なくとも１つに基づいて、アップリンクスケジューリング情報によって示されるアップリンクリソース上で非周期チャネル状態情報、フィードバック情報、または非周期チャネル状態情報およびフィードバック情報を送信することを決定することは、
プロセッサ８０１によって、アップリンクスケジューリング情報中に含まれる変調およびコーディング指示情報、非周期チャネル状態指示情報、およびフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定することを含む。
【０２７７】
本発明のこの実施形態において説明される端末デバイス８０の機能モジュールの機能は、図４において示される実施形態における対応する端末デバイスの関連する説明に基づいて実装されてもよいことが理解されるべきである。詳細は、本明細書では再び説明されない。
【０２７８】
図９を参照すると、図９は、本発明の実施形態によるアクセスネットワークデバイスの概略構造図である。図９に示されているように、アクセスネットワークデバイス９０は、プロセッサ９０１と、メモリ９０２と、通信モジュール９０３と、バス９０４とを含む。プロセッサ９０１、メモリ９０２、および通信モジュール９０３は、バスを使用することによって、または別の方法で互いに接続されてもよい。たとえば、図９において、接続は、バス９０４を使用することによって実施される。
【０２７９】
任意選択で、アクセスネットワークデバイス９０は、ネットワークインターフェース９０５と電力モジュール９０６とをさらに含んでもよい。
【０２８０】
プロセッサ９０１は、ＤＳＰチップであってもよい。プロセッサ９０１は、無線チャネル、ローカル制御ゾーン内の端末デバイスの制御クロスゾーンハンドオーバなどを管理するように設定される。特定の実装の間、プロセッサ９０１は、ＡＭ／ＣＭモジュール（音声チャネル交換および情報交換の中心）と、ＢＭモジュール（呼処理、シグナリング処理、無線リソース管理、無線リンク管理、および回路メンテナンスのような機能を実行するように設定される）と、ＴＣＳＭモジュール（多重化／逆多重化および符号変換の機能を実行するように設定される）と、他のモジュールとを含んでもよい。詳細な情報については、モバイル通信に関する知識を参照されたい。
【０２８１】
メモリ９０２は、フィードバック情報送信プログラムコードを記憶するように設定される。特定の実装の間、メモリ９０２は、ＲＯＭまたはＲＡＭであってもよく、プログラムコードを記憶するように設定することができる。
【０２８２】
通信モジュール９０３は、プロセッサ９０１によって生成されたモバイル通信信号に対して送信処理（たとえば、変調）を実行するように設定され、アンテナによって受信されたモバイル通信信号に対して受信処理（たとえば、復調）を実行するようにさらに設定される。
【０２８３】
バス９０４は、ＩＳＡバス、ＰＣＩバス、ＥＩＳＡバス、ＩＩＣバスなどであってもよい。
【０２８４】
ネットワークインターフェース９０５は、アクセスネットワークデバイス９０によって使用され、端末（２Ｇにおける移動局ＭＳ、または３Ｇおよび４ＧにおけるＵＥ）とのデータ通信を実行する。特定の実装の間、ネットワークインターフェース９０５は、ＧＳＭ（２Ｇ）ワイヤレスネットワークインターフェース、ＷＣＤＭＡ（３Ｇ）ワイヤレスネットワークインターフェース、ＬＴＥ（４Ｇ）ワイヤレスネットワークインターフェースなどのうちの１つもしくはいくつかを含んでもよく、または、将来の４．５Ｇもしくは５Ｇにおけるワイヤレスネットワークインターフェースであってもよい。
【０２８５】
電力モジュール９０６は、アクセスネットワークデバイス９０のモジュールに電力を供給するように設定される。
【０２８６】
本発明のこの実施形態では、プロセッサ９０１は、メモリ９０２の中のプログラムコードを呼び出し、以下の動作、すなわち、
プロセッサ９０１によって、通信モジュール９０３を使用することによって端末デバイスにアップリンクスケジューリング情報を送信することであって、アップリンクスケジューリング情報が変調およびコーディング指示情報を含み、変調およびコーディング指示情報が、端末デバイスによって使用され、アップリンクスケジューリング情報によって示されるアップリンクリソース上でアップリンクデータを送信すべきかどうかを判定する、ことと、
変調およびコーディング指示情報が、アップリンクスケジューリング情報によって示されるアップリンクリソース上でアップリンクデータを送信するように端末デバイスに命令した場合、プロセッサ９０１によって、通信モジュール９０３を使用することによって、アップリンクリソース上で端末デバイスによって送信されたアップリンクデータを受信することと
を実行するようにさらに設定される。
【０２８７】
アクセスネットワークデバイス９０は、２Ｇ通信システム（たとえば、ＧＳＭ）、３Ｇ通信システム（たとえば、ＵＭＴＳ）、および４Ｇ通信システム（たとえば、ＬＴＥ）に適用可能であり、将来の４．５Ｇまたは５Ｇ通信システムに適用可能でもあることが留意されるべきである。
【０２８８】
任意選択で、アップリンクスケジューリング情報中に含まれる変調およびコーディング指示情報に対応するインデックス番号が０から２８の中の任意の値であるとき、変調およびコーディング指示情報は、アップリンクスケジューリング情報によって示されるアップリンクリソース上でアップリンクデータを送信することを端末デバイスに示し、ならびに／または、
アップリンクスケジューリング情報中に含まれる変調およびコーディング指示情報に対応するインデックス番号が２９から３１の中の任意の値であるとき、変調およびコーディング指示情報は、アップリンクスケジューリング情報によって示されるアップリンクリソース上でアップリンクデータを送信しないことを端末デバイスに示す。
【０２８９】
任意選択で、アップリンクスケジューリング情報は、フィードバック指示情報をさらに含み、非周期チャネル状態指示情報およびフィードバック指示情報は、端末デバイスによって使用され、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定する。
【０２９０】
任意選択で、アップリンクスケジューリング情報は、非周期チャネル状態指示情報とフィードバック指示情報とをさらに含み、変調およびコーディング指示情報、非周期チャネル状態指示情報、およびフィードバック指示情報のうちの少なくとも１つは、端末デバイスによって使用され、アップリンクスケジューリング情報によって示されるアップリンクリソース上で非周期チャネル状態情報、フィードバック情報、または非周期チャネル状態情報およびフィードバック情報を送信することを決定する。
【０２９１】
任意選択で、変調およびコーディング指示情報に対応するインデックス番号が２９であるとき、変調およびコーディング指示情報は、アップリンクスケジューリング情報によって示されるアップリンクリソース上で非周期チャネル状態情報を送信することを端末デバイスに示し、ならびに／または、
変調およびコーディング指示情報に対応するインデックス番号が３０もしくは３１であるとき、変調およびコーディング指示情報は、アップリンクスケジューリング情報によって示されるアップリンクリソース上でフィードバック情報、もしくは非周期チャネル状態情報およびフィードバック情報を送信することを端末デバイスに示す。
【０２９２】
任意選択で、変調およびコーディング指示情報に対応するインデックス番号が２９であり、アップリンクスケジューリング情報中に含まれる非周期チャネル状態指示情報が「真」に設定されているとき、変調およびコーディング指示情報ならびに非周期チャネル状態指示情報が使用され、アップリンクスケジューリング情報によって示されるアップリンクリソース上で非周期チャネル状態情報を送信するように端末デバイスに命令し、ならびに／または、
変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報が使用され、アップリンクスケジューリング情報によって示されるアップリンクリソース上でフィードバック情報、または非周期チャネル状態情報およびフィードバック情報を送信するように端末デバイスに命令する。
【０２９３】
任意選択で、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報が使用され、端末デバイスに命令し、アップリンクスケジューリング情報によって示されるアップリンクリソース上でフィードバック情報を送信し、または、変調およびコーディング指示情報に対応するインデックス番号が３０もしくは３１であるとき、変調およびコーディング指示情報は、アップリンクスケジューリング情報によって示されるアップリンクリソース上で非周期チャネル状態情報およびフィードバック情報を送信することを端末デバイスに示す。
【０２９４】
任意選択で、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報が使用され、端末デバイスに命令し、アップリンクスケジューリング情報によって示されるアップリンクリソース上で非周期チャネル状態情報およびフィードバック情報を送信し、または、変調およびコーディング指示情報に対応するインデックス番号が３０もしくは３１であるとき、変調およびコーディング指示情報は、アップリンクスケジューリング情報によって示されるアップリンクリソース上でフィードバック情報を送信することを端末デバイスに示す。
【０２９５】
任意選択で、アップリンクスケジューリング情報中に含まれる非周期チャネル状態指示情報およびフィードバック指示情報は、端末デバイスによって使用され、アップリンクスケジューリング情報によって示されるアップリンクリソース上で非周期チャネル状態情報、フィードバック情報、または非周期チャネル状態情報およびフィードバック情報を送信することを決定する。
【０２９６】
任意選択で、アップリンクスケジューリング情報中に含まれる変調およびコーディング指示情報、非周期チャネル状態指示情報、ならびにフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【０２９７】
本発明のこの実施形態において説明されるアクセスネットワークデバイス９０の機能モジュールの機能は、図４において示される実施形態における対応するアクセスネットワークデバイスの関連する説明に基づいて実装されてもよいことが理解されるべきである。詳細は、本明細書では再び説明されない。
【０２９８】
図１０を参照すると、図１０は、本発明の実施形態による端末デバイスの概略構造図である。図１０に示されているように、端末デバイス１００は、プロセッサ１００１と、メモリ１００２と、通信モジュール１００３と、バス１００４とを含む。プロセッサ１００１、メモリ１００２、および通信モジュール１００３は、バスを使用することによって、または別の方法で互いに接続されてもよい。たとえば、図１０において、接続は、バス１００４を使用することによって実施される。
【０２９９】
任意選択で、端末デバイス１００は、Ｉ／Ｏインターフェース１００５と、Ｉ／Ｏコントローラ１００６と、ディスプレイ１００７と、センサ１００８と、電力モジュール１００９とをさらに含んでもよい。
【０３００】
プロセッサ１００１は、汎用プロセッサ、たとえば、ＣＰＵであってもよく、端末デバイス１００のオペレーティングシステムソフトウェア、必要とされるアプリケーションソフトウェアなどを実行するように設定される。プロセッサ１００１は、通信モジュール１００３を使用することによって受信されたデータを処理してもよい。プロセッサ１００１は、ワイヤレス送信のために通信モジュール１００３に送信されるべきデータをさらに処理してもよい。
【０３０１】
メモリ１００２は、アップリンク情報送信プログラムコード、および、端末デバイスの様々なソフトウェアプログラムの完全な記憶、データ記憶、実行するソフトウェアなどを記憶するように設定される。メモリ１００２は、揮発性メモリ、たとえば、ＲＡＭを含んでもよい。代替として、メモリ１００２は、不揮発性メモリ、たとえば、ＲＯＭ、ハードディスクドライブ、またはソリッドステートドライブを含んでもよい。代替として、メモリ１００２は、前述のタイプのメモリの組合せを含んでもよい。
【０３０２】
通信モジュール１００３は、端末デバイス１００のための通信機能を提供し、プロセッサ１００１によって生成されたモバイル通信信号に対して送信処理（たとえば、増幅、変調、または符号化）を実行するように設定され、アンテナによって受信されたモバイル通信信号に対して受信処理（たとえば、復調または復号）を実行するようにさらに設定される。通信モジュール１００３は、セルラーネットワーク、たとえば、ＧＳＭ、ＵＭＴＳ、ＬＴＥ、またはＣＤＭＡネットワークに適用可能であり、ＷＬＡＮ、ＮＦＣネットワーク、Ｂｌｕｅｔｏｏｔｈネットワークなどのうちの１つまたは複数に適用可能でもある。
【０３０３】
バス１００４は、ＩＳＡバス、ＰＣＩバス、ＥＩＳＡバス、ＩＩＣバスなどであってもよい。
【０３０４】
Ｉ／Ｏインターフェース１００５は、端末デバイス１００の外部インターフェースであり、ＵＳＢインターフェース、ＳＤカードインターフェース、押しボタンインターフェースなどのうちの１つまたは複数を含む。
【０３０５】
Ｉ／Ｏコントローラ１００６は、端末デバイス１００の様々な入出力デバイス間のデータ交換、特に、プロセッサ１００１と、Ｉ／Ｏインターフェース１００５と、ディスプレイ１００７との間のデータ交換を制御するように設定される。
【０３０６】
ディスプレイ１００７は、端末デバイス１００の表示画面およびタッチスクリーンである。ディスプレイ１００７は、端末デバイス１００のソフトウェア実行状態と、電力状態と、時間と、ユーザ設定インターフェースと、設定結果とを表示するように設定される。タッチスクリーンは、ユーザのタッチ動作を受け付け、ユーザのタッチ動作をユーザの動作指示に変換するように設定される。
【０３０７】
センサ１００８は、ＧＰＳモジュール、重力センサ、加速度センサ、距離センサ、カメラ、光学センサなどのうちの１つまたは複数を含む、様々なセンサデバイスである。
【０３０８】
電力モジュール１００９は、端末デバイス１００のモジュールに電力を供給する。
【０３０９】
本発明のこの実施形態では、プロセッサ１００１は、メモリ１００２内に記憶されたプログラムを呼び出し、以下の動作、すなわち、
プロセッサ１００１によって、通信モジュール１００３を使用することによって、アクセスネットワークデバイスによって送信されたアップリンクスケジューリング情報を受信することと、
プロセッサ１００１によって、アップリンクスケジューリング情報中に含まれる非周期チャネル状態指示情報およびフィードバック指示情報に基づいて、アップリンクスケジューリング情報によって示されるアップリンクリソース上で送信されるべきアップリンク情報を判定することであって、アップリンク情報が、以下、すなわち、アップリンクデータ、非周期チャネル状態情報、およびフィードバック情報のうちの少なくとも１つを含む、ことと、
プロセッサ１００１によって、通信モジュール１００３を使用することによってアップリンクリソース上でアップリンク情報を送信することと
を実行するように主に設定される。
【０３１０】
本発明のこの実施形態において説明される端末デバイス１００の機能モジュールの機能は、図５において示される実施形態における対応する端末デバイスの関連する説明に基づいて実装されてもよいことが理解されるべきである。詳細は、本明細書では再び説明されない。
【０３１１】
図１１を参照すると、図１１は、本発明の実施形態によるアクセスネットワークデバイスの概略構造図である。図１１に示されているように、アクセスネットワークデバイス１１０は、プロセッサ１１０１と、メモリ１１０２と、通信モジュール１１０３と、バス１１０４とを含む。プロセッサ１１０１、メモリ１１０２、および通信モジュール１１０３は、バスを使用することによって、または別の方法で互いに接続されてもよい。たとえば、図１１において、接続は、バス１１０４を使用することによって実施される。
【０３１２】
任意選択で、アクセスネットワークデバイス１１０は、ネットワークインターフェース１１０５と電力モジュール１１０６とをさらに含んでもよい。
【０３１３】
プロセッサ１１０１は、ＤＳＰチップであってもよい。プロセッサ１１０１は、無線チャネル、ローカル制御ゾーン内の端末デバイスの制御クロスゾーンハンドオーバなどを管理するように設定される。特定の実装の間、プロセッサ１１０１は、ＡＭ／ＣＭモジュール（音声チャネル交換および情報交換の中心）と、ＢＭモジュール（呼処理、シグナリング処理、無線リソース管理、無線リンク管理、および回路メンテナンスのような機能を実行するように設定される）と、ＴＣＳＭモジュール（多重化／逆多重化および符号変換の機能を実行するように設定される）と、他のモジュールとを含んでもよい。詳細な情報については、モバイル通信に関する知識を参照されたい。
【０３１４】
メモリ１１０２は、フィードバック情報送信プログラムコードを記憶するように設定される。特定の実装の間、メモリ１１０２は、ＲＯＭまたはＲＡＭであってもよく、プログラムコードを記憶するように設定されることができる。
【０３１５】
通信モジュール１１０３は、プロセッサ１１０１によって生成されたモバイル通信信号に対して送信処理（たとえば、変調）を実行するように設定され、アンテナによって受信されたモバイル通信信号に対して受信処理（たとえば、復調）を実行するようにさらに設定される。
【０３１６】
バス１１０４は、ＩＳＡバス、ＰＣＩバス、ＥＩＳＡバス、ＩＩＣバスなどであってもよい。
【０３１７】
ネットワークインターフェース１１０５は、端末（２Ｇにおける移動局ＭＳ、または３Ｇおよび４ＧにおけるＵＥ）とのデータ通信を実行するためにアクセスネットワークデバイス１１０によって使用される。特定の実装の間、ネットワークインターフェース１１０５は、ＧＳＭ（２Ｇ）ワイヤレスネットワークインターフェース、ＷＣＤＭＡ（３Ｇ）ワイヤレスネットワークインターフェース、ＬＴＥ（４Ｇ）ワイヤレスネットワークインターフェースなどのうちの１つもしくはいくつかを含んでもよく、または、将来の４．５Ｇもしくは５Ｇにおけるワイヤレスネットワークインターフェースであってもよい。
【０３１８】
電力モジュール１１０６は、アクセスネットワークデバイス１１０のモジュールに電力を供給するように設定される。
【０３１９】
本発明のこの実施形態では、プロセッサ１１０１は、メモリ１１０２内に記憶されたプログラムコードを呼び出し、以下の動作、すなわち、
プロセッサ１１０１によって、通信モジュール１１０３を使用することによって、端末デバイスにアップリンクスケジューリング情報を送信することであって、アップリンクスケジューリング情報が、非周期チャネル状態指示情報およびフィードバック指示情報を含み、非周期チャネル状態指示情報およびフィードバック指示情報が使用され、端末デバイスに命令し、アップリンクスケジューリング情報によって示されるアップリンクリソース上で送信されるべきアップリンク情報を判定し、アップリンク情報が、以下、すなわち、アップリンクデータ、非周期チャネル状態情報、およびフィードバック情報のうちの少なくとも１つを含む、ことと、
プロセッサ１１０１によって、通信モジュール１１０３を使用することによって、アップリンクリソース上で端末デバイスによって送信されたアップリンク情報を受信することと
を実行するようにさらに設定される。
【０３２０】
アクセスネットワークデバイス１１０は、２Ｇ通信システム（たとえば、ＧＳＭ）、３Ｇ通信システム（たとえば、ＵＭＴＳ）、および４Ｇ通信システム（たとえば、ＬＴＥ）に適用可能であり、将来の４．５Ｇまたは５Ｇ通信システムに適用可能でもあることが留意されるべきである。
【０３２１】
本発明のこの実施形態において説明されるアクセスネットワークデバイス１１０の機能モジュールの機能は、図５において示される実施形態における対応するアクセスネットワークデバイスの関連する説明に基づいて実装されてもよいことが理解されるべきである。詳細は、本明細書では再び説明されない。
【０３２２】
図１２を参照すると、図１２は、本発明の実施形態による別の端末デバイスの概略構造図である。図１２に示されているように、端末デバイス１２０は、受信ユニット１２０１と、判定ユニット１２０２と、送信ユニット１２０３とを含む。
【０３２３】
受信ユニット１２０１は、アクセスネットワークデバイスによって送信されたアップリンクスケジューリング情報を受信するように設定される。
【０３２４】
判定ユニット１２０２は、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定するように設定される。
【０３２５】
送信ユニット１２０３は、判定ユニット１２０２がアップリンクリソース上でフィードバック情報を送信することを決定した場合、アップリンクリソース上でフィードバック情報を送信するように設定される。
【０３２６】
この実装では、端末デバイス１２０は、機能ユニットの形態で提示される。本明細書における「ユニット」は、特定用途向け集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のソフトウェアもしくはファームウェアプログラムを実行するプロセッサおよびメモリ、集積論理回路、ならびに／または前述の機能を提供することができる別の構成要素であってもよい。端末デバイス１２０は、図６に示された形態を使用してもよい。受信ユニット１２０１、判定ユニット１２０２、および送信ユニット１２０３は、図６におけるプロセッサ６０１を使用することによって実装されてもよい。
【０３２７】
任意選択で、送信ユニット１２０３は、
アップリンクリソース上でフィードバック情報を送信するとき、アップリンクリソース上でアップリンクデータおよび非周期チャネル状態情報のうちの少なくとも１つをさらに送信するようにさらに設定される。
【０３２８】
任意選択で、判定ユニット１２０２は、具体的には
アップリンクスケジューリング情報中に含まれる非周期チャネル状態指示情報が、具体的には、
アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されているとき、アップリンクスケジューリング情報によって示されるアップリンクリソース上でフィードバック情報を送信することを決定し、ならびに／または、
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中の任意の値に設定されているとき、アップリンクスケジューリング情報によって示されるアップリンクリソース上でフィードバック情報を送信することを決定するように設定される。
【０３２９】
本発明のこの実施形態において説明される端末デバイス１２０の機能ユニットの機能は、図３において示される実施形態における端末デバイスの関連する説明に基づいて実装されてもよいことが理解されるべきである。詳細は、本明細書では再び説明されない。
【０３３０】
図１３を参照すると、図１３は、本発明の実施形態による別のアクセスネットワークデバイスの概略構造図である。図１３に示されているように、アクセスネットワークデバイス１３０は、送信ユニット１３０１と受信ユニット１３０２とを含む。
【０３３１】
送信ユニット１３０１は、端末デバイスにアップリンクスケジューリング情報を送信するように設定され、アップリンクスケジューリング情報は、非周期チャネル状態指示情報と変調およびコーディング指示情報とを含み、非周期チャネル状態指示情報ならびに変調およびコーディング指示情報は、アップリンクスケジューリング情報によって示されるアップリンクリソース上でフィードバック情報を送信すべきかどうかを判定するように端末デバイスに命令するために使用される。
【０３３２】
受信ユニット１３０２は、非周期チャネル状態指示情報ならびに変調およびコーディング指示情報が、アップリンクスケジューリング情報によって示されるアップリンクリソース上でフィードバック情報を送信するように端末デバイスに命令した場合、アップリンクリソース上で端末デバイスによって送信されたフィードバック情報を受信するように設定される。
【０３３３】
この実施形態では、アクセスネットワークデバイス１３０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。アクセスネットワークデバイス１３０は、図７に示される形態を使用してもよい。送信ユニット１３０１および受信ユニット１３０２は、図７におけるプロセッサ７０１を使用することによって実装されてもよい。
【０３３４】
本発明のこの実施形態において説明されるアクセスネットワークデバイス１３０の機能ユニットの機能は、図３において示される実施形態における端末デバイスの関連する説明に基づいて実装されてもよいことが理解されるべきである。詳細は、本明細書では再び説明されない。
【０３３５】
図１４を参照すると、図１４は、本発明の実施形態による別の端末デバイスの概略構造図である。図１４に示されているように、端末デバイス１４０は、受信ユニット１４０１と、第１の判定ユニット１４０２と、送信ユニット１４０３とを含む。
【０３３６】
受信ユニット１４０１は、アクセスネットワークデバイスによって送信されたアップリンクスケジューリング情報を受信するように設定される。
【０３３７】
第１の判定ユニット１４０２は、アップリンクスケジューリング情報中に含まれる変調およびコーディング指示情報に基づいて、アップリンクスケジューリング情報によって示されるアップリンクリソース上でアップリンクデータを送信すべきかどうかを判定するように設定される。
【０３３８】
送信ユニット１４０３は、アップリンクリソース上でアップリンクデータを送信することが決定された場合、アップリンクリソース上でアップリンクデータを送信するように設定される。
【０３３９】
この実施形態では、端末デバイス１４０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。端末デバイス１４０は、図８に示される形態を使用してもよい。受信ユニット１４０１、第１の判定ユニット１４０２、および送信ユニット１４０３は、図８におけるプロセッサ８０１を使用することによって実装されてもよい。
【０３４０】
任意選択で、第１の判定ユニット１４０２は、具体的には、
アップリンクスケジューリング情報中に含まれる変調およびコーディング指示情報に対応するインデックス番号が０から２８の中の任意の値であることを決定したとき、アップリンクスケジューリング情報によって示されるアップリンクリソース上でアップリンクデータを送信することを決定し、ならびに／または、
アップリンクスケジューリング情報中に含まれる変調およびコーディング指示情報に対応するインデックス番号が２９から３１の中の任意の値であることを決定したとき、アップリンクスケジューリング情報によって示されるアップリンクリソース上でアップリンクデータを送信しないことを決定するように設定される。
【０３４１】
任意選択で、第１の判定ユニット１４０２が、アップリンクスケジューリング情報によって示されるアップリンクリソース上でアップリンクデータを送信しないことを決定するように設定されることは、具体的には、
第１の判定ユニット１４０２が、アップリンクスケジューリング情報中に含まれる非周期チャネル状態指示情報およびフィードバック指示情報に基づいて、アップリンクスケジューリング情報によって示されるアップリンクリソース上で、アップリンクデータ、アップリンクデータおよび非周期チャネル状態情報、アップリンクデータおよびフィードバック情報、または、アップリンクデータ、非周期チャネル状態情報、およびフィードバック情報を送信することを決定するように設定されることである。
【０３４２】
任意選択で、第１の判定ユニット１４０２がアップリンクスケジューリング情報によって示されるアップリンクリソース上でアップリンクデータを送信しないことを決定するように設定されることは、具体的には、
第１の判定ユニット１４０２が、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または非周期チャネル状態情報およびフィードバック情報を送信することを決定するように設定されることである。
【０３４３】
任意選択で、第１の判定ユニット１４０２は、具体的には、
変調およびコーディング指示情報に対応するインデックス番号が２９であることを決定したとき、アップリンクスケジューリング情報によって示されるアップリンクリソース上で非周期チャネル状態情報を送信することを決定し、ならびに／または、
変調およびコーディング指示情報に対応するインデックス番号が３０もしくは３１であることを決定したとき、アップリンクスケジューリング情報によって示されるアップリンクリソース上でフィードバック情報、もしくは非周期チャネル状態情報およびフィードバック情報を送信することを決定するように設定される。
【０３４４】
任意選択で、第１の判定ユニット１４０２は、具体的には、
変調およびコーディング指示情報に対応するインデックス番号が２９であり、アップリンクスケジューリング情報中に含まれる非周期チャネル状態指示情報が「真」に設定されていることを決定したとき、アップリンクスケジューリング情報によって示されるアップリンクリソース上で非周期チャネル状態情報を送信することを決定し、ならびに／または、
変調およびコーディング指示情報に対応するインデックス番号が２９であり、アップリンクスケジューリング情報中に含まれる非周期チャネル状態指示情報が「偽」に設定されていることを決定したとき、アップリンクスケジューリング情報によって示されるアップリンクリソース上でフィードバック情報、もしくは非周期チャネル状態情報およびフィードバック情報を送信することを決定するように設定される。
【０３４５】
任意選択で、第１の判定ユニット１４０２が、アップリンクスケジューリング情報によって示されるアップリンクリソース上でフィードバック情報、または非周期チャネル状態情報およびフィードバック情報を送信することを決定するように設定されることは、具体的には、
第１の判定ユニット１４０２が、アップリンクスケジューリング情報によって示されるアップリンクリソース上でフィードバック情報を送信することを決定するように設定されることである。
【０３４６】
端末デバイス１４０は、
第１の判定ユニット１４０２が変調およびコーディング指示情報に対応するインデックス番号が３０または３１であることを決定したとき、アップリンクスケジューリング情報によって示されるアップリンクリソース上で非周期チャネル状態情報およびフィードバック情報を送信することを決定するように設定される第２の判定ユニットをさらに含む。
【０３４７】
任意選択で、第１の判定ユニット１４０２が、アップリンクスケジューリング情報によって示されるアップリンクリソース上でフィードバック情報、または非周期チャネル状態情報およびフィードバック情報を送信することを決定するように設定されることは、具体的には、
第１の判定ユニット１４０２が、アップリンクスケジューリング情報によって示されるアップリンクリソース上で非周期チャネル状態情報およびフィードバック情報を送信することを決定するように設定される。
【０３４８】
端末デバイス１４０は、
第１の判定ユニット１４０２が、変調およびコーディング指示情報に対応するインデックス番号が３０または３１であることを決定したとき、アップリンクスケジューリング情報によって示されるアップリンクリソース上でフィードバック情報を送信することを決定するように設定される第３の判定ユニットをさらに含む。
【０３４９】
任意選択で、第１の判定ユニット１４０２は、具体的には、
アップリンクスケジューリング情報中に含まれる非周期チャネル状態指示情報およびフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定するように設定される。
【０３５０】
任意選択で、第１の判定ユニット１４０２は、具体的には、
アップリンクスケジューリング情報中に含まれる変調およびコーディング指示情報、非周期チャネル状態指示情報、ならびにフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定するように設定される。
【０３５１】
本発明のこの実施形態において説明される端末デバイス１４０の機能ユニットの機能は、図４において示される実施形態における端末デバイスの関連する説明に基づいて実装されてもよいことが理解されるべきである。詳細は、本明細書では再び説明されない。
【０３５２】
図１５を参照すると、図１５は、本発明の実施形態による別のアクセスネットワークデバイスの概略構造図である。図１５に示されているように、アクセスネットワークデバイス１５０は、送信ユニット１５０１と受信ユニット１５０２とを含む。
【０３５３】
送信ユニット１５０１は、端末デバイスにアップリンクスケジューリング情報を送信するように設定され、アップリンクスケジューリング情報は、変調およびコーディング指示情報を含み、変調およびコーディング指示情報は、端末デバイスによって使用され、アップリンクスケジューリング情報によって示されるアップリンクリソース上でアップリンクデータを送信すべきかどうかを判定する。
【０３５４】
受信ユニット１５０２は、変調およびコーディング指示情報がアップリンクスケジューリング情報によって示されるアップリンクリソース上でアップリンクデータを送信するように端末デバイスに命令した場合、アップリンクリソース上で端末デバイスによって送信されたアップリンクデータを受信するように設定される。
【０３５５】
この実施形態では、アクセスネットワークデバイス１５０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。アクセスネットワークデバイス１５０は、図９に示される形態を使用してもよい。送信ユニット１５０１および受信ユニット１５０２は、図９におけるプロセッサ９０１を使用することによって実装されてもよい。
【０３５６】
本発明のこの実施形態において説明されるアクセスネットワークデバイス１５０の機能ユニットの機能は、図４において示される実施形態における端末デバイスの関連する説明に基づいて実装されてもよいことが理解されるべきである。詳細は、本明細書では再び説明されない。
【０３５７】
図１６を参照すると、図１６は、本発明の実施形態による別の端末デバイスの概略構造図である。図１６に示されているように、端末デバイス１６０は、受信ユニット１６０１と、判定ユニット１６０２と、送信ユニット１６０３とを含む。
【０３５８】
受信ユニット１６０１は、アクセスネットワークデバイスによって送信されたアップリンクスケジューリング情報を受信するように設定される。
【０３５９】
判定ユニット１６０２は、アップリンクスケジューリング情報中に含まれる非周期チャネル状態指示情報およびフィードバック指示情報に基づいて、アップリンクスケジューリング情報によって示されるアップリンクリソース上で送信されるべきアップリンク情報を判定するように設定され、アップリンク情報は、以下、すなわち、アップリンクデータ、非周期チャネル状態情報、およびフィードバック情報のうちの少なくとも１つを含む。
【０３６０】
送信ユニット１６０３は、アップリンクリソース上でアップリンク情報を送信するように設定される。
【０３６１】
この実装では、端末デバイス１６０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。端末デバイス１６０は、図１０に示される形態を使用してもよい。受信ユニット１６０１、判定ユニット１６０２、および送信ユニット１６０３は、図１０におけるプロセッサ１００１を使用することによって実装されてもよい。
【０３６２】
本発明のこの実施形態において説明される端末デバイス１６０の機能ユニットの機能は、図５において示される実施形態における端末デバイスの関連する説明に基づいて実装されてもよいことが理解されるべきである。詳細は、本明細書では再び説明されない。
【０３６３】
図１７を参照すると、図１７は、本発明の実施形態による別のアクセスネットワークデバイスの概略構造図である。図１７に示されているように、アクセスネットワークデバイス１７０は、送信ユニット１７０１と受信ユニット１７０２とを含む。
【０３６４】
送信ユニット１７０１は、端末デバイスにアップリンクスケジューリング情報を送信するように設定され、アップリンクスケジューリング情報は、非周期チャネル状態指示情報とフィードバック指示情報とを含み、非周期チャネル状態指示情報およびフィードバック指示情報は、アップリンクスケジューリング情報によって示されるアップリンクリソース上で送信されるべきアップリンク情報を判定するように端末デバイスに命令するために使用され、アップリンク情報は、以下、すなわち、アップリンクデータ、非周期チャネル状態情報、およびフィードバック情報のうちの少なくとも１つを含む。
【０３６５】
受信ユニット１７０２は、アップリンクリソース上で端末デバイスによって送信されたアップリンク情報を受信するように設定される。
【０３６６】
この実施形態では、アクセスネットワークデバイス１７０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。アクセスネットワークデバイス１７０は、図１１に示される形態を使用してもよい。送信ユニット１７０１および受信ユニット１７０２は、図１１におけるプロセッサ１１０１を使用することによって実装されてもよい。
【０３６７】
本発明のこの実施形態において説明されるアクセスネットワークデバイス１７０の機能ユニットの機能は、図５において示される実施形態におけるアクセスネットワークデバイスの関連する説明に基づいて実装されてもよいことが理解されるべきである。詳細は、本明細書では再び説明されない。
【０３６８】
本発明の実施形態のより良い実装を容易にするために、本発明の実施形態は、コンピュータ可読記憶媒体をさらに提供する。コンピュータ可読記憶媒体は、１つまたは複数のコンピュータプログラムを記憶する。コンピュータ可読記憶媒体は、磁気ディスク、コンパクトディスク、ＲＯＭ、またはＲＡＭであってもよい。１つまたは複数のコンピュータプログラムは、端末デバイスの１つまたは複数のプロセッサ上で動作する。コンピュータプログラムが動作しているとき、図３、図４、または図５に示されている前述の方法実施形態の手順が実施され得る。
【０３６９】
結論として、本発明の実施形態を実施することによって、アンライセンス周波数帯域リソースを使用するとき、端末デバイスは、フィードバックされる必要があるアップリンク情報のタイプを効果的に識別して、データ送信効率を保証することができる。
【０３７０】
本発明は実施形態を参照して本明細書で説明されたが、本発明の特許請求の範囲は、限定されるべきではない。保護を請求する本発明を実施するプロセスにおいて、当業者は、添付図面、開示される内容、および添付の特許請求の範囲を見ることによって、前述の実施形態におけるすべてのまたはいくつかの手順を理解し実施してもよい。本発明の特許請求の範囲に従って作られた等価の変形は、本発明の範囲内に入るものとする。特許請求の範囲において、「備える」は、別の構成要素または別のステップを排除せず、「ａ」または「１つの」は、「複数の」の場合を排除しない。単一のコントローラまたは別のユニットは、特許請求の範囲において列挙されるいくつかの機能を実施してもよい。いくつかの文言は、互いに異なる従属請求項において記録されているが、これは、これらの文言がより良い効果を生じるように組み合わされることができないことを意味しない。コンピュータプログラムは、光記憶媒体もしくは固体媒体のような適切な媒体において記憶／配信されてもよく、他のハードウェアと一緒に提供されてもよく、もしくはハードウェアの一部として使用されてもよく、または別の方法で、たとえば、インターネット（英語：Ｉｎｔｅｒｎｅｔ）、もしくは別の有線もしくは無線システムを使用することによって、配信されてもよい。
【図１Ａ】
2019525557.tif 000021
【図１Ｂ】
2019525557.tif 000022
【図２】
2019525557.tif 000023
【図３】
2019525557.tif 000024
【図４】
2019525557.tif 000025
【図５】
2019525557.tif 000026
【図６】
2019525557.tif 000027
【図７】
2019525557.tif 000028
【図８】
2019525557.tif 000029
【図９】
2019525557.tif 000030
【図１０】
2019525557.tif 000031
【図１１】
2019525557.tif 000032
【図１２】
2019525557.tif 000033
【図１３】
2019525557.tif 000034
【図１４】
2019525557.tif 000035
【図１５】
2019525557.tif 000036
【図１６】
2019525557.tif 000037
【図１７】
2019525557.tif 000038
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
アクセスネットワークデバイスによって送られたアップリンクスケジューリング情報を端末デバイスによって受信するステップと、
前記アップリンクスケジューリング情報中に備えられる変調およびコーディング指示情報に基づいて前記端末デバイスによって、前記アップリンクスケジューリング情報によって示されるアップリンクリソース上でアップリンクデータを送信すべきかどうかを判定するステップと、
前記アップリンクリソース上で前記アップリンクデータを送信することを判定した場合、前記端末デバイスによって前記アップリンクリソース上で前記アップリンクデータを送信するステップと
を備える、アップリンク情報送信方法。
【請求項２】
前記アップリンクスケジューリング情報中に備えられる変調およびコーディング指示情報に基づいて前記端末デバイスによって、前記アップリンクスケジューリング情報によって示されるアップリンクリソース上でアップリンクデータを送信すべきかどうかを判定する前記ステップは、
前記アップリンクスケジューリング情報中に備えられる前記変調およびコーディング指示情報に対応するインデックス番号が０から２８の中のいずれかの値であると前記端末デバイスが判定したとき、前記アップリンクスケジューリング情報によって示される前記アップリンクリソース上で前記アップリンクデータを送信することを前記端末デバイスによって決定するステップ、および／または
前記アップリンクスケジューリング情報中に備えられる前記変調およびコーディング指示情報に対応するインデックス番号が２９から３１の中のいずれかの値であると前記端末デバイスが判定したとき、前記アップリンクスケジューリング情報によって示される前記アップリンクリソース上で前記アップリンクデータを送信しないことを前記端末デバイスによって決定するステップ
を備える、請求項１に記載の方法。
【請求項３】
前記アップリンクスケジューリング情報によって示される前記アップリンクリソース上で前記アップリンクデータを送信することを前記端末デバイスによって決定する前記ステップは、
前記アップリンクスケジューリング情報中に備えられる非周期チャネル状態指示情報およびフィードバック指示情報に基づいて前記端末デバイスによって、前記アップリンクスケジューリング情報によって示される前記アップリンクリソース上で前記アップリンクデータ、前記アップリンクデータおよび非周期チャネル状態情報、前記アップリンクデータおよびフィードバック情報、または前記アップリンクデータ、非周期チャネル状態情報、およびフィードバック情報を送信することを判定するステップ
を備える、請求項２に記載の方法。
【請求項４】
前記アップリンクスケジューリング情報によって示される前記アップリンクリソース上で前記アップリンクデータを送信しないことを前記端末デバイスによって決定する前記ステップは、
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを判定するステップを備える、請求項２に記載の方法。
【請求項５】
前記アップリンクスケジューリング情報中に備えられる前記変調およびコーディング指示情報、非周期チャネル状態指示情報、ならびにフィードバック指示情報のうちの少なくとも１つに基づいて前記端末デバイスによって、前記アップリンクスケジューリング情報によって示される前記アップリンクリソース上で非周期チャネル状態情報、フィードバック情報、または非周期チャネル状態情報およびフィードバック情報を送信することを判定する前記ステップは、
前記アップリンクスケジューリング情報中に備えられる前記非周期チャネル状態指示情報および前記フィードバック指示情報に基づいて前記端末デバイスによって、前記アップリンクスケジューリング情報によって示される前記アップリンクリソース上で前記非周期チャネル状態情報、前記フィードバック情報、または前記非周期チャネル状態情報および前記フィードバック情報を送信することを判定するステップ
を備える、請求項４に記載の方法。
【請求項６】
前記端末デバイスが前記アップリンクリソース上で前記アップリンクデータを送信しない場合、前記アップリンクリソースは、物理アップリンク制御チャネル中に備えられるリソースであるか、または
前記端末デバイスが前記アップリンクリソース上で前記アップリンクデータを送信する場合、前記アップリンクリソースは、物理アップリンク共有チャネル中に備えられるリソースである、請求項２乃至５のいずれか一項に記載の方法。
【請求項７】
アクセスネットワークデバイスによって端末デバイスにアップリンクスケジューリング情報を送るステップであって、前記アップリンクスケジューリング情報が変調およびコーディング指示情報を備え、前記変調およびコーディング指示情報が、前記アップリンクスケジューリング情報によって示されるアップリンクリソース上でアップリンクデータを送信すべきかどうかを判定するために前記端末デバイスによって使用される、ステップと、
前記アップリンクスケジューリング情報によって示される前記アップリンクリソース上で前記アップリンクデータを送信するように前記変調およびコーディング指示情報が前記端末デバイスに命令した場合、前記アップリンクリソース上で前記端末デバイスによって送信された前記アップリンクデータを前記アクセスネットワークデバイスによって受信するステップとを備える、アップリンク情報送信方法。
【請求項８】
前記アップリンクスケジューリング情報中に含まれる前記変調およびコーディング指示情報に対応するインデックス番号が０から２８の中のいずれかの値であるとき、前記変調およびコーディング指示情報は、前記アップリンクスケジューリング情報によって示される前記アップリンクリソース上で前記アップリンクデータを送信することを前記端末デバイスに示し、および／または
前記アップリンクスケジューリング情報中に含まれる前記変調およびコーディング指示情報に対応するインデックス番号が２９から３１の中のいずれかの値であるとき、前記変調およびコーディング指示情報は、前記アップリンクスケジューリング情報によって示される前記アップリンクリソース上で前記アップリンクデータを送信しないことを前記端末デバイスに示す、請求項７に記載の方法。
【請求項９】
前記アップリンクスケジューリング情報は非周期チャネル状態指示情報およびフィードバック指示情報をさらに含み、前記アップリンクスケジューリング情報中に含まれる前記変調およびコーディング指示情報に対応するインデックス番号が０から２８の中のいずれかの値であるとき、前記非周期チャネル状態指示情報および前記フィードバック指示情報は、前記アップリンクスケジューリング情報によって示される前記アップリンクリソース上で、アップリンクデータを送信すること、またはアップリンクデータおよび非周期チャネル状態情報を送信すること、またはアップリンクデータおよびフィードバック情報を送信すること、またはアップリンクデータ、非周期チャネル状態情報およびフィードバック情報を送信することを判定することを前記端末デバイスに示す、請求項８に記載の方法。
【請求項１０】
前記アップリンクスケジューリング情報は非周期チャネル状態指示情報およびフィードバック指示情報をさらに含み、前記アップリンクスケジューリング情報中に含まれる前記変調およびコーディング指示情報に対応するインデックス番号が２９から３１の中のいずれかの値であるとき、前記変調およびコーディング指示情報、前記非周期チャネル状態指示情報、および前記フィードバック指示情報のうちの少なくとも１つが前記端末デバイスによって使用されて、前記アップリンクスケジューリング情報によって示される前記アップリンクリソース上で、非周期チャネル状態情報、フィードバック情報、または非周期チャネル状態情報およびフィードバック情報を送信することが決定される、請求項８に記載の方法。
【請求項１１】
前記アップリンクスケジューリング情報中に含まれる前記変調およびコーディング指示情報、前記非周期チャネル状態指示情報、および前記フィードバック指示情報が前記端末デバイスによって使用されて、前記アップリンクスケジューリング情報によって示される前記アップリンクリソース上で前記非周期チャネル状態情報、前記フィードバック情報、または前記非周期チャネル状態情報および前記フィードバック情報を送信することが決定される、請求項１０に記載の方法。
【請求項１２】
プロセッサ、メモリ、および通信モジュールを備える、端末デバイスであって、前記メモリは、アップリンク情報送信プログラムコードを記憶するように構成されており、前記プロセッサは、請求項１乃至６のいずれか一項に記載のアップリンク情報送信方法を実施するために前記アップリンク情報送信プログラムコードを呼び出すように構成されている、端末デバイス。
【請求項１３】
プロセッサ、メモリ、および通信モジュールを備える、アクセスネットワークデバイスであって、前記メモリは、アップリンク情報送信プログラムコードを記憶するように構成されており、前記プロセッサは、請求項９乃至１１のいずれか一項に記載のアップリンク情報送信方法を実施するために前記アップリンク情報送信プログラムコードを呼び出すように構成されている、アクセスネットワークデバイス。
【請求項１４】
請求項１２に記載の端末デバイスおよび請求項１３に記載のアクセスネットワークデバイスを備える、通信システム。
【請求項１５】
コンピュータプロセッサによって実行されたとき、請求項１乃至１１のいずれか一項に記載のステップを前記コンピュータプロセッサに実行させるコンピュータプログラムコードを備える、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、詳細には、アップリンク情報送信方法、関係するデバイス、および通信システムに関する。
【背景技術】
【０００２】
ロングタームエボリューション（英語：Ｌｏｎｇ  Ｔｅｒｍ  Ｅｖｏｌｕｔｉｏｎ、ＬＴＥ）システムは、２つの複信モード、周波数分割複信（英語：Ｆｒｅｑｕｅｎｃｙ  Ｄｉｖｉｓｉｏｎ  Ｄｕｐｌｅｘｉｎｇ、ＦＤＤ）および時分割複信（Ｔｉｍｅ  Ｄｉｖｉｓｉｏｎ  Ｄｕｐｌｅｘｉｎｇ、ＴＤＤ）をサポートする。ＦＤＤは、アップリンク送信およびダウンリンク送信が異なる搬送波帯域上で実施され、端末デバイスとアクセスネットワークデバイスの両方が、同時に信号を受信し信号を送信することを可能にされることを意味する。ＴＤＤは、アップリンク送信およびダウンリンク送信が同じ搬送波帯域上で実施され、端末デバイス／アクセスネットワークデバイスが、異なる瞬間において情報を送信しおよび受信することを意味する。ハイブリッド自動再送要求（英語：Ｈｙｂｒｉｄ  Ａｕｔｏｍａｔｉｃ  Ｒｅｐｅａｔ  Ｒｅｑｕｅｓｔ、ＨＡＲＱ）メカニズムに基づいて、ダウンリンクキャリアのために端末デバイスによって与えられるフィードバック情報は、肯定応答（英語：Ａｃｋｎｏｗｌｅｄｇｅｍｅｎｔ、ＡＣＫ）および否定応答（英語：Ｎｅｇａｔｉｖｅ−Ａｃｋｎｏｗｌｅｄｇｅｍｅｎｔ、ＮＡＣＫ）を含む。既存のＬＴＥシステムでは、端末デバイスがその中で物理ダウンリンク共有チャネル（英語：Ｐｈｙｓｉｃａｌ  Ｄｏｗｎｌｉｎｋ  Ｓｈａｒｅｄ  Ｃｈａｎｎｅｌ、ＰＤＳＣＨ）を受信するサブフレームと、ＰＤＳＣＨに対応するＡＣＫまたはＮＡＣＫを端末デバイスがその中でフィードバックするアップリンクサブフレームとのサブフレーム間隔があらかじめ定義されていて、端末デバイスがＡＣＫまたはＮＡＣＫをフィードバックし、アクセスネットワークデバイスがＡＣＫまたはＮＡＣＫを受信することが保証される。
【０００３】
ＦＤＤシステムでは、ＰＤＳＣＨ上で搬送されるダウンリンクデータをダウンリンクサブフレームｎ−４中で受信した後に、端末デバイスは、ＰＤＳＣＨに対応するＡＣＫまたはＮＡＣＫをアップリンクサブフレームｎ中でフィードバックする。ＴＤＤシステムでは、無線フレームのアップリンクダウンリンク構成は固定されている。図１Ａに示されているように、ＬＴＥは、７つの異なるＴＤＤアップリンクダウンリンク構成を現在サポートしている。Ｄはダウンリンクサブフレーム（英語：Ｄｏｗｎｌｉｎｋ  Ｓｕｂｆｒａｍｅ）を表し、Ｓはスペシャルサブフレーム（英語：Ｓｐｅｃｉａｌ  Ｓｕｂｆｒａｍｅ、ＳＳＦ）を表し、Ｕはアップリンクサブフレーム（英語：Ｕｐｌｉｎｋ  Ｓｕｂｆｒａｍｅ）を表す。ＰＤＳＣＨと、ＰＤＳＣＨに対応するＡＣＫまたはＮＡＣＫとの間の時間系列関係またはタイミング関係が図１Ｂに示されている。番号を使用することによって識別されるサブフレームは、ＡＣＫまたはＮＡＣＫをフィードバックするために使用されるアップリンクサブフレームｎであり、識別番号は、ダウンリンクサブフレームｎ−ｋ（ｋはＫに属する）中のＰＤＳＣＨに対応するＡＣＫまたはＮＡＣＫがアップリンクサブフレームｎ中でフィードバックされる必要があることを示す。たとえば、アップリンクダウンリンク構成１におけるサブフレームｎ＝２中のＫ＝｛７，６｝は、アップリンクサブフレームｎ＝２が使用されて、２つのダウンリンクサブフレームｎ−７およびｎ−６中でＰＤＳＣＨに対応するＡＣＫまたはＮＡＣＫがフィードバックされることを示す。特に、ｎ−７はダウンリンクサブフレーム５を識別し、ｎ−６はダウンリンクサブフレーム６を識別する。
【０００４】
既存のＬＴＥシステムにおいてサービングセル中に展開されるすべてのスペクトルは、ライセンススペクトルである。具体的には、スペクトルは、ライセンススペクトルを購入した事業者ネットワークによってのみ使用されることができる。（ライセンスフリースペクトルと呼ばれることもある）アンライセンススペクトルは、購入されることなしにどんな事業者によっても使用されることができるので、アンライセンススペクトルに対してより多くの注意が払われる。スペクトルリソースは、将来において供給がますます不足し、結果的に、ライセンススペクトルに基づくＬＴＥシステムのサービス能力が限定される。したがって、ＬＴＥシステムがアンライセンススペクトルを使用することが発展傾向である。アンライセンススペクトル上に展開されたＬＴＥシステムはアンライセンスロングタームエボリューション（英語：Ｕｎｌｉｃｅｎｓｅｄ−ＬＴＥ、Ｕ−ＬＴＥ）システムと呼ばれる。
【０００５】
アンライセンススペクトル上のリソース共有は、特定のスペクトルの使用中に送信電力および帯域外リークなどのカウンタのみに制限が課され、いくつかの領域においていくつかの追加の共存ポリシーがあることなどを意味する。アンライセンススペクトル上の複数のシステム間の、たとえば、Ｕ−ＬＴＥシステムとワイヤレスフィデリティ（英語：Ｗｉｒｅｌｅｓｓ  Ｆｉｄｅｌｉｔｙ、ＷｉＦｉ）システムとの間の、または複数の事業者のＵ−ＬＴＥシステム間の、フレンドリーな共存について考えると、アンライセンススペクトルの使用中に、リッスンビフォアトーク（英語：Ｌｉｓｔｅｎ−Ｂｅｆｏｒｅ−Ｔａｌｋ、ＬＢＴ）など、いくつかの共存規制の制限に従われる必要がある。特に、アクセスネットワークデバイスまたは端末デバイスがＵ−ＬＴＥサービングセルのチャネル上で信号を送信する前に、クリアチャネルアセスメント（英語：Ｃｌｅａｒ  Ｃｈａｎｎｅｌ  Ａｓｓｅｓｓｍｅｎｔ、ＣＣＡ）がサービングセルのチャネル上で実施される必要がある。検出された受信電力がしきい値を超えると、アクセスネットワークデバイスまたは端末デバイスは、チャネルがアイドルであることを検出するまで、一時的にチャネル上で信号を送信することができない。さらに、場合によっては、アクセスネットワークデバイスまたは端末デバイスは、さらにランダムバックオフを実施する必要がある。ランダムバックオフ中にのみ、チャネルはアイドルであり、チャネル上で信号は送信され得る。これに基づいて、ＬＴＥシステムでは、ダウンリンクデータを送信するアクセスネットワークデバイスと、アップリンクデータを送信する端末デバイスの両方が、アンライセンススペクトル上でデータを時々送信することがわかるであろう。加えて、アンライセンススペクトル上の時々のデータ送信に基づいて、ＬＴＥシステムのアップリンクダウンリンクサービス要件を満たすために、アンライセンススペクトル上のＵ−ＬＴＥシステムのアップリンクダウンリンク構成はフレキシブルであることができる。
【０００６】
アンライセンススペクトルの上記の特徴（具体的には、時々のデータ送信およびフレキシブルなアップリンクダウンリンク構成）に基づいて、時々のデータ送信の場合、アンライセンス周波数帯域リソースの効果的な使用およびデータ送信効率を保証するために、ダウンリンクデータについてＨＡＲＱ−ＡＣＫ情報を送信するように端末デバイスに命令するためのトリガメカニズムが使用され得る。既存のシステムでは、非周期チャネル状態情報のフィードバックおよびアップリンクデータ送信もトリガメカニズムを使用することによって実装されること、たとえば、アップリンクデータおよび／または非周期チャネル状態情報を送信するように端末デバイスに命令するためのＵＬグラントが使用されることを考えると、トリガされるアップリンク情報のタイプを端末デバイスが識別することを可能にするために好適な技術的解決策をどのように設計すべきであるかが、今回解決される必要がある技術的問題である。
【発明の概要】
【０００７】
本発明の実施形態は、アンライセンス周波数帯域リソースを使用しているとき、端末デバイスが、フィードバックされる必要があるアップリンク情報のタイプを効果的に識別し、データ送信効率を保証することができるような、アップリンク情報送信方法、関係するデバイス、および通信システムを提供する。
【０００８】
第１の態様によれば、
アクセスネットワークデバイスによって送信されたアップリンクスケジューリング情報を端末デバイスによって受信するステップと、
アップリンクスケジューリング情報中に含まれる非周期チャネル状態指示情報ならびに変調およびコーディング指示情報に基づいて端末デバイスによって、アップリンクスケジューリング情報によって示されるアップリンクリソース上でフィードバック情報を送信すべきかどうかを判定するステップと、
アップリンクリソース上でフィードバック情報を送信することを決定した場合、端末デバイスによってアップリンクリソース上でフィードバック情報を送信するステップと
を含む、アップリンク情報送信方法が提供される。
【０００９】
上記のステップを実施することによって、端末デバイスは、端末デバイスがＨＡＲＱ−ＡＣＫをフィードバックする必要があるかどうかを判定することができ、さらに、余分のシグナリングオーバーヘッドを引き起こすことなしに、既存のアップリンクスケジューリング情報（たとえば、ＵＬグラント）中に含まれる非周期チャネル状態指示情報ならびに変調およびコーディング指示情報を再利用することができ、それにより、シグナリングオーバーヘッドが低減される。
【００１０】
第１の態様に関して、第１の態様の第１の実装では、本方法は、
端末デバイスがアップリンクリソース上でフィードバック情報を送信するとき、端末デバイスによってアップリンクリソース上でアップリンクデータおよび非周期チャネル状態情報のうちの少なくとも１つをさらに送信するステップ
をさらに含む。
【００１１】
上記のステップが実施される。したがって、既存のＵＬグラントにおける指示方法が最大限に再利用され、スケジュールされたアップリンクリソース上でＵＬ−ＳＣＨおよび／またはａＣＳＩを送信することを端末デバイスによって決定するための以前の方法が維持されることが可能であり、それにより、端末デバイスはわずかにしか変更されない。
【００１２】
第１の態様または第１の態様の第１の実装に関して、第１の態様の第２の実装では、アップリンクスケジューリング情報中に含まれる非周期チャネル状態指示情報ならびに変調およびコーディング指示情報に基づいて端末デバイスによって、アップリンクスケジューリング情報によって示されるアップリンクリソース上でフィードバック情報を送信すべきかどうかを判定するステップは、
アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、アップリンクスケジューリング情報によって示されるアップリンクリソース上でフィードバック情報を送信することを端末デバイスによって決定するステップ、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、アップリンクスケジューリング情報によって示されるアップリンクリソース上でフィードバック情報を送信することを端末デバイスによって決定するステップ
を含む。
【００１３】
上記のステップが実施される。したがって、ライセンスフリー周波数帯域上で、非同期および適応アップリンクデータ送信が実施されてアップリンクリソースが効果的に使用される。この場合、ノンアダプティブ再送のために主に使用される変調およびコーディング方式インデックス（ＭＣＳインデックス）２９から３１は、ＵＥがアップリンクデータを送信するときに使用されるＭＣＳを示すために使用されなくてよく、それにより、ＭＣＳインデックス２９から３１を使用することによっておよび非周期チャネル状態指示情報（ａＣＳＩトリガ）に関して、アップリンクリソース上でＨＡＲＱ−ＡＣＫを送信すべきかどうかが判定されることができる。
【００１４】
第２の態様によれば、
アクセスネットワークデバイスによって送信されたアップリンクスケジューリング情報を端末デバイスによって受信するステップと、
アップリンクスケジューリング情報中に含まれる変調およびコーディング指示情報に基づいて端末デバイスによって、アップリンクスケジューリング情報によって示されるアップリンクリソース上でアップリンクデータを送信すべきかどうかを判定するステップと、
アップリンクリソース上でアップリンクデータを送信することを決定した場合、端末デバイスによってアップリンクリソース上でアップリンクデータを送信するステップと
を含む、アップリンク情報送信方法が提供される。
【００１５】
上記のステップを実施することによって、端末デバイスは、余分のシグナリングオーバーヘッドを引き起こすことなしに、変調およびコーディング指示情報のみを使用することによって、端末デバイスがアップリンクデータをフィードバックする必要があるかどうかを判定することができ、それにより、シグナリングオーバーヘッドが低減される。加えて、端末デバイスは、非周期チャネル状態指示情報と無関係に、アップリンクデータを送信すべきかどうかを判定することができ、それにより、端末デバイスによる検出の複雑さが低減される。
【００１６】
第２の態様に関して、第２の態様の第１の実装では、アップリンクスケジューリング情報中に含まれる変調およびコーディング指示情報に基づいて端末デバイスによって、アップリンクスケジューリング情報によって示されるアップリンクリソース上でアップリンクデータを送信すべきかどうかを判定するステップは、
アップリンクスケジューリング情報中に含まれる変調およびコーディング指示情報に対応するインデックス番号が０から２８の中のいずれかの値であると端末デバイスが判定したとき、アップリンクスケジューリング情報によって示されるアップリンクリソース上でアップリンクデータを送信することを端末デバイスによって決定するステップ、および／または
アップリンクスケジューリング情報中に含まれる変調およびコーディング指示情報に対応するインデックス番号が２９から３１の中のいずれかの値であると端末デバイスが判定したとき、アップリンクスケジューリング情報によって示されるアップリンクリソース上でアップリンクデータを送信しないことを端末デバイスによって決定するステップ
を含む。
【００１７】
上記のステップが実施され、それにより、アップリンクデータのＭＣＳは適応的に調整されて、データ送信効率を改善することが可能である。
【００１８】
第２の態様の第１の実装に関して、第２の態様の第２の実装では、アップリンクスケジューリング情報によって示されるアップリンクリソース上でアップリンクデータを送信することを端末デバイスによって決定するステップは、
アップリンクスケジューリング情報中に含まれる非周期チャネル状態指示情報およびフィードバック指示情報に基づいて端末デバイスによって、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定するステップ
を含む。
【００１９】
第２の態様の第１の実装に関して、第２の態様の第３の実装では、アップリンクスケジューリング情報によって示されるアップリンクリソース上でアップリンクデータを送信しないことを端末デバイスによって決定するステップは、
アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップ
を含む。
【００２０】
第２の態様の第３の実装に関して、第２の態様の第４の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
変調およびコーディング指示情報に対応するインデックス番号が２９であると端末デバイスが判定したとき、アップリンクスケジューリング情報によって示されるアップリンクリソース上で非周期チャネル状態情報を送信することを端末デバイスによって決定するステップ、および／または
変調およびコーディング指示情報に対応するインデックス番号が３０または３１であると端末デバイスが判定したとき、アップリンクスケジューリング情報によって示されるアップリンクリソース上でフィードバック情報、または非周期チャネル状態情報およびフィードバック情報を送信することを端末デバイスによって決定するステップ
を含む。
【００２１】
上記のステップが実施される。したがって、ライセンスフリー周波数帯域上の非同期および適応アップリンクデータ送信の特徴に関して、冗長ＭＣＳインデックスが効果的に使用されて、リソース使用効率を改善することが可能である。
【００２２】
第２の態様の第３の実装に関して、第２の態様の第５の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
変調およびコーディング指示情報に対応するインデックス番号が２９であり、アップリンクスケジューリング情報中に含まれる非周期チャネル状態指示情報が「真」に設定されていると端末デバイスが判定したとき、アップリンクスケジューリング情報によって示されるアップリンクリソース上で非周期チャネル状態情報を送信することを端末デバイスによって決定するステップ、および／または
変調およびコーディング指示情報に対応するインデックス番号が２９であり、アップリンクスケジューリング情報中に含まれる非周期チャネル状態指示情報が「偽」に設定されていると端末デバイスが判定したとき、アップリンクスケジューリング情報によって示されるアップリンクリソース上でフィードバック情報、または非周期チャネル状態情報およびフィードバック情報を送信することを端末デバイスによって決定するステップ
を含む。
【００２３】
第２の態様の第５の実装に関して、第２の態様の第６の実装では、アップリンクスケジューリング情報によって示されるアップリンクリソース上でフィードバック情報、または非周期チャネル状態情報およびフィードバック情報を送信することを端末デバイスによって決定するステップは、
アップリンクスケジューリング情報によって示されるアップリンクリソース上でフィードバック情報を送信することを端末デバイスによって決定するステップ
を含み、
本方法は、
変調およびコーディング指示情報に対応するインデックス番号が３０または３１であると端末デバイスが判定したとき、アップリンクスケジューリング情報によって示されるアップリンクリソース上で非周期チャネル状態情報およびフィードバック情報を送信することを端末デバイスによって決定するステップ
をさらに含む。
【００２４】
第２の態様の第５の実装に関して、第２の態様の第７の実装では、アップリンクスケジューリング情報によって示されるアップリンクリソース上でフィードバック情報、または非周期チャネル状態情報およびフィードバック情報を送信することを端末デバイスによって決定するステップは、
アップリンクスケジューリング情報によって示されるアップリンクリソース上で非周期チャネル状態情報およびフィードバック情報を送信することを端末デバイスによって決定するステップ
を含み、
本方法は、
変調およびコーディング指示情報に対応するインデックス番号が３０または３１であると端末デバイスが判定したとき、アップリンクスケジューリング情報によって示されるアップリンクリソース上でフィードバック情報を送信することを端末デバイスによって決定するステップ
をさらに含む。
【００２５】
第２の態様の第３の実装に関して、第２の態様の第８の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
アップリンクスケジューリング情報中に含まれる非周期チャネル状態指示情報およびフィードバック指示情報に基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップ
を含む。
【００２６】
第２の態様の第３の実装に関して、第２の態様の第９の実装では、アップリンクスケジューリング情報中に含まれる変調およびコーディング指示情報、非周期チャネル状態指示情報、ならびにフィードバック指示情報のうちの少なくとも１つに基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップは、
アップリンクスケジューリング情報中に含まれる変調およびコーディング指示情報、非周期チャネル状態指示情報、ならびにフィードバック指示情報に基づいて端末デバイスによって、アップリンクスケジューリング情報によって示されるアップリンクリソース上で非周期チャネル状態情報、フィードバック情報、または非周期チャネル状態情報およびフィードバック情報を送信することを決定するステップ
を含む。
【００２７】
第３の態様によれば、
アクセスネットワークデバイスによって送信されたアップリンクスケジューリング情報を端末デバイスによって受信するステップと、
アップリンクスケジューリング情報中に含まれる非周期チャネル状態指示情報およびフィードバック指示情報に基づいて端末デバイスによって、アップリンクスケジューリング情報によって示されるアップリンクリソース上で送信されるべきアップリンク情報を判定するステップであって、アップリンク情報が、アップリンクデータ、非周期チャネル状態情報、およびフィードバック情報のうちの少なくとも１つを含む、ステップと、
端末デバイスによってアップリンクリソース上でアップリンク情報を送信するステップと
を含む、アップリンク情報送信方法が提供される。
【００２８】
上記のステップを実施することによって、端末デバイスは、アップリンクスケジューリング情報中に含まれる非周期チャネル状態指示情報および追加された指示ビット（フィードバック指示情報）に基づいて、フィードバックされる必要があるアップリンク情報を判定することができる。ＵＥは、従来技術のようにスペシャルＭＣＳ構成および明示的シグナリングに基づいて判定する（たとえば、従来技術では、ＵＥは、ａＣＳＩトリガ指示およびＭＣＳインデックスの特定の値（たとえば、ＭＣＳインデックスが２９である）に基づいて、ａＣＳＩを送信すべきかどうかを判定する）ことを実施することなしに、アップリンクスケジューリング情報中に含まれる明示的シグナリングに基づいて、非周期ＣＳＩを送信するが、ＨＡＲＱ−ＡＣＫと、ＨＡＲＱ−ＡＣＫおよびａＣＳＩと、ＨＡＲＱ−ＡＣＫおよびアップリンクデータと、ＨＡＲＱ−ＡＣＫ、ａＣＳＩ、およびアップリンクデータと、ａＣＳＩおよびアップリンクデータと、アップリンクデータとのいずれも送信しないことを決定することができ、それにより、ＭＣＳは通常に使用されることができる。予約済みＭＣＳインデックス、たとえば、２９から３１の中のいずれかの値を使用して変調およびコーディング順序を表して、ダウンリンクデータ送信効率を改善し得る。
【００２９】
第４の態様によれば、
アクセスネットワークデバイスによって端末デバイスにアップリンクスケジューリング情報を送信するステップであって、アップリンクスケジューリング情報が非周期チャネル状態指示情報ならびに変調およびコーディング指示情報を含み、非周期チャネル状態指示情報ならびに変調およびコーディング指示情報が、アップリンクスケジューリング情報によって示されるアップリンクリソース上でフィードバック情報を送信すべきかどうかを判定するように端末デバイスに命令するために使用される、ステップと、
アップリンクスケジューリング情報によって示されるアップリンクリソース上でフィードバック情報を送信するように非周期チャネル状態指示情報ならびに変調およびコーディング指示情報が端末デバイスに命令した場合、アップリンクリソース上で端末デバイスによって送信されたフィードバック情報をアクセスネットワークデバイスによって受信するステップと
を含む、アップリンク情報送信方法が提供される。
【００３０】
上記のステップを実施することによって、端末デバイスは、端末デバイスがＨＡＲＱ−ＡＣＫをフィードバックする必要があるかどうかを判定することができ、さらに、余分のシグナリングオーバーヘッドを引き起こすことなしに、既存のアップリンクスケジューリング情報（たとえば、ＵＬグラント）中に含まれる非周期チャネル状態指示情報ならびに変調およびコーディング指示情報を再利用することができ、それにより、シグナリングオーバーヘッドが低減される。
【００３１】
第４の態様に関して、第４の態様の第１の実装では、アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用され、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用される。
【００３２】
第５の態様によれば、
アクセスネットワークデバイスによって端末デバイスにアップリンクスケジューリング情報を送信するステップであって、アップリンクスケジューリング情報が変調およびコーディング指示情報を含み、変調およびコーディング指示情報が、アップリンクスケジューリング情報によって示されるアップリンクリソース上でアップリンクデータを送信すべきかどうかを判定するために端末デバイスによって使用される、ステップと、
アップリンクスケジューリング情報によって示されるアップリンクリソース上でアップリンクデータを送信するように変調およびコーディング指示情報が端末デバイスに命令した場合、アップリンクリソース上で端末デバイスによって送信されたアップリンクデータをアクセスネットワークデバイスによって受信するステップと
を含む、アップリンク情報送信方法が提供される。
【００３３】
上記のステップを実施することによって、端末デバイスは、余分のシグナリングオーバーヘッドを引き起こすことなしに、変調およびコーディング指示情報のみを使用することによって、端末デバイスがアップリンクデータをフィードバックする必要があるかどうかを判定することができ、それにより、シグナリングオーバーヘッドが低減される。加えて、端末デバイスは、非周期チャネル状態指示情報と無関係に、アップリンクデータを送信すべきかどうかを判定することができ、それにより、端末デバイスによる検出の複雑さが低減される。
【００３４】
第５の態様に関して、第５の態様の第１の実装では、アップリンクスケジューリング情報中に含まれる変調およびコーディング指示情報に対応するインデックス番号が０から２８の中のいずれかの値であるとき、変調およびコーディング指示情報は、アップリンクスケジューリング情報によって示されるアップリンクリソース上でアップリンクデータを送信することを端末デバイスに示し、および／または
アップリンクスケジューリング情報中に含まれる変調およびコーディング指示情報に対応するインデックス番号が２９から３１の中のいずれかの値であるとき、変調およびコーディング指示情報は、アップリンクスケジューリング情報によって示されるアップリンクリソース上でアップリンクデータを送信しないことを端末デバイスに示す。
【００３５】
第５の態様に関して、第５の態様の第２の実装では、アップリンクスケジューリング情報はフィードバック指示情報をさらに含み、非周期チャネル状態指示情報およびフィードバック指示情報は、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定するために端末デバイスによって使用される。
【００３６】
第５の態様に関して、第５の態様の第３の実装では、アップリンクスケジューリング情報は非周期チャネル状態指示情報およびフィードバック指示情報をさらに含み、変調およびコーディング指示情報、非周期チャネル状態指示情報、ならびにフィードバック指示情報のうちの少なくとも１つは、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００３７】
第５の態様の第３の実装に関して、第５の態様の第４の実装では、変調およびコーディング指示情報に対応するインデックス番号が２９であるとき、変調およびコーディング指示情報は、アップリンクスケジューリング情報によって示されるアップリンクリソース上で非周期チャネル状態情報を送信することを端末デバイスに示し、および／または
変調およびコーディング指示情報に対応するインデックス番号が３０もしくは３１であるとき、変調およびコーディング指示情報は、アップリンクスケジューリング情報によって示されるアップリンクリソース上でフィードバック情報、または非周期チャネル状態情報およびフィードバック情報を送信することを端末デバイスに示す。
【００３８】
第５の態様の第３の実装に関して、第５の態様の第５の実装では、変調およびコーディング指示情報に対応するインデックス番号が２９であり、アップリンクスケジューリング情報中に含まれる非周期チャネル状態指示情報が「真」に設定されているとき、変調およびコーディング指示情報ならびに非周期チャネル状態指示情報は、アップリンクスケジューリング情報によって示されるアップリンクリソース上で非周期チャネル状態情報を送信するように端末デバイスに命令するために使用され、および／または
変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報、または非周期チャネル状態情報およびフィードバック情報を送信するように端末デバイスに命令するために使用される。
【００３９】
第５の態様の第５の実装に関して、第５の態様の第６の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上で非周期チャネル状態情報およびフィードバック情報を送信することを端末デバイスに示す。
【００４０】
第５の態様の第５の実装に関して、第５の態様の第７の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上で非周期チャネル状態情報およびフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上でフィードバック情報を送信することを端末デバイスに示す。
【００４１】
第５の態様の第３の実装に関して、第５の態様の第８の実装では、アップリンクスケジューリング情報中に含まれる非周期チャネル状態指示情報およびフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００４２】
第５の態様の第３の実装に関して、第５の態様の第９の実装では、アップリンクスケジューリング情報中に含まれる変調およびコーディング指示情報、非周期チャネル状態指示情報、ならびにフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００４３】
第６の態様によれば、
アクセスネットワークデバイスによって端末デバイスにアップリンクスケジューリング情報を送信するステップであって、アップリンクスケジューリング情報が非周期チャネル状態指示情報およびフィードバック指示情報を含み、非周期チャネル状態指示情報およびフィードバック指示情報が、アップリンクスケジューリング情報によって示されるアップリンクリソース上で送信されるべきアップリンク情報を判定するように端末デバイスに命令するために使用され、アップリンク情報が、アップリンクデータ、非周期チャネル状態情報、およびフィードバック情報のうちの少なくとも１つを含む、ステップと、
アップリンクリソース上で端末デバイスによって送信されたアップリンク情報をアクセスネットワークデバイスによって受信するステップと
を含む、アップリンク情報送信方法が提供される。
【００４４】
上記のステップを実施することによって、端末デバイスは、アップリンクスケジューリング情報中に含まれる非周期チャネル状態指示情報および追加された指示ビット（フィードバック指示情報）に基づいて、フィードバックされる必要があるアップリンク情報を判定することができる。ＵＥは、従来技術のようにスペシャルＭＣＳ構成および明示的シグナリングに基づいて判定する（たとえば、従来技術では、ＵＥは、ａＣＳＩトリガ指示およびＭＣＳインデックス＝２９に基づいて、ａＣＳＩを送信すべきかどうかを判定する）ことを実施することなしに、アップリンクスケジューリング情報中に含まれる明示的シグナリングに基づいて、非周期ＣＳＩを送信するが、ＨＡＲＱ−ＡＣＫと、ＨＡＲＱ−ＡＣＫおよびａＣＳＩと、ＨＡＲＱ−ＡＣＫおよびアップリンクデータと、ＨＡＲＱ−ＡＣＫ、ａＣＳＩ、およびアップリンクデータと、ａＣＳＩおよびアップリンクデータと、アップリンクデータとのいずれも送信しないことを決定することができ、それにより、ＭＣＳは通常に使用されることができる。予約済みＭＣＳを使用して変調およびコーディング順序を表して、ダウンリンクデータ送信効率を改善し得る。
【００４５】
第７の態様によれば、プロセッサ、メモリ、および通信モジュールを含む、端末デバイスが提供され、メモリは、アップリンク情報送信プログラムコードを記憶するように構成されており、プロセッサは、以下の動作、
通信モジュールを使用することによってプロセッサによって、アクセスネットワークデバイスによって送信されたアップリンクスケジューリング情報を受信することと、
アップリンクスケジューリング情報中に含まれる非周期チャネル状態指示情報ならびに変調およびコーディング指示情報に基づいてプロセッサによって、アップリンクスケジューリング情報によって示されるアップリンクリソース上でフィードバック情報を送信すべきかどうかを判定することと、
アップリンクリソース上でフィードバック情報を送信することを決定した場合、通信モジュールを使用することによってアップリンクリソース上でフィードバック情報をプロセッサによって送信することと
を実施するためにアップリンク情報送信プログラムコードを呼び出すように構成されている。
【００４６】
上記の動作を実施することによって、端末デバイスは、端末デバイスがＨＡＲＱ−ＡＣＫをフィードバックする必要があるかどうかを判定することができ、さらに、余分のシグナリングオーバーヘッドを引き起こすことなしに、既存のアップリンクスケジューリング情報（たとえば、ＵＬグラント）中に含まれる非周期チャネル状態指示情報ならびに変調およびコーディング指示情報を再利用することができ、それにより、シグナリングオーバーヘッドが低減される。
【００４７】
第７の態様に関して、第７の態様の第１の実装では、プロセッサは、
プロセッサが通信モジュールを使用することによってアップリンクリソース上でフィードバック情報を送信するとき、通信モジュールを使用することによってアップリンクリソース上でアップリンクデータおよび非周期チャネル状態情報のうちの少なくとも１つをプロセッサによってさらに送信する
ようにさらに構成されている。
【００４８】
上記の動作が実施される。したがって、既存のＵＬグラントにおける指示方法が最大限に再利用され、スケジュールされたアップリンクリソース上でＵＬ−ＳＣＨおよび／またはａＣＳＩを送信することを端末デバイスによって決定するための以前の方法が維持されることが可能であり、それにより、端末デバイスはわずかにしか変更されない。
【００４９】
第７の態様または第７の態様の第１の実装に関して、第７の態様の第２の実装では、アップリンクスケジューリング情報中に含まれる非周期チャネル状態指示情報ならびに変調およびコーディング指示情報に基づいてプロセッサによって、アップリンクスケジューリング情報によって示されるアップリンクリソース上でフィードバック情報を送信すべきかどうかを判定することは、
アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、アップリンクスケジューリング情報によって示されるアップリンクリソース上でフィードバック情報を送信することをプロセッサによって決定すること、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、アップリンクスケジューリング情報によって示されるアップリンクリソース上でフィードバック情報を送信することをプロセッサによって決定すること
を含む。
【００５０】
上記の動作が実施される。したがって、ライセンスフリー周波数帯域上で、非同期および適応アップリンクデータ送信が実施されてアップリンクリソースが効果的に使用される。この場合、ノンアダプティブ再送のために主に使用される変調およびコーディング方式（ＭＣＳインデックス）２９から３１は、ＵＥがアップリンクデータを送信するときに使用されるＭＣＳを示すために使用されなくてよく、それにより、ＭＣＳインデックス２９から３１を使用することによっておよび非周期チャネル状態指示情報（ａＣＳＩトリガ）に関して、アップリンクリソース上でＨＡＲＱ−ＡＣＫを送信すべきかどうかが判定されることができる。
【００５１】
第８の態様によれば、プロセッサ、メモリ、および通信モジュールを含む、端末デバイスが提供され、メモリは、アップリンク情報送信プログラムコードを記憶するように構成されており、プロセッサは、以下の動作、
通信モジュールを使用することによってプロセッサによって、アクセスネットワークデバイスによって送信されたアップリンクスケジューリング情報を受信することと、
アップリンクスケジューリング情報中に含まれる変調およびコーディング指示情報に基づいてプロセッサによって、アップリンクスケジューリング情報によって示されるアップリンクリソース上でアップリンクデータを送信すべきかどうかを判定することと、
アップリンクリソース上でアップリンクデータを送信することを決定した場合、通信モジュールを使用することによってアップリンクリソース上でアップリンクデータをプロセッサによって送信することと
を実施するためにアップリンク情報送信プログラムコードを呼び出すように構成されている。
【００５２】
上記の動作を実施することによって、端末デバイスは、余分のシグナリングオーバーヘッドを引き起こすことなしに、変調およびコーディング指示情報のみを使用することによって、端末デバイスがアップリンクデータをフィードバックする必要があるかどうかを判定することができ、それにより、シグナリングオーバーヘッドが低減される。加えて、端末デバイスは、非周期チャネル状態指示情報と無関係に、アップリンクデータを送信すべきかどうかを判定することができ、それにより、端末デバイスによる検出の複雑さが低減される。
【００５３】
第８の態様に関して、第８の態様の第１の実装では、アップリンクスケジューリング情報中に含まれる変調およびコーディング指示情報に基づいてプロセッサによって、アップリンクスケジューリング情報によって示されるアップリンクリソース上でアップリンクデータを送信すべきかどうかを判定することは、
アップリンクスケジューリング情報中に含まれる変調およびコーディング指示情報に対応するインデックス番号が０から２８の中のいずれかの値であるとプロセッサが判定したとき、アップリンクスケジューリング情報によって示されるアップリンクリソース上でアップリンクデータを送信することをプロセッサによって決定すること、および／または
アップリンクスケジューリング情報中に含まれる変調およびコーディング指示情報に対応するインデックス番号が２９から３１の中のいずれかの値であるとプロセッサが判定したとき、アップリンクスケジューリング情報によって示されるアップリンクリソース上でアップリンクデータを送信しないことをプロセッサによって決定すること
を含む。
【００５４】
上記の動作が実施され、それにより、アップリンクデータのＭＣＳは適応的に調整されて、データ送信効率が改善されることが可能である。
【００５５】
第８の態様の第１の実装に関して、第８の態様の第２の実装では、アップリンクスケジューリング情報によって示されるアップリンクリソース上でアップリンクデータを送信することをプロセッサによって決定することは、
アップリンクスケジューリング情報中に含まれる非周期チャネル状態指示情報およびフィードバック指示情報に基づいてプロセッサによって、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定すること
を含む。
【００５６】
第８の態様の第１の実装に関して、第８の態様の第３の実装では、アップリンクスケジューリング情報によって示されるアップリンクリソース上でアップリンクデータを送信しないことをプロセッサによって決定することは、
アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定すること
を含む。
【００５７】
第８の態様の第３の実装に関して、第８の態様の第４の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
変調およびコーディング指示情報に対応するインデックス番号が２９であるとプロセッサが判定したとき、アップリンクスケジューリング情報によって示されるアップリンクリソース上で非周期チャネル状態情報を送信することをプロセッサによって決定すること、および／または
変調およびコーディング指示情報に対応するインデックス番号が３０または３１であるとプロセッサが判定したとき、アップリンクスケジューリング情報によって示されるアップリンクリソース上でフィードバック情報、または非周期チャネル状態情報およびフィードバック情報を送信することをプロセッサによって決定すること
を含む。
【００５８】
第８の態様の第３の実装に関して、第８の態様の第５の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
変調およびコーディング指示情報に対応するインデックス番号が２９であり、アップリンクスケジューリング情報中に含まれる非周期チャネル状態指示情報が「真」に設定されているとプロセッサが判定したとき、アップリンクスケジューリング情報によって示されるアップリンクリソース上で非周期チャネル状態情報を送信することをプロセッサによって決定すること、および／または
変調およびコーディング指示情報に対応するインデックス番号が２９であり、アップリンクスケジューリング情報中に含まれる非周期チャネル状態指示情報が「偽」に設定されているとプロセッサが判定したとき、アップリンクスケジューリング情報によって示されるアップリンクリソース上でフィードバック情報、または非周期チャネル状態情報およびフィードバック情報を送信することをプロセッサによって決定すること
を含む。
【００５９】
第８の態様の第５の実装に関して、第８の態様の第６の実装では、アップリンクスケジューリング情報によって示されるアップリンクリソース上でフィードバック情報、または非周期チャネル状態情報およびフィードバック情報を送信することをプロセッサによって決定することは、
アップリンクスケジューリング情報によって示されるアップリンクリソース上でフィードバック情報を送信することをプロセッサによって決定すること
を含み、
プロセッサは、
変調およびコーディング指示情報に対応するインデックス番号が３０または３１であるとプロセッサが判定したとき、アップリンクスケジューリング情報によって示されるアップリンクリソース上で非周期チャネル状態情報およびフィードバック情報を送信することをプロセッサによって決定する
ようにさらに構成されている。
【００６０】
第８の態様の第５の実装に関して、第８の態様の第７の実装では、アップリンクスケジューリング情報によって示されるアップリンクリソース上でフィードバック情報、または非周期チャネル状態情報およびフィードバック情報を送信することをプロセッサによって決定することは、
アップリンクスケジューリング情報によって示されるアップリンクリソース上で非周期チャネル状態情報およびフィードバック情報を送信することをプロセッサによって決定するステップ
を含み、
プロセッサは、
変調およびコーディング指示情報に対応するインデックス番号が３０または３１であるとプロセッサが判定したとき、アップリンクスケジューリング情報によって示されるアップリンクリソース上でフィードバック情報を送信することをプロセッサによって決定する
ようにさらに構成されている。
【００６１】
第８の態様の第３の実装に関して、第８の態様の第８の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
アップリンクスケジューリング情報中に含まれる非周期チャネル状態指示情報およびフィードバック指示情報に基づいてプロセッサによって、アップリンクスケジューリング情報によって示されるアップリンクリソース上で非周期チャネル状態情報、フィードバック情報、または非周期チャネル状態情報およびフィードバック情報を送信することを決定すること
を含む。
【００６２】
第８の態様の第３の実装に関して、第８の態様の第９の実装では、アップリンクスケジューリング情報中に含まれる変調およびコーディング指示情報、非周期チャネル状態指示情報、ならびにフィードバック指示情報のうちの少なくとも１つに基づいてプロセッサによって、アップリンクスケジューリング情報によって示されるアップリンクリソース上で非周期チャネル状態情報、フィードバック情報、または非周期チャネル状態情報およびフィードバック情報を送信することを決定することは、
アップリンクスケジューリング情報中に含まれる変調およびコーディング指示情報、非周期チャネル状態指示情報、ならびにフィードバック指示情報に基づいてプロセッサによって、アップリンクスケジューリング情報によって示されるアップリンクリソース上で非周期チャネル状態情報、フィードバック情報、または非周期チャネル状態情報およびフィードバック情報を送信することを決定すること
を含む。
【００６３】
第９の態様によれば、プロセッサ、メモリ、および通信モジュールを含む、端末デバイスが提供され、メモリは、アップリンク情報送信プログラムコードを記憶するように構成されており、プロセッサは、以下の動作、
通信モジュールを使用することによってプロセッサによって、アクセスネットワークデバイスによって送信されたアップリンクスケジューリング情報を受信することと、
アップリンクスケジューリング情報中に含まれる非周期チャネル状態指示情報およびフィードバック指示情報に基づいてプロセッサによって、アップリンクスケジューリング情報によって示されるアップリンクリソース上で送信されるべきアップリンク情報を判定することであって、アップリンク情報が、アップリンクデータ、非周期チャネル状態情報、およびフィードバック情報のうちの少なくとも１つを含む、ことと、
通信モジュールを使用することによってアップリンクリソース上でアップリンク情報をプロセッサによって送信することと
を実施するためにアップリンク情報送信プログラムコードを呼び出すように構成されている。
【００６４】
上記の動作を実施することによって、端末デバイスは、アップリンクスケジューリング情報中に含まれる非周期チャネル状態指示情報および追加された指示ビット（フィードバック指示情報）に基づいて、フィードバックされる必要があるアップリンク情報を判定することができる。ＵＥは、従来技術のようにスペシャルＭＣＳ構成および明示的シグナリングに基づいて判定する（たとえば、従来技術では、ＵＥは、ａＣＳＩトリガ指示およびＭＣＳインデックス＝２９に基づいて、ａＣＳＩを送信すべきかどうかを判定する）ことを実施することなしに、アップリンクスケジューリング情報中に含まれる明示的シグナリングに基づいて、非周期ＣＳＩを送信するが、ＨＡＲＱ−ＡＣＫと、ＨＡＲＱ−ＡＣＫおよびａＣＳＩと、ＨＡＲＱ−ＡＣＫおよびアップリンクデータと、ＨＡＲＱ−ＡＣＫ、ａＣＳＩ、およびアップリンクデータと、ａＣＳＩおよびアップリンクデータと、アップリンクデータとのいずれも送信しないことを決定することができ、それにより、ＭＣＳは通常に使用され得る。予約済みＭＣＳを使用して変調およびコーディング順序を表して、ダウンリンクデータ送信効率を改善し得る。
【００６５】
第１０の態様によれば、プロセッサ、メモリ、および通信モジュールを含む、アクセスネットワークデバイスが提供され、メモリは、アップリンク情報送信プログラムコードを記憶するように構成されており、プロセッサは、以下の動作、
通信モジュールを使用することによって端末デバイスにアップリンクスケジューリング情報をプロセッサによって送信することであって、アップリンクスケジューリング情報が非周期チャネル状態指示情報ならびに変調およびコーディング指示情報を含み、非周期チャネル状態指示情報ならびに変調およびコーディング指示情報が、アップリンクスケジューリング情報によって示されるアップリンクリソース上でフィードバック情報を送信すべきかどうかを判定するように端末デバイスに命令するために使用される、ことと、
アップリンクスケジューリング情報によって示されるアップリンクリソース上でフィードバック情報を送信するように非周期チャネル状態指示情報ならびに変調およびコーディング指示情報が端末デバイスに命令した場合、アップリンクリソース上で端末デバイスによって送信されたフィードバック情報を、通信モジュールを使用することによってプロセッサによって受信することと
を実施するためにアップリンク情報送信プログラムコードを呼び出すように構成されている。
【００６６】
第１０の態様に関して、第１０の態様の第１の実装では、アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用され、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、非周期チャネル状態指示情報ならびに変調およびコーディング指示情報は、アップリンクスケジューリング情報によって示されるアップリンクリソース上でフィードバック情報を送信するように端末デバイスに命令するために使用される。
【００６７】
第１１の態様によれば、プロセッサ、メモリ、および通信モジュールを含む、アクセスネットワークデバイスが提供され、メモリは、アップリンク情報送信プログラムコードを記憶するように構成されており、プロセッサは、以下の動作、
通信モジュールを使用することによって端末デバイスにアップリンクスケジューリング情報をプロセッサによって送信することであって、アップリンクスケジューリング情報が変調およびコーディング指示情報を含み、変調およびコーディング指示情報が、アップリンクスケジューリング情報によって示されるアップリンクリソース上でアップリンクデータを送信すべきかどうかを判定するために端末デバイスによって使用される、ことと、
アップリンクスケジューリング情報によって示されるアップリンクリソース上でアップリンクデータを送信するように変調およびコーディング指示情報が端末デバイスに命令した場合、アップリンクリソース上で端末デバイスによって送信されたアップリンクデータを、通信モジュールを使用することによってプロセッサによって受信することと
を実施するためにアップリンク情報送信プログラムコードを呼び出すように構成されている。
【００６８】
第１１の態様に関して、第１１の態様の第１の実装では、アップリンクスケジューリング情報中に含まれる変調およびコーディング指示情報に対応するインデックス番号が０から２８の中のいずれかの値であるとき、変調およびコーディング指示情報は、アップリンクスケジューリング情報によって示されるアップリンクリソース上でアップリンクデータを送信することを端末デバイスに示し、および／または
アップリンクスケジューリング情報中に含まれる変調およびコーディング指示情報に対応するインデックス番号が２９から３１の中のいずれかの値であるとき、変調およびコーディング指示情報は、アップリンクスケジューリング情報によって示されるアップリンクリソース上でアップリンクデータを送信しないことを端末デバイスに示す。
【００６９】
第１１の態様に関して、第１１の態様の第２の実装では、アップリンクスケジューリング情報はフィードバック指示情報をさらに含み、非周期チャネル状態指示情報およびフィードバック指示情報は、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定するために端末デバイスによって使用される。
【００７０】
第１１の態様に関して、第１１の態様の第３の実装では、アップリンクスケジューリング情報は非周期チャネル状態指示情報およびフィードバック指示情報をさらに含み、変調およびコーディング指示情報、非周期チャネル状態指示情報、ならびにフィードバック指示情報のうちの少なくとも１つは、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００７１】
第１１の態様の第３の実装に関して、第１１の態様の第４の実装では、変調およびコーディング指示情報に対応するインデックス番号が２９であるとき、変調およびコーディング指示情報は、アップリンクスケジューリング情報によって示されるアップリンクリソース上で非周期チャネル状態情報を送信することを端末デバイスに示し、および／または
変調およびコーディング指示情報に対応するインデックス番号が３０もしくは３１であるとき、変調およびコーディング指示情報は、アップリンクスケジューリング情報によって示されるアップリンクリソース上でフィードバック情報、または非周期チャネル状態情報およびフィードバック情報を送信することを端末デバイスに示す。
【００７２】
第１１の態様の第３の実装に関して、第１１の態様の第５の実装では、変調およびコーディング指示情報に対応するインデックス番号が２９であり、アップリンクスケジューリング情報中に含まれる非周期チャネル状態指示情報が「真」に設定されているとき、変調およびコーディング指示情報ならびに非周期チャネル状態指示情報は、アップリンクスケジューリング情報によって示されるアップリンクリソース上で非周期チャネル状態情報を送信するように端末デバイスに命令するために使用され、および／または
変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報、または非周期チャネル状態情報およびフィードバック情報を送信するように端末デバイスに命令するために使用される。
【００７３】
第１１の態様の第５の実装に関して、第１１の態様の第６の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上でフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上で非周期チャネル状態情報およびフィードバック情報を送信することを端末デバイスに示す。
【００７４】
第１１の態様の第５の実装に関して、第１１の態様の第７の実装では、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報は、アップリンクスケジューリング情報によって示されるアップリンクリソース上で非周期チャネル状態情報およびフィードバック情報を送信するように端末デバイスに命令するために使用されるか、または変調およびコーディング指示情報に対応するインデックス番号が３０もしくは３１であるとき、変調およびコーディング指示情報は、アップリンクスケジューリング情報によって示されるアップリンクリソース上でフィードバック情報を送信することを端末デバイスに示す。
【００７５】
第１１の態様の第３の実装に関して、第１１の態様の第８の実装では、アップリンクスケジューリング情報中に含まれる非周期チャネル状態指示情報およびフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００７６】
第１１の態様の第３の実装に関して、第１１の態様の第９の実装では、アップリンクスケジューリング情報中に含まれる変調およびコーディング指示情報、非周期チャネル状態指示情報、ならびにフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【００７７】
第１２の態様によれば、プロセッサ、メモリ、および通信モジュールを含む、アクセスネットワークデバイスが提供され、メモリは、アップリンク情報送信プログラムコードを記憶するように構成されており、プロセッサは、以下の動作、
通信モジュールを使用することによって端末デバイスにアップリンクスケジューリング情報をプロセッサによって送信することであって、アップリンクスケジューリング情報が非周期チャネル状態指示情報およびフィードバック指示情報を含み、非周期チャネル状態指示情報およびフィードバック指示情報が、アップリンクスケジューリング情報によって示されるアップリンクリソース上で送信されるべきアップリンク情報を判定するように端末デバイスに命令するために使用され、アップリンク情報が、アップリンクデータ、非周期チャネル状態情報、およびフィードバック情報のうちの少なくとも１つを含む、ことと、
アップリンクリソース上で端末デバイスによって送信されたアップリンク情報を、通信モジュールを使用することによってプロセッサによって受信することと
を実施するためにアップリンク情報送信プログラムコードを呼び出すように構成されている。
【００７８】
第１３の態様によれば、端末デバイスが提供され、端末デバイスは、第１の態様または第１の態様のいずれか１つの実装によるアップリンク情報送信方法を実施するように構成されているモジュールまたはユニットを含む。
【００７９】
第１４の態様によれば、端末デバイスが提供され、端末デバイスは、第２の態様または第２の態様のいずれか１つの実装によるアップリンク情報送信方法を実施するように構成されているモジュールまたはユニットを含む。
【００８０】
第１５の態様によれば、端末デバイスが提供され、端末デバイスは、第３の態様または第３の態様のいずれか１つの実装によるアップリンク情報送信方法を実施するように構成されているモジュールまたはユニットを含む。
【００８１】
第１６の態様によれば、アクセスネットワークデバイスが提供され、アクセスネットワークデバイスは、第４の態様または第４の態様のいずれか１つの実装によるアップリンク情報送信方法を実施するように構成されているモジュールまたはユニットを含む。
【００８２】
第１７の態様によれば、アクセスネットワークデバイスが提供され、端末デバイスは、第５の態様または第５の態様のいずれか１つの実装によるアップリンク情報送信方法を実施するように構成されているモジュールまたはユニットを含む。
【００８３】
第１８の態様によれば、アクセスネットワークデバイスが提供され、端末デバイスは、第６の態様または第６の態様のいずれか１つの実装によるアップリンク情報送信方法を実施するように構成されているモジュールまたはユニットを含む。
【００８４】
第１９の態様によれば、通信システムが提供され、通信システムは、第７の態様もしくは第１３の態様による端末デバイスおよび第１０の態様もしくは第１６の態様によるアクセスネットワークデバイスを含むか、通信システムは、第８の態様もしくは第１４の態様による端末デバイスおよび第１１の態様もしくは第１７の態様によるアクセスネットワークデバイスを含むか、または通信システムは、第９の態様もしくは第１５の態様による端末デバイスおよび第１２の態様もしくは第１８の態様によるアクセスネットワークデバイスを含む。
【００８５】
第２０の態様によれば、コンピュータ可読記憶媒体が提供され、可読記憶媒体は、第１の態様または第１の態様のいずれか１つの実装によるアップリンク情報送信方法を実施するためのプログラムコードを記憶し、プログラムコードは、アップリンク情報送信方法を実施するための実行命令を含む。
【００８６】
第２１の態様によれば、コンピュータ可読記憶媒体が提供され、可読記憶媒体は、第２の態様または第２の態様のいずれか１つの実装によるアップリンク情報送信方法を実施するためのプログラムコードを記憶し、プログラムコードは、アップリンク情報送信方法を実施するための実行命令を含む。
【００８７】
第２２の態様によれば、コンピュータ可読記憶媒体が提供され、可読記憶媒体は、第３の態様または第３の態様のいずれか１つの実装によるアップリンク情報送信方法を実施するためのプログラムコードを記憶し、プログラムコードは、アップリンク情報送信方法を実施するための実行命令を含む。
【００８８】
第２３の態様によれば、コンピュータ可読記憶媒体が提供され、可読記憶媒体は、第４の態様または第４の態様のいずれか１つの実装によるアップリンク情報送信方法を実施するためのプログラムコードを記憶し、プログラムコードは、アップリンク情報送信方法を実施するための実行命令を含む。
【００８９】
第２４の態様によれば、コンピュータ可読記憶媒体が提供され、可読記憶媒体は、第５の態様または第５の態様のいずれか１つの実装によるアップリンク情報送信方法を実施するためのプログラムコードを記憶し、プログラムコードは、アップリンク情報送信方法を実施するための実行命令を含む。
【００９０】
第２５の態様によれば、コンピュータ可読記憶媒体が提供され、可読記憶媒体は、第６の態様または第６の態様のいずれか１つの実装によるアップリンク情報送信方法を実施するためのプログラムコードを記憶し、プログラムコードは、アップリンク情報送信方法を実施するための実行命令を含む。
【００９１】
上記の態様のいずれか１つに関して、本発明のいくつかの実装では、端末デバイスがアップリンクリソース上で非周期チャネル状態情報もアップリンクデータも送信しない場合、アップリンクリソースは、物理アップリンク制御チャネル中に含まれるリソースであるか、または
端末デバイスがアップリンクリソース上で非周期チャネル状態情報および／またはアップリンクデータを送信する場合、アップリンクリソースは、物理アップリンク共有チャネル中に含まれるリソースである。
【００９２】
この方式は以下の利点を有する。ＨＡＲＱ−ＡＣＫを送信するが、アップリンクデータも非周期チャネル状態情報も送信しないことを端末デバイスが決定したとき、端末デバイスは、物理アップリンク制御チャネル（英語：Ｐｈｙｓｉｃａｌ  Ｕｐｌｉｎｋ  Ｃｏｎｔｒｏｌ  Ｃｈａｎｎｅｌ、ＰＵＣＣＨ）を使用することによってＨＡＲＱ−ＡＣＫを送信し得る。物理アップリンク共有チャネル（英語：Ｐｈｙｓｉｃａｌ  Ｕｐｌｉｎｋ  Ｓｈａｒｅｄ  Ｃｈａｎｎｅｌ、ＰＵＳＣＨ）にＨＡＲＱ−ＡＣＫを追加する方式と比較して、この方式では、マルチユーザ多重化が達成されて、ライセンスフリー周波数帯域リソースが効果的に使用されることが可能である。加えて、非周期チャネル状態情報が送信されるべきであるか、または非周期チャネル状態情報およびＨＡＲＱ−ＡＣＫが送信されるべきであるとき、非周期チャネル状態情報または非周期チャネル状態情報およびＨＡＲＱ−ＡＣＫをＰＵＳＣＨに追加するための既存の設計方法が再利用され得る。
【００９３】
上記の態様のいずれか１つに関して、本発明のいくつかの実装では、端末デバイスがアップリンクリソース上でアップリンクデータを送信しない場合、アップリンクリソースは、物理アップリンク制御チャネル中に含まれるリソースであるか、または
端末デバイスがアップリンクリソース上でアップリンクデータを送信する場合、アップリンクリソースは、物理アップリンク共有チャネル中に含まれるリソースである。
【００９４】
この方式は以下の利点を有する。端末デバイスが送信することを決定するアップリンク情報がアップリンク制御情報であり、たとえば、ＨＡＲＱ−ＡＣＫと非周期チャネル状態情報の両方がアップリンク制御情報に属するとき、端末デバイスはＰＵＣＣＨ上で制御情報を送信し得、それにより、マルチユーザ多重化が達成されて、ライセンスフリー周波数帯域リソースが効果的に使用されることが可能である。
【００９５】
上記の態様のいずれか１つに関して、本発明のいくつかの実装では、物理アップリンク制御チャネル中に含まれるリソースに対応するアップリンクスケジューリング情報のフォーマットは、物理アップリンク共有チャネル中に含まれるリソースに対応するアップリンクスケジューリング情報のフォーマットと同じである。
【００９６】
この方式は以下の利点を有する。ＰＵＣＣＨ上でアップリンク情報を送信するように端末デバイスに命令するスケジューリング指示情報（またはダウンリンク制御情報（英語：Ｄｏｗｎｌｉｎｋ  Ｃｏｎｔｒｏｌ  Ｉｎｆｏｒｍａｔｉｏｎ、ＤＣＩ））のフォーマットは、ＰＵＳＣＨ上でアップリンク情報を送信するように端末デバイスに命令するスケジューリング指示情報（またはダウンリンク制御情報ＤＣＩ）のフォーマットと同じであり、それにより、端末デバイスによるブラインド検出の複雑さが低減されることができる。
【図面の簡単な説明】
【００９７】
本発明の実施形態における技術的解決策についてより明確に説明するために、以下で、実施形態について説明するために必要とされる添付の図面について手短に説明する。
【００９８】
【図１Ａ】ＬＴＥシステムにおける異なるＴＤＤアップリンクダウンリンク構成の概略図である。
【図１Ｂ】ＬＴＥ  ＴＤＤシステムにおけるＰＤＳＣＨとＰＤＳＣＨに対応するＡＣＫ／ＮＡＣＫとの間の時間系列関係の概略図である。
【図２】本発明の一実施形態による通信システムの概略図である。
【図３】本発明の一実施形態によるアップリンク情報送信方法の概略フローチャートである。
【図４】本発明の一実施形態による別のアップリンク情報送信方法の概略フローチャートである。
【図５】本発明の一実施形態による別のアップリンク情報送信方法の概略フローチャートである。
【図６】本発明の一実施形態による端末デバイスの概略構造図である。
【図７】本発明の一実施形態によるアクセスネットワークデバイスの概略構造図である。
【図８】本発明の一実施形態による別の端末デバイスの概略構造図である。
【図９】本発明の一実施形態による別のアクセスネットワークデバイスの概略構造図である。
【図１０】本発明の一実施形態による別の端末デバイスの概略構造図である。
【図１１】本発明の一実施形態による別のアクセスネットワークデバイスの概略構造図である。
【図１２】本発明の一実施形態による別の端末デバイスの概略構造図である。
【図１３】本発明の一実施形態による別のアクセスネットワークデバイスの概略構造図である。
【図１４】本発明の一実施形態による別の端末デバイスの概略構造図である。
【図１５】本発明の一実施形態による別のアクセスネットワークデバイスの概略構造図である。
【図１６】本発明の一実施形態による別の端末デバイスの概略構造図である。
【図１７】本発明の一実施形態による別のアクセスネットワークデバイスの概略構造図である。
【発明を実施するための形態】
【００９９】
本発明の実装において使用される用語は、本発明の特定の実施形態について説明するためのものにすぎず、本発明を限定するものではない。以下で、本発明の実施形態における添付の図面を参照しながら、本発明の実施形態における技術的解決策について明確に説明する。
【０１００】
図２を参照すると、図２は、本発明の一実施形態による通信システムを示している。本発明のこの実施形態では、アクセスネットワークデバイスおよび端末デバイスがアンライセンススペクトル上で動作し得る。アクセスネットワークデバイスおよび端末デバイスは、エアインターフェース技術を使用することによって互いに通信する。エアインターフェース技術は、既存の２Ｇ（たとえば、モバイル通信用グローバルシステム（英語：Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ））、３Ｇ（たとえば、ユニバーサルモバイルテレコミュニケーションズシステム（英語：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、広帯域符号分割多元接続（英語：Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（要録商標））、および時分割同期符号分割多元接続（英語：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ））、ならびに４Ｇ（たとえば、ＦＤＤ  ＬＴＥおよびＴＤＤ  ＬＴＥ）、ならびに将来の４．５Ｇシステム、５Ｇシステムなどを含み得る。
【０１０１】
本発明では、端末デバイスに関する実施形態について説明し、本発明では、一般的な意味におけるユーザ機器（英語：Ｕｓｅｒ  Ｅｑｕｉｐｍｅｎｔ、ＵＥ）を使用することによって実施形態について説明する。加えて、端末デバイスは、モバイルコンソール、アクセス端末、加入者ユニット、加入者局、移動局、リモート局、リモート端末、モバイルデバイス、ユーザ端末、端末、ワイヤレス通信デバイス、ユーザエージェント、ユーザ装置などと呼ばれることもある。端末デバイスは、ワイヤレスローカルエリアネットワーク（英語：Ｗｉｒｅｌｅｓｓ  Ｌｏｃａｌ  Ａｒｅａ  Ｎｅｔｗｏｒｋ、ＷＬＡＮ）中の局（英語：Ｓｔａｔｉｏｎ、ＳＴ）であってよいか、またはセルラーフォン、コードレス電話機、セッション開始プロトコル（英語：Ｓｅｓｓｉｏｎ  Ｉｎｉｔｉａｔｉｏｎ  Ｐｒｏｔｏｃｏｌ、ＳＩＰ）フォン、ワイヤレスローカルループ（英語：Ｗｉｒｅｌｅｓｓ  Ｌｏｃａｌ  Ｌｏｏｐ、ＷＬＬ）局、携帯情報端末（英語：Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の移動局、将来の発展型パブリックランドモバイルネットワーク（英語：Ｐｕｂｌｉｃ  Ｌａｎｄ  Ｍｏｂｉｌｅ  Ｎｅｔｗｏｒｋ、ＰＬＭＮ）ネットワーク中の端末デバイスなどであってよい。加えて、本発明のこの実施形態では、端末デバイスは、アクセスネットワークデバイス（たとえば、基地局）とデータ通信を実施することができるリレー（英語：Ｒｅｌａｙ）および別のデバイスであってよい。
【０１０２】
本発明では、アクセスネットワークデバイスに関する実施形態について説明する。アクセスネットワークデバイスは、端末デバイスと通信するように構成されているデバイスであってよい。アクセスネットワークデバイスは、ＷＬＡＮ中のアクセスポイント（英語：Ａｃｃｅｓｓ  Ｐｏｉｎｔ、ＡＰ）またはＧＳＭ（登録商標）もしくはＣＤＭＡ中の基地トランシーバ局（英語：Ｂａｓｅ  Ｔｒａｎｓｃｅｉｖｅｒ  Ｓｔａｔｉｏｎ、ＢＴＳ）であってよいか、ＷＣＤＭＡ中のノードＢ（英語：ＮｏｄｅＢ、ＮＢ）であってよいか、またはＬＴＥ中の発展型ノードＢ（英語：ｅｖｏｌｖｅｄ  ＮｏｄｅＢ、ｅＮＢ）、リレー局、アクセスポイント、車載デバイス、ウェアラブルデバイス、将来の５Ｇネットワーク中のアクセスネットワークデバイス、将来の発展型ＰＬＭＮネットワーク中のアクセスネットワークデバイスなどであってよい。
【０１０３】
本発明のこの実施形態では、端末デバイスおよびアクセスネットワークデバイスは、ライセンスフリースペクトルリソース（またはライセンスフリー周波数帯域）を使用することによってワイヤレス通信を実施する（たとえば、アップリンク情報またはダウンリンク情報を送信する）ことができ、具体的には、本発明のこの実施形態において説明される通信システムは、ライセンスフリー周波数帯域を使用することができる通信システムである。限定ではなく例として、通信システムは、ＬＴＥ（英語：Ｌｉｃｅｎｓｅｄ−Ａｓｓｉｓｔｅｄ  Ａｃｃｅｓｓ  Ｕｓｉｎｇ  ＬＴＥ、ＬＡＡ−ＬＴＥ）技術を使用するライセンス支援型アクセスを使用することによってライセンスフリー周波数帯域を使用してよいか、通信システムは、二重接続性（英語：Ｄｕａｌ  Ｃｏｎｎｅｃｔｉｖｉｔｙ、ＤＣ）技術を使用することによってライセンスフリー周波数帯域を使用してよいか、または通信システムは、ライセンスフリー周波数帯域を独立して展開する技術、たとえば、スタンドアロンＬＴＥオーバーアンライセンススペクトル技術を使用することによってライセンスフリー周波数帯域を使用してよい。ＬＡＡ−ＬＴＥ技術は、既存のＬＴＥシステムにおいておよび通信のために事業者のライセンス周波数帯域上にキャリア（ライセンスキャリア）を構成することに基づいてキャリアアグリゲーション（英語：Ｃａｒｒｉｅｒ  Ａｇｇｒｅｇａｔｉｏｎ、ＣＡ）の構成および構造を使用することによって、ならびにライセンスフリーキャリアを通信のために使用するのを支援するためにライセンスキャリアを使用することによって、複数のライセンスフリー周波数帯域上にキャリア（ライセンスフリーキャリア）を構成する技術である。特に、ＣＡ方式では、ＬＴＥデバイスは、１次コンポーネントキャリア（英語：Ｐｒｉｍａｒｙ  Ｃｏｍｐｏｎｅｎｔ  Ｃａｒｒｉｅｒ、ＰＣＣ）または１次セル（Ｐｒｉｍａｒｙ  Ｃｅｌｌ、ＰＣｅｌｌ）としてライセンスキャリアを構成し、２次コンポーネントキャリア（英語：Ｓｅｃｏｎｄａｒｙ  Ｃｏｍｐｏｎｅｎｔ  Ｃａｒｒｉｅｒ、ＳＣＣ）または２次セル（英語：Ｓｅｃｏｎｄａｒｙ  Ｃｅｌｌ、ＳＣｅｌｌ）としてライセンスフリーキャリアを構成し得る。さらに、本発明のこの実施形態では、１次セルおよび２次セルは、１つの局において展開されてよいか、または異なる局において展開されてよい。ＤＣ技術は、非ＣＡ（または非理想的バックホール）方式でライセンスキャリアとライセンスフリーキャリアを一緒に使用する技術を含む。
【０１０４】
ライセンスフリースペクトルリソースは、ライセンスフリースペクトル中に含まれており、システム割振りを必要とせずに通信デバイスによって共有され得るリソースである。ライセンスフリー周波数帯域上のリソース共有は、特定のスペクトルの使用中に送信電力および帯域外リークなどのカウンタのみに制限が課されて、周波数帯域を一緒に使用する複数のデバイスが基本的共存要件を満たすことが保証されることを意味する。事業者は、ライセンスフリー周波数帯域リソースを使用することによってネットワーク容量オフローディングを達成することができるが、事業者は、ライセンスフリー周波数帯域リソースのための異なる領域および異なるスペクトルについての規制要件に準拠する必要がある。これらの要件は、レーダーなどの公開システムを保護するために通常策定され、複数のシステムが互いに可能であれば悪影響を及ぼさず、公平に共存することを保証する。これらの要件は、送信電力制限、帯域外リークカウンタ、屋内／屋外使用制限、いくつかの領域におけるいくつかの追加の共存ポリシーなどを含む。たとえば、通信デバイスは、競合方式またはリスニング方式、たとえば、ＬＢＴによって指定された方式でスペクトルリソースを使用することができる。
【０１０５】
限定ではなく例として、本発明のこの実施形態では、ライセンスフリースペクトルリソースは、５ＧＨｚ周波数帯域の近くの約９００ＭＨｚ周波数帯域、および２．４ＧＨｚ周波数帯域の近くの約９０ＭＨｚ周波数帯域を含んでよい。
【０１０６】
ライセンススペクトルリソースは、通常、使用される前に国または地域のワイヤレス委員会によって承認される必要があるスペクトルリソースである。異なるシステム、たとえば、ＬＴＥシステムおよびＷｉＦｉシステム、または異なる事業者によって含まれるシステムは、ライセンススペクトルリソースを共有することができない。
【０１０７】
本発明のこの実施形態では、キャリアは概念的にセルに等価であることが考えられ得る。たとえば、端末デバイスによってキャリアにアクセスすることは、端末デバイスによってセルにアクセスすることに等価であり得る。別の例では、ＣＡシナリオにおいて、１次キャリアまたは２次キャリアが端末デバイスのために構成されたとき、キャリアのキャリアインデックスと、キャリア上で動作しているセルのセル識別情報（英語：Ｃｅｌｌ  ｉｄｅｎｔｉｆｙ、Ｃｅｌｌ  ＩＤ）が両方とも搬送される。この場合、キャリアは概念的にセルに等価であることが考えられ得る。本発明の実施形態の説明では、特に明記されない限り、「セル」は「キャリア」と置き換えられてよい。
【０１０８】
図３を参照すると、図３は、本発明の一実施形態によるアップリンク情報送信方法の概略フローチャートである。本方法は以下のステップを含むが、それらに限定されない。
【０１０９】
Ｓ３０１。端末デバイスが、アクセスネットワークデバイスによって送信されたアップリンクスケジューリング情報を受信する。
【０１１０】
本発明のこの実施形態では、アップリンクスケジューリング情報は、物理ダウンリンク制御チャネル（英語：Ｐｈｙｓｉｃａｌ  Ｄｏｗｎｌｉｎｋ  Ｃｏｎｔｒｏｌ  Ｃｈａｎｎｅｌ、ＰＤＣＣＨ）上で搬送される情報であってよいか、または拡張物理ダウンリンク制御チャネル（英語：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）上で搬送される情報であってよい。アップリンクスケジューリング情報は、アップリンクグラント（Ｕｐｌｉｎｋ  Ｇｒａｎｔ、ＵＬ  ｇｒａｎｔ）情報であってよく、アップリンク情報を送信することを端末デバイスに示す。リリース１４をサポートしているＬＴＥシステム、およびリリース１４よりも前のリリースをサポートしているＬＴＥシステムが例として使用される。アップリンクスケジューリング情報は、ダウンリンク制御情報（英語：Ｄｏｗｎｌｉｎｋ  Ｃｏｎｔｒｏｌ  Ｉｎｆｏｒｍａｔｉｏｎ、ＤＣＩ）フォーマット０（ＤＣＩ  ｆｏｒｍａｔ  ０）で送信される制御情報の全部もしくは一部、ＤＣＩフォーマット４（ＤＣＩ  ｆｏｒｍａｔ  ４）で送信される制御情報の全部もしくは一部、ＤＣＩフォーマット０Ａ（ＤＣＩ  ｆｏｒｍａｔ  ０Ａ）で送信される制御情報の全部もしくは一部、ＤＣＩフォーマット０Ｂ（ＤＣＩ  ｆｏｒｍａｔ  ０Ｂ）で送信される制御情報の全部もしくは一部、ＤＣＩフォーマット４Ａ（ＤＣＩ  ｆｏｒｍａｔ  ４Ａ）で送信される制御情報の全部もしくは一部、またはＤＣＩフォーマット４Ｂ（ＤＣＩ  ｆｏｒｍａｔ  ４Ｂ）で送信される制御情報の全部もしくは一部であってよい。上記の制御情報のすべては、本発明のこの実施形態ではアップリンクスケジューリング情報として考えることができる。本発明のこの実施形態では、アップリンクスケジューリング情報は、１つまたは複数の時間単位中でアップリンク情報を送信するように端末デバイスに命令するためにさらに使用され得る。本明細書で説明される時間単位は、１つのサブフレーム、１つのタイムスロット、または１つの直交周波数分割多重化（英語：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであってよい。これは、本発明のこの実施形態では特に限定されない。
【０１１１】
本発明のこの実施形態では、アップリンクスケジューリング情報は、ＰＵＣＣＨまたはＰＵＳＣＨ上でアップリンク情報を送信するように端末デバイスに命令するために使用され得る。アップリンク情報は、ＨＡＲＱ−ＡＣＫ、チャネル状態情報（英語：Ｃｈａｎｎｅｌ  Ｓｔａｔｅ  Ｉｎｆｏｒｍａｔｉｏｎ、ＣＳＩ）、およびアップリンクデータのうちの少なくとも１つを含み得る。ＨＡＲＱ−ＡＣＫは、少なくともＡＣＫまたはＮＡＣＫを含む。ＣＳＩは非周期ＣＳＩ（英語：Ａｐｅｒｉｏｄｉｃ  ＣＳＩ、ａＣＳＩ）を含む。アップリンクデータはアップリンクサービスデータであり、アップリンクデータは、アップリンク共有チャネル（英語：Ｕｐｌｉｎｋ  Ｓｈａｒｅｄ  Ｃｈａｎｎｅｌ、ＵＬ−ＳＣＨ）上で搬送されるトランスポートブロック（英語：Ｔｒａｎｓｐｏｒｔ  ｂｌｏｃｋ）として考えられ得る。説明を簡単にするために、本発明のこの実施形態では、特に明記されない限り、フィードバック情報は、ＨＡＲＱ−ＡＣＫを使用することによって表され、アップリンクデータは、ＵＬ−ＳＣＨを使用することによって表され、非周期チャネル状態情報は、ａＣＳＩを使用することによって表される。
【０１１２】
Ｓ３０２。端末デバイスが、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定する。
【０１１３】
本発明のこの実施形態では、アップリンクスケジューリング情報は、（ａＣＳＩトリガを使用することによって表すことができる）非周期チャネル状態指示情報と、（ＭＣＳインデックスを使用することによって表すことができる）変調およびコーディング指示情報とを少なくとも含む。非周期チャネル状態指示情報は、端末デバイスがＣＳＩをフィードバックするかどうかを示すために、またはアップリンクスケジューリング情報によって示されるアップリンクリソース上で端末デバイスがＣＳＩをフィードバックするかどうかを示すために使用される。非周期チャネル状態指示情報は、端末デバイスによってフィードバックされたＣＳＩに対応しているサービングセルおよび／またはチャネル状態情報処理（英語：Ｃｈａｎｎｅｌ  Ｓｔａｔｅ  Ｉｎｆｏｒｍａｔｉｏｎ  Ｐｒｏｃｅｓｓ、ＣＳＩ  ｐｒｏｃｅｓｓ）をさらに示し得る。本明細書では、サービングセルに対応するＣＳＩは、サービングセルと端末デバイスとの間のダウンリンクデータ送信リンクのチャネル状態情報として理解され得る。ダウンリンクデータ送信リンクは、サービングセルが端末デバイスにデータをその上で送信するデータ送信リンクである。ＣＳＩ処理に対応するＣＳＩは、ＣＳＩ処理に対応しているチャネル状態情報基準信号（英語：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）およびチャネル状態情報干渉測定（英語：Ｃｈａｎｎｅｌ  Ｓｔａｔｅ  Ｉｎｆｏｒｍａｔｉｏｎ  Ｉｎｔｅｒｆｅｒｅｎｃｅ  Ｍｅａｓｕｒｅｍｅｎｔ、ＣＳＩ−ＩＭ）リソースを使用することによって端末デバイスによって計算を通して取得されたＣＳＩ測定結果として理解され得る。言い換えれば、本発明のこの実施形態では、非周期チャネル状態指示情報がＣＳＩをフィードバックするように端末デバイスに命令したとき、フィードバックされるＣＳＩは、単一のサービングセルもしくは単一のＣＳＩ処理に対応していてよいか、または複数のサービングセルもしくは複数のＣＳＩ処理に対応していてよい。
【０１１４】
アップリンクスケジューリング情報がＵＬグラントである一例が使用される。アップリンクスケジューリング情報中に含まれる非周期チャネル状態指示情報は、ＵＬグラント中に含まれる非周期ＣＳＩ要求フィールド（英語：ＣＳＩ  ｒｅｑｕｅｓｔ  ｆｉｅｌｄ）を使用することによって表され得る。以下の表１は、非周期チャネル状態指示情報を使用するための例示的な方法を示している。表１では、非周期状態指示情報が「００」として表されているとき、それは、端末デバイスが非周期ＣＳＩを送信するようにトリガされないことを示す。非周期状態指示情報が「０１」として表されているとき、それは、端末デバイスが、非周期ＣＳＩを送信し、サービングセルに対応する非周期ＣＳＩのみを送信するようにトリガされることを示す。非周期状態指示情報が「１０」または「１１」として表されているとき、それは、端末デバイスが、サービングセルの第１のセット／第２のセットに対応する非周期ＣＳＩを送信するようにトリガされることを示す。サービングセルの第１のセット／第２のセットは、上位レイヤシグナリング構成を通して端末デバイスに示されるサービングセルを含む。
【０１１５】
【表１】
2019525557.tif 000039
【０１１６】
本発明のこの実施形態では、変調およびコーディング指示情報は以下のように理解することができる。アクセスネットワークデバイスが、アップリンクスケジューリング情報を使用することによって、アップリンクデータ（もしくはＵＬ−ＳＣＨ）を送信するように端末デバイスに命令したか、またはスケジューリング情報を使用することによってＰＵＳＣＨがスケジュールされたとき、端末デバイスは、アップリンクスケジューリング情報指示中に含まれる変調およびコーディング指示情報に基づいて、アップリンクデータを送信するために使用される変調次数（英語：Ｍｏｄｕｌａｔｉｏｎ  Ｏｒｄｅｒ）、トランスポートブロックサイズ（英語：Ｔｒａｎｓｍｉｓｓｉｏｎ  Ｂｌｏｃｋ  Ｓｉｚｅ、ＴＢＳ）インデックス（英語：Ｉｎｄｅｘ）、および冗長性バージョン（英語：Ｒｅｄｕｎｄａｎｃｙ  Ｖｅｒｓｉｏｎ、ＲＶ）のうちの少なくとも１つを判定し得る。さらに、端末デバイスは、ＴＢＳインデックス、およびスケジュールされたリソースの判定された量に基づいて、（サイクリック冗長検査（英語：Ｃｙｃｌｉｃ  Ｒｅｄｕｎｄａｎｃｙ  Ｃｈｅｃｋ）を除いて）送信されるビットであることができる元のビット量を判定し得る。アップリンクスケジューリング情報がＵＬグラントである一例が使用される。アップリンクスケジューリング情報中に含まれる変調およびコーディング指示情報は、ＵＬグラント中に含まれる５ビット変調およびコーディング方式ならびに冗長性バージョン（英語：Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ）を使用することによって表され得る。本発明のこの実施形態では、変調およびコーディング指示情報は、変調およびコーディング方式番号を用いた１対１の対応であってよい。端末デバイスは、変調およびコーディング方式番号に基づいて変調およびコーディング指示情報を判定し得る。代替として、端末デバイスは、変調およびコーディング方式番号に基づいて、変調次数、ＴＢＳ、およびＲＶのうちの少なくとも１つを判定し得る。
【０１１７】
特に、端末デバイスは、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定し得る。本発明のこの実施形態では、フィードバック情報はＨＡＲＱ−ＡＣＫである。
【０１１８】
本発明のこの実施形態では、アップリンクスケジューリング情報によって示されるアップリンクリソース上でＨＡＲＱ−ＡＣＫを送信することを端末デバイスが決定した場合、ＨＡＲＱ−ＡＣＫは、単一のサービングセル中に含まれ端末デバイスにスケジュールされているダウンリンクデータについてのＨＡＲＱ−ＡＣＫ肯定応答であってよいか、または複数のサービングセル中に含まれ端末デバイスにスケジュールされているダウンリンクデータについてのＨＡＲＱ−ＡＣＫ肯定応答であってよい。これは、本発明のこの実施形態では特に限定されない。たとえば、ＣＡシナリオでは、５つのサービングセルが端末デバイスのために構成され、サービングセル１（Ｓｅｒｖｉｎｇ  ｃｅｌｌ  １、ＳＣ１）、ＳＣ２、ＳＣ３、ＳＣ４、およびＳＣ５を使用することによってそれぞれ表され、これらの５つのサービングセルに対応するキャリアは、ＣＣ１、ＣＣ２、ＣＣ３、ＣＣ４、およびＣＣ５を使用することによってそれぞれ表される。アップリンクスケジューリング情報はＳＣ１中で送信され、端末デバイスは、アップリンクスケジューリング情報に基づいて、アップリンクスケジューリング情報によって示されるアップリンクリソース上でＨＡＲＱ−ＡＣＫをフィードバックすることを決定し、アップリンクリソースが属するキャリアは、サービングセル１のキャリア、すなわち、ＣＣ１と同じであると仮定される。この場合、１つの方式では、端末デバイスは、ＳＣ１のみの中に含まれるダウンリンクデータに対応するＨＡＲＱ−ＡＣＫをフィードバックする。他の方式では、端末デバイスは、複数のサービングセル中に含まれるダウンリンクデータに対応するＨＡＲＱ−ＡＣＫをフィードバックし得る。複数のサービングセルはすべてＣＣ１に対応しており、この対応は、ＲＲＣシグナリングを使用することによって構成され得る。たとえば、ＳＣ１／ＳＣ２／ＳＣ３のダウンリンクデータに対応するＨＡＲＱ−ＡＣＫがＣＣ１上で送信されるべきであることを、アクセスネットワークデバイスがＲＲＣシグナリング構成を通して端末デバイスに示し得る場合、ＣＣ１上でＨＡＲＱ−ＡＣＫを送信することを決定したとき、端末デバイスは、ＣＣ１上で、ＳＣ１／ＳＣ２／ＳＣ３のダウンリンクデータに対応するＨＡＲＱ−ＡＣＫを送信し得る。本発明のこの実施形態では、端末デバイスは、実際にスケジュールされたダウンリンクデータについてＨＡＲＱ−ＡＣＫ情報をフィードバックし得ることに留意されたい。たとえば、ダウンリンクデータ送信中に、アクセスネットワークデバイスは、端末デバイスに最大１６個のダウンリンクＨＡＲＱ処理をスケジュールすることができるが、ＨＡＲＱ−ＡＣＫをフィードバックすることを決定したとき、端末デバイスは、４つの実際にスケジュールされたダウンリンクＨＡＲＱ処理を判定することができる。この場合、端末デバイスは、４つのＨＡＲＱ処理のみについてフィードバックを与えればよい。代替として、本発明のこの実施形態では、端末デバイスは、アクセスネットワークデバイスによって構成されている最大量のダウンリンクＨＡＲＱ処理についてＨＡＲＱ−ＡＣＫ情報をフィードバックする。たとえば、アクセスネットワークデバイスが最大１６個のダウン��ンクＨＡＲＱ処理を構成することができる場合、ＨＡＲＱ−ＡＣＫをフィードバックすることを決定した後に、端末デバイスは、１６個未満のダウンリンクＨＡＲＱ処理が実際にスケジュールされた場合でも、１６個のＨＡＲＱ処理についてフィードバックを与え得る。さらに、アクセスネットワークデバイスによって構成されている最大量のダウンリンクＨＡＲＱ処理は、ＲＲＣシグナリングを使用することによって構成されてよいか、またはメディアアクセス制御（英語：Ｍｅｄｉｕｍ  Ａｃｃｅｓｓ  Ｃｏｎｔｒｏｌ、ＭＡＣ）シグナリングを使用することによって構成されてよい。代替として、最大量のダウンリンクＨＡＲＱ処理は規格またはプロトコルによって指定されてよい。これは、本発明のこの実施形態では特に限定されない。ＨＡＲＱ−ＡＣＫについての上記の説明は、図４または図５に示されている以下の実施形態にも適用可能である。詳細については以下で再び説明されない。
【０１１９】
本発明のこの実施形態では、アップリンクスケジューリング情報によって示されるアップリンクリソースの少なくとも２つの理解があり得る。１つの理解は、アップリンクリソースの特定のロケーション（たとえば、時間および／または周波数ロケーション）が、アップリンクスケジューリング情報によって示されるというものである。本明細書では、アップリンクリソースの時間ロケーションは、アップリンクリソースの時間ロケーションが含まれ、たとえば、サブフレームインデックス番号を使用することによって表され得ることを意味し、アップリンクリソースの周波数ロケーションは、アップリンクリソースの周波数ロケーションが含まれ、たとえば、リソースブロック（英語：Ｒｅｓｏｕｒｃｅ  Ｂｌｏｃｋ、ＲＢ）ロケーションを使用することによって表され得ることを意味する。ＵＬグラントが一例として使用される。ＵＬグラント中に含まれるリソースブロック割当ておよびホッピングリソース割振り（英語：Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）指示情報が使用されて、スケジュールされたアップリンクリソースの周波数ロケーションが端末デバイスに示され得る。別の理解は、アップリンクリソースの特定のロケーション（たとえば、時間および／または周波数ロケーション）が事前構成されており、たとえば、無線リソース制御（英語：Ｒａｄｉｏ  Ｒｅｓｏｕｒｃｅ  Ｃｏｎｔｒｏｌ、ＲＲＣ）シグナリングを使用することよって構成されているというものである。アップリンクスケジューリング情報によって示されるアップリンクリソースは、アップリンクスケジューリング情報が、事前構成されたアップリンクリソースを使用するように端末デバイスに命令することであると理解されてよい。たとえば、アップリンクリソースが、ＰＵＣＣＨ中に含まれるリソースであるとき、アップリンクスケジューリング情報に基づいて、アップリンクスケジューリング情報によって示されるＰＵＣＣＨリソース上でアップリンク情報を送信することを決定した場合、端末デバイスは、事前構成されたアップリンクリソースを使用することによってアップリンク情報を送信し得る。
【０１２０】
本発明のこの実施形態では、アップリンクリソースは、ＰＵＳＣＨ中に含まれるリソースであってよいか、またはＰＵＣＣＨ中に含まれるリソースであってよい。アップリンクリソースが、ＰＵＳＣＨ中に含まれるリソースであるとき、アクセスネットワークデバイスは、アップリンクスケジューリング情報を使用することによって、アップリンクリソースの特定の周波数ロケーションを示してよく、これは、ＰＵＳＣＨの周波数ロケーションとしても理解される。アップリンクリソースが、ＰＵＣＣＨ中に含まれるリソースであるとき、アクセスネットワークデバイスは、アップリンクスケジューリング情報を使用することによってアップリンクリソースの特定の周波数ロケーションを示してよいか、またはＰＵＣＣＨリソースを使用することによってアップリンク情報を送信するように、アップリンクスケジューリング情報を使用することによって端末デバイスに命令してよい。この場合、ＰＵＣＣＨリソースは事前構成されてよく、たとえば、ＲＲＣシグナリングを使用することによって構成されている。本発明のこの実施形態はそれに限定されない。
【０１２１】
本発明のこの実施形態では、アップリンクリソースが属するキャリアは、アップリンクスケジューリング情報が属するキャリアと同じであってよいか、またはそれとは異なってよい。これは特に限定されない。
【０１２２】
任意選択で、本発明のこの実施形態では、アップリンクスケジューリング情報中に含まれる非周期チャネル状態指示情報ならびに変調およびコーディング指示情報に基づいて、ＨＡＲＱ−ＡＣＫを送信すべきかどうかを判定することに加えて、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクスケジューリング情報によって示されるアップリンクリソース上で送信されるべきアップリンク情報を判定してよい。
【０１２３】
アップリンクスケジューリング情報中に含まれる非周期チャネル状態指示情報ならびに変調およびコーディング指示情報に基づいて、ＨＡＲＱ−ＡＣＫを送信すべきかどうかを端末デバイスによって判定することと、アップリンクスケジューリング情報中に含まれる非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクスケジューリング情報によって示されるアップリンクリソース上で送信されるべきアップリンク情報を端末デバイスによって判定することとの実行順序には、限定が特に課されないことに留意されたい。特定の実装の間、端末デバイスは、非周期チャネル状態指示情報ならびに変調およびコーディング指示情報に基づいて、ＨＡＲＱ−ＡＣＫを送信すべきかどうかを最初に判定し得る。ＨＡＲＱ−ＡＣＫを送信することを決定した場合、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクリソース上で送信されるべきアップリンク情報をさらに判定する。代替として、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクリソース上で送信されるべきアップリンク情報を最初に判定し得る。現在の場合が上記の４つの場合のいずれでもないと判定した場合、端末デバイスは、非周期チャネル状態指示情報ならびに変調およびコーディング指示情報に基づいて、ＨＡＲＱ−ＡＣＫを送信すべきかどうかさらに判定する。代替として、端末デバイスは、非周期チャネル状態指示情報ならびに変調およびコーディング指示情報に基づいて、ＨＡＲＱ−ＡＣＫと、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨとのアップリンク情報から、アップリンクリソース上で送信されるべきアップリンク情報を直接判定し得る。さらに、端末デバイスは、非周期チャネル状態指示情報ならびに変調およびコーディング指示情報に基づいて、ＵＬ−ＳＣＨと、ＵＬ−ＳＣＨおよびａＣＳＩと、ａＣＳＩとのアップリンク情報から、アップリンクリソース上で送信されるべきアップリンク情報を判定し得る。
【０１２４】
以下の表２は例示的な方法を示している。表２では、非周期チャネル状態指示情報は、「偽に設定」または「真に設定」によって表される。非周期状態指示情報が「偽」に設定されているとき、それは、端末デバイスがａＣＳＩを報告しないことを示すか、またはそれは、端末デバイスが、アップリンクスケジューリング情報によって示されるアップリンクリソース上でａＣＳＩを報告しないことを示す。反対に、非周期状態指示情報が「真」に設定されているとき、それは、端末デバイスがａＣＳＩを報告することを示すか、またはそれは、端末デバイスが、アップリンクスケジューリング情報によって示されるアップリンクリソース上でａＣＳＩを報告することを示す。非周期チャネル状態指示情報が１ビットである例では、０は「偽に設定」を示し得、１は「真に設定」を示し得る。さらに、非周期チャネル状態指示情報が「真」に設定されているとき、端末デバイスがａＣＳＩを報告することを示すことに加えて、非周期チャネル状態指示情報は、端末デバイスによって報告されるａＣＳＩに対応している１つもしくは複数のサービングセルを示し得るか、または端末デバイスによって報告されるａＣＳＩに対応している１つもしくは複数のＣＳＩ処理を示し得る。たとえば、上記の表１に記載されているように、「０１」、「１０」、および「１１」はすべて、非周期状態指示情報が「真」に設定されていることを示すことができる。表２では、変調およびコーディング指示情報は、変調およびコーディング方式番号を使用することによって表される。変調およびコーディング指示情報は５ビット情報を使用することによって表すことができると仮定すると、対応する変調およびコーディング方式番号の値範囲は０から３１である。
【０１２５】
表２が一例として使用される。非周期状態指示情報ならびに変調およびコーディング指示情報が、第２の行から第４の行のいずれか１つに対応する値範囲を満たすと端末デバイスが判定したとき、端末デバイスは、アップリンクスケジューリング情報によって示されるアップリンクリソース上でＨＡＲＱ−ＡＣＫを送信しないことを決定し得る。さもなければ、端末デバイスは、アップリンクリソース上でＨＡＲＱ−ＡＣＫを送信することを決定し得る。代替として、非周期状態指示情報ならびに変調およびコーディング指示情報が、第５の行から第８の行のいずれか１つに対応する値範囲を満たすと端末デバイスが判定したとき、端末デバイスは、アップリンクスケジューリング情報によって示されるアップリンクリソース上でＨＡＲＱ−ＡＣＫを送信することを決定し得る。さもなければ、端末デバイスは、アップリンクリソース上でＨＡＲＱ−ＡＣＫを送信しないことを決定し得る。端末デバイスは、非周期チャネル状態指示情報ならびに変調およびコーディング指示情報に対応しており、表２の第５の行から第８の行に対応している値範囲に基づいて、ＨＡＲＱ−ＡＣＫを送信するとき、端末デバイスがアップリンクリソース上でａＣＳＩおよびＵＬ−ＳＣＨをさらに送信することができるかどうかをさらに判定し得る。表２において、注１は、端末デバイスがアップリンクリソース上で「ＵＬ−ＳＣＨ＋ＨＡＲＱ−ＡＣＫ」を送信することを決定したとき、対応する変調およびコーディング方式が２９である場合、端末デバイスがアップリンクリソース上で「ＨＡＲＱ−ＡＣＫ」を送信することを決定したとき、対応する変調およびコーディング方式が３０または３１であることを示す。注２は、端末デバイスがアップリンクリソース上で「ａＣＳＩ＋ＨＡＲＱ−ＡＣＫ」を送信することを決定したとき、対応する変調およびコーディング方式が３０である場合、端末デバイスがアップリンクリソース上で「ＵＬ−ＳＣＨ＋ａＣＳＩ＋ＨＡＲＱ−ＡＣＫ」を送信することを決定したとき、対応する変調およびコーディング方式が３１であることを示す。
【０１２６】
【表２】
2019525557.tif 000040
【０１２７】
本発明のこの実施形態では、表中のアップリンク情報部分について、「＋」は「および」を表すことに留意されたい。たとえば、表中の「ＨＡＲＱ−ＡＣＫ＋ａＣＳＩ」は「ＨＡＲＱ−ＡＣＫおよびａＣＳＩ」を表す。以下の表のすべてにおいて、「＋」は「および」を表す。
【０１２８】
表２に示されている指示方式では、既存のＵＬグラントにおける指示方法が最大限に再利用されることが可能であり、スケジュールされたアップリンクリソース上でＵＬ−ＳＣＨおよび／またはａＣＳＩを送信することを端末デバイスによって決定するための以前の方法が維持されることが可能であり、それにより、端末デバイスはわずかにしか変更されない。
【０１２９】
任意選択で、端末デバイスがアップリンクリソース上で非周期チャネル状態情報もアップリンクデータも送信しない場合、アップリンクリソースは、ＰＵＣＣＨ中に含まれるリソースである。端末デバイスがアップリンクリソース上で非周期チャネル状態情報および／またはアップリンクデータを送信する場合、アップリンクリソースは、ＰＵＳＣＨ中に含まれるリソースである。
【０１３０】
本発明のこの実施形態では、アップリンクリソースが、ＰＵＣＣＨ中に含まれるリソースであることは、アップリンクリソースを搬送するチャネルがＰＵＣＣＨであると理解されてよく、アップリンクリソースが、ＰＵＳＣＨ中に含まれるリソースであることは、アップリンクリソースを搬送するチャネルがＰＵＳＣＨであると理解されてよい。
【０１３１】
任意選択で、本発明のこの実施形態では、アップリンクリソース上でＨＡＲＱ−ＡＣＫを送信するがＵＬ−ＳＣＨもａＣＳＩも送信しないことを端末デバイスが決定したとき、端末デバイスは、ＰＵＣＣＨ中に含まれるリソース上でＨＡＲＱ−ＡＣＫを送信する。代替として、本発明のこの実施形態では、アップリンクリソース上で送信されるべきアップリンク情報がＨＡＲＱ−ＡＣＫを含むがａＣＳＩを除外すると端末デバイスが判定したときか、アップリンクリソース上で送信されるべきアップリンク情報がＨＡＲＱ−ＡＣＫを含むがＵＬ−ＳＣＨを除外するときか、またはアップリンクリソース上で送信されるべきアップリンク情報がＨＡＲＱ−ＡＣＫを含むがａＣＳＩもＵＬ−ＳＣＨも含まないと端末デバイスが判定したとき、アップリンクリソースは、ＰＵＣＣＨ中に含まれるリソースであり、端末デバイスはＰＵＣＣＨ上でＨＡＲＱ−ＡＣＫを送信する。
【０１３２】
任意選択で、本発明のこの実施形態では、ＨＡＲＱ−ＡＣＫおよびａＣＳＩと、ＨＡＲＱ−ＡＣＫおよびＵＬ−ＳＣＨと、ＨＡＲＱ−ＡＣＫ、ａＣＳＩ、およびＵＬ−ＳＣＨと、ａＣＳＩと、ａＣＳＩおよびＵＬ−ＳＣＨと、ＵＬ−ＳＣＨとのアップリンク情報のうちの１つをアップリンクリソース上で送信することを端末デバイスが決定したとき、端末デバイスは、ＰＵＳＣＨ中に含まれるリソース上で情報を送信する。表３は、様々なアップリンク情報と、アップリンク情報を送信するために端末デバイスによって使用されるアップリンクチャネルとの間の対応を示している。本発明のこの実施形態では、アップリンク情報は、ＨＡＲＱ−ＡＣＫ、ａＣＳＩ、およびＵＬ−ＳＣＨのうちの少なくとも１つを含む。
【０１３３】
【表３】
2019525557.tif 000041
【０１３４】
この方式は以下の利点を有する。ＨＡＲＱ−ＡＣＫを送信するがＵＬ−ＳＣＨもａＣＳＩも送信しないことを端末デバイスが決定したとき、端末デバイスは、ＰＵＣＣＨチャネルを使用することによってＨＡＲＱ−ＡＣＫを送信し得る。ＰＵＳＣＨにＨＡＲＱ−ＡＣＫを追加する方式と比較して、この方式では、マルチユーザ多重化が達成されて、ライセンスフリー周波数帯域リソースが効果的に使用されることが可能である。加えて、ａＣＳＩまたはａＣＳＩおよびＨＡＲＱ−ＡＣＫの送信中に、ＰＵＳＣＨにａＣＳＩまたはａＣＳＩおよびＨＡＲＱ−ＡＣＫを追加するための既存の設計方法が再利用され得る。
【０１３５】
任意選択で、端末デバイスがアップリンクリソース上でアップリンクデータを送信しない場合、アップリンクリソースは、ＰＵＣＣＨ中に含まれるリソースである。端末デバイスがアップリンクリソース上でアップリンクデータを送信する場合、アップリンクリソースは、ＰＵＳＣＨ中に含まれるリソースである。
【０１３６】
任意選択で、本発明のこの実施形態では、端末デバイスがアップリンクリソース上でＵＬ−ＳＣＨを送信しないことを決定したとき、たとえば、端末デバイスが、アップリンクリソース上でａＣＳＩおよびＨＡＲＱ−ＡＣＫのうちの少なくとも１つを送信することを決定したとき、アップリンクリソースは、ＰＵＣＣＨ中に含まれるリソースであり、端末デバイスは、ＰＵＣＣＨ上でａＣＳＩおよびＨＡＲＱ−ＡＣＫのうちの少なくとも１つを送信する。
【０１３７】
任意選択で、本発明のこの実施形態では、端末デバイスがアップリンクリソース上でＵＬ−ＳＣＨを送信することを決定したとき、たとえば、端末デバイスがアップリンクリソース上で、ＵＬ−ＳＣＨと、ＵＬ−ＳＣＨおよびａＣＳＩと、ＵＬ−ＳＣＨおよびＨＡＲＱ−ＡＣＫと、ＵＬ−ＳＣＨ、ａＣＳＩ、およびＨＡＲＱ−ＡＣＫとのうちの１つを送信することを決定したとき、アップリンクリソースは、ＰＵＳＣＨ中に含まれるリソースであり、端末デバイスはＰＵＳＣＨ上で、ＵＬ−ＳＣＨと、ＵＬ−ＳＣＨおよびａＣＳＩと、ＵＬ−ＳＣＨおよびＨＡＲＱ−ＡＣＫと、ＵＬ−ＳＣＨ、ａＣＳＩ、およびＨＡＲＱ−ＡＣＫとのうちの１つを送信する。
【０１３８】
表４は、様々なアップリンク情報と、アップリンク情報を送信するために端末デバイスによって使用されるアップリンクチャネルとの間の対応を示している。本発明のこの実施形態では、アップリンク情報は、ＨＡＲＱ−ＡＣＫ、ａＣＳＩ、およびＵＬ−ＳＣＨのうちの少なくとも１つを含む。
【０１３９】
【表４】
2019525557.tif 000042
【０１４０】
表５は、様々なアップリンク情報と、アップリンク情報を送信するために端末デバイスにｃよって使用されるアップリンクチャネルとの間の別の対応を示している。
【０１４１】
【表５】
2019525557.tif 000043
【０１４２】
本発明のこの実施形態では、任意選択で、端末デバイスは、アップリンクスケジューリング情報によって示されるアップリンクリソース上で送信されるべきアップリンク情報のタイプに基づいて、アップリンクリソースが属するチャネルのタイプを判定してよいことに留意されたい。たとえば、上記の説明に関して、端末デバイスがアップリンクリソース上でＨＡＲＱ−ＡＣＫを送信するがＵＬ−ＳＣＨもａＣＳＩも送信しないことを決定した場合、端末デバイスは、ＰＵＣＣＨ上でＨＡＲＱ−ＡＣＫを送信することを決定してよい。代替として、別の例では、表３から表５に示されているように、端末デバイスは、変調およびコーディング指示情報ならびに非周期チャネル状態指示情報に基づいて、アップリンクリソース上で送信されるべきアップリンク情報を判定し、次いで、判定されたアップリンク情報に基づいて、アップリンク情報を搬送するアップリンクチャネルを判定してよい。代替として、端末デバイスは、変調およびコーディング指示情報ならびに非周期チャネル状態指示情報に基づいて、アップリンク情報を搬送するアップリンクチャネルを直接判定してよい。
【０１４３】
この方式は以下の利点を有する。端末デバイスが送信することを決定するアップリンク情報がアップリンク制御情報であり、たとえば、ＨＡＲＱ−ＡＣＫとａＣＳＩの両方がアップリンク制御情報に属するとき、端末デバイスはＰＵＣＣＨ上で制御情報を送信し得、それにより、マルチユーザ多重化が達成されて、ライセンスフリー周波数帯域リソースが効果的に使用されることが可能である。
【０１４４】
任意選択で、ＰＵＣＣＨ中に含まれるリソースに対応するアップリンクスケジューリング情報のフォーマットは、ＰＵＳＣＨ中に含まれるリソースに対応するアップリンクスケジューリング情報のフォーマットと同じである。
【０１４５】
本発明のこの実施形態では、ＰＵＣＣＨ中に含まれるリソースに対応するアップリンクスケジューリング情報は、アップリンクスケジューリング情報が、ＰＵＣＣＨ中に含まれるリソースを示すか、またはＰＵＣＣＨ中に含まれるリソース上でアップリンク情報を送信するようにＵＥをトリガすると理解されてよい。対応して、ＰＵＳＣＨ中に含まれるリソースに対応するアップリンクスケジューリング情報は、アップリンクスケジューリング情報が、ＰＵＳＣＨ中に含まれるリソースを示すか、またはＰＵＳＣＨ中に含まれるリソース上でアップリンク情報を送信するようにＵＥをトリガすると理解されてよい。本発明のこの実施形態では、アップリンクスケジューリング情報のフォーマットは、異なるＤＣＩフォーマットを使用することによって表され得ると理解されてよい。たとえば、アップリンクスケジューリング情報のフォーマットは、ＵＬグラントに対応するフォーマット（たとえば、ＤＣＩフォーマット０、ＤＣＩフォーマット４、ＤＣＩフォーマット０Ａ／０Ｂ、またはＤＣＩフォーマット４Ａ／４Ｂ）を使用することによって表され得る。ＤＣＩフォーマット０は、スケジュールされたアップリンクリソース上で単一コードワードデータを送信するようにＵＥに命令し得る。ＤＣＩフォーマット４は、スケジュールされたアップリンクリソース上で単一コードワードデータまたはデュアルコードワードデータを送信するようにＵＥに命令し得る。ＤＣＩフォーマット０Ａ／０Ｂは、ライセンスフリー周波数帯域リソース上の１つまたは複数のアップリンクサブフレーム中でアップリンク単一コードワードデータ送信を実施するようにＵＥに命令し得る。ＤＣＩフォーマット４Ａ／４Ｂは、ライセンスフリー周波数帯域リソース上の１つまたは複数のアップリンクサブフレーム中でアップリンク単一コードワードまたはデュアルコードワードデータ送信を実施するようにＵＥに命令し得る。
【０１４６】
本発明のこの実施形態では、ＰＵＣＣＨに対応するアップリンクスケジューリング情報のフォーマットが、ＰＵＳＣＨに対応するアップリンクスケジューリング情報のフォーマットと同じであることは、ＰＵＣＣＨに対応するアップリンクスケジューリング情報、およびＰＵＳＣＨに対応するアップリンクスケジューリング情報のために同じＤＣＩフォーマットが使用されること、またはＰＵＣＣＨに対応するアップリンクスケジューリング情報のフォーマット中に含まれる情報ビットの量が、ＰＵＳＣＨに対応するアップリンクスケジューリング情報のフォーマット中に含まれる情報ビットの量と同じであることを示し得る。たとえば、アクセスネットワークデバイスは、第１のスケジューリング情報を使用することによって、ＰＵＣＣＨ上でＨＡＲＱ−ＡＣＫを送信するようにＵＥに命令し、アクセスネットワークデバイスは、第２のスケジューリング情報を使用することによって、ＰＵＳＣＨ上で、ＵＬ−ＳＣＨと、ＵＬ−ＳＣＨおよびａＣＳＩと、ＵＬ−ＳＣＨおよびＨＡＲＱ−ＡＣＫと、ＵＬ−ＳＣＨ、ａＣＳＩ、およびＨＡＲＱ−ＡＣＫと、ａＣＳＩと、ａＣＳＩおよびＨＡＲＱ−ＡＣＫとのうちの１つを送信するようにＵＥに命令し、第１のスケジューリング情報はＤＣＩフォーマットＡで送信され、第２のスケジューリング情報はＤＣＩフォーマットＢで送信されると仮定される。この場合、ＰＵＣＣＨ中に含まれるリソースに対応するアップリンクスケジューリング情報のフォーマットが、ＰＵＳＣＨ中に含まれるリソースに対応するアップリンクスケジューリング情報のフォーマットと同じであることは、ＤＣＩフォーマットＡがＤＣＩフォーマットＢと同じであることを示し得る。
【０１４７】
本発明のこの実施形態では、物理アップリンク制御チャネル中に含まれるリソースに対応するアップリンクスケジューリング情報のフォーマットは、物理アップリンク共有チャネル中に含まれるリソースに対応するアップリンクスケジューリング情報のフォーマットと同じである。たとえば、アクセスネットワークデバイスは、ＰＵＣＣＨ中に含まれるリソース上でＨＡＲＱ−ＡＣＫを送信するか、またはＰＵＳＣＨ中に含まれるリソース上でＨＡＲＱ−ＡＣＫを送信するように、１つのＵＬグラントを使用することによって端末デバイスに命令し得る。任意選択で、本発明のこの実施形態では、端末デバイスは、ＵＬグラント中の非周期チャネル状態指示情報ならびに変調およびコーディング指示情報に基づいて、ＨＡＲＱ−ＡＣＫを送信するためのリソースが、ＰＵＣＣＨ中に含まれるリソースであるかまたはＰＵＳＣＨ中に含まれるリソースであるかを判定し得る。確実に、本発明のこの実施形態はこの実装方法に限定されない。
【０１４８】
任意選択で、アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されたとき、端末デバイスは、アップリンクスケジューリング情報によって示されるアップリンクリソース上でフィードバック情報を送信することを決定し、および／または
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中のいずれかの値に設定されたとき、端末デバイスは、アップリンクスケジューリング情報によって示されるアップリンクリソース上でフィードバック情報を送信することを決定する。
【０１４９】
本発明のこの実施形態では、端末デバイスは、表２の非周期チャネル状態指示情報ならびに変調およびコーディング指示情報に基づいて、アップリンクリソース上で、ＨＡＲＱ−ＡＣＫ、ａＣＳＩ、およびＵＬ−ＳＣＨのうちの少なくとも１つを送信することを決定し得る。端末デバイスがアップリンクリソース上でＵＬ−ＳＣＨを送信することを決定したとき、変調およびコーディング指示情報に対応するインデックス値は、０から２８の中のいずれかの値である。
【０１５０】
これは以下の利点を有する。ライセンスフリー周波数帯域上で、非同期および適応アップリンクデータ送信が実施されてアップリンクリソースが効果的に使用される。この場合、ノンアダプティブ再送のために主に使用される変調およびコーディング方式（ＭＣＳインデックス）２９から３１は、ＵＥがＵＬ−ＳＣＨを送信するときに使用されるＭＣＳを示すために使用されなくてよく、それにより、ＭＣＳインデックス２９から３１を使用することによっておよび非周期チャネル状態指示情報（ａＣＳＩトリガ）に関して、アップリンクリソース上で、ＨＡＲＱ−ＡＣＫと、ＨＡＲＱ−ＡＣＫおよびＵＬ−ＳＣＨと、ＨＡＲＱ−ＡＣＫおよびａＣＳＩと、ＨＡＲＱ−ＡＣＫ、ＵＬ−ＳＣＨ、およびａＣＳＩとのうちの１つを送信することが決定されることができる。したがって、シグナリングオーバーヘッドが低減されることができる。
【０１５１】
任意選択で、ＰＵＣＣＨに対応するアップリンクスケジューリング情報のフォーマットは、ＰＵＳＣＨに対応するアップリンクスケジューリング情報のフォーマットと同じである。具体的には、ＰＵＣＣＨ上でアップリンク情報を送信するようにＵＥに命令するスケジューリング指示情報（またはダウンリンク制御情報ＤＣＩ）のフォーマットは、ＰＵＳＣＨ上でアップリンク情報を送信するようにＵＥに命令するスケジューリング指示情報（またはダウンリンク制御情報ＤＣＩ）のフォーマットと同じであり、それにより、ＵＥによるブラインド検出の複雑さが低減されることができる。スケジューリング指示情報がＵＬグラントである一例が使用される。ＵＬグラント中に含まれる情報は、ＵＬグラントによって示されるリソースが、ＰＵＣＣＨ中に含まれるリソースであるかまたはＰＵＳＣＨ中に含まれるリソースであるかを区別するために使用され得る。ＵＬグラントによって示されるリソースは、ＵＬグラントによってトリガされるリソースとして理解されてよい。この場合、ＵＥは、ＵＬグラント中に含まれる情報に基づいて、ＵＬグラントによって示されるリソースを区別することができる。ＵＬグラントによって示される異なるアップリンクリソースについてＵＬグラントを２回検出することなしに、ＵＥは、探索空間（ｓｅａｒｃｈ  ｓｐａｃｅ）中に含まれる様々な可能な制御リソース中でＵＬグラントを１回検出し得る（様々な可能な制御リソースは、制御リソースのアグリゲーションレベル（ａｇｇｒｅｇａｔｉｏｎ  ｌｅｖｅｌ）および／またはリソースロケーションに基づいて互いに区別され得る）。本発明のこの実施形態は以下の利点を有する。ＵＥによるブラインド検出の複雑さが低減されることができる。
【０１５２】
Ｓ３０３。アップリンクリソース上でフィードバック情報を送信することを決定した場合、端末デバイスがアップリンクリソース上でフィードバック情報を送信する。
【０１５３】
図３に記載された方法を実行することによって、端末デバイスは、端末デバイスがＨＡＲＱ−ＡＣＫをフィードバックする必要があるかどうかを判定することができ、シグナリングオーバーヘッドが低減されるように、追加のシグナリングオーバーヘッドを引き起こすことなく、既存のアップリンクスケジューリング情報（たとえば、ＵＬグラント）内に含まれる非周期チャネル状態指示情報と変調およびコーディング指示情報とをさらに再利用することができる。
【０１５４】
図４を参照すると、図４は、本発明の実施形態による別のアップリンク情報送信方法の概略フローチャートである。方法は、限定はしないが、以下のステップを含む。
【０１５５】
Ｓ４０１。端末デバイスは、アクセスネットワークデバイスによって送信されたアップリンクスケジューリング情報を受信する。
【０１５６】
本発明のこの実施形態におけるステップＳ４０１について、図３に示されている実施形態におけるステップＳ３０１を参照されたい。詳細は、本明細書では再び説明されない。
【０１５７】
Ｓ４０２。端末デバイスは、アップリンクスケジューリング情報中に含まれる変調およびコーディング指示情報に基づいて、アップリンクスケジューリング情報によって示されるアップリンクリソース上でアップリンクデータを送信すべきかどうかを判定する。
【０１５８】
ライセンスフリーの周波数帯域において、非同期かつ適応的なアップリンクデータ伝送が実行されて、アップリンクリソースを有効に使用する。この場合、ＵＬグラント内に含まれ、主にノンアダプティブ再送のために使用される変調およびコーディング方式（ＭＣＳインデックス）２９から３１は、ＵＥがＵＬ−ＳＣＨを送信するときに使用されるＭＣＳを示すために使用されなくてもよい。代わりに、ＭＣＳインデックス０から２８における任意の値のみが使用され、ＵＥがＵＬ−ＳＣＨを送信するときに使用されるＭＣＳを示す。したがって、本発明のこの実施形態では、ＵＥは、アップリンクスケジューリング情報中に含まれるＭＣＳインデックスの値の範囲に基づいて、アップリンクリソース上でアップリンクデータを送信すべきかどうかを判定してもよい。
【０１５９】
具体的には、例として既存のＵＬグラント内に含まれる５ビット変調およびコーディング指示情報が使用される。変調およびコーディング指示情報に対応するＭＣＳインデックスが０から２８の中のいずれかの値である場合、端末デバイスは、アップリンクリソース上でアップリンクデータを送信する。変調およびコーディング指示情報に対応するＭＣＳインデックスが０から２８以外の値である場合、たとえば、２９から３１の中の任意の値、または３０および３１のいずれかである場合、端末デバイスは、アップリンクリソース上でアップリンクデータを送信しない。このようにして、アップリンクデータのＭＣＳは、データ送信効率を改善するために適応的に調整されることができる。
【０１６０】
本発明のこの実施形態では、説明を容易にするために、特に指定のない限り、変調およびコーディング指示情報は、変調およびコーディング方式インデックス（Ｍｏｄｕｌａｔｉｏｎ  ＣｏｄｉｎｇおよびＳｃｈｅｍｅ  Ｉｎｄｅｘ、ＭＣＳインデックス）と１対１に対応する。したがって、変調およびコーディング指示情報は、ＭＣＳインデックスを使用して表されてもよい。
【０１６１】
任意選択で、端末デバイスが、アップリンクスケジューリング情報中に含まれる変調およびコーディング指示情報に対応するインデックス番号が０から２８の中のいずれかの値であると判定した場合、端末デバイスは、アップリンクスケジューリング情報中に含まれる非周期チャネル状態指示情報およびフィードバック指示情報に基づく以下の情報、ＵＬ−ＳＣＨ、ＵＬ−ＳＣＨおよびａＣＳＩ、ＵＬ−ＳＣＨおよびＨＡＲＱ−ＡＣＫ、ならびに、ＨＡＲＱ−ＡＣＫ、ＵＬ−ＳＣＨ、およびａＣＳＩから、アップリンクスケジューリング情報によって示されるアップリンクリソース上で送信されるべき情報を判定する。
【０１６２】
本発明のこの実施形態では、説明を容易にするために、特に指定のない限り、変調およびコーディング指示情報は、ＭＣＳインデックスを使用することによって表され、非周期チャネル状態指示情報は、ａＣＳＩトリガを使用することによって表され、フィードバック指示情報は、ＨＡＲＱ−ＡＣＫトリガを使用することによって表される。
【０１６３】
任意選択で、フィードバック指示情報は、ＵＥがＨＡＲＱ−ＡＣＫを送信するかどうかを示すために使用され、非周期チャネル状態指示情報は、ＵＥがａＣＳＩを送信するかどうかを示すために使用される。
【０１６４】
本発明のこの実施形態では、端末デバイスは、表６に基づいて、アップリンクリソース上で、以下、すなわち、ＵＬ−ＳＣＨ、ＵＬ−ＳＣＨおよびａＣＳＩ、ＵＬ−ＳＣＨおよびＨＡＲＱ−ＡＣＫ、ならびに、ＵＬ−ＳＣＨ、ａＣＳＩ、ＨＡＲＱ−ＡＣＫのうちの１つを送信することを決定してもよい。
【０１６５】
【表６】
2019525557.tif 000044
【０１６６】
ａＣＳＩトリガのために使用されるビットの量も、ＨＡＲＱ−ＡＣＫトリガのために使用されるビットの量も、本発明のこの実施形態では特に限定されないことが留意されるべきである。ａＣＳＩトリガが「真」または「偽」に設定されることは、上記で説明されているように（表２に示されているように）理解することができる。詳細は、本明細書では再び説明されない。例として、１ビットａＣＳＩトリガおよび１ビットＨＡＲＱ−ＡＣＫトリガが使用される。１つのビットが「０」に設定されているとき、対応する情報が「偽」に設定されていることを示す。１つのビットが「１」に設定されているとき、対応する情報が「真」に設定されていることを示す。この場合、端末デバイスは、表７に基づいて、アップリンクリソース上で、以下、すなわち、ＵＬ−ＳＣＨ、ＵＬ−ＳＣＨおよびａＣＳＩ、ＵＬ−ＳＣＨおよびＨＡＲＱ−ＡＣＫ、ならびに、ＵＬ−ＳＣＨ、ａＣＳＩ、ＨＡＲＱ−ＡＣＫのうちの１つを送信することを決定してもよい。さらに、表７では、ａＣＳＩトリガのビットが「１」に設定されているとき、ＵＥが非周期ＣＳＩを送信するようにトリガされることを示す。ＨＡＲＱ−ＡＣＫのビットが「１」に設定されているとき、ＵＥがＨＡＲＱ−ＡＣＫを送信するようにトリガされることを示す。
【０１６７】
【表７】
2019525557.tif 000045
【０１６８】
任意選択で、端末デバイスが、アップリンクスケジューリング情報中に含まれる変調およびコーディング指示情報に対応するインデックス番号が２９から３１の中の任意の値であると判定したとき、端末デバイスは、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上でａＣＳＩ、ＨＡＲＱ−ＡＣＫ、またはａＣＳＩおよびＨＡＲＱ−ＡＣＫを送信することを決定する。
【０１６９】
任意選択で、本発明のこの実施形態では、ＵＥは、表８に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。任意選択で、ＵＥは、表９に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。Ｎ／Ａは、対応する情報が任意の状態にある可能性があることを示す。これは、本発明のこの実施形態では特に限定されない。
【０１７０】
本発明のこの実施形態では、ＵＥは、表７および表８に基づいて、または表７および表９に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。任意選択で、表８および表９において、ＵＥによる理解を容易にするために、「ＨＡＲＱ−ＡＣＫ」に対応するａＣＳＩトリガが０に設定されてもよく、「ａＣＳＩ＋ＨＡＲＱ−ＡＣＫ」に対応するａＣＳＩトリガが１に設定されてもよい。
【０１７１】
【表８】
2019525557.tif 000046
【０１７２】
【表９】
2019525557.tif 000047
【０１７３】
ライセンスフリーの周波数帯域における非同期かつ適応的なアップリンクデータ伝送の特徴に関連して、冗長ＭＣＳインデックスは、リソース使用効率を改善するために効果的に使用することができる。
【０１７４】
ＨＡＲＱ−ＡＣＫの送信がＰＵＣＣＨ内に含まれるリソース上で行われる場合、ＨＡＲＱ−ＡＣＫ＋ａＣＳ、ＨＡＲＱ−ＡＣＫ＋ＵＬ−ＳＣＨ、ＨＡＲＱ−ＡＣＫ＋ａＣＳＩ＋ＵＬ−ＳＣＨ、ａＣＳＩ、ａＣＳＩ＋ＵＬ−ＳＣＨ、またはＵＬ−ＳＣＨの送信は、ＰＵＳＣＨ内に含まれるリソース上で行われることが留意されるべきであり、この実装では、変調およびコーディング指示情報は、現在のアップリンクスケジューリング情報がＰＵＣＣＨまたはＰＵＳＣＨに対応しているかどうかを識別するために使用され得ることも理解され得る。ここで、アップリンクスケジューリング情報がＰＵＣＣＨに対応していることは、アップリンクスケジューリング情報がＰＵＣＣＨ上で情報を送信するようにＵＥに命令することを示してもよく、アップリンクスケジューリング情報がＰＵＳＣＨに対応していることは、アップリンクスケジューリング情報がＰＵＳＣＨ上で情報を送信するようにＵＥに命令することを示してもよい。
【０１７５】
任意選択で、端末デバイスが、変調およびコーディング指示情報に対応するインデックス番号が２９であり、非周期チャネル状態指示情報が「真」に設定されていると判定したとき、端末デバイスは、アップリンクリソース上で非周期チャネル状態情報を送信することを決定する。端末デバイスが、変調およびコーディング指示情報に対応するインデックス番号が２９であり、非周期チャネル状態指示情報が「偽」に設定されていると判定したとき、端末デバイスは、アップリンクリソース上で、フィードバック情報、または非周期チャネル状態情報およびフィードバック情報を送信することを決定する。
【０１７６】
任意選択で、本発明のこの実施形態では、ＵＥは、表１０に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。任意選択で、ＵＥは、表１１に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。Ｎ／Ａは、対応する情報が任意の状態にある可能性があることを示す。たとえば、表１０において、Ｎ／Ａは、ａＣＳＩトリガのビットが「真」または「偽」に設定されることができることを示す。これは、本発明のこの実施形態では特に限定されない。
【０１７７】
本発明のこの実施形態では、ＵＥは、表７および表１０に基づいて、または表７および表１１に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。
【０１７８】
本発明のこの実施形態では、ａＣＳＩトリガが「真」に設定されていることは、ＵＥがａＣＳＩを送信するように命令されることを示してもよく、ａＣＳＩトリガが「偽」に設定されていることは、ＵＥがａＣＳＩを送信しないように命令されることを示してもよいことが留意されるべきである。しかしながら、本発明は、これに限定されない。たとえば、ａＣＳＩトリガが「真」に設定されていることは、ＵＥがａＣＳＩを送信するように命令されることを示さず、ａＣＳＩトリガが「偽」に設定されていることは、ＵＥがａＣＳＩを送信しないように命令されることを示さない。ＨＡＲＱ−ＡＣＫトリガについても同様の説明が与えられる。
【０１７９】
【表１０】
2019525557.tif 000048
【０１８０】
【表１１】
2019525557.tif 000049
【０１８１】
任意選択で、端末デバイスは、非周期チャネル状態指示情報およびフィードバック指示情報に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定する。
【０１８２】
任意選択で、フィードバック指示情報は、ＵＥがＨＡＲＱ−ＡＣＫを送信すべきかどうかを示すために使用され、非周期チャネル状態指示情報は、ＵＥがａＣＳＩを送信すべきかどうかを示すために使用される。
【０１８３】
任意選択で、本発明のこの実施形態では、ＵＥは、表１２に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。表１２において、Ｎ／Ａは、ＭＣＳインデックスが０から２８以外の値、たとえば、２９から３１の中の任意の値とすることができることを示す。これは、本発明のこの実施形態では、特に限定されない。加えて、ＵＥが、アップリンクリソース上でａＣＳＩ、ＨＡＲＱ−ＡＣＫおよびａＣＳＩ、またはＨＡＲＱ−ＡＣＫを送信することを決定するとき、対応するＭＣＳインデックスは、同じであっても異なっていてもよい。
【０１８４】
本発明のこの実施形態では、ＵＥは、表７および表１２に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。
【０１８５】
【表１２】
2019525557.tif 000050
【０１８６】
表１２において、ａＣＳＩトリガが「真」／「偽」に設定されていることは、ＵＥがａＣＳＩを送信するようにトリガされる／トリガされないことを示してもよく、ＨＡＲＱ−ＡＣＫトリガが「真」／「偽」に設定されていることは、ＵＥがＨＡＲＱ−ＡＣＫを送信するようにトリガされる／トリガされないことを示してもよい。
【０１８７】
さらに、本発明のこの実施形態では、ＭＣＳインデックス２９から３１は、異なる変調次数を示してもよい。たとえば、ＭＣＳインデックス＝２９は、１６ＱＡＭを示し、ＭＣＳインデックス＝３０は、６４ＱＡＭを示してもよい。これは、以下の、アップリンク制御情報（ａＣＳＩおよび／またはＨＡＲＱ−ＡＣＫ）送信効率が改善されることができるという利点を有する。
【０１８８】
任意選択で、端末デバイスは、変調およびコーディング指示情報、非周期チャネル状態指示情報、およびフィードバック指示情報に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定する。
【０１８９】
任意選択で、フィードバック指示情報は、ＵＥがＨＡＲＱ−ＡＣＫを送信するかどうかを示すために使用され、非周期チャネル状態指示情報は、ＵＥがａＣＳＩを送信するかどうかを示すために使用され、変調およびコーディング指示情報は、ＵＥがＵＬ−ＳＣＨを送信するかどうかを示すために使用される。たとえば、変調およびコーディング指示情報に対応するインデックス範囲に基づいて、アップリンクリソース上でＵＬ−ＳＣＨを送信すべきかどうかが判定される。
【０１９０】
任意選択で、本発明のこの実施形態では、ＵＥは、表１３に基づいて、アップリンクリソース上で、以下、すなわち、ａＣＳＩ、ＨＡＲＱ−ＡＣＫ、ならびにＨＡＲＱ−ＡＣＫおよびａＣＳＩのうちの１つを送信することを決定してもよい。本発明のこの実施形態では、ＵＥは、表７および表１３に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよいことが留意されるべきである。具体的には、ＵＥは、表１４に基づいて、アップリンクリソース上で、以下、すなわち、ＨＡＲＱ−ＡＣＫ、ａＣＳＩ、およびＵＬ−ＳＣＨのうちの少なくとも１つを送信することを決定してもよい。この実装では、ＨＡＲＱ−ＡＣＫトリガが「真」に設定されているとき、ＵＥがアップリンクリソース上でＨＡＲＱ−ＡＣＫを送信するようにトリガされることを示してもよく、または、ＨＡＲＱ−ＡＣＫトリガが「偽」に設定されているとき、ＵＥがアップリンクリソース上でＨＡＲＱ−ＡＣＫを送信するようにトリガされないことを示してもよいことが留意されるべきである。
【０１９１】
【表１３】
2019525557.tif 000051
【０１９２】
【表１４】
2019525557.tif 000052
【０１９３】
ＨＡＲＱ−ＡＣＫ、ａＣＳＩ、およびＵＬ−ＳＣＨのうちの少なくとも１つは、ＵＬ−ＳＣＨに対応するＭＣＳが柔軟に変化することができ、冗長ＭＣＳ状態が有効に使用されるように、アップリンクリソース上で送信される。ＨＡＲＱ−ＡＣＫ指示情報（たとえば、１ビット）は、端末デバイスが、検出されたＨＡＲＱ−ＡＣＫ指示情報に基づいて、アップリンクリソース上でＨＡＲＱ−ＡＣＫを送信すべきかどうかを判定することができるように加えられる。加えて、ＵＥの設計の複雑さは、冗長ＭＣＳインデックス（たとえば、ＭＣＳインデックスは、２９、３０、または３１）を使用し、ａＣＳＩトリガおよびＨＡＲＱ−ＡＣＫトリガを参照することによって低減することができる。
【０１９４】
非周期状態指示情報（ａＣＳＩトリガ）が１ビットを使用することによって表され、フィードバック指示情報（ＨＡＲＱ−ＡＣＫトリガ）が１ビットを使用することによって表され、ビットが「１」に設定されることが、ＵＥがａＣＳＩ／ＨＡＲＱ−ＡＣＫを送信するようにトリガされることを示し、ビットが「０」に設定されることが、ＵＥがａＣＳＩ／ＨＡＲＱ−ＡＣＫを送信しないようにトリガされることを示すと仮定する。この場合、ＵＥは、表１５に基づいて、アップリンクスケジューリング情報によって示されるアップリンクリソース上で、以下、すなわち、ＵＬ−ＳＣＨ、ａＣＳＩ、およびＨＡＲＱ−ＡＣＫのうちの少なくとも１つを送信することを決定してもよい。
【０１９５】
【表１５】
2019525557.tif 000053
【０１９６】
表１３から表１５に基づいて、ＵＥがａＣＳＩを送信するが、アップリンクリソース上で、以下、すなわち、ＵＬ−ＳＣＨ、ＵＬ−ＳＣＨ＋ａＣＳＩ、ＵＬ−ＳＣＨ＋ＨＡＲＱ−ＡＣＫ、ＵＬ−ＳＣＨ＋ａＣＳＩ＋ＨＡＲＱ−ＡＣＫ、ＨＡＲＱ−ＡＣＫ、およびａＣＳＩ＋ＨＡＲＱ−ＡＣＫのいずれも送信しないことを決定したとき、ＭＣＳインデックスが３０または３１であってもよいことがわかり得る。加えて、上記の表において、「ａＣＳＩ」、「ＨＡＲＱ−ＡＣＫ」、および「ａＣＳＩ＋ＨＡＲＱ−ＡＣＫ」は、同じＭＣＳインデックスまたは異なるＭＣＳインデックスに対応してもよい。たとえば、表１４および表１５において、「ａＣＳＩ」、「ＨＡＲＱ−ＡＣＫ」、および「ａＣＳＩ＋ＨＡＲＱ−ＡＣＫ」は、すべてＭＣＳインデックス２９に対応してもよい。
【０１９７】
本発明のこの実施形態では、上記で説明されているように、端末デバイスがアップリンクリソース上でａＣＳＩもＵＬ−ＳＣＨも送信しない場合、アップリンクリソースは、ＰＵＣＣＨ内に含まれるリソースである。端末デバイスがアップリンクリソース上でａＣＳＩおよび／またはＵＬ−ＳＣＨを送信する場合、アップリンクリソースは、ＰＵＳＣＨ内に含まれるリソースである。
【０１９８】
任意選択で、端末デバイスがアップリンクリソース上でＵＬ−ＳＣＨを送信しない場合、アップリンクリソースは、ＰＵＣＣＨ内に含まれるリソースである。端末デバイスがアップリンクリソース上でＵＬ−ＳＣＨを送信する場合、アップリンクリソースは、ＰＵＳＣＨ内に含まれるリソースである。
【０１９９】
任意選択で、ＰＵＣＣＨに対応するアップリンクスケジューリング情報のフォーマットは、ＰＵＳＣＨに対応するアップリンク情報のフォーマットと同じである。
【０２００】
Ｓ４０３。アップリンクリソース上でアップリンクデータを送信することを決定した場合、端末デバイスは、アップリンクリソース上でアップリンクデータを送信する。
【０２０１】
図４に記載された方法を実行することによって、端末デバイスは、変調およびコーディング指示情報のみを使用することによって、シグナリングオーバーヘッドが低減されるように、余分なシグナリングオーバーヘッドを引き起こすことなく、端末デバイスがアップリンクデータをフィードバックする必要があるかどうかを判定することができる。加えて、端末デバイスは、端末デバイスによる検出の複雑さが低減されるように、非周期チャネル状態指示情報を参照することなく、アップリンクデータを送信すべきかどうかを判定することができる。
【０２０２】
本発明のこの実施形態では、前述の実施形態のように、アップリンクリソース上で送信されるべきアップリンク情報のタイプがＵＥに示されてもよいことが留意されるべきである。加えて、異なるアップリンク情報が異なるアップリンクチャネル内に含まれるアップリンクリソース上で、たとえば、ＰＵＣＣＨ内に含まれるリソースまたはＰＵＳＣＨ内に含まれるリソース上で搬送されることができる場合、前述の実施形態のように、ＵＥは、アップリンクスケジューリング情報に基づいて、アップリンクスケジューリング情報に対応するアップリンクチャネルを判定してもよいことが理解され得る。ここでのアップリンクチャネルは、ＰＵＣＣＨとＰＵＳＣＨとを含む。アップリンクスケジューリング情報に対応するアップリンクチャネルは、アップリンクスケジューリング情報によって示されるアップリンク情報の送信を搬送するアップリンクチャネルとして理解されてもよい。
【０２０３】
図５を参照すると、図５は、本発明の実施形態による別のアップリンク情報送信方法の概略フローチャートである。方法は、限定はしないが、以下のステップを含む。
【０２０４】
Ｓ５０１。端末デバイスは、アクセスネットワークデバイスによって送信されたアップリンクスケジューリング情報を受信する。
【０２０５】
本発明のこの実施形態におけるステップＳ５０１について、図３に示されている実施形態におけるステップＳ３０１を参照されたい。詳細は、本明細書では再び説明されない。
【０２０６】
Ｓ５０２。端末デバイスは、アップリンクスケジューリング情報中に含まれる非周期チャネル状態指示情報およびフィードバック指示情報に基づいて、アップリンクスケジューリング情報によって示されるアップリンクリソース上で送信されるべきアップリンク情報を判定し、ここで、アップリンク情報は、以下、すなわち、アップリンクデータ、非周期チャネル状態情報、およびフィードバック情報のうちの少なくとも１つを含む。
【０２０７】
任意選択で、本発明のこの実施形態では、非周期チャネル状態指示情報およびフィードバック指示情報は、指示のために一緒に使用されてもよく、または、指示のために別々に使用されてもよい。これは、本発明のこの実施形態では特に限定されない。本発明のこの実施形態では、非周期チャネル状態指示情報およびフィードバック指示情報が指示のために別々に使用されるとき、「非周期チャネル状態指示情報」は、ＵＥがアップリンクリソース上でａＣＳＩを送信するかどうかを示すために使用され、「フィードバック指示情報」は、ＵＥがアップリンクリソース上でＨＡＲＱ−ＡＣＫを送信するかどうかを示すために使用されることが理解され得る。さらに、「非周期チャネル状態指示情報」がアップリンクリソース上でａＣＳＩを送信しないようにＵＥに命令し、「フィードバック指示情報」がアップリンクリソース上でＨＡＲＱ−ＡＣＫを送信しないようにＵＥに命令するとき、ＵＥは、アップリンクリソース上でＵＬ−ＳＣＨのみを送信することを決定してもよい。加えて、本発明のこの実施形態では、非周期チャネル状態指示情報およびフィードバック指示情報が指示のために一緒に使用されるとき、非周期チャネル状態指示情報に対応するビットおよびフィードバック指示情報に対応するビットが、アップリンクリソース上で、以下、すなわち、アップリンクデータ、非周期チャネル状態情報、およびフィードバック情報のうちの少なくとも１つを送信するように一緒にＵＥに命令することが理解され得、または、「非周期チャネル状態指示情報およびフィードバック指示情報」が、１つの指示情報を使用することによって表されてもよく、指示情報に基づいて、アップリンクリソース上で、以下、すなわち、アップリンクデータ、非周期チャネル状態情報、およびフィードバック情報のうちの少なくとも１つを送信することが決定されてもよいことが理解され得る。本発明のこの実施形態では、ＵＥがアップリンクリソース上でａＣＳＩまたはＨＡＲＱ−ＡＣＫを送信することを決定した場合、ＵＥによって送信されるべきａＣＳＩまたはＨＡＲＱ−ＡＣＫが単一のサービングセル（またはＣＳＩ処理）または複数のサービングセル（またはＣＳＩ処理）のいずれに対応するかは、限定されないことが留意されるべきである。
【０２０８】
具体的には、非周期チャネル状態情報およびフィードバック指示情報における指示方法は、表形式で説明される。
【０２０９】
任意選択で、本発明のこの実施形態では、非周期チャネル状態指示情報およびフィードバック指示情報は、明示的ビットシグナリングを使用することによって表される。
【０２１０】
本発明のこの実施形態では、任意選択で、ＵＥは、表１６に基づいて、アップリンクリソース上で、以下、すなわち、アップリンクデータ、非周期チャネル状態情報、およびフィードバック情報のうちの少なくとも１つを送信することを決定してもよい。ａＣＳＩトリガが「真」に設定されているとき、ａＣＳＩトリガは、アップリンクリソース上でａＣＳＩを送信するようにＵＥに命令するために利用され得る。逆に、ａＣＳＩトリガが「偽」に設定されているとき、ａＣＳＩトリガは、ＵＥがアップリンクリソース上でａＣＳＩを送信するようにトリガされないことを示すために使用され得る。フィードバック指示情報が「真」に設定されているとき、フィードバック指示情報は、アップリンクリソース上でＨＡＲＱ−ＡＣＫを送信するようにＵＥに命令するために使用され得る。逆に、フィードバック指示情報が「偽」に設定されているとき、フィードバック指示情報は、ＵＥがアップリンクリソース上でＨＡＲＱ−ＡＣＫを送信するようにトリガされないことを示すために使用され得る。ＵＥは、アップリンクスケジューリング情報を受信する。アップリンクスケジューリング情報に基づいて、アップリンクリソース上でａＣＳＩもＨＡＲＱ−ＡＣＫも送信しないことを決定する場合、ＵＥは、アップリンクスケジューリング情報に基づいて、アップリンクリソース上でＵＬ−ＳＣＨを送信することを決定してもよい。表１６内に含まれる内容は、指示のために非周期状態情報指示とフィードバック指示情報とを別々に使用することによって実施されることが考えられ得る。
【０２１１】
任意選択で、本発明のこの実施形態では、ＵＥがアップリンクリソース上でＨＡＲＱ−ＡＣＫを送信するとき、アップリンクリソースは、ＰＵＣＣＨ内に含まれるリソースであり（もしくは、ＵＥは、ＰＵＣＣＨ上でＨＡＲＱ−ＡＣＫを送信し）、および／または、ＵＥが、アップリンクリソース上で、以下、すなわち、ＨＡＲＱ−ＡＣＫおよびａＣＳＩ、ａＣＳＩ、ＨＡＲＱ−ＡＣＫおよびＵＬ−ＳＣＨ、ａＣＳＩおよびＵＬ−ＳＣＨ、ＵＬ−ＳＣＨ、ならびに、ＨＡＲＱ−ＡＣＫ、ＵＬ−ＳＣＨ、およびａＣＳＩのうちの１つを送信するとき、アップリンクリソースは、ＰＵＳＣＨ内に含まれるリソースである（もしくは、ＵＥは、ＰＵＳＣＨ上でＨＡＲＱ−ＡＣＫを送信する）。
【０２１２】
【表１６】
2019525557.tif 000054
【０２１３】
さらに、非周期チャネル状態指示情報は、１ビットを使用することによって表され、「０」は、非周期チャネル状態指示情報が「偽」に設定されていることを示すために使用され、「１」は、非周期チャネル状態指示情報が「真」に設定されていることを示すために使用される、フィードバック指示情報は、２ビットを使用することによって表され、「００」および「１１」は、フィードバック指示情報が「偽」に設定されていることを示すために使用され、「０１」および「１０」は、フィードバック指示情報が「真」に設定されていることを示すために使用されると仮定する。この場合、ＵＥは、表１７に基づいて、アップリンクリソース上で送信されるべきアップリンク情報のタイプをさらに判定してもよい。表１７内に含まれる内容は、指示のために非周期状態情報指示とフィードバック指示情報とを別々に使用することによって実施されることが考えられ得る。
【０２１４】
【表１７】
2019525557.tif 000055
【０２１５】
任意選択で、非周期チャネル状態指示情報が１ビットを使用することによって表され、フィードバック指示情報が２ビットを使用することによって表されると仮定すると、ＵＥは、表１８に基づいて、アップリンクリソース上で送信されるべきアップリンク情報のタイプを判定してもよい。表１８内に含まれる内容は、指示のために非周期状態情報指示とフィードバック指示情報とを一緒に使用することによって実施されることが考えられ得る。
【０２１６】
【表１８】
2019525557.tif 000056
【０２１７】
本発明のこの実施形態では、非周期チャネル状態指示情報のビットの量は、１に限定されず、非周期チャネル状態指示情報のビットの量は、１よりも大きくてもよく、たとえば、３であってもよいことが留意されるべきである。同様に、本発明のこの実施形態では、フィードバック指示情報のビットの量は、１に限定されず、１よりも大きくてもよく、たとえば、３であってもよい。
【０２１８】
Ｓ５０３。端末デバイスは、アップリンクスケジューリング情報によって示されるアップリンクリソース上で、判定されたアップリンク情報を送信する。
【０２１９】
本発明のこの実施形態では、上記で説明されているように、端末デバイスがアップリンクリソース上でａＣＳＩもＵＬ−ＳＣＨも送信しない場合、アップリンクリソースは、ＰＵＣＣＨ内に含まれるリソースである。端末デバイスがアップリンクリソース上でａＣＳＩおよび／またはＵＬ−ＳＣＨを送信する場合、アップリンクリソースは、ＰＵＳＣＨ内に含まれるリソースである。
【０２２０】
任意選択で、端末デバイスがアップリンクリソース上でＵＬ−ＳＣＨを送信しない場合、アップリンクリソースは、ＰＵＣＣＨ内に含まれるリソースである。端末デバイスがアップリンクリソース上でＵＬ−ＳＣＨを送信する場合、アップリンクリソースは、ＰＵＳＣＨ内に含まれるリソースである。
【０２２１】
任意選択で、ＰＵＣＣＨに対応するアップリンクスケジューリング情報のフォーマットは、ＰＵＳＣＨに対応するアップリンク情報のフォーマットと同じである。
【０２２２】
本発明のこの実施形態では、前述の実施形態のように、アップリンクリソース上で送信されるべきアップリンク情報のタイプがＵＥに示されてもよいことが留意されるべきである。加えて、異なるアップリンク情報が異なるアップリンクチャネル内に含まれるアップリンクリソース、たとえば、ＰＵＣＣＨ内に含まれるリソースまたはＰＵＳＣＨ内に含まれるリソース上で搬送されることができる場合、前述の実施形態のように、ＵＥは、アップリンクスケジューリング情報に基づいて、アップリンクスケジューリング情報に対応するアップリンクチャネルを判定するように命令されてもよいことが理解され得る。ここでのアップリンクチャネルは、ＰＵＣＣＨとＰＵＳＣＨとを含む。アップリンクスケジューリング情報に対応するアップリンクチャネルは、アップリンクスケジューリング情報によって示されるアップリンク情報の送信を搬送するアップリンクチャネルとして理解されてもよい。
【０２２３】
ａＣＳＩトリガのビットの量もＨＡＲＱ−ＡＣＫトリガのビットの量も、本発明のこの実施形態では特に限定されないことが留意されるべきである。
【０２２４】
本発明のこの実施形態では、フィードバック指示情報は、本発明のこの実施形態で提供される単なる例であることが留意されるべきである。実際の適用中、名前は、特に限定されない。たとえば、本発明のこの実施形態において説明されるフィードバック指示情報は、フィードバック情報指示情報と呼ばれることもある。
【０２２５】
図５に記載された方法を実行することによって、ＵＥは、ＭＣＳが通常使用されることができるように、従来技術のように特別なＭＣＳ設定および明示的なシグナリングに基づいて判定することを実行する（たとえば、従来技術では、ＵＥは、ａＣＳＩトリガ指示およびＭＣＳインデックス＝２９に基づいて、ａＣＳＩを送信すべきかどうかを判定する）ことなく、アップリンクスケジューリング情報中に含まれる明示的なシグナリングに基づいて、非周期ＣＳＩを送信するが、以下、すなわち、ＨＡＲＱ−ＡＣＫ、ＨＡＲＱ−ＡＣＫおよびａＣＳＩ、ＨＡＲＱ−ＡＣＫおよびＵＬ−ＳＣＨ、ＨＡＲＱ−ＡＣＫ、ａＣＳＩ、およびＵＬ−ＳＣＨ、ａＣＳＩおよびＵＬ−ＳＣＨ、ならびにＵＬ−ＳＣＨのいずれも送信しないことを決定することができる。ダウンリンクデータ送信効率を改善するために、変調およびコーディング順序を表すために、予約されたＭＣＳが使用されてもよい。
【０２２６】
本発明の実施形態における前述のアップリンク情報送信方法のより良い実装を容易にするために、本発明は、前述の方法を実行するための端末デバイスをさらに提供する。
【０２２７】
図６を参照すると、図６は、本発明の実施形態による端末デバイスの概略構造図である。図６に示されているように、端末デバイス６０は、プロセッサ６０１と、メモリ６０２と、通信モジュール６０３と、バス６０４とを含む。プロセッサ６０１、メモリ６０２、および通信モジュール６０３は、バスを使用することによって、または別の方法で互いに接続されてもよい。たとえば、図６において、接続は、バス６０４を使用することによって実施される。
【０２２８】
任意選択で、端末デバイス６０は、入出力（英語：Ｉｎｐｕｔ／Ｏｕｔｐｕｔ、Ｉ／Ｏ）インターフェース６０５と、Ｉ／Ｏコントローラ６０６と、ディスプレイ６０７と、センサ６０８と、電力モジュール６０９とをさらに含んでもよい。
【０２２９】
プロセッサ６０１は、汎用プロセッサ、たとえば、中央処理装置（英語：Ｃｅｎｔｒａｌ  Ｐｒｏｃｅｓｓｉｎｇ  Ｕｎｉｔ、ＣＰＵ）であってもよく、端末デバイス６０のオペレーティングシステムソフトウェア、必要とされるアプリケーションソフトウェアなどを実行するように設定される。プロセッサ６０１は、通信モジュール６０３を使用することによって受信されたデータを処理してもよい。プロセッサ６０１は、ワイヤレス送信のために通信モジュール６０３に送信されるべきデータをさらに処理してもよい。
【０２３０】
メモリ６０２は、アップリンク情報送信プログラムコード、および、端末デバイスの様々なソフトウェアプログラムの完全な記憶、データ記憶、実行するソフトウェアなどを記憶するように設定される。メモリ６０２は、揮発性メモリ（英語：Ｖｏｌａｔｉｌｅ  Ｍｅｍｏｒｙ）、たとえば、ランダムアクセスメモリ（英語：Ｒａｎｄｏｍ  Ａｃｃｅｓｓ  Ｍｅｍｏｒｙ、ＲＡＭ）を含んでもよい。代替として、メモリ６０２は、不揮発性メモリ（英語：Ｎｏｎ−ｖｏｌａｔｉｌｅ  Ｍｅｍｏｒｙ）、たとえば、読出し専用メモリ（英語：Ｒｅａｄ−Ｏｎｌｙ  Ｍｅｍｏｒｙ、ＲＯＭ）、ハードディスクドライブ（英語：Ｈａｒｄ  Ｄｉｓｋ  Ｄｒｉｖｅ、ＨＤＤ）または、ソリッドステートドライブ（英語：Ｓｏｌｉｄ−Ｓｔａｔｅ  Ｄｒｉｖｅ、ＳＳＤ）を含んでもよい。代替として、メモリ６０２は、前述のタイプのメモリの組合せを含んでもよい。
【０２３１】
通信モジュール６０３は、端末デバイス６０のための通信機能を提供し、プロセッサ６０１によって生成されたモバイル通信信号に対して送信処理（たとえば、増幅、変調、または符号化）を実行するように設定され、アンテナによって受信されたモバイル通信信号に対して受信処理（たとえば、復調または復号）を実行するようにさらに設定される。通信モジュール６０３は、セルラーネットワーク、たとえば、ＧＳＭ、ＵＭＴＳ、ＬＴＥ、またはＣＤＭＡネットワークに適用可能であり、ＷＬＡＮ、近距離無線通信（英語：Ｎｅａｒ  Ｆｉｅｌｄ  Ｃｏｍｍｕｎｉｃａｔｉｏｎ、ＮＦＣ）ネットワーク、Ｂｌｕｅｔｏｏｔｈ（登録商標）ネットワークなどのうちの１つまたは複数に適用可能でもある。
【０２３２】
バス６０４は、業界標準アーキテクチャ（英語：Ｉｎｄｕｓｔｒｙ  Ｓｔａｎｄａｒｄ  Ａｒｃｈｉｔｅｃｔｕｒｅ、ＩＳＡ）バス、周辺構成要素相互接続（英語：Ｐｅｒｉｐｈｅｒａｌ  Ｃｏｍｐｏｎｅｎｔ  Ｉｎｔｅｒｃｏｎｎｅｃｔ、ＰＣＩ）バス、拡張業界標準アーキテクチャ（英語：Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス、インター集積回路（英語：Ｉｎｔｅｒ  Ｉｎｔｅｇｒａｔｅｄ  Ｃｉｒｃｕｉｔ、ＩＩＣ）バスなどであってもよい。
【０２３３】
Ｉ／Ｏインターフェース６０５は、端末デバイス６０の外部インターフェースであり、ユニバーサルシリアルバス（英語：Ｕｎｉｖｅｒｓａｌ  Ｓｅｒｉａｌ  Ｂｕｓ、ＵＳＢ）インターフェース、セキュアデジタル（英語：Ｓｅｃｕｒｅ  Ｄｉｇｉｔａｌ、ＳＤ）カードインターフェース、押しボタンインターフェースなどのうちの１つまたは複数を含む。
【０２３４】
Ｉ／Ｏコントローラ６０６は、端末デバイス６０の様々な入出力デバイス間のデータ交換、特に、プロセッサ６０１と、Ｉ／Ｏインターフェース６０５と、ディスプレイ６０７との間のデータ交換を制御するように設定される。
【０２３５】
ディスプレイ６０７は、端末デバイス６０の表示画面およびタッチスクリーンである。ディスプレイ６０７は、端末デバイス６０のソフトウェア実行状態と、電力状態と、時間と、ユーザ設定インターフェースと、設定結果とを表示するように設定される。タッチスクリーンは、ユーザのタッチ動作を受け付け、ユーザのタッチ動作をユーザの動作指示に変換するように設定される。
【０２３６】
センサ６０８は、全地球測位システム（英語：Ｇｌｏｂａｌ  Ｐｏｓｉｔｉｏｎｉｎｇ  Ｓｙｓｔｅｍ、ＧＰＳ）モジュール、重力センサ、加速度センサ、距離センサ、カメラ、光学センサなどのうちの１つまたは複数を含む、様々なセンサデバイスを含む。
【０２３７】
電力モジュール６０９は、端末デバイス６０のモジュールに電力を供給する。
【０２３８】
本発明のこの実施形態では、プロセッサ６０１は、メモリ６０２内に記憶されたプログラムを呼び出し、以下の動作、すなわち、
プロセッサ６０１によって、通信モジュール６０３を使用することによって、アクセスネットワークデバイスによって送信されたアップリンクスケジューリング情報を受信することと、
プロセッサ６０１によって、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定することと、
アップリンクリソース上でフィードバック情報を送信することを決定した場合、プロセッサ６０１によって、通信モジュール６０３を使用することによってアップリンクリソース上でフィードバック情報を送信することと
を実行するように主に設定される。
【０２３９】
任意選択で、プロセッサ６０１は、
プロセッサ６０１が、通信モジュール６０３を使用することによってアップリンクリソース上でフィードバック情報を送信し、プロセッサによって、通信モジュールを使用することによってアップリンクリソース上でアップリンクデータおよび非周期チャネル状態情報のうちの少なくとも１つをさらに送信するようにさらに設定される。
【０２４０】
任意選択で、プロセッサ６０１によって、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定することは、
アップリンクスケジューリング情報中に含まれる非周期チャネル状態指示情報が非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されているとき、プロセッサ６０１によって、アップリンクスケジューリング情報によって示されるアップリンクリソース上でフィードバック情報を送信することを決定すること、ならびに／または、
アップリンクスケジューリング情報中に含まれる非周期チャネル状態指示情報が非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中の任意の値に設定されているとき、プロセッサ６０１によって、アップリンクスケジューリング情報によって示されるアップリンクリソース上でフィードバック情報を送信することを決定すること
を含む。
【０２４１】
本発明のこの実施形態で説明される端末デバイス６０の機能モジュールの機能は、図３に示されている実施形態における対応する端末デバイスの関連する説明に基づいて実装されてもよいことが理解されるべきである。詳細は、本明細書では再び説明されない。
【０２４２】
図７を参照すると、図７は、本発明の実施形態によるアクセスネットワークデバイスの概略構造図である。図７に示されているように、アクセスネットワークデバイス７０は、プロセッサ７０１と、メモリ７０２と、通信モジュール７０３と、バス７０４とを含む。プロセッサ７０１、メモリ７０２、および通信モジュール７０３は、バスを使用することによって、または別の方法で互いに接続されてもよい。たとえば、図７では、接続は、バス７０４を使用することによって実施される。
【０２４３】
任意選択で、アクセスネットワークデバイス７０は、ネットワークインターフェース７０５と電力モジュール７０６とをさらに含んでもよい。
【０２４４】
プロセッサ７０１は、デジタル信号処理（英語：Ｄｉｇｉｔａｌ  Ｓｉｇｎａｌ  Ｐｒｏｃｅｓｓｉｎｇ、ＤＳＰ）チップであってもよい。プロセッサ７０１は、無線チャネルを管理すること、ローカル制御ゾーン内でアクセスネットワークデバイスのクロスゾーンハンドオーバを制御することなどを行うように設定される。特定の実装の間、プロセッサ７０１は、ＡＭ／ＣＭモジュール（音声チャネル交換および情報交換の中心）と、ＢＭモジュール（呼処理、シグナリング処理、無線リソース管理、無線リンク管理、および回路メンテナンスのような機能を実行するように設定される）と、ＴＣＳＭモジュール（多重化／逆多重化および符号変換の機能を実行するように設定される）と、他のモジュールとを含んでもよい。詳細な情報については、モバイル通信に関する知識を参照されたい。
【０２４５】
メモリ７０２は、フィードバック情報送信プログラムコードを記憶するように設定される。特定の実装の間、メモリ７０２は、ＲＯＭまたはＲＡＭであってもよく、プログラムコードを記憶するように設定されることができる。
【０２４６】
通信モジュール７０３は、プロセッサ７０１によって生成されたモバイル通信信号に対して送信処理（たとえば、変調）を実行するように設定され、アンテナによって受信されたモバイル通信信号に対して受信処理（たとえば、復調）を実行するようにさらに設定される。
【０２４７】
バス７０４は、ＩＳＡバス、ＰＣＩバス、ＥＩＳＡバス、ＩＩＣバスなどであってもよい。
【０２４８】
ネットワークインターフェース７０５は、アクセスネットワークデバイス７０によって使用され、端末（２Ｇにおける移動局ＭＳ、または３Ｇおよび４ＧにおけるＵＥ）とのデータ通信を実行する。特定の実装の間、ネットワークインターフェース７０５は、ＧＳＭ（２Ｇ）ワイヤレスネットワークインターフェース、ＷＣＤＭＡ（３Ｇ）ワイヤレスネットワークインターフェース、ＬＴＥ（４Ｇ）ワイヤレスネットワークインターフェースなどのうちの１つもしくはいくつかを含んでもよく、または、将来の４．５Ｇもしくは５Ｇにおけるワイヤレスネットワークインターフェースであってもよい。
【０２４９】
電力モジュール７０６は、アクセスネットワークデバイス７０のモジュールに電力を供給するように設定される。
【０２５０】
本発明のこの実施形態では、プロセッサ７０１は、メモリ７０２内のプログラムコードを呼び出し、以下の動作、すなわち、
プロセッサ７０１によって、通信モジュール７０３を使用することによってアップリンクスケジューリング情報を端末デバイスに送信することであって、アップリンクスケジューリング情報が非周期チャネル状態指示情報と変調およびコーディング指示情報とを含み、非周期チャネル状態指示情報ならびに変調およびコーディング指示情報が使用され、アップリンクスケジューリング情報によって示されるアップリンクリソース上でフィードバック情報を送信すべきかどうかを判定するように端末デバイスに命令する、ことと、
非周期チャネル状態指示情報ならびに変調およびコーディング指示情報が、アップリンクスケジューリング情報によって示されるアップリンクリソース上でフィードバック情報を送信するように端末デバイスに命令した場合、プロセッサ７０１によって、通信モジュール７０３を使用することによって、アップリンクリソース上で端末デバイスによって送信されるフィードバック情報を受信することと
を実行するようにさらに設定される。
【０２５１】
アクセスネットワークデバイス７０は、２Ｇ通信システム（たとえば、ＧＳＭ）、３Ｇ通信システム（たとえば、ＵＭＴＳ）、および４Ｇ通信システム（たとえば、ＬＴＥ）に適用可能であり、将来の４．５Ｇまたは５Ｇ通信システムに適用可能でもあることが留意されるべきである。
【０２５２】
任意選択で、アップリンクスケジューリング情報中に含まれる非周期チャネル状態指示情報が非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されているとき、非周期チャネル状態指示情報、および変調およびコーディング指示情報が使用され、アップリンクスケジューリング情報によって示されるアップリンクリソース上でフィードバック情報を送信するように端末デバイスに命令し、ならびに／または、
アップリンクスケジューリング情報中に含まれる非周期チャネル状態指示情報が非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中の任意の値に設定されているとき、非周期チャネル状態指示情報、および変調およびコーディング指示情報が使用され、アップリンクスケジューリング情報によって示されるアップリンクリソース上でフィードバック情報を送信するように端末デバイスに命令する。
【０２５３】
本発明のこの実施形態で説明されるアクセスネットワークデバイス７０の機能モジュールの機能は、図３において示される実施形態における対応するアクセスネットワークデバイスの関連する説明に基づいて実装されてもよいことが理解されるべきである。詳細は、本明細書では再び説明されない。
【０２５４】
図８を参照すると、図８は、本発明の実施形態による端末デバイスの概略構造図である。図８に示されているように、端末デバイス８０は、プロセッサ８０１と、メモリ８０２と、通信モジュール８０３と、バス８０４とを含む。プロセッサ８０１、メモリ８０２、および通信モジュール８０３は、バスを使用することによって、または別の方法で互いに接続されてもよい。たとえば、図８において、接続は、バス８０４を使用することによって実施される。
【０２５５】
任意選択で、端末デバイス８０は、Ｉ／Ｏインターフェース８０５と、Ｉ／Ｏコントローラ８０６と、ディスプレイ８０７と、センサ８０８と、電力モジュール８０９とをさらに含んでもよい。
【０２５６】
プロセッサ８０１は、汎用プロセッサ、たとえば、ＣＰＵであってもよく、端末デバイス８０のオペレーティングシステムソフトウェア、必要とされるアプリケーションソフトウェアなどを実行するように設定される。プロセッサ８０１は、通信モジュール８０３を使用することによって受信されたデータを処理してもよい。プロセッサ８０１は、ワイヤレス送信のために通信モジュール８０３に送信されるべきデータをさらに処理してもよい。
【０２５７】
メモリ８０２は、アップリンク情報送信プログラムコード、および、端末デバイスの様々なソフトウェアプログラムの完全な記憶、データ記憶、実行するソフトウェアなどを記憶するように設定される。メモリ８０２は、揮発性メモリ、たとえば、ＲＡＭを含んでもよい。代替として、メモリ８０２は、不揮発性メモリ、たとえば、ＲＯＭ、ハードディスクドライブ、またはソリッドステートドライブを含んでもよい。代替として、メモリ８０２は、前述のタイプのメモリの組合せを含んでもよい。
【０２５８】
通信モジュール８０３は、端末デバイス８０のための通信機能を提供し、プロセッサ８０１によって生成されたモバイル通信信号に対して送信処理（たとえば、増幅、変調、または符号化）を実行するように設定され、アンテナによって受信されたモバイル通信信号に対して受信処理（たとえば、復調または復号）を実行するようにさらに設定される。通信モジュール８０３は、セルラーネットワーク、たとえば、ＧＳＭ、ＵＭＴＳ、ＬＴＥ、またはＣＤＭＡネットワークに適用可能であり、ＷＬＡＮ、ＮＦＣネットワーク、Ｂｌｕｅｔｏｏｔｈネットワークなどのうちの１つまたは複数に適用可能でもある。
【０２５９】
バス８０４は、ＩＳＡバス、ＰＣＩバス、ＥＩＳＡバス、ＩＩＣバスなどであってもよい。
【０２６０】
Ｉ／Ｏインターフェース８０５は、端末デバイス８０の外部インターフェースであり、ＵＳＢインターフェース、ＳＤカードインターフェース、押しボタンインターフェースなどのうちの１つまたは複数を含む。
【０２６１】
Ｉ／Ｏコントローラ８０６は、端末デバイス８０の様々な入出力デバイス間のデータ交換、特に、プロセッサ８０１と、Ｉ／Ｏインターフェース８０５と、ディスプレイ８０７との間のデータ交換を制御するように設定される。
【０２６２】
ディスプレイ８０７は、端末デバイス８０の表示画面およびタッチスクリーンである。ディスプレイ８０７は、端末デバイス８０のソフトウェア実行状態と、電力状態と、時間と、ユーザ設定インターフェースと、設定結果とを表示するように設定される。タッチスクリーンは、ユーザのタッチ動作を受け付け、ユーザのタッチ動作をユーザの動作指示に変換するように設定される。
【０２６３】
センサ８０８は、ＧＰＳモジュール、重力センサ、加速度センサ、距離センサ、カメラ、光学センサなどのうちの１つまたは複数を含む、様々なセンサデバイスである。
【０２６４】
電力モジュール８０９は、端末デバイス８０のモジュールに電力を供給する。
【０２６５】
本発明のこの実施形態では、プロセッサ８０１は、メモリ８０２内に記憶されたプログラムを呼び出し、以下の動作、すなわち、
プロセッサ８０１によって、通信モジュール８０３を使用することによって、アクセスネットワークデバイスによって送信されたアップリンクスケジューリング情報を受信することと、
プロセッサ８０１によって、アップリンクスケジューリング情報中に含まれる変調およびコーディング指示情報に基づいて、アップリンクスケジューリング情報によって示されるアップリンクリソース上でアップリンクデータを送信すべきかどうかを判定することと、
アップリンクリソース上でアップリンクデータを送信することを決定した場合、プロセッサ８０１によって、通信モジュール８０３を使用することによってアップリンクリソース上でアップリンクデータを送信することと
を実行するように主に設定される。
【０２６６】
任意選択で、プロセッサ８０１によって、アップリンクスケジューリング情報中に含まれる変調およびコーディング指示情報に基づいて、アップリンクスケジューリング情報によって示されるアップリンクリソース上でアップリンクデータを送信すべきかどうかを判定することは、
プロセッサ８０１が、アップリンクスケジューリング情報中に含まれる変調およびコーディング指示情報に対応するインデックス番号が０から２８の中の任意の値であると判定したとき、プロセッサ８０１によって、アップリンクスケジューリング情報によって示されるアップリンクリソース上でアップリンクデータを送信することを決定すること、ならびに／または、
プロセッサ８０１が、アップリンクスケジューリング情報中に含まれる変調およびコーディング指示情報に対応するインデックス番号が２９から３１の中の任意の値であると判定したとき、プロセッサ８０１によって、アップリンクスケジューリング情報によって示されるアップリンクリソース上でアップリンクデータを送信しないことを決定すること
を含む。
【０２６７】
任意選択で、プロセッサ８０１によって、アップリンクスケジューリング情報によって示されるアップリンクリソース上でアップリンクデータを送信することを決定することは、
プロセッサ８０１によって、アップリンクスケジューリング情報中に含まれる非周期チャネル状態指示情報およびフィードバック指示情報に基づいて、アップリンクスケジューリング情報によって示されるアップリンクリソース上で、アップリンクデータ、アップリンクデータおよび非周期チャネル状態情報、アップリンクデータおよびフィードバック情報、または、アップリンクデータ、非周期チャネル状態情報、およびフィードバック情報を送信することを決定することを含む。
【０２６８】
任意選択で、プロセッサ８０１によって、アップリンクスケジューリング情報によって示されるアップリンクリソース上でアップリンクデータを送信しないことを決定することは、
プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または、非周期チャネル状態情報およびフィードバック情報を送信することを決定することを含む。
【０２６９】
任意選択で、プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または、非周期チャネル状態情報およびフィードバック情報を送信することを決定することは、
プロセッサ８０１が、変調およびコーディング指示情報に対応するインデックス番号が２９であることを決定したとき、プロセッサ８０１によって、アップリンクスケジューリング情報によって示されるアップリンクリソース上で非周期チャネル状態情報を送信することを決定すること、ならびに／または、
プロセッサ８０１が、変調およびコーディング指示情報に対応するインデックス番号が３０もしくは３１であることを決定したとき、プロセッサ８０１によって、アップリンクスケジューリング情報によって示されるアップリンクリソース上で、フィードバック情報、もしくは非周期チャネル状態情報およびフィードバック情報を送信することを決定すること
を含む。
【０２７０】
任意選択で、プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で、非周期チャネル状態情報、フィードバック情報、または非周期チャネル状態情報およびフィードバック情報を送信することを決定することは、
プロセッサ８０１が、変調およびコーディング指示情報に対応するインデックス番号が２９であり、アップリンクスケジューリング情報中に含まれる非周期チャネル状態指示情報が「真」に設定されているとき、プロセッサ８０１によって、アップリンクスケジューリング情報によって示されるアップリンクリソース上で非周期チャネル状態情報を送信することを決定すること、ならびに／または、
プロセッサ８０１が、変調およびコーディング指示情報に対応するインデックス番号が２９であり、アップリンクスケジューリング情報中に含まれる非周期チャネル状態指示情報が「偽」に設定されているとき、プロセッサ８０１によって、アップリンクスケジューリング情報によって示されるアップリンクリソース上でフィードバック情報、もしくは非周期チャネル状態情報およびフィードバック情報を送信することを決定すること
を含む。
【０２７１】
任意選択で、プロセッサ８０１によって、アップリンクスケジューリング情報によって示されるアップリンクリソース上でフィードバック情報、または非周期チャネル状態情報およびフィードバック情報を送信することを決定することは、
プロセッサ８０１によって、アップリンクスケジューリング情報によって示されるアップリンクリソース上でフィードバック情報を送信することを決定することを含む。
【０２７２】
プロセッサ８０１は、
プロセッサ８０１が、変調およびコーディング指示情報に対応するインデックス番号が３０または３１であることを決定したとき、プロセッサ８０１によって、アップリンクスケジューリング情報によって示されるアップリンクリソース上で非周期チャネル状態情報およびフィードバック情報を送信することを決定するようにさらに設定される。
【０２７３】
任意選択で、プロセッサ８０１によって、アップリンクスケジューリング情報によって示されるアップリンクリソース上でフィードバック情報、または非周期チャネル状態情報およびフィードバック情報を送信することを決定することは、
プロセッサ８０１によって、アップリンクスケジューリング情報によって示されるアップリンクリソース上で非周期チャネル状態情報およびフィードバック情報を送信することを決定することを含む。
【０２７４】
プロセッサ８０１は、
プロセッサ８０１が、変調およびコーディング指示情報に対応するインデックス番号が３０または３１であることを決定したとき、プロセッサ８０１によって、アップリンクスケジューリング情報によって示されるアップリンクリソース上でフィードバック情報を送信することを決定するようにさらに設定される。
【０２７５】
任意選択で、プロセッサ８０１によって、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または非周期チャネル状態情報およびフィードバック情報を送信することを決定することは、
プロセッサ８０１によって、アップリンクスケジューリング情報中に含まれる非周期チャネル状態指示情報およびフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定することを含む。
【０２７６】
任意選択で、プロセッサ８０１によって、アップリンクスケジューリング情報中に含まれる変調およびコーディング指示情報、非周期チャネル状態指示情報、およびフィードバック指示情報のうちの少なくとも１つに基づいて、アップリンクスケジューリング情報によって示されるアップリンクリソース上で非周期チャネル状態情報、フィードバック情報、または非周期チャネル状態情報およびフィードバック情報を送信することを決定することは、
プロセッサ８０１によって、アップリンクスケジューリング情報中に含まれる変調およびコーディング指示情報、非周期チャネル状態指示情報、およびフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定することを含む。
【０２７７】
本発明のこの実施形態において説明される端末デバイス８０の機能モジュールの機能は、図４において示される実施形態における対応する端末デバイスの関連する説明に基づいて実装されてもよいことが理解されるべきである。詳細は、本明細書では再び説明されない。
【０２７８】
図９を参照すると、図９は、本発明の実施形態によるアクセスネットワークデバイスの概略構造図である。図９に示されているように、アクセスネットワークデバイス９０は、プロセッサ９０１と、メモリ９０２と、通信モジュール９０３と、バス９０４とを含む。プロセッサ９０１、メモリ９０２、および通信モジュール９０３は、バスを使用することによって、または別の方法で互いに接続されてもよい。たとえば、図９において、接続は、バス９０４を使用することによって実施される。
【０２７９】
任意選択で、アクセスネットワークデバイス９０は、ネットワークインターフェース９０５と電力モジュール９０６とをさらに含んでもよい。
【０２８０】
プロセッサ９０１は、ＤＳＰチップであってもよい。プロセッサ９０１は、無線チャネル、ローカル制御ゾーン内の端末デバイスの制御クロスゾーンハンドオーバなどを管理するように設定される。特定の実装の間、プロセッサ９０１は、ＡＭ／ＣＭモジュール（音声チャネル交換および情報交換の中心）と、ＢＭモジュール（呼処理、シグナリング処理、無線リソース管理、無線リンク管理、および回路メンテナンスのような機能を実行するように設定される）と、ＴＣＳＭモジュール（多重化／逆多重化および符号変換の機能を実行するように設定される）と、他のモジュールとを含んでもよい。詳細な情報については、モバイル通信に関する知識を参照されたい。
【０２８１】
メモリ９０２は、フィードバック情報送信プログラムコードを記憶するように設定される。特定の実装の間、メモリ９０２は、ＲＯＭまたはＲＡＭであってもよく、プログラムコードを記憶するように設定することができる。
【０２８２】
通信モジュール９０３は、プロセッサ９０１によって生成されたモバイル通信信号に対して送信処理（たとえば、変調）を実行するように設定され、アンテナによって受信されたモバイル通信信号に対して受信処理（たとえば、復調）を実行するようにさらに設定される。
【０２８３】
バス９０４は、ＩＳＡバス、ＰＣＩバス、ＥＩＳＡバス、ＩＩＣバスなどであってもよい。
【０２８４】
ネットワークインターフェース９０５は、アクセスネットワークデバイス９０によって使用され、端末（２Ｇにおける移動局ＭＳ、または３Ｇおよび４ＧにおけるＵＥ）とのデータ通信を実行する。特定の実装の間、ネットワークインターフェース９０５は、ＧＳＭ（２Ｇ）ワイヤレスネットワークインターフェース、ＷＣＤＭＡ（３Ｇ）ワイヤレスネットワークインターフェース、ＬＴＥ（４Ｇ）ワイヤレスネットワークインターフェースなどのうちの１つもしくはいくつかを含んでもよく、または、将来の４．５Ｇもしくは５Ｇにおけるワイヤレスネットワークインターフェースであってもよい。
【０２８５】
電力モジュール９０６は、アクセスネットワークデバイス９０のモジュールに電力を供給するように設定される。
【０２８６】
本発明のこの実施形態では、プロセッサ９０１は、メモリ９０２の中のプログラムコードを呼び出し、以下の動作、すなわち、
プロセッサ９０１によって、通信モジュール９０３を使用することによって端末デバイスにアップリンクスケジューリング情報を送信することであって、アップリンクスケジューリング情報が変調およびコーディング指示情報を含み、変調およびコーディング指示情報が、端末デバイスによって使用され、アップリンクスケジューリング情報によって示されるアップリンクリソース上でアップリンクデータを送信すべきかどうかを判定する、ことと、
変調およびコーディング指示情報が、アップリンクスケジューリング情報によって示されるアップリンクリソース上でアップリンクデータを送信するように端末デバイスに命令した場合、プロセッサ９０１によって、通信モジュール９０３を使用することによって、アップリンクリソース上で端末デバイスによって送信されたアップリンクデータを受信することと
を実行するようにさらに設定される。
【０２８７】
アクセスネットワークデバイス９０は、２Ｇ通信システム（たとえば、ＧＳＭ）、３Ｇ通信システム（たとえば、ＵＭＴＳ）、および４Ｇ通信システム（たとえば、ＬＴＥ）に適用可能であり、将来の４．５Ｇまたは５Ｇ通信システムに適用可能でもあることが留意されるべきである。
【０２８８】
任意選択で、アップリンクスケジューリング情報中に含まれる変調およびコーディング指示情報に対応するインデックス番号が０から２８の中の任意の値であるとき、変調およびコーディング指示情報は、アップリンクスケジューリング情報によって示されるアップリンクリソース上でアップリンクデータを送信することを端末デバイスに示し、ならびに／または、
アップリンクスケジューリング情報中に含まれる変調およびコーディング指示情報に対応するインデックス番号が２９から３１の中の任意の値であるとき、変調およびコーディング指示情報は、アップリンクスケジューリング情報によって示されるアップリンクリソース上でアップリンクデータを送信しないことを端末デバイスに示す。
【０２８９】
任意選択で、アップリンクスケジューリング情報は、フィードバック指示情報をさらに含み、非周期チャネル状態指示情報およびフィードバック指示情報は、端末デバイスによって使用され、アップリンクスケジューリング情報によって示されるアップリンクリソース上でアップリンクデータ、アップリンクデータおよび非周期チャネル状態情報、アップリンクデータおよびフィードバック情報、またはアップリンクデータ、非周期チャネル状態情報、およびフィードバック情報を送信することを決定する。
【０２９０】
任意選択で、アップリンクスケジューリング情報は、非周期チャネル状態指示情報とフィードバック指示情報とをさらに含み、変調およびコーディング指示情報、非周期チャネル状態指示情報、およびフィードバック指示情報のうちの少なくとも１つは、端末デバイスによって使用され、アップリンクスケジューリング情報によって示されるアップリンクリソース上で非周期チャネル状態情報、フィードバック情報、または非周期チャネル状態情報およびフィードバック情報を送信することを決定する。
【０２９１】
任意選択で、変調およびコーディング指示情報に対応するインデックス番号が２９であるとき、変調およびコーディング指示情報は、アップリンクスケジューリング情報によって示されるアップリンクリソース上で非周期チャネル状態情報を送信することを端末デバイスに示し、ならびに／または、
変調およびコーディング指示情報に対応するインデックス番号が３０もしくは３１であるとき、変調およびコーディング指示情報は、アップリンクスケジューリング情報によって示されるアップリンクリソース上でフィードバック情報、もしくは非周期チャネル状態情報およびフィードバック情報を送信することを端末デバイスに示す。
【０２９２】
任意選択で、変調およびコーディング指示情報に対応するインデックス番号が２９であり、アップリンクスケジューリング情報中に含まれる非周期チャネル状態指示情報が「真」に設定されているとき、変調およびコーディング指示情報ならびに非周期チャネル状態指示情報が使用され、アップリンクスケジューリング情報によって示されるアップリンクリソース上で非周期チャネル状態情報を送信するように端末デバイスに命令し、ならびに／または、
変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報が使用され、アップリンクスケジューリング情報によって示されるアップリンクリソース上でフィードバック情報、または非周期チャネル状態情報およびフィードバック情報を送信するように端末デバイスに命令する。
【０２９３】
任意選択で、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報が使用され、端末デバイスに命令し、アップリンクスケジューリング情報によって示されるアップリンクリソース上でフィードバック情報を送信し、または、変調およびコーディング指示情報に対応するインデックス番号が３０もしくは３１であるとき、変調およびコーディング指示情報は、アップリンクスケジューリング情報によって示されるアップリンクリソース上で非周期チャネル状態情報およびフィードバック情報を送信することを端末デバイスに示す。
【０２９４】
任意選択で、変調およびコーディング指示情報に対応するインデックス番号が２９であり、アップリンクスケジューリング情報中に含まれる非周期チャネル状態指示情報が「偽」に設定されているとき、変調およびコーディング指示情報ならびに非周期チャネル状態指示情報が使用され、端末デバイスに命令し、アップリンクスケジューリング情報によって示されるアップリンクリソース上で非周期チャネル状態情報およびフィードバック情報を送信し、または、変調およびコーディング指示情報に対応するインデックス番号が３０もしくは３１であるとき、変調およびコーディング指示情報は、アップリンクスケジューリング情報によって示されるアップリンクリソース上でフィードバック情報を送信することを端末デバイスに示す。
【０２９５】
任意選択で、アップリンクスケジューリング情報中に含まれる非周期チャネル状態指示情報およびフィードバック指示情報は、端末デバイスによって使用され、アップリンクスケジューリング情報によって示されるアップリンクリソース上で非周期チャネル状態情報、フィードバック情報、または非周期チャネル状態情報およびフィードバック情報を送信することを決定する。
【０２９６】
任意選択で、アップリンクスケジューリング情報中に含まれる変調およびコーディング指示情報、非周期チャネル状態指示情報、ならびにフィードバック指示情報は、アップリンクスケジューリング情報によって示されるアップリンクリソース上で非周期チャネル状態情報、フィードバック情報、または非周期チャネル状態情報およびフィードバック情報を送信することを決定するために端末デバイスによって使用される。
【０２９７】
本発明のこの実施形態において説明されるアクセスネットワークデバイス９０の機能モジュールの機能は、図４において示される実施形態における対応するアクセスネットワークデバイスの関連する説明に基づいて実装されてもよいことが理解されるべきである。詳細は、本明細書では再び説明されない。
【０２９８】
図１０を参照すると、図１０は、本発明の実施形態による端末デバイスの概略構造図である。図１０に示されているように、端末デバイス１００は、プロセッサ１００１と、メモリ１００２と、通信モジュール１００３と、バス１００４とを含む。プロセッサ１００１、メモリ１００２、および通信モジュール１００３は、バスを使用することによって、または別の方法で互いに接続されてもよい。たとえば、図１０において、接続は、バス１００４を使用することによって実施される。
【０２９９】
任意選択で、端末デバイス１００は、Ｉ／Ｏインターフェース１００５と、Ｉ／Ｏコントローラ１００６と、ディスプレイ１００７と、センサ１００８と、電力モジュール１００９とをさらに含んでもよい。
【０３００】
プロセッサ１００１は、汎用プロセッサ、たとえば、ＣＰＵであってもよく、端末デバイス１００のオペレーティングシステムソフトウェア、必要とされるアプリケーションソフトウェアなどを実行するように設定される。プロセッサ１００１は、通信モジュール１００３を使用することによって受信されたデータを処理してもよい。プロセッサ１００１は、ワイヤレス送信のために通信モジュール１００３に送信されるべきデータをさらに処理してもよい。
【０３０１】
メモリ１００２は、アップリンク情報送信プログラムコード、および、端末デバイスの様々なソフトウェアプログラムの完全な記憶、データ記憶、実行するソフトウェアなどを記憶するように設定される。メモリ１００２は、揮発性メモリ、たとえば、ＲＡＭを含んでもよい。代替として、メモリ１００２は、不揮発性メモリ、たとえば、ＲＯＭ、ハードディスクドライブ、またはソリッドステートドライブを含んでもよい。代替として、メモリ１００２は、前述のタイプのメモリの組合せを含んでもよい。
【０３０２】
通信モジュール１００３は、端末デバイス１００のための通信機能を提供し、プロセッサ１００１によって生成されたモバイル通信信号に対して送信処理（たとえば、増幅、変調、または符号化）を実行するように設定され、アンテナによって受信されたモバイル通信信号に対して受信処理（たとえば、復調または復号）を実行するようにさらに設定される。通信モジュール１００３は、セルラーネットワーク、たとえば、ＧＳＭ、ＵＭＴＳ、ＬＴＥ、またはＣＤＭＡネットワークに適用可能であり、ＷＬＡＮ、ＮＦＣネットワーク、Ｂｌｕｅｔｏｏｔｈネットワークなどのうちの１つまたは複数に適用可能でもある。
【０３０３】
バス１００４は、ＩＳＡバス、ＰＣＩバス、ＥＩＳＡバス、ＩＩＣバスなどであってもよい。
【０３０４】
Ｉ／Ｏインターフェース１００５は、端末デバイス１００の外部インターフェースであり、ＵＳＢインターフェース、ＳＤカードインターフェース、押しボタンインターフェースなどのうちの１つまたは複数を含む。
【０３０５】
Ｉ／Ｏコントローラ１００６は、端末デバイス１００の様々な入出力デバイス間のデータ交換、特に、プロセッサ１００１と、Ｉ／Ｏインターフェース１００５と、ディスプレイ１００７との間のデータ交換を制御するように設定される。
【０３０６】
ディスプレイ１００７は、端末デバイス１００の表示画面およびタッチスクリーンである。ディスプレイ１００７は、端末デバイス１００のソフトウェア実行状態と、電力状態と、時間と、ユーザ設定インターフェースと、設定結果とを表示するように設定される。タッチスクリーンは、ユーザのタッチ動作を受け付け、ユーザのタッチ動作をユーザの動作指示に変換するように設定される。
【０３０７】
センサ１００８は、ＧＰＳモジュール、重力センサ、加速度センサ、距離センサ、カメラ、光学センサなどのうちの１つまたは複数を含む、様々なセンサデバイスである。
【０３０８】
電力モジュール１００９は、端末デバイス１００のモジュールに電力を供給する。
【０３０９】
本発明のこの実施形態では、プロセッサ１００１は、メモリ１００２内に記憶されたプログラムを呼び出し、以下の動作、すなわち、
プロセッサ１００１によって、通信モジュール１００３を使用することによって、アクセスネットワークデバイスによって送信されたアップリンクスケジューリング情報を受信することと、
プロセッサ１００１によって、アップリンクスケジューリング情報中に含まれる非周期チャネル状態指示情報およびフィードバック指示情報に基づいて、アップリンクスケジューリング情報によって示されるアップリンクリソース上で送信されるべきアップリンク情報を判定することであって、アップリンク情報が、以下、すなわち、アップリンクデータ、非周期チャネル状態情報、およびフィードバック情報のうちの少なくとも１つを含む、ことと、
プロセッサ１００１によって、通信モジュール１００３を使用することによってアップリンクリソース上でアップリンク情報を送信することと
を実行するように主に設定される。
【０３１０】
本発明のこの実施形態において説明される端末デバイス１００の機能モジュールの機能は、図５において示される実施形態における対応する端末デバイスの関連する説明に基づいて実装されてもよいことが理解されるべきである。詳細は、本明細書では再び説明されない。
【０３１１】
図１１を参照すると、図１１は、本発明の実施形態によるアクセスネットワークデバイスの概略構造図である。図１１に示されているように、アクセスネットワークデバイス１１０は、プロセッサ１１０１と、メモリ１１０２と、通信モジュール１１０３と、バス１１０４とを含む。プロセッサ１１０１、メモリ１１０２、および通信モジュール１１０３は、バスを使用することによって、または別の方法で互いに接続されてもよい。たとえば、図１１において、接続は、バス１１０４を使用することによって実施される。
【０３１２】
任意選択で、アクセスネットワークデバイス１１０は、ネットワークインターフェース１１０５と電力モジュール１１０６とをさらに含んでもよい。
【０３１３】
プロセッサ１１０１は、ＤＳＰチップであってもよい。プロセッサ１１０１は、無線チャネル、ローカル制御ゾーン内の端末デバイスの制御クロスゾーンハンドオーバなどを管理するように設定される。特定の実装の間、プロセッサ１１０１は、ＡＭ／ＣＭモジュール（音声チャネル交換および情報交換の中心）と、ＢＭモジュール（呼処理、シグナリング処理、無線リソース管理、無線リンク管理、および回路メンテナンスのような機能を実行するように設定される）と、ＴＣＳＭモジュール（多重化／逆多重化および符号変換の機能を実行するように設定される）と、他のモジュールとを含んでもよい。詳細な情報については、モバイル通信に関する知識を参照されたい。
【０３１４】
メモリ１１０２は、フィードバック情報送信プログラムコードを記憶するように設定される。特定の実装の間、メモリ１１０２は、ＲＯＭまたはＲＡＭであってもよく、プログラムコードを記憶するように設定されることができる。
【０３１５】
通信モジュール１１０３は、プロセッサ１１０１によって生成されたモバイル通信信号に対して送信処理（たとえば、変調）を実行するように設定され、アンテナによって受信されたモバイル通信信号に対して受信処理（たとえば、復調）を実行するようにさらに設定される。
【０３１６】
バス１１０４は、ＩＳＡバス、ＰＣＩバス、ＥＩＳＡバス、ＩＩＣバスなどであってもよい。
【０３１７】
ネットワークインターフェース１１０５は、端末（２Ｇにおける移動局ＭＳ、または３Ｇおよび４ＧにおけるＵＥ）とのデータ通信を実行するためにアクセスネットワークデバイス１１０によって使用される。特定の実装の間、ネットワークインターフェース１１０５は、ＧＳＭ（２Ｇ）ワイヤレスネットワークインターフェース、ＷＣＤＭＡ（３Ｇ）ワイヤレスネットワークインターフェース、ＬＴＥ（４Ｇ）ワイヤレスネットワークインターフェースなどのうちの１つもしくはいくつかを含んでもよく、または、将来の４．５Ｇもしくは５Ｇにおけるワイヤレスネットワークインターフェースであってもよい。
【０３１８】
電力モジュール１１０６は、アクセスネットワークデバイス１１０のモジュールに電力を供給するように設定される。
【０３１９】
本発明のこの実施形態では、プロセッサ１１０１は、メモリ１１０２内に記憶されたプログラムコードを呼び出し、以下の動作、すなわち、
プロセッサ１１０１によって、通信モジュール１１０３を使用することによって、端末デバイスにアップリンクスケジューリング情報を送信することであって、アップリンクスケジューリング情報が、非周期チャネル状態指示情報およびフィードバック指示情報を含み、非周期チャネル状態指示情報およびフィードバック指示情報が使用され、端末デバイスに命令し、アップリンクスケジューリング情報によって示されるアップリンクリソース上で送信されるべきアップリンク情報を判定し、アップリンク情報が、以下、すなわち、アップリンクデータ、非周期チャネル状態情報、およびフィードバック情報のうちの少なくとも１つを含む、ことと、
プロセッサ１１０１によって、通信モジュール１１０３を使用することによって、アップリンクリソース上で端末デバイスによって送信されたアップリンク情報を受信することと
を実行するようにさらに設定される。
【０３２０】
アクセスネットワークデバイス１１０は、２Ｇ通信システム（たとえば、ＧＳＭ）、３Ｇ通信システム（たとえば、ＵＭＴＳ）、および４Ｇ通信システム（たとえば、ＬＴＥ）に適用可能であり、将来の４．５Ｇまたは５Ｇ通信システムに適用可能でもあることが留意されるべきである。
【０３２１】
本発明のこの実施形態において説明されるアクセスネットワークデバイス１１０の機能モジュールの機能は、図５において示される実施形態における対応するアクセスネットワークデバイスの関連する説明に基づいて実装されてもよいことが理解されるべきである。詳細は、本明細書では再び説明されない。
【０３２２】
図１２を参照すると、図１２は、本発明の実施形態による別の端末デバイスの概略構造図である。図１２に示されているように、端末デバイス１２０は、受信ユニット１２０１と、判定ユニット１２０２と、送信ユニット１２０３とを含む。
【０３２３】
受信ユニット１２０１は、アクセスネットワークデバイスによって送信されたアップリンクスケジューリング情報を受信するように設定される。
【０３２４】
判定ユニット１２０２は、アップリンクスケジューリング情報中に含まれる非周期チャネル状態指示情報ならびに変調およびコーディング指示情報に基づいて、アップリンクスケジューリング情報によって示されるアップリンクリソース上でフィードバック情報を送信すべきかどうかを判定するように設定される。
【０３２５】
送信ユニット１２０３は、判定ユニット１２０２がアップリンクリソース上でフィードバック情報を送信することを決定した場合、アップリンクリソース上でフィードバック情報を送信するように設定される。
【０３２６】
この実装では、端末デバイス１２０は、機能ユニットの形態で提示される。本明細書における「ユニット」は、特定用途向け集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のソフトウェアもしくはファームウェアプログラムを実行するプロセッサおよびメモリ、集積論理回路、ならびに／または前述の機能を提供することができる別の構成要素であってもよい。端末デバイス１２０は、図６に示された形態を使用してもよい。受信ユニット１２０１、判定ユニット１２０２、および送信ユニット１２０３は、図６におけるプロセッサ６０１を使用することによって実装されてもよい。
【０３２７】
任意選択で、送信ユニット１２０３は、
アップリンクリソース上でフィードバック情報を送信するとき、アップリンクリソース上でアップリンクデータおよび非周期チャネル状態情報のうちの少なくとも１つをさらに送信するようにさらに設定される。
【０３２８】
任意選択で、判定ユニット１２０２は、具体的には
アップリンクスケジューリング情報中に含まれる非周期チャネル状態指示情報が、具体的には、
アップリンクスケジューリング情報中に含まれる非周期チャネル状態指示情報が、非周期チャネル状態情報をフィードバックするように端末デバイスに命令し、アップリンクスケジューリング情報中に含まれる変調およびコーディング指示情報に対応する変調およびコーディング方式インデックス番号が３０もしくは３１に設定されているとき、アップリンクスケジューリング情報によって示されるアップリンクリソース上でフィードバック情報を送信することを決定し、ならびに／または、
アップリンクスケジューリング情報中に含まれる非周期チャネル状態指示情報が、非周期チャネル状態情報をフィードバックしないように端末デバイスに命令し、アップリンクスケジューリング情報中に含まれる変調およびコーディング指示情報に対応する変調およびコーディング方式インデックス番号が２９から３１の中の任意の値に設定されているとき、アップリンクスケジューリング情報によって示されるアップリンクリソース上でフィードバック情報を送信することを決定するように設定される。
【０３２９】
本発明のこの実施形態において説明される端末デバイス１２０の機能ユニットの機能は、図３において示される実施形態における端末デバイスの関連する説明に基づいて実装されてもよいことが理解されるべきである。詳細は、本明細書では再び説明されない。
【０３３０】
図１３を参照すると、図１３は、本発明の実施形態による別のアクセスネットワークデバイスの概略構造図である。図１３に示されているように、アクセスネットワークデバイス１３０は、送信ユニット１３０１と受信ユニット１３０２とを含む。
【０３３１】
送信ユニット１３０１は、端末デバイスにアップリンクスケジューリング情報を送信するように設定され、アップリンクスケジューリング情報は、非周期チャネル状態指示情報と変調およびコーディング指示情報とを含み、非周期チャネル状態指示情報ならびに変調およびコーディング指示情報は、アップリンクスケジューリング情報によって示されるアップリンクリソース上でフィードバック情報を送信すべきかどうかを判定するように端末デバイスに命令するために使用される。
【０３３２】
受信ユニット１３０２は、非周期チャネル状態指示情報ならびに変調およびコーディング指示情報が、アップリンクスケジューリング情報によって示されるアップリンクリソース上でフィードバック情報を送信するように端末デバイスに命令した場合、アップリンクリソース上で端末デバイスによって送信されたフィードバック情報を受信するように設定される。
【０３３３】
この実施形態では、アクセスネットワークデバイス１３０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。アクセスネットワークデバイス１３０は、図７に示される形態を使用してもよい。送信ユニット１３０１および受信ユニット１３０２は、図７におけるプロセッサ７０１を使用することによって実装されてもよい。
【０３３４】
本発明のこの実施形態において説明されるアクセスネットワークデバイス１３０の機能ユニットの機能は、図３において示される実施形態におけるアクセスネットワークデバイスの関連する説明に基づいて実装されてもよいことが理解されるべきである。詳細は、本明細書では再び説明されない。
【０３３５】
図１４を参照すると、図１４は、本発明の実施形態による別の端末デバイスの概略構造図である。図１４に示されているように、端末デバイス１４０は、受信ユニット１４０１と、第１の判定ユニット１４０２と、送信ユニット１４０３とを含む。
【０３３６】
受信ユニット１４０１は、アクセスネットワークデバイスによって送信されたアップリンクスケジューリング情報を受信するように設定される。
【０３３７】
第１の判定ユニット１４０２は、アップリンクスケジューリング情報中に含まれる変調およびコーディング指示情報に基づいて、アップリンクスケジューリング情報によって示されるアップリンクリソース上でアップリンクデータを送信すべきかどうかを判定するように設定される。
【０３３８】
送信ユニット１４０３は、アップリンクリソース上でアップリンクデータを送信することが決定された場合、アップリンクリソース上でアップリンクデータを送信するように設定される。
【０３３９】
この実施形態では、端末デバイス１４０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。端末デバイス１４０は、図８に示される形態を使用してもよい。受信ユニット１４０１、第１の判定ユニット１４０２、および送信ユニット１４０３は、図８におけるプロセッサ８０１を使用することによって実装されてもよい。
【０３４０】
任意選択で、第１の判定ユニット１４０２は、具体的には、
アップリンクスケジューリング情報中に含まれる変調およびコーディング指示情報に対応するインデックス番号が０から２８の中の任意の値であることを決定したとき、アップリンクスケジューリング情報によって示されるアップリンクリソース上でアップリンクデータを送信することを決定し、ならびに／または、
アップリンクスケジューリング情報中に含まれる変調およびコーディング指示情報に対応するインデックス番号が２９から３１の中の任意の値であることを決定したとき、アップリンクスケジューリング情報によって示されるアップリンクリソース上でアップリンクデータを送信しないことを決定するように設定される。
【０３４１】
任意選択で、第１の判定ユニット１４０２が、アップリンクスケジューリング情報によって示されるアップリンクリソース上でアップリンクデータを送信することを決定するように設定されることは、具体的には、
第１の判定ユニット１４０２が、アップリンクスケジューリング情報中に含まれる非周期チャネル状態指示情報およびフィードバック指示情報に基づいて、アップリンクスケジューリング情報によって示されるアップリンクリソース上で、アップリンクデータ、アップリンクデータおよび非周期チャネル状態情報、アップリンクデータおよびフィードバック情報、または、アップリンクデータ、非周期チャネル状態情報、およびフィードバック情報を送信することを決定するように設定されることである。
【０３４２】
任意選択で、第１の判定ユニット１４０２がアップリンクスケジューリング情報によって示されるアップリンクリソース上でアップリンクデータを送信しないことを決定するように設定されることは、具体的には、
第１の判定ユニット１４０２が、アップリンクスケジューリング情報中に含まれる変調およびコーディング指示情報、非周期チャネル状態指示情報、ならびにフィードバック指示情報のうちの少なくとも１つに基づいて、アップリンクスケジューリング情報によって示されるアップリンクリソース上で非周期チャネル状態情報、フィードバック情報、または非周期チャネル状態情報およびフィードバック情報を送信することを決定するように設定されることである。
【０３４３】
任意選択で、第１の判定ユニット１４０２は、具体的には、
変調およびコーディング指示情報に対応するインデックス番号が２９であることを決定したとき、アップリンクスケジューリング情報によって示されるアップリンクリソース上で非周期チャネル状態情報を送信することを決定し、ならびに／または、
変調およびコーディング指示情報に対応するインデックス番号が３０もしくは３１であることを決定したとき、アップリンクスケジューリング情報によって示されるアップリンクリソース上でフィードバック情報、もしくは非周期チャネル状態情報およびフィードバック情報を送信することを決定するように設定される。
【０３４４】
任意選択で、第１の判定ユニット１４０２は、具体的には、
変調およびコーディング指示情報に対応するインデックス番号が２９であり、アップリンクスケジューリング情報中に含まれる非周期チャネル状態指示情報が「真」に設定されていることを決定したとき、アップリンクスケジューリング情報によって示されるアップリンクリソース上で非周期チャネル状態情報を送信することを決定し、ならびに／または、
変調およびコーディング指示情報に対応するインデックス番号が２９であり、アップリンクスケジューリング情報中に含まれる非周期チャネル状態指示情報が「偽」に設定されていることを決定したとき、アップリンクスケジューリング情報によって示されるアップリンクリソース上でフィードバック情報、もしくは非周期チャネル状態情報およびフィードバック情報を送信することを決定するように設定される。
【０３４５】
任意選択で、第１の判定ユニット１４０２が、アップリンクスケジューリング情報によって示されるアップリンクリソース上でフィードバック情報、または非周期チャネル状態情報およびフィードバック情報を送信することを決定するように設定されることは、具体的には、
第１の判定ユニット１４０２が、アップリンクスケジューリング情報によって示されるアップリンクリソース上でフィードバック情報を送信することを決定するように設定されることである。
【０３４６】
端末デバイス１４０は、
第１の判定ユニット１４０２が変調およびコーディング指示情報に対応するインデックス番号が３０または３１であることを決定したとき、アップリンクスケジューリング情報によって示されるアップリンクリソース上で非周期チャネル状態情報およびフィードバック情報を送信することを決定するように設定される第２の判定ユニットをさらに含む。
【０３４７】
任意選択で、第１の判定ユニット１４０２が、アップリンクスケジューリング情報によって示されるアップリンクリソース上でフィードバック情報、または非周期チャネル状態情報およびフィードバック情報を送信することを決定するように設定されることは、具体的には、
第１の判定ユニット１４０２が、アップリンクスケジューリング情報によって示されるアップリンクリソース上で非周期チャネル状態情報およびフィードバック情報を送信することを決定するように設定される。
【０３４８】
端末デバイス１４０は、
第１の判定ユニット１４０２が、変調およびコーディング指示情報に対応するインデックス番号が３０または３１であることを決定したとき、アップリンクスケジューリング情報によって示されるアップリンクリソース上でフィードバック情報を送信することを決定するように設定される第３の判定ユニットをさらに含む。
【０３４９】
任意選択で、第１の判定ユニット１４０２は、具体的には、
アップリンクスケジューリング情報中に含まれる非周期チャネル状態指示情報およびフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定するように設定される。
【０３５０】
任意選択で、第１の判定ユニット１４０２は、具体的には、
アップリンクスケジューリング情報中に含まれる変調およびコーディング指示情報、非周期チャネル状態指示情報、ならびにフィードバック指示情報に基づいて、アップリンクスケジューリング情報によって示されるアップリンクリソース上で非周期チャネル状態情報、フィードバック情報、または非周期チャネル状態情報およびフィードバック情報を送信することを決定するように設定される。
【０３５１】
本発明のこの実施形態において説明される端末デバイス１４０の機能ユニットの機能は、図４において示される実施形態における端末デバイスの関連する説明に基づいて実装されてもよいことが理解されるべきである。詳細は、本明細書では再び説明されない。
【０３５２】
図１５を参照すると、図１５は、本発明の実施形態による別のアクセスネットワークデバイスの概略構造図である。図１５に示されているように、アクセスネットワークデバイス１５０は、送信ユニット１５０１と受信ユニット１５０２とを含む。
【０３５３】
送信ユニット１５０１は、端末デバイスにアップリンクスケジューリング情報を送信するように設定され、アップリンクスケジューリング情報は、変調およびコーディング指示情報を含み、変調およびコーディング指示情報は、端末デバイスによって使用され、アップリンクスケジューリング情報によって示されるアップリンクリソース上でアップリンクデータを送信すべきかどうかを判定する。
【０３５４】
受信ユニット１５０２は、変調およびコーディング指示情報がアップリンクスケジューリング情報によって示されるアップリンクリソース上でアップリンクデータを送信するように端末デバイスに命令した場合、アップリンクリソース上で端末デバイスによって送信されたアップリンクデータを受信するように設定される。
【０３５５】
この実施形態では、アクセスネットワークデバイス１５０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。アクセスネットワークデバイス１５０は、図９に示される形態を使用してもよい。送信ユニット１５０１および受信ユニット１５０２は、図９におけるプロセッサ９０１を使用することによって実装されてもよい。
【０３５６】
本発明のこの実施形態において説明されるアクセスネットワークデバイス１５０の機能ユニットの機能は、図４において示される実施形態における端末デバイスの関連する説明に基づいて実装されてもよいことが理解されるべきである。詳細は、本明細書では再び説明されない。
【０３５７】
図１６を参照すると、図１６は、本発明の実施形態による別の端末デバイスの概略構造図である。図１６に示されているように、端末デバイス１６０は、受信ユニット１６０１と、判定ユニット１６０２と、送信ユニット１６０３とを含む。
【０３５８】
受信ユニット１６０１は、アクセスネットワークデバイスによって送信されたアップリンクスケジューリング情報を受信するように設定される。
【０３５９】
判定ユニット１６０２は、アップリンクスケジューリング情報中に含まれる非周期チャネル状態指示情報およびフィードバック指示情報に基づいて、アップリンクスケジューリング情報によって示されるアップリンクリソース上で送信されるべきアップリンク情報を判定するように設定され、アップリンク情報は、以下、すなわち、アップリンクデータ、非周期チャネル状態情報、およびフィードバック情報のうちの少なくとも１つを含む。
【０３６０】
送信ユニット１６０３は、アップリンクリソース上でアップリンク情報を送信するように設定される。
【０３６１】
この実装では、端末デバイス１６０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。端末デバイス１６０は、図１０に示される形態を使用してもよい。受信ユニット１６０１、判定ユニット１６０２、および送信ユニット１６０３は、図１０におけるプロセッサ１００１を使用することによって実装されてもよい。
【０３６２】
本発明のこの実施形態において説明される端末デバイス１６０の機能ユニットの機能は、図５において示される実施形態における端末デバイスの関連する説明に基づいて実装されてもよいことが理解されるべきである。詳細は、本明細書では再び説明されない。
【０３６３】
図１７を参照すると、図１７は、本発明の実施形態による別のアクセスネットワークデバイスの概略構造図である。図１７に示されているように、アクセスネットワークデバイス１７０は、送信ユニット１７０１と受信ユニット１７０２とを含む。
【０３６４】
送信ユニット１７０１は、端末デバイスにアップリンクスケジューリング情報を送信するように設定され、アップリンクスケジューリング情報は、非周期チャネル状態指示情報とフィードバック指示情報とを含み、非周期チャネル状態指示情報およびフィードバック指示情報は、アップリンクスケジューリング情報によって示されるアップリンクリソース上で送信されるべきアップリンク情報を判定するように端末デバイスに命令するために使用され、アップリンク情報は、以下、すなわち、アップリンクデータ、非周期チャネル状態情報、およびフィードバック情報のうちの少なくとも１つを含む。
【０３６５】
受信ユニット１７０２は、アップリンクリソース上で端末デバイスによって送信されたアップリンク情報を受信するように設定される。
【０３６６】
この実施形態では、アクセスネットワークデバイス１７０は、機能ユニットの形態で提示される。本明細書における「ユニット」は、ＡＳＩＣ、１つもしくは複数のソフトウェアもしくはファームウェアプログラムを実行するプロセッサおよびメモリ、集積論理回路、ならびに／または前述の機能を提供することができる別の構成要素であってもよい。アクセスネットワークデバイス１７０は、図１１に示される形態を使用してもよい。送信ユニット１７０１および受信ユニット１７０２は、図１１におけるプロセッサ１１０１を使用することによって実装されてもよい。
【０３６７】
本発明のこの実施形態において説明されるアクセスネットワークデバイス１７０の機能ユニットの機能は、図５において示される実施形態におけるアクセスネットワークデバイスの関連する説明に基づいて実装されてもよいことが理解されるべきである。詳細は、本明細書では再び説明されない。
【０３６８】
本発明の実施形態のより良い実装を容易にするために、本発明の実施形態は、コンピュータ可読記憶媒体をさらに提供する。コンピュータ可読記憶媒体は、１つまたは複数のコンピュータプログラムを記憶する。コンピュータ可読記憶媒体は、磁気ディスク、コンパクトディスク、ＲＯＭ、またはＲＡＭであってもよい。１つまたは複数のコンピュータプログラムは、端末デバイスの１つまたは複数のプロセッサ上で動作する。コンピュータプログラムが動作しているとき、図３、図４、または図５に示されている前述の方法実施形態の手順が実施され得る。
【０３６９】
結論として、本発明の実施形態を実施することによって、アンライセンス周波数帯域リソースを使用するとき、端末デバイスは、フィードバックされる必要があるアップリンク情報のタイプを効果的に識別して、データ送信効率を保証することができる。
【０３７０】
本発明は実施形態を参照して本明細書で説明されたが、本発明の特許請求の範囲は、限定されるべきではない。保護を請求する本発明を実施するプロセスにおいて、当業者は、添付図面、開示される内容、および添付の特許請求の範囲を見ることによって、前述の実施形態におけるすべてのまたはいくつかの手順を理解し実施してもよい。本発明の特許請求の範囲に従って作られた等価の変形は、本発明の範囲内に入るものとする。特許請求の範囲において、「備える」は、別の構成要素または別のステップを排除せず、「ａ」または「１つの」は、「複数の」の場合を排除しない。単一のコントローラまたは別のユニットは、特許請求の範囲において列挙されるいくつかの機能を実施してもよい。いくつかの文言は、互いに異なる従属請求項において記録されているが、これは、これらの文言がより良い効果を生じるように組み合わされることができないことを意味しない。コンピュータプログラムは、光記憶媒体もしくは固体媒体のような適切な媒体において記憶／配信されてもよく、他のハードウェアと一緒に提供されてもよく、もしくはハードウェアの一部として使用されてもよく、または別の方法で、たとえば、インターネット（英語：Ｉｎｔｅｒｎｅｔ）、もしくは別の有線もしくは無線システムを使用することによって、配信されてもよい。
【手続補正書】
【提出日】平成31年2月12日(2019.2.12)
【手続補正１】
【補正対象書類名】明細書
【補正対象項目名】００８２
【補正方法】変更
【補正の内容】
【００８２】
第１７の態様によれば、アクセスネットワークデバイスが提供され、アクセスネットワークデバイスは、第５の態様または第５の態様のいずれか１つの実装によるアップリンク情報送信方法を実施するように構成されているモジュールまたはユニットを含む。
【手続補正２】
【補正対象書類名】明細書
【補正対象項目名】００８３
【補正方法】変更
【補正の内容】
【００８３】
第１８の態様によれば、アクセスネットワークデバイスが提供され、アクセスネットワークデバイスは、第６の態様または第６の態様のいずれか１つの実装によるアップリンク情報送信方法を実施するように構成されているモジュールまたはユニットを含む。
【国際調査報告】
2019525557.tif 000057
2019525557.tif 000058
2019525557.tif 000059
2019525557.tif 000060